(57)【要約】  通信装置における性能を改善、または新たなサービス形態への対応などを促進する。携帯端末（１０Ｄ）は、可視光を用いて通信する通信装置であって、それぞれ携帯端末（１０Ｄ）の正面に沿って配置され、可視光の信号を送信する複数の発光部（１３ａ）と、それぞれその正面に沿って配置され、可視光の信号を受信する複数の受光部（１４ａ）とを備え、複数の発光部（１３ａ）は、複数の受光部（１４ａ）の何れからも左側に配置され、複数の受光部（１４ａ）は、複数の発光部（１３ａ）の何れからも右側に配置されている。
2019093464.tif 000002
【特許請求の範囲】
【請求項１】
可視光を用いて通信する通信装置であって、
それぞれ前記通信装置の第１の面に沿って配置され、可視光の信号を送信する複数の第１の発光部と、
それぞれ前記第１の面に沿って配置され、可視光の信号を受信する複数の第１の受光部とを備え、
前記複数の第１の発光部は、前記複数の第１の受光部の何れからも、第１の方向の２つの向きのうちの一方側に配置され、前記複数の第１の受光部は、前記複数の第１の発光部の何れからも、前記２つの向きのうちの他方側に配置されている、
通信装置。
【請求項２】
前記通信装置は、さらに、
それぞれ前記通信装置の第２の面に沿って配置され、可視光の信号を送信する複数の第２の発光部と、
それぞれ前記第２の面に沿って配置され、可視光の信号を受信する複数の第２の受光部とを備え、
前記第１の方向に対して垂直な第２の方向に沿う軸を中心に前記通信装置を回転させて前記第１の面および前記第２の面をそれぞれ見た場合、前記第１の面における前記複数の第１の発光部と前記複数の第１の受光部との相対的な位置関係と、前記第２の面における前記複数の第２の発光部と前記複数の第２の受光部との相対的な位置関係とは、同一である、
請求項１に記載の通信装置。
【請求項３】
前記複数の第１の発光部は、前記第１の方向に沿って配列され、
前記複数の第２の発光部は、前記第１の方向に沿って配列され、
前記複数の第１の受光部は、前記第１の方向に沿って配列され、
前記複数の第２の受光部は、前記第１の方向に沿って配列されている、
請求項２に記載の通信装置。
【請求項４】
前記複数の第１の発光部は、前記第２の方向に沿って配列され
前記複数の第２の発光部は、前記第２の方向に沿って配列され
前記複数の第１の受光部は、前記第２の方向に沿って配列され
前記複数の第２の受光部は、前記第２の方向に沿って配列されている、
請求項２に記載の通信装置。
【発明の詳細な説明】
【技術分野】
【０００１】
本開示は、通信装置に関する。
【背景技術】
【０００２】
従来、複数アンテナを用いた通信方法として、例えば、ＭＩＭＯ（Multiple-Input Multiple-Output）と呼ばれる通信方法がある。ＭＩＭＯに代表されるマルチアンテナ通信では、複数ストリームの送信データを変調し、各変調信号を異なるアンテナから同一周波数（共通の周波数）を用い、同時に送信することで、データの受信品質を高め、および／または、（単位時間当たりの）データの通信速度を高めることができる。【０００３】
また、複数アンテナ通信において、マルチキャスト／ブロードキャスト通信を行う場合、送信装置が、空間の広い方向にわたりほぼ一定のアンテナ利得を有する疑似オムニパターンのアンテナが用いられることがある。例えば、特許文献１では、疑似オムニパターンのアンテナを用いて送信装置が変調信号を送信することが述べられている。
【先行技術文献】
【特許文献】
【０００４】
【特許文献１】国際公開第２０１１／０５５５３６号
【発明の概要】
【発明が解決しようとする課題】
【０００５】
上述のように複数のアンテナを用いる通信方法が提案されているが、可視光を用いて通信する通信装置でも、さらなる性能改善や新たなサービス形態への対応が要望されている。
【課題を解決するための手段】
【０００６】
本開示の一態様の通信装置は、可視光を用いて通信する通信装置であって、それぞれ前記通信装置の第１の面に沿って配置され、可視光の信号を送信する複数の第１の発光部と、それぞれ前記第１の面に沿って配置され、可視光の信号を受信する複数の第１の受光部とを備え、前記複数の第１の発光部は、前記複数の第１の受光部の何れからも、第１の方向の２つの向きのうちの一方側に配置され、前記複数の第１の受光部は、前記複数の第１の発光部の何れからも、前記２つの向きのうちの他方側に配置されている。
【発明の効果】
【０００７】
本開示によれば、通信装置における性能を改善、または新たなサービス形態への対応などを促進できる可能性がある。
【図面の簡単な説明】
【０００８】
【図１】基地局の構成の一例を示す図。
【図２】基地局のアンテナ部の構成の一例を示す図。
【図３】基地局の構成の一例を示す図。
【図４】端末の構成の一例を示す図。
【図５】端末のアンテナ部の構成の一例を示す図。
【図６】端末の構成の一例を示す図。
【図７】基地局と端末の間の通信状態の一例を示す図。
【図８】複数ストリームの関係を説明するための図。
【図９】フレーム構成の一例を示す図。
【図１０】フレーム構成の一例を示す図。
【図１１】シンボル構成の一例を示す図。
【図１２】基地局と端末の間の通信状態の一例を示す図。
【図１３】複数の変調信号の関係を示す図。
【図１４】フレーム構成の一例を示す図。
【図１５】フレーム構成の一例を示す図。
【図１６】シンボル構成の一例を示す図。
【図１７】基地局と端末の間の通信状態の一例を示す図。
【図１８】基地局と端末の間の通信状態の一例を示す図。
【図１９】基地局と端末の間の通信状態の一例を示す図。
【図２０】基地局と端末の間の通信状態の一例を示す図。
【図２１】複数の変調信号の関係を示す図。
【図２２】基地局と端末の間の通信状態の一例を示す図。
【図２３】基地局と端末の通信を行う手順を示す図。
【図２４】基地局及び端末が送信するシンボルの一例を示す図。
【図２５】基地局が送信するシンボルの一例を示す図。
【図２６】基地局と端末の間の通信状態の一例を示す図。
【図２７】基地局が送信するシンボルの一例を示す図。
【図２８】基地局と端末の通信を行う手順を示す図。
【図２９】基地局と端末の間の通信状態の一例を示す図。
【図３０】基地局と端末の通信を行う手順を示す図。
【図３１】基地局が送信するシンボルの一例を示す図。
【図３２】基地局が送信するシンボルの一例を示す図。
【図３３】基地局と端末の通信を行う手順を示す図。
【図３４】基地局と端末の通信を行う手順を示す図。
【図３５】基地局が送信するシンボルの一例を示す図。
【図３６】基地局と端末の通信を行う手順を示す図。
【図３７】基地局の構成の一例を示す図。
【図３８】フレーム構成の一例を示す図。
【図３９】フレーム構成の一例を示す図。
【図４０】フレーム構成の一例を示す図。
【図４１】フレーム構成の一例を示す図。
【図４２】シンボル領域の端末への割り当ての一例を示す図。
【図４３】シンボル領域の端末への割り当ての一例を示す図。
【図４４】基地局の構成の一例を示す図。
【図４５】通信装置が保有するデータを複数の通信装置に送信する場合の例を示す図。
【図４６】スペクトルの一例を示す図。
【図４７】各通信装置の位置関係の一例を示す図。
【図４８】各通信装置の位置関係の他の例を示す図。
【図４９】各通信装置の位置関係の他の例を示す図。
【図５０】各通信装置の位置関係の他の例を示す図。
【図５１】通信装置が送信する変調信号のフレーム構成の一例を示す図。
【図５２】通信装置が送信する変調信号のフレーム構成の他の例を示す図。
【図５３】通信装置の構成例を示す図。
【図５４】通信装置間での通信の様子の一例を示す図。
【図５５】各通信装置が通信を行う手順の一例を示す図。
【図５６】各通信装置が通信を行う手順の他の例を示す図。
【図５７】通信装置および送電装置の構成例を示す図。
【図５８】装置の構成例を示す図。
【図５９】各装置が通信を行う手順の一例を示す図。
【図６０】装置とサーバーの通信を行う手順を示す図。
【図６１】通信用アンテナ配置に関する課題を説明するための図。
【図６２】通信用アンテナの配置の一例を示す図。
【図６３】通信用アンテナの配置の他の例を示す図。
【図６４】通信用アンテナの配置の他の例を示す図。
【図６５】通信用アンテナの配置の他の例を示す図。
【図６６】通信用アンテナの配置の他の例を示す図。
【図６７】通信用アンテナの配置の他の例を示す図。
【図６８】通信用アンテナの配置の他の例を示す図。
【図６９】システムの概要を示す図。
【図７０】通信装置の構成例を示す図。
【図７１】送電システムの構成例を示す図。
【図７２】通信装置の処理動作の一例を示す図。
【図７３】送電システムの処理動作の一例を示す図。
【図７４】送電システムの他の処理動作の一例を示す図。
【図７５】通信装置の他の処理動作の一例を示す図。
【図７６】送電システムのさらに他の処理動作の一例を示す図。
【図７７】送電システムの構成例を示す図。
【図７８】送電システムの構成例を示す図。
【図７９】車が具備する通信装置の動作に関する図。
【図８０】送電システムの動作に関する図。
【図８１】車の構成例を示す図。
【図８２】車が具備する通信装置関連の動作に関する図。
【図８３】送電システムの動作に関する図。
【図８４】車が具備する通信装置関連の動作に関する図。
【図８５】送電システムの動作に関する図。
【図８６】車と送電システムのデータの流れの一例を示す図。
【図８７】車と送電システムのデータの流れの一例を示す図。
【図８８】車の駐車場のスペースおよび送電アンテナの一例を示す図。
【図８９】車と送電システムのデータの流れの一例を示す図。
【図９０】通信システムの構成例を示す図。
【図９１】充電器の構成例を示す図。
【図９２】通信システムの動作の一例を示す図。
【図９３】サーバの構成の一例を示す図。
【図９４】ラインスキャンサンプリングの原理を説明するための図。
【図９５】露光時間が長い場合の撮像画像の一例を示す図。
【図９６】露光時間が短い場合の撮像画像の一例を示す図。
【図９７Ａ】４ＰＰＭを説明するための図。
【図９７Ｂ】マンチェスタ符号方式を説明するための図。
【図９８】可視光通信システムの構成例を示す図。
【図９９】光通信を行う他の通信システムの構成例を示す図。
【図１００】携帯端末の正面および背面の一例を示す図。
【図１０１】他の携帯端末の正面および背面の一例を示す図。
【図１０２Ａ】携帯端末と送電装置との一例を示す図。
【図１０２Ｂ】携帯端末１０Ｂが可視光通信の中継を行っている状態を示す図。
【図１０３】他の携帯端末の正面および背面の一例を示す図。
【図１０４】他の携帯端末の正面および背面の一例を示す図。
【図１０５】他の携帯端末の正面および背面の一例を示す図。
【図１０６】可視光通信を用いて動画像データを伝送する通信システムの構成の一例を示す図。
【図１０７】第１のタイプの通信システムにおける携帯端末および表示装置のそれぞれの構成の一例を示す図。
【図１０８】第２のタイプの通信システムにおける携帯端末および表示装置のそれぞれの構成の一例を示す図。
【図１０９】第３のタイプの通信システムにおける携帯端末および表示装置のそれぞれの構成の一例を示す図。
【図１１０】第３のタイプの通信システムにおけるデコーダ機器の構成の一例を示す図。
【図１１１】可視光通信の中継の一例を示す図。
【図１１２】デジタルサイネージを備えた車両の一例を示す図。
【図１１３】車両および車両が具備する装置の動作に関する図。
【図１１４】車両の構成例を示す図。
【図１１５】車両の構成例を示す図。
【図１１６】車両の構成例を示す図。
【発明を実施するための形態】
【０００９】
以下では、まず、後述する本開示の通信システムに対して適用することができる複数アンテナを用いた通信方式の例について説明する。
【００１０】
（実施の形態１）
図１は、本実施の形態における基地局（または、アクセスポイントなど）の構成の一例を示している。
【００１１】
１０１−１は＃１情報、１０１−２は＃２情報、・・・、１０１−Ｍは＃Ｍ情報を示している。１０１−ｉは、＃ｉ情報を示している。ｉは１以上Ｍ以下の整数とする。なお、Ｍは２以上の整数とする。なお、＃１情報から＃Ｍ情報までのすべてが存在する必要はない。
【００１２】
信号処理部１０２は、＃１情報１０１−１、＃２情報１０１−２、・・・、＃Ｍ情報１０１−Ｍ、および、制御信号１５９を入力とする。信号処理部１０２は、制御信号１５９に含まれる、「誤り訂正符号化の方法（符号化率、符号長（ブロック長））に関する情報」「変調方式に関する情報」、「プリコーディングに関する情報」、「送信方法（多重化方法）」、「マルチキャスト用の送信を行うか／ユニキャスト用の送信を行うか（マルチキャスト用の送信、ユニキャスト用の送信を同時に実現してもよい）」、「マルチキャストを行うときの送信ストリーム数」、「マルチキャスト用の変調信号を送信する場合の送信方法（この点については、後で詳しく説明する）」などの情報に基づき、信号処理を行い、信号処理後の信号１０３−１、信号処理後の信号１０３−２、・・・、信号処理後の信号１０３−Ｍ、つまり、信号処理後の信号１０３−ｉを出力する。なお、信号処理後の信号＃１から信号処理後の信号＃Ｍまでのすべてが存在する必要はない。このとき、＃ｉ情報１０１−ｉに対し、誤り訂正符号化を行い、その後、設定した変調方式によるマッピングを行う。これにより、ベースバンド信号を得る。
【００１３】
そして、各情報に対応するベースバンド信号を集め、プリコーディングを行う。また、例えば、ＯＦＤＭ（Orthogonal Frequency Division Multiplexing）を適用してもよい。
【００１４】
無線部１０４−１は、信号処理後の信号１０３−１、制御信号１５９を入力とし、制御信号１５９に基づいて、帯域制限、周波数変換、増幅などの処理を行い、送信信号１０５−１を出力する。そして、送信信号１０５−１は、アンテナ部１０６−１から電波として出力される。
【００１５】
同様に、無線部１０４−２は、信号処理後の信号１０３−２、制御信号１５９を入力とし、制御信号１５９に基づいて、帯域制限、周波数変換、増幅などの処理を行い、送信信号１０５−２を出力する。そして、送信信号１０５−２は、アンテナ部１０６−２から電波として出力される。無線部１０４−３から無線部１０４−（Ｍ−１）までの説明は省略する。
【００１６】
無線部１０４−Ｍは、信号処理後の信号１０３−Ｍ、制御信号１５９を入力とし、制御信号１５９に基づいて、帯域制限、周波数変換、増幅などの処理を行い、送信信号１０５−Ｍを出力する。そして、送信信号１０５−Ｍは、アンテナ部１０６−Ｍから電波として出力される。
【００１７】
なお、各無線部は、信号処理後の信号が存在していない場合は、上記処理を行わなくてもよい。
【００１８】
無線部群１５３は、受信アンテナ群１５１で受信した受信信号群１５２を入力とし、周波数変換等の処理を行い、ベースバンド信号群１５４を出力する。
【００１９】
信号処理部１５５は、ベースバンド信号群１５４を入力し、復調、誤り訂正復号を行う、つまり、時間同期、周波数同期、チャネル推定などの処理も行う。このとき、信号処理部１５５は、一つ以上の端末が送信した変調信号を受信し、処理を行っているため、各端末が送信したデータと、各端末が送信した制御情報を得る。したがって、信号処理部１５５は、一つ以上の端末に対応するデータ群１５６、および、一つ以上の端末に対応する制御情報群１５７を出力する。
【００２０】
設定部１５８は、制御情報群１５７、設定信号１６０を入力とし、制御情報群１５７に基づき、「誤り訂正符号化の方法（符号化率、符号長（ブロック長））」、「変調方式」、「プリコーディング方法」、「送信方法」、「アンテナの設定」、「マルチキャスト用の送信を行うか／ユニキャスト用の送信を行うか（マルチキャスト及びユニキャストの送信を同時に実現してもよい）」、「マルチキャストを行うときの送信ストリーム数」、「マルチキャスト用の変調信号を送信する場合の送信方法」などを決定し、これらの決定した情報を含んだ制御信号１５９を出力する。
【００２１】
アンテナ部１０６−１、１０６−２、・・・、１０６−Ｍは、制御信号１５９を入力としている。このときの動作について、図２を用いて説明する。
【００２２】
図２は、アンテナ部１０６−１、１０６−２、・・・、１０６−Ｍの構成の一例を示している。各アンテナ部は、図２のように複数のアンテナを具備している。なお、図２では、アンテナを４つ描いているが、各アンテナ部は、複数のアンテナを具備していればよい。なお、アンテナの本数は４に限ったものではない。
【００２３】
図２は、アンテナ部１０６−ｉの構成となる。ｉは１以上Ｍ以下の整数である。
【００２４】
分配部２０２は、送信信号２０１（図１の送信信号１０５−ｉに相当）を入力とし、送信信号２０１を分配し、信号２０３−１、２０３−２、２０３−３、２０３−４を出力する。
【００２５】
乗算部２０４−１は、信号２０３−１、および、制御信号２００（図１の制御信号１５９に相当）を入力とし、制御信号２００に含まれる乗算係数の情報に基づき、信号２０３−１に対し、係数Ｗ１を乗算し、乗算後の信号２０５−１を出力する。なお、係数Ｗ１は複素数で定義する。したがって、Ｗ１は実数をとることもできる。したがって、信号２０３−１をｖ１（ｔ）とすると、乗算後の信号２０５−１はＷ１×ｖ１（ｔ）とあらわすことができる（ｔは時間）。そして、乗算後の信号２０５−１は、アンテナ２０６−１から電波として出力される。
【００２６】
同様に、乗算部２０４−２は、信号２０３−２、および、制御信号２００を入力とし、制御信号２００に含まれる乗算係数の情報に基づき、信号２０３−２に対し、係数Ｗ２を乗算し、乗算後の信号２０５−２を出力する。なお、係数Ｗ２は複素数で定義する。したがって、Ｗ２は実数をとることもできる。したがって、信号２０３−２をｖ２（ｔ）とすると、乗算後の信号２０５−２はＷ２×ｖ２（ｔ）とあらわすことができる（ｔは時間）。そして、乗算後の信号２０５−２は、アンテナ２０６−２から電波として出力される。
【００２７】
乗算部２０４−３は、信号２０３−３、および、制御信号２００を入力とし、制御信号２００に含まれる乗算係数の情報に基づき、信号２０３−３に対し、係数Ｗ３を乗算し、乗算後の信号２０５−３を出力する。なお、係数Ｗ３は複素数で定義する。したがって、Ｗ３は実数をとることもできる。したがって、信号２０３−３をｖ３（ｔ）とすると、乗算後の信号２０５−３はＷ３×ｖ３（ｔ）とあらわすことができる（ｔは時間）。そして、乗算後の信号２０５−３は、アンテナ２０６−３から電波として出力される。
【００２８】
乗算部２０４−４は、信号２０３−４、および、制御信号２００を入力とし、制御信号２００に含まれる乗算係数の情報に基づき、信号２０３−４に対し、係数Ｗ４を乗算し、乗算後の信号２０５−４を出力する。なお、係数Ｗ４は複素数で定義する。したがって、Ｗ４は実数をとることもできる。したがって、信号２０３−４をｖ４（ｔ）とすると、乗算後の信号２０５−４はＷ４×ｖ４（ｔ）とあらわすことができる（ｔは時間）。そして、乗算後の信号２０５−４は、アンテナ２０６−４から電波として出力される。
【００２９】
なお、Ｗ１の絶対値、Ｗ２の絶対値、Ｗ３の絶対値、Ｗ４の絶対値が等しくてもよい。
【００３０】
図３は、本実施の形態における図１の基地局の構成とは異なる基地局の構成を示しており、図３において、図１と同様に動作するものについては、同一番号を付しており、以下では説明を省略する。
【００３１】
重みづけ合成部３０１は、変調信号１０５−１、変調信号１０５−２、・・・、変調信号１０５−Ｍ、および、制御信号１５９を入力とする。そして、重みづけ合成部３０１は、制御信号１５９に含まれる重みづけ合成に関する情報にもとづき、変調信号１０５−１、変調信号１０５−２、・・・、変調信号１０５−Ｍに対し、重みづけ合成を行い、重みづけ合成後の信号３０２−１、３０２−２、・・・、３０２−Ｋを出力する。Ｋは１以上の整数とする。そして、重みづけ合成後の信号３０２−１はアンテナ３０３−１から電波として出力され、重みづけ合成後の信号３０２−２はアンテナ３０３−２から電波として出力され、・・・、重みづけ合成後の信号３０２−Ｋはアンテナ３０３−Ｋから電波として出力される。
【００３２】
重みづけ合成後の信号ｙｉ（ｔ）３０２−ｉ（ｉは、１以上Ｋ以下の整数）は、以下のようにあらわされる（ｔは時間）。
【００３３】
【数１】
2019093464.tif 000003
【００３４】
なお、式（１）において、Ａｉｊは複素数で定義できる値であり、したがって、Ａｉｊは実数をとることもでき、ｘｊ（ｔ）は変調信号１０５−ｊとなる。ｊは１以上Ｍ以下の整数である。
【００３５】
図４は、端末の構成の一例を示している。アンテナ部４０１−１、４０１−２、・・・、４０１−Ｎは、制御信号４１０を入力としている。Ｎは１以上の整数である。
【００３６】
無線部４０３−１は、アンテナ部４０１−１で受信した受信信号４０２−１、および、制御信号４１０を入力とし、制御信号４１０に基づき、受信信号４０２−１に対し、周波数変換等の処理を施し、ベースバンド信号４０４−１を出力する。
【００３７】
同様に、無線部４０３−２は、アンテナ部４０１−２で受信した受信信号４０２−２、および、制御信号４１０を入力とし、制御信号４１０に基づき、受信信号４０２−２に対し、周波数変換等の処理を施し、ベースバンド信号４０４−２を出力する。なお、無線部４０３−３から無線部４０３−（Ｎ−１）までの説明は省略する。
【００３８】
無線部４０３−Ｎは、アンテナ部４０１−Ｎで受信した受信信号４０２−Ｎ、および、制御信号４１０を入力とし、制御信号に基づき、受信信号４０２−Ｎに対し、周波数変換等の処理を施し、ベースバンド信号４０４−Ｎを出力する。
【００３９】
ただし、無線部４０３−１、４０３−２、・・・、４０３−Ｎはすべてが動作しなくてもよい。したがって、ベースバンド信号４０４−１、４０４−２、・・・、４０４−Ｎがすべて存在しているとは限らない。
【００４０】
信号処理部４０５は、ベースバンド信号４０４−１、４０４−２、・・・、４０４−Ｎ、および、制御信号４１０を入力とし、制御信号４１０に基づいて、復調、誤り訂正復号の処理を行い、データ４０６、送信用制御情報４０７、制御情報４０８を出力する。つまり、信号処理部４０５は、時間同期、周波数同期、チャネル推定などの処理も行う。
【００４１】
設定部４０９は、制御情報４０８を入力とし、受信方法に関する設定を行い、制御信号４１０を出力する。
【００４２】
信号処理部４５２は、情報４５１、送信用制御情報４０７を入力とし、誤り訂正符号化、設定した変調方式によるマッピングなどの処理を行い、ベースバンド信号群４５３を出力する。
【００４３】
無線部群４５４は、ベースバンド信号群４５３を入力とし、帯域制限、周波数変換、増幅等の処理を行い、送信信号群４５５を出力し、送信信号群４５５は、送信アンテナ群４５６から、電波として出力される。
【００４４】
図５は、アンテナ部４０１−１、４０１−２、・・・、４０１−Ｎの構成の一例を示している。各アンテナ部は、図５のように複数のアンテナを具備している。なお、図５では、アンテナを４つ描いているが、各アンテナ部は、複数のアンテナを具備していればよい。なお、アンテナ部は、アンテナの本数は４に限ったものではない。
【００４５】
図５は、アンテナ部４０１−ｉの構成となる。ｉは１以上Ｎ以下の整数である。
【００４６】
乗算部５０３−１は、アンテナ５０１−１で受信した受信信号５０２−１、および、制御信号５００（図４の制御信号４１０に相当）を入力とし、制御信号５００に含まれる乗算係数の情報に基づき、受信信号５０２−１に対し、係数Ｄ１を乗算し、乗算後の信号５０４−１を出力する。なお、係数Ｄ１は複素数で定義できる。したがって、Ｄ１は実数をとることもできる。したがって、受信信号５０２−１をｅ１（ｔ）とすると、乗算後の信号５０４−１はＤ１×ｅ１（ｔ）とあらわすことができる（ｔは時間）。
【００４７】
同様に、乗算部５０３−２は、アンテナ５０１−２で受信した受信信号５０２−２、および、制御信号５００を入力とし、制御信号５００に含まれる乗算係数の情報に基づき、受信信号５０２−２に対し、係数Ｄ２を乗算し、乗算後の信号５０４−２を出力する。なお、係数Ｄ２は複素数で定義できる。したがって、Ｄ２は実数をとることもできる。したがって、受信信号５０２−２をｅ２（ｔ）とすると、乗算後の信号５０４−２はＤ２×ｅ２（ｔ）とあらわすことができる（ｔは時間）。
【００４８】
乗算部５０３−３は、アンテナ５０１−３で受信した受信信号５０２−３、および、制御信号５００を入力とし、制御信号５００に含まれる乗算係数の情報に基づき、受信信号５０２−３に対し、係数Ｄ３を乗算し、乗算後の信号５０４−３を出力する。なお、係数Ｄ３は複素数で定義できる。したがって、Ｄ３は実数をとることもできる。したがって、受信信号５０２−３をｅ３（ｔ）とすると、乗算後の信号５０４−３はＤ３×ｅ３（ｔ）とあらわすことができる（ｔは時間）。
【００４９】
乗算部５０３−４は、アンテナ５０１−４で受信した受信信号５０２−４、および、制御信号５００を入力とし、制御信号５００に含まれる乗算係数の情報に基づき、受信信号５０２−４に対し、係数Ｄ４を乗算し、乗算後の信号５０４−４を出力する。なお、係数Ｄ４は複素数で定義できる。したがって、Ｄ４は実数をとろこともできる。したがって、受信信号５０２−４をｅ４（ｔ）とすると、乗算後の信号５０４−４はＤ４×ｅ４（ｔ）とあらわすことができる（ｔは時間）。
【００５０】
合成部５０５は、乗算後の信号５０４−１、５０４−２、５０４−３、５０４−４を入力とし、乗算後の信号５０４−１、５０４−２、５０４−３、５０４−４を加算し、合成後の信号５０６（図４の受信信号４０２−ｉに相当する）を出力とする。したがって、合成後の信号５０６は、Ｄ１×ｅ１（ｔ）＋Ｄ２×ｅ２（ｔ）＋Ｄ３×ｅ３（ｔ）＋Ｄ４×ｅ４（ｔ）とあらわされる。
【００５１】
図６は、本実施の形態における図４の端末の構成とは異なる端末の構成を示しており、図６において、図４と同様に動作するものについては、同一番号を付しており、以下では説明を省略する。
【００５２】
乗算部６０３−１は、アンテナ６０１−１で受信した受信信号６０２−１、および、制御信号４１０を入力とし、制御信号４１０に含まれる乗算係数の情報に基づき、受信信号６０２−１に対し、係数Ｇ１を乗算し、乗算後の信号６０４−１を出力する。なお、係数Ｇ１は複素数で定義できる。したがって、Ｇ１は実数をとることもできる。したがって、受信信号６０２−１をｃ１（ｔ）とすると、乗算後の信号６０４−１はＧ１×ｃ１（ｔ）とあらわすことができる（ｔは時間）。
【００５３】
同様に、乗算部６０３−２は、アンテナ６０１−２で受信した受信信号６０２−２、および、制御信号４１０を入力とし、制御信号４１０に含まれる乗算係数の情報に基づき、受信信号６０２−２に対し、係数Ｇ２を乗算し、乗算後の信号６０４−２を出力する。なお、係数Ｇ２は複素数で定義できる。したがって、Ｇ２は実数をとることもできる。したがって、受信信号６０２−２をｃ２（ｔ）とすると、乗算後の信号６０４−２はＧ２×ｃ２（ｔ）とあらわすことができる（ｔは時間）。乗算部６０３−３から乗算部６０３−（Ｌ−１）までの説明は省略する。
【００５４】
乗算部６０３−Ｌは、アンテナ６０１−Ｌで受信した受信信号６０２−Ｌ、および、制御信号４１０を入力とし、制御信号４１０に含まれる乗算係数の情報に基づき、受信信号６０２−Ｌに対し、係数ＧＬを乗算し、乗算後の信号６０４−Ｌを出力する。なお、係数ＧＬは複素数で定義できる。したがって、ＧＬは実数をとることもできる。したがって、受信信号６０２−ＬをｃＬ（ｔ）とすると、乗算後の信号６０４−ＬはＧＬ×ｃＬ（ｔ）とあらわすことができる（ｔは時間）。
【００５５】
したがって、乗算部６０３−ｉは、アンテナ６０１−ｉで受信した受信信号６０２−ｉ、および、制御信号４１０を入力とし、制御信号４１０に含まれる乗算係数の情報に基づき、受信信号６０２−ｉに対し、係数Ｇｉを乗算し、乗算後の信号６０４−ｉを出力する。なお、係数Ｇｉは複素数で定義できる。したがって、Ｇｉは実数をとることもできる。したがって、受信信号６０２−ｉをｃｉ（ｔ）とすると、乗算後の信号６０４−ｉはＧｉ×ｃｉ（ｔ）とあらわすことができる（ｔは時間）。なお、ｉは１以上Ｌ以下の整数とし、Ｌは２以上の整数である。
【００５６】
処理部６０５は、乗算後の信号６０４−１、乗算後の信号６０４−２、・・・、乗算後の信号６０４−Ｌ、および、制御信号４１０を入力とし、制御信号４１０に基づき、信号処理を行い、処理後の信号６０６−１、６０６−２、・・・、６０６−Ｎを出力する。Ｎは２以上の整数とする。このとき、乗算後の信号６０４−ｉをｐｉ（ｔ）とあらわす。ｉは１以上Ｌ以下の整数とする。すると、処理後の信号６０６−ｊ（ｒｊ（ｔ））は、以下のようにあらわされる（ｊは１以上Ｎ以下の整数）。
【００５７】
【数２】
2019093464.tif 000004
【００５８】
なお、式（２）において、Ｂｊｉは複素数で定義できる値である。したがって、Ｂｊｉは実数をとることもできる。
【００５９】
図７は、基地局と端末の通信状態の一例を示している。なお、基地局は、アクセスポイント、放送局などと呼ぶことがある。
【００６０】
基地局７００は、複数のアンテナを具備し、送信用のアンテナ７０１から、複数の送信信号を送信する。このとき、基地局７００は、例えば、図１、図３のような構成で構成されており、信号処理部１０２（および／または、重み付け合成部３０１）において、プリコーディング（重み付け合成）を行うことで、送信ビームフォーミング（指向性制御）を行う。
【００６１】
そして、図７は、ストリーム１のデータを伝送するための送信ビーム７０２−１、ストリーム１のデータを伝送するための送信ビーム７０２−２、ストリーム１のデータを伝送するための送信ビーム７０２−３を示す。
【００６２】
図７は、ストリーム２のデータを伝送するための送信ビーム７０３−１、ストリーム２のデータを伝送するための送信ビーム７０３−２、ストリーム２のデータを伝送するための送信ビーム７０３−３を示す。
【００６３】
なお、図７では、ストリーム１のデータを伝送するための送信ビームの数を３、ストリーム２のデータを伝送するための送信ビームの数を３としているが、これに限ったものではなく、ストリーム１のデータを伝送するための送信ビームが複数、ストリーム２のデータを伝送するための送信ビームが複数であればよい。
【００６４】
図７は、端末７０４−１、７０４−２、７０４−３、７０４−４、７０４−５を含み、例えば、図４、図５に示す端末と同じ構成である。
【００６５】
例えば、端末７０４−１は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−１、および、受信指向性７０６−１を形成する。そして、受信指向性７０５−１により、端末７０４−１は、ストリーム１のデータを伝送するための送信ビーム７０２−１の受信及び復調が可能となり、受信指向性７０６−１により、端末７０４−１は、ストリーム２のデータを伝送するための送信ビーム７０３−１の受信及び復調が可能となる。
【００６６】
同様に、端末７０４−２は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−２、および、受信指向性７０６−２を形成する。そして、受信指向性７０５−２により、端末７０４−２は、ストリーム１のデータを伝送するための送信ビーム７０２−１の受信及び復調が可能となり、受信指向性７０６−２により、端末７０４−２は、ストリーム２のデータを伝送するための送信ビーム７０３−１の受信及び復調が可能となる。
【００６７】
端末７０４−３は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−３、および、受信指向性７０６−３を形成する。
【００６８】
そして、受信指向性７０５−３により、端末７０４−３は、ストリーム１のデータを伝送するための送信ビーム７０２−２の受信及び復調が可能となり、受信指向性７０６−３により、端末７０４−３は、ストリーム２のデータを伝送するための送信ビーム７０３−２の受信及び復調が可能となる。
【００６９】
端末７０４−４は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−４、および、受信指向性７０６−４を形成する。そして、受信指向性７０５−４により、端末７０４−４は、ストリーム１のデータを伝送するための送信ビーム７０２−３の受信及び復調が可能となり、受信指向性７０６−４により、端末７０４−４は、ストリーム２のデータを伝送するための送信ビーム７０３−２の受信及び復調が可能となる。
【００７０】
端末７０４−５は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−５、および、受信指向性７０６−５を形成する。そして、受信指向性７０５−５により、端末７０４−５は、ストリーム１のデータを伝送するための送信ビーム７０２−３の受信及び復調が可能となり、受信指向性７０６−５により、端末７０４−５は、ストリーム２のデータを伝送するための送信ビーム７０３−３の受信及び復調が可能となる。
【００７１】
図７では、端末は、ストリーム１のデータを伝送するための送信ビーム７０２−１、７０２−２、７０２−３のうち、空間的な位置により、少なくとも一つの送信ビームを選択し、受信の指向性を向けることで、ストリーム１のデータを高い品質で得ることができ、また、端末は、ストリーム２のデータを伝送するための送信ビーム７０３−１、７０３−２、７０３−３のうち、空間的な位置により、少なくとも一つの送信ビームを選択し、受信の指向性を向けることで、ストリーム２のデータを高い品質で得ることができる。
【００７２】
なお、基地局７００は、ストリーム１のデータを伝送するための送信ビーム７０２−１とストリーム２のデータを伝送するための送信ビーム７０３−１とを、同一周波数（同一周波数帯）、同一時間を用いて、送信する。そして、基地局７００は、ストリーム１のデータを伝送するための送信ビーム７０２−２とストリーム２のデータを伝送するための送信ビーム７０３−２とを、同一周波数（同一周波数帯）、同一時間を用いて、送信する。また、基地局７００は、ストリーム１のデータを伝送するための送信ビーム７０２−３とストリーム２のデータを伝送するための送信ビーム７０３−３とを、同一周波数（同一周波数帯）、同一時刻を用いて、送信する。
【００７３】
また、ストリーム１のデータを伝送するための送信ビーム７０２−１、７０２−２、７０２−３は、同一周波数（同一周波数帯）のビームであってもよいし、それぞれ、異なる周波数（異なる周波数帯）のビームであってもよい。ストリーム２のデータを伝送するための送信ビーム７０３−１、７０３−２、７０３−３は、同一周波数（同一周波数帯）のビームであってもよいし、それぞれ、異なる周波数（異なる周波数帯）のビームであってもよい。
【００７４】
図１、図３における基地局の設定部１５８の動作について、説明する。
【００７５】
設定部１５８は、設定信号１６０を入力としている。設定信号１６０は、「マルチキャスト用の送信を行うか／ユニキャスト用の送信を行うか」の情報を含んでおり、図７のような送信を基地局が行う場合、設定信号１６０により「マルチキャスト用の送信を行う」という情報が、設定部１５８に入力される。
【００７６】
設定信号１６０は、「マルチキャストを行うときの送信ストリーム数」の情報を含んでおり、図７のような送信を基地局が行う場合、設定信号１６０により、「送信ストリーム数は２」という情報が、設定部１５８に入力される。
【００７７】
また、設定信号１６０は、「各ストリームをいくつの送信ビームで送信するか」の情報を含んでいてもよい。図７のような送信を基地局が行う場合、設定信号１６０により、「ストリーム１を送信する送信ビーム数は３、ストリーム２を送信する送信ビーム数は３」という情報が、設定部１５８に入力される。
【００７８】
なお、図１、図３の基地局は、データシンボルが「マルチキャスト用の送信であるか／ユニキャスト用の送信であるか」の情報、「マルチキャストを行うときの送信ストリーム数」の情報、「各ストリームをいくつの送信ビームで送信するか」の情報等を含んだ制御情報シンボルを送信してもよい。これにより、端末は、適切な受信が可能となる。制御情報シンボルの構成の詳細については、後で行う。
【００７９】
図８は、図１、図３の＃ｉ情報１０１−ｉと図７を用いて説明した「ストリーム１」「ストリーム２」の関係を説明するための図面である。例えば、＃１情報１０１−１に対して、誤り訂正符号化などの処理を施し、誤り訂正符号化後のデータを得る。この誤り訂正符号化後のデータを＃１送信データと名付ける。そして、＃１送信データに対してマッピングを行い、データシンボルを得るが、このデータシンボルをストリーム１用、ストリーム２用に振り分け、ストリーム１のデータシンボル（データシンボル群）、および、ストリーム２のデータシンボル（データシンボル群）を得る。そして、ストリーム１のシンボル群は、ストリーム１のデータシンボル（データシンボル群）を含み、ストリーム１のシンボル群は、図１、図３の基地局から送信される。また、ストリーム２のシンボル群は、ストリーム２のデータシンボル（データシンボル群）を含み、ストリーム２のシンボル群は、図１、図３の基地局から送信される。
【００８０】
図９は、横軸時間としたときのフレーム構成の一例を示している。
【００８１】
図９のストリーム１の＃１シンボル群９０１−１は、図７におけるストリーム１のデータを伝送するための送信ビーム７０２−１のシンボル群である。
【００８２】
図９のストリーム１の＃２シンボル群９０１−２は、図７におけるストリーム１のデータを伝送するための送信ビーム７０２−２のシンボル群である。
【００８３】
図９のストリーム１の＃３シンボル群９０１−３は、図７におけるストリーム１のデータを伝送するための送信ビーム７０２−３のシンボル群である。
【００８４】
図９のストリーム２の＃１シンボル群９０２−１は、図７におけるストリーム２のデータを伝送するための送信ビーム７０３−１のシンボル群である。
【００８５】
図９のストリーム２の＃２シンボル群９０２−２は、図７におけるストリーム２のデータを伝送するための送信ビーム７０３−２のシンボル群である。
【００８６】
図９のストリーム２の＃３シンボル群９０２−３は、図７におけるストリーム２のデータを伝送するための送信ビーム７０３−３のシンボル群である。
【００８７】
そして、ストリーム１の＃１シンボル群９０１−１、ストリーム１の＃２シンボル群９０１−２、ストリーム１の＃３シンボル群９０１−３、ストリーム２の＃１シンボル群９０２−１、ストリーム２の＃２シンボル群９０２−２、ストリーム２の＃３シンボル群９０２−３は、例えば、時間区間１に存在している。
【００８８】
また、前にも記載したように、ストリーム１の＃１シンボル群９０１−１とストリーム２の＃２シンボル群９０２−１は、同一周波数（同一周波数帯）を用いて送信されており、ストリーム１の＃２シンボル群９０１−２とストリーム２の＃２シンボル群９０２−２は、同一周波数（同一周波数帯）を用いて送信されており、ストリーム１の＃３シンボル群９０１−３とストリーム２の＃３シンボル群９０２−３は、同一周波数（同一周波数帯）を用いて送信されている。
【００８９】
例えば、図８の手順で、情報から「ストリーム１のデータシンボル群Ａ」および「ストリーム２のデータシンボル群Ａ」を生成した。そして、「ストリーム１のデータシンボル群Ａ」を構成するシンボルと同じシンボルで構成されたシンボル群「ストリーム１のデータシンボル群Ａ−１」、「ストリーム１のデータシンボル群Ａ」を構成するシンボルと同じシンボルで構成されたシンボル群「ストリーム１のデータシンボル群Ａ−２」、「ストリーム１のデータシンボル群Ａ」を構成するシンボルと同じシンボルで構成されたシンボル群「ストリーム１のデータシンボル群Ａ−３」を用意する。
【００９０】
つまり、「ストリーム１のデータシンボル群Ａ−１」を構成するシンボルと「ストリーム１のデータシンボル群Ａ−２」を構成するシンボルと「ストリーム１のデータシンボル群Ａ−３」を構成するシンボルは同じである。
【００９１】
このとき、図９のストリーム１の＃１シンボル群９０１−１は、「ストリーム１のデータシンボル群Ａ−１」を含んでおり、図９のストリーム１の＃２シンボル群９０１−２は、「ストリーム１のデータシンボル群Ａ−２」を含んでおり、図９のストリーム１の＃３シンボル群９０１−３は、「ストリーム１のデータシンボル群Ａ−３」を含んでいる。つまり、ストリーム１の＃１シンボル群９０１−１、ストリーム１の＃２シンボル群９０１−２、ストリーム１の＃３シンボル群９０１−３は、同一のデータシンボル群を含んでいる。
【００９２】
また、「ストリーム２のデータシンボル群Ａ」を構成するシンボルと同じシンボルで構成されたシンボル群「ストリーム２のデータシンボル群Ａ−１」、「ストリーム２のデータシンボル群Ａ」を構成するシンボル群と同じシンボルで構成されたシンボル群「ストリーム２のデータシンボル群Ａ−２」、「ストリーム２のデータシンボル群Ａ」を構成するシンボル群と同じシンボルで構成されたシンボル群「ストリーム２のデータシンボル群Ａ−３」を用意する。
【００９３】
つまり、「ストリーム２のデータシンボル群Ａ−１」を構成するシンボルと「ストリーム２のデータシンボル群Ａ−２」を構成するシンボルと「ストリーム２のデータシンボル群Ａ−３」を構成するシンボルは同じである。
【００９４】
このとき、図９のストリーム２の＃１シンボル群９０２−１は、「ストリーム２のデータシンボル群Ａ−１」を含んでおり、図９のストリーム２の＃２シンボル群９０２−２は、「ストリーム２のデータシンボル群Ａ−２」を含んでおり、図９のストリーム２の＃３シンボル群９０２−３は、「ストリーム２のデータシンボル群Ａ−３」を含んでいる。つまり、ストリーム２の＃１シンボル群９０２−１、ストリーム２の＃２シンボル群９０２−２、ストリーム２の＃３シンボル群９０２−３は、同一のデータシンボル群を含んでいる。
【００９５】
図１０は、図９で説明した「ストリームＸのシンボル群＃Ｙ」（Ｘ＝１，２；Ｙ＝１，２，３）のフレーム構成の一例を示している。図１０において、横軸時間であり、１００１は制御情報シンボル、１００２はストリームのデータシンボル群である。このとき、ストリームのデータシンボル群１００２は、図９を用いて説明した「ストリーム１のデータシンボル群Ａ」または「ストリーム２のデータシンボル群Ａ」を伝送するためのシンボルである。
【００９６】
なお、図１０のフレーム構成において、ＯＦＤＭ（Orthogonal Frequency Division Multiplexing）方式などのマルチキャリア方式を用いてもよく、この場合、周波数軸方向にシンボルが存在していてもよい。また、各シンボルには、受信装置が時間及び周波数同期を行うためのリファレンスシンボル、受信装置が信号を検出するためのリファレンスシンボル、受信装置がチャネル推定を行うためのリファレンスシンボルなどが含まれていてもよい。そして、フレーム構成は図１０に限ったものではなく、制御情報シンボル１００１、ストリームのデータシンボル群１００２をどのように配置してもよい。なお、リファレンスシンボルは、プリアンブル、パイロットシンボルと呼ぶこともある。
【００９７】
次に、制御情報シンボル１００１の構成について説明する。
【００９８】
図１１は、図１０の制御情報シンボルとして送信するシンボルの構成の一例を示しており、横軸は時間である。図１１において、端末は、「端末が受信指向性制御を行うためのトレーニングシンボル」１１０１を受信することで、「信号処理部４０５」、および／または、「アンテナ４０１−１から４０１−Ｎ」、および／または、「乗算部６０３−１から６０３−Ｌ、および、処理部６０５」で実施する、受信時の指向性制御のための信号処理方法を決定する。
【００９９】
端末は、「マルチキャストを行っているときの送信ストリーム数を通知するためのシンボル」１１０２を受信することで、端末は、得る必要があるストリーム数を知る。
【０１００】
端末は、「ストリームのデータシンボルがどのストリームのデータシンボルであるかを通知するためのシンボル」１１０３を受信することで、端末は、基地局が送信しているストリームのうち、どのストリームを受信できているか、を知ることができる。
【０１０１】
上記についての例を説明する。
【０１０２】
図７のように、基地局がストリーム、送信ビームを送信している場合について説明する。そして、図９のストリーム１の＃１シンボル群９０１−１における制御情報シンボルの具体的な情報について説明する。
【０１０３】
図７の場合、基地局は「ストリーム１」および「ストリーム２」を送信しているため、「マルチキャストを行っているときの送信ストリーム数を通知するためのシンボル」１１０２の情報は「２」という情報となる。
【０１０４】
また、図９のストリーム１の＃１シンボル群９０１−１は、ストリーム１のデータシンボルを送信しているため、「ストリームのデータシンボルがどのストリームのデータシンボルであるかを通知するためのシンボル」１１０３の情報は「ストリーム１」という情報になる。
【０１０５】
例えば、端末が、図９のストリーム１の＃１シンボル群９０１−１を受信した場合について説明する。このとき、端末は、「マルチキャストを行っているときの送信ストリーム数を通知するためのシンボル」１１０２から「送信ストリーム数が２」、「ストリームのデータシンボル群がどのストリームのデータシンボルであるかを通知するためのシンボル」１１０３から「ストリーム１のデータシンボル」を得たことを認識する。
【０１０６】
その後、端末は、「送信ストリーム数が２」、得ているデータシンボルが「ストリーム１のデータシンボル」であると認識するため、「ストリーム２のデータシンボル」を得る必要があると認識する。よって、端末は、ストリーム２のシンボル群を探す作業を開始することができる。例えば、端末は、図９のストリーム２の＃１シンボル群９０２−１、ストリーム２の＃２シンボル群９０２−２、ストリーム２の＃３シンボル群９０２−３のいずれかの送信ビームを、探す。
【０１０７】
そして、端末は、ストリーム２の＃１シンボル群９０２−１、ストリーム２の＃２シンボル群９０２−２、ストリーム２の＃３シンボル群９０２−３のいずれかの送信ビームを得ることで、ストリーム１のデータシンボルとストリーム２のデータシンボルの両者のデータシンボルを得る。
【０１０８】
このように、制御情報シンボルを構成することで、端末は、的確にデータシンボルを得ることができるという効果を得る。
【０１０９】
以上のように、マルチキャスト伝送及びブロードキャストデータ伝送において、基地局が、データシンボルを複数の送信ビームを用いて送信し、端末は、複数の送信ビームから、品質のよい、ビームを選択的に受信することにより、基地局が送信した変調信号は、送信指向性制御、受信指向性制御を行っているため、高いデータの受信品質が得られるエリアを広くすることができるという効果を得る。
【０１１０】
また、上述の説明では、端末が、受信指向性制御を行っていることを説明したが、端末は、受信指向性制御を行わなくても、上述の効果を得ることは可能である。
【０１１１】
なお、図１０の「ストリームのデータシンボル群」１００２の変調方式は、どのような変調方式であってもよく、「ストリームのデータシンボル群」１００２の変調方式のマッピング方法は、シンボルごとに切り替わってもよい。つまり、マッピング後に同相Ｉ−直交Ｑ平面上において、コンスタレーションの位相が、シンボルごとに切り替わってもよい。
【０１１２】
図１２は、基地局と端末の通信状態の図７とは異なる例である。なお、図１２において、図７と同様に動作するものについては同一番号を付している。
【０１１３】
基地局７００は、複数のアンテナを具備し、送信用のアンテナ７０１から、複数の送信信号を送信する。このとき、基地局７００は、例えば、図１、図３のような構成で構成されており、信号処理部１０２、（および／または、重み付け合成部３０１）において、プリコーディング（重み付け合成）を行うことで、送信ビームフォーミング（指向性制御）を行う。
【０１１４】
そして、図１２は、「変調信号１」を伝送するための送信ビーム１２０２−１、「変調信号１」を伝送するための送信ビーム１２０２−２、「変調信号１」を伝送するための送信ビーム１２０２−３を示す。
【０１１５】
図１２は、「変調信号２」を伝送するための送信ビーム１２０３−１、「変調信号２」を伝送するための送信ビーム１２０３−２、「変調信号２」を伝送するための送信ビーム１２０３−３を示す。
【０１１６】
なお、図１２では、「変調信号１」を伝送するための送信ビームの数を３、「変調信号２」を伝送するための送信ビームの数を３としているが、これに限ったものではなく、「変調信号１」を伝送するための送信ビームが複数、「変調信号２」を伝送するための送信ビームが複数であればよい。そして、「変調信号１」、「変調信号２」については、後で、詳しく説明する。
【０１１７】
図１２は、端末７０４−１、７０４−２、７０４−３、７０４−４、７０４−５を含み、例えば、図４、図５における端末と同じ構成である。
【０１１８】
例えば、端末７０４−１は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−１、および、受信指向性７０６−１を形成する。そして、受信指向性７０５−１により、端末７０４−１は、「変調信号１」を伝送するための送信ビーム１２０２−１の受信及び復調が可能となり、受信指向性７０６−１により、端末７０４−１は、「変調信号２」を伝送するための送信ビーム１２０３−１の受信及び復調が可能となる。
【０１１９】
同様に、端末７０４−２は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−２、および、受信指向性７０６−２を形成する。そして、受信指向性７０５−２により、端末７０４−２は、「変調信号１」を伝送するための送信ビーム１２０２−１の受信及び復調が可能となり、受信指向性７０６−２により、端末７０４−２は、「変調信号２」を伝送するための送信ビーム１２０３−１の受信及び復調が可能となる。
【０１２０】
端末７０４−３は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−３、および、受信指向性７０６−３を形成する。
【０１２１】
そして、受信指向性７０５−３により、端末７０４−３は、「変調信号１」を伝送するための送信ビーム１２０２−２の受信及び復調が可能となり、受信指向性７０６−３により、端末７０４−３は、「変調信号２」を伝送するための送信ビーム１２０３−２の受信及び復調が可能となる。
【０１２２】
端末７０４−４は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−４、および、受信指向性７０６−４を形成する。そして、受信指向性７０５−４により、端末７０４−４は、「変調信号１」を伝送するための送信ビーム１２０２−３の受信及び復調が可能となり、受信指向性７０６−４により、端末７０４−４は、「変調信号２」を伝送するための送信ビーム１２０３−２の受信及び復調が可能となる。
【０１２３】
端末７０４−５は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−５、および、受信指向性７０６−５を形成する。そして、受信指向性７０５−５により、端末７０４−５は、「変調信号１」を伝送するための送信ビーム１２０２−３の受信及び復調が可能となり、受信指向性７０６−５により、端末７０４−５は、「変調信号２」を伝送するための送信ビーム１２０３−３の受信及び復調が可能となる。
【０１２４】
図１２における特長的な点は、端末は、「変調信号１」を伝送するための送信ビーム１２０２−１、１２０２−２、１２０２−３のうち、空間的な位置により、少なくとも一つの送信ビームを選択し、受信の指向性を向けることで、「変調信号１」を高い品質で得ることができ、また、端末は、「変調信号２」を伝送するための送信ビーム１２０３−１、１２０３−２、１２０３−３のうち、空間的な位置により、少なくとも一つの送信ビームを選択し、受信の指向性を向けることで、「変調信号２」を高い品質でえることができる。
【０１２５】
なお、基地局７００は、「変調信号１」を伝送するための送信ビーム１２０２−１と「変調信号２」を伝送するための送信ビーム１２０３−１とを、同一周波数（同一周波数帯）、同一時間を用いて、送信する。そして、基地局７００は、「変調信号１」を伝送するための送信ビーム１２０２−２と「変調信号２」を伝送するための送信ビーム１２０３−２とを、同一周波数（同一周波数帯）、同一時間を用いて、送信する。また、基地局７００は、「変調信号１」を伝送するための送信ビーム１２０２−３と「変調信号２」を伝送するための送信ビーム１２０３−３とを、同一周波数（同一周波数帯）、同一時刻を用いて、送信する。
【０１２６】
また、「変調信号１」を伝送するための送信ビーム１２０２−１、１２０２−２、１２０２−３は、同一周波数（同一周波数帯）のビームであってもよいし、それぞれ、異なる周波数（異なる周波数帯）のビームであってもよい。「変調信号２」を伝送するための送信ビーム１２０３−１、１２０３−２、１２０３−３は、同一周波数（同一周波数帯）のビームであってもよいし、それぞれ、異なる周波数（異なる周波数帯）のビームであってもよい。
【０１２７】
図１、図３における基地局の設定部１５８の動作について、説明する。
【０１２８】
設定部１５８は、設定信号１６０を入力としている。設定信号１６０は、「マルチキャスト用の送信を行うか／ユニキャスト用の送信を行うか」の情報を含んでおり、図１２のような送信を基地局が行う場合、設定信号１６０により「マルチキャスト用の送信を行う」という情報が、設定部１５８に入力される。
【０１２９】
設定信号１６０は、「マルチキャストを行うときの送信変調信号数」の情報を含んでおり、図１２のような送信を基地局が行う場合、設定信号１６０により、「送信変調信号数は２」という情報が、設定部１５８に入力される。
【０１３０】
また、設定信号１６０は、「各変調信号をいくつの送信ビームで送信するか」の情報を含んでいてもよい。図１２のような送信を基地局が行う場合、設定信号１６０により、「変調信号１を送信する送信ビーム数は３、変調信号２を送信する送信ビーム数は３」という情報が、設定部１５８に入力される。
【０１３１】
なお、図１、図３の基地局は、データシンボルが「マルチキャスト用の送信であるか／ユニキャスト用の送信であるか」の情報、「マルチキャストを行うときの送信変調信号数」の情報、「各変調信号をいくつの送信ビームで送信するか」の情報等を含んだ制御情報シンボルを送信してもよい。これにより、端末は、適切な受信が可能となる。制御情報シンボルの構成の詳細については、後で行う。
【０１３２】
図１３は、図１、図３の＃ｉ情報１０１−ｉと図１２を用いて説明した「変調信号１」「変調信号２」の関係を説明するための図面である。
【０１３３】
例えば、＃１情報１０１−１に対して、誤り訂正符号化などの処理を施し、誤り訂正符号化後のデータを得る。この誤り訂正符号化後のデータを＃１送信データと名付ける。そして、＃１送信データに対してマッピングを行いデータシンボルを得るが、このデータシンボルをストリーム１用、ストリーム２用に振り分け、ストリーム１のデータシンボル（データシンボル群）、および、ストリーム２のデータシンボル（データシンボル群）を得る。このとき、シンボル番号ｉにおけるストリーム１のデータシンボルをｓ１（ｉ）、ストリーム２のデータシンボルをｓ２（ｉ）とする。すると、シンボル番号ｉにおける「変調信号１」ｔｘ１（ｉ）は、例えば、以下のようにあらわす。
【０１３４】
【数３】
2019093464.tif 000005
【０１３５】
そして、シンボル番号ｉにおける「変調信号２」ｔｘ２（ｉ）は、例えば、以下のようにあらわす。
【０１３６】
【数４】
2019093464.tif 000006
【０１３７】
なお、式（３）、式（４）において、α（ｉ）は複素数で定義することができ（したがって、実数であってもよい）、β（ｉ）は複素数で定義することができ（したがって、実数であってもよい）、γ（ｉ）は複素数で定義することができ（したがって、実数であってもよい）、δ（ｉ）は複素数で定義することができる（したがって、実数であってもよい）。また、α（ｉ）と記載しているが、シンボル番号ｉの関数でなくてもよく（固定の値であってもよい）、β（ｉ）と記載しているが、シンボル番号ｉの関数でなくてもよく（固定の値であってもよい）、γ（ｉ）と記載しているが、シンボル番号ｉの関数でなくてもよく（固定の値であってもよい）、δ（ｉ）と記載しているが、シンボル番号ｉの関数でなくてもよい（固定の値であってもよい）。
【０１３８】
そして、データシンボルから構成された「変調信号１のデータ伝送領域の信号」を含んだ「変調信号１のシンボル群」は、図１、図３の基地局から送信される。また、データシンボルから構成された「変調信号２のデータ伝送領域の信号」を含んだ「変調信号２のシンボル群」は、図１、図３の基地局から送信される。
【０１３９】
なお、「変調信号１」「変調信号２」に対して、位相変更やＣＤＤ(Cyclic Delay Diversity)等の信号処理を行ってもよい。ただし、信号処理の方法はこれに限ったものではない。
【０１４０】
図１４は、横軸時間としたときのフレーム構成の一例を示している。
【０１４１】
図１４の変調信号１の＃１シンボル群（１４０１−１）は、図１２における変調信号１のデータを伝送するための送信ビーム１２０２−１のシンボル群である。
【０１４２】
図１４の変調信号１の＃２シンボル群（１４０１−２）は、図１２における変調信号１のデータを伝送するための送信ビーム１２０２−２のシンボル群である。
【０１４３】
図１４の変調信号１の＃３シンボル群（１４０１−３）は、図１２における変調信号１のデータを伝送するための送信ビーム１２０２−３のシンボル群である。
【０１４４】
図１４の変調信号２の＃１シンボル群（１４０２−１）は、図１２における変調信号２のデータを伝送するための送信ビーム１２０３−１のシンボル群である。
【０１４５】
図１４の変調信号２の＃２シンボル群（１４０２−２）は、図１２における変調信号２のデータを伝送するための送信ビーム１２０３−２のシンボル群である。
【０１４６】
図１４の変調信号２の＃３シンボル群（１４０２−３）は、図１２における変調信号２のデータを伝送するための送信ビーム１２０３−３のシンボル群である。
【０１４７】
そして、変調信号１の＃１シンボル群（１４０１−１）、変調信号１の＃２シンボル群（１４０１−２）、変調信号１の＃３シンボル群（１４０１−３）、変調信号２の＃１シンボル群（１４０２−１）、変調信号２の＃２シンボル群（１４０２−２）、変調信号２の＃３シンボル群（１４０２−３）は、例えば、時間区間１に存在している。
【０１４８】
また、前にも記載したように、変調信号１の＃１シンボル群（１４０１−１）と変調信号２の＃１シンボル群（１４０２−１）は、同一周波数（同一周波数帯）を用いて送信されており、変調信号１の＃２シンボル群（１４０１−２）と変調信号２の＃２シンボル群（１４０２−２）は、同一周波数（同一周波数帯）を用いて送信されており、変調信号１の＃３シンボル群（１４０１−３）と変調信号２の＃３シンボル群（１４０２−３）は、同一周波数（同一周波数帯）を用いて送信されている。
【０１４９】
例えば、図１３の手順で、情報から「変調信号１のデータ伝送領域の信号Ａ」および「変調信号２のデータ伝送領域の信号Ａ」を生成した。
【０１５０】
そして、「変調信号１のデータ伝送領域の信号Ａ」を構成する信号と同等の信号で構成された信号「変調信号１のデータ伝送領域の信号Ａ−１」、「変調信号１のデータ伝送領域の信号Ａ」を構成する信号と同等の信号で構成された信号「変調信号１のデータ伝送領域の信号Ａ−２」、「変調信号１のデータ伝送領域の信号Ａ」を構成する信号と同等の信号で構成された信号「変調信号１のデータ伝送領域の信号Ａ−３」を用意する（つまり、「変調信号１のデータ伝送領域の信号群Ａ−１」を構成する信号と「変調信号１のデータ伝送領域の信号Ａ−２」を構成する信号と「変調信号１のデータ伝送領域の信号Ａ−３」を構成する信号は同じである。）。
【０１５１】
このとき、図１４の変調信号１の＃１シンボル群（１４０１−１）は、「変調信号１のデータ伝送領域の信号Ａ−１」を含んでおり、図１４の変調信号１の＃２シンボル群（１４０１−２）は、「変調信号１のデータ伝送領域の信号Ａ−２」を含んでおり、図１４の変調信号１の＃３シンボル群（１４０１−３）は、「変調信号１のデータ伝送領域の信号Ａ−３」を含んでいる。つまり、変調信号１の＃１シンボル群（１４０１−１）、変調信号１の＃２シンボル群（１４０１−２）、変調信号１の＃３シンボル群（１４０１−３）は、同等の信号を含んでいる。
【０１５２】
また、「変調信号２のデータ伝送領域の信号Ａ」を構成する信号と同等の信号で構成された信号「変調信号２のデータ伝送領域の信号Ａ−１」、「変調信号２のデータ伝送領域の信号Ａ」を構成する信号と同等の信号で構成された信号「変調信号２のデータ伝送領域の信号Ａ−２」、「変調信号２のデータ伝送領域の信号Ａ」を構成する信号と同等の信号で構成された信号「変調信号２のデータ伝送領域の信号Ａ−３」を用意する（つまり、「変調信号２のデータ伝送領域の信号Ａ−１」を構成する信号と「変調信号２のデータ伝送領域の信号Ａ−２」を構成する信号と「変調信号２のデータ伝送領域の信号Ａ−３」を構成する信号は同じである。）。
【０１５３】
このとき、図１４の変調信号２の＃１シンボル群（１４０２−１）は、「変調信号２のデータ伝送領域の信号Ａ−１」を含んでおり、図１４のストリーム２の＃２シンボル群（１４０２−２）は、「変調信号２のデータ伝送領域の信号Ａ−２」を含んでおり、図１４の変調信号２の＃３シンボル群（１４０２−３）は、「変調信号２のデータ伝送領域の信号Ａ−３」を含んでいる。つまり、変調信号２の＃１シンボル群（１４０２−１）、変調信号２の＃２シンボル群（１４０２−２）、変調信号２の＃３シンボル群（１４０２−３）は、同等の信号を含んでいる。
【０１５４】
図１５は、図１４で説明した「変調信号Ｘのシンボル群＃Ｙ」（Ｘ＝１，２；Ｙ＝１，２，３）のフレーム構成の一例を示している。図１５において、横軸時間であり、１５０１は制御情報シンボル、１５０２はデータ伝送用の変調信号送信領域である。このとき、データ伝送用の変調信号送信領域１５０２は、図１４を用いて説明した「変調信号１のデータ伝送領域の信号Ａ」または「変調信号２のデータ伝送領域の信号Ａ」を伝送するためのシンボルである。
【０１５５】
なお、図１５のフレーム構成において、ＯＦＤＭ（Orthogonal Frequency Division Multiplexing）方式などのマルチキャリア方式を用いてもよく、この場合、周波数軸方向にシンボルが存在していてもよい。また、各シンボルには、受信装置が時間及び周波数同期を行うためのリファレンスシンボル、受信装置が信号を検出するためのリファレンスシンボル、受信装置がチャネル推定を行うためのリファレンスシンボルなどが含まれていてもよい。そして、フレーム構成は図１５に限ったものではなく、制御情報シンボル１５０１、データ伝送用の変調信号送信領域１５０２をどのように配置してもよい。リファレンスシンボルは、例えば、プリアンブル、パイロットシンボルと呼んでも良い。
【０１５６】
次に、制御情報シンボル１５０１の構成について説明する。
【０１５７】
図１６は、図１５の制御情報シンボルとして送信するシンボルの構成の一例を示しており、横軸は時間である。図１６において、１６０１は、「端末が受信指向性制御を行うためのトレーニングシンボル」であり、端末は、「端末が受信指向性制御を行うためのトレーニングシンボル」１６０１を受信することで、「信号処理部４０５」、および／または、「アンテナ４０１−１から４０１−Ｎ」、および／または、「乗算部６０３−１から６０３−Ｌ、および、処理部６０５」で実施する、受信時の指向性制御のための信号処理方法を決定する。
【０１５８】
１６０２は、「マルチキャストを行っているときの送信変調信号数を通知するためのシンボル」であり、端末は、「マルチキャストを行っているときの送信変調信号数を通知するためのシンボル」１６０２を受信することで、端末は、得る必要がある変調信号数を知る。
【０１５９】
１６０３は、「変調信号のデータ伝送用の変調信号送信領域がどの変調信号のデータ伝送用の変調信号送信領域であるかを通知するためのシンボル」であり、端末は、「変調信号のデータ伝送用の変調信号送信領域がどの変調信号のデータ伝送用の変調信号送信領域であるかを通知するためのシンボル」１６０３を受信することで、端末は、基地局が送信している変調信号のうち、どの変調信号を受信できているか、を知ることができる。
【０１６０】
上記についての例を説明する。
【０１６１】
図１２のように、基地局が「変調信号」、送信ビームを送信している場合を考える。そして、図１４の変調信号１の＃１シンボル群１４０１−１における制御情報シンボルの具体的な情報について説明する。
【０１６２】
図１２の場合、基地局は「変調信号１」および「変調信号２」を送信しているため、「マルチキャストを行っているときの送信変調信号数を通知するためのシンボル」１６０２の情報は「２」という情報となる。
【０１６３】
また、図１４の変調信号１の＃１シンボル群１４０１−１は、変調信号１のデータ伝送領域の信号を送信しているため、「変調信号のデータ伝送用の変調信号送信領域がどの変調信号のデータ伝送用の変調信号送信領域であるかを通知するためのシンボル」１６０３の情報は「変調信号１」という情報になる。
【０１６４】
例えば、端末が、図１４の変調信号１の＃１シンボル群１４０１−１を受信したとする。このとき、端末は、「マルチキャストを行っているときの送信変調信号数を通知するためのシンボル」１６０２から「変調信号数２」、「変調信号のデータ伝送用の変調信号送信領域がどの変調信号のデータ伝送用の変調信号送信領域であるかを通知するためのシンボル」１６０３から「変調信号１」を得ているということを認識する。
【０１６５】
すると、端末は、存在する「変調信号数２」、得ている変調信号が「変調信号１」であると認識するので、「変調信号２」を得る必要があると認識する。よって、端末は、「変調信号２」を探す作業を開始することができる。例えば、図１４の「変調信号２の＃１シンボル群」１４０２−１、「変調信号２の＃２シンボル群」１４０２−２、「変調信号２の＃３シンボル群」１４０２−３のいずれかの送信ビームを、端末は探す。
【０１６６】
そして、端末は、「変調信号２の＃１シンボル群」１４０２−１、「変調信号２の＃２シンボル群」１４０２−２、「変調信号２の＃３シンボル群」１４０２−３のいずれかの送信ビームを得ることで、「変調信号１」と「変調信号２」の両者を得、ストリーム１のデータシンボル、ストリーム２のデータシンボルを高品質に得ることが可能となる。
【０１６７】
このように、制御情報シンボルを構成することで、端末は、的確にデータシンボルを得ることができるという効果を得ることができる。
【０１６８】
以上のように、マルチキャストデータ伝送及びブロードキャストデータ伝送において、基地局が、データシンボルを複数の送信ビームを用いて送信し、端末は、複数の送信ビームから、品質のよい、ビームを選択的に受信することにより、基地局が送信した変調信号は、高いデータの受信品質が得られるエリアを広くすることができるという効果を得ることができる。これは、基地局が、送信指向性制御、受信指向性制御を行っているためである。
【０１６９】
また、上述の説明では、端末が、受信指向性制御を行っていることを説明したが、端末は、受信指向性制御を行わなくても、上述の効果を得ることは可能である。
【０１７０】
なお、図７において、各端末は、ストリーム１の変調信号と、ストリーム２の変調信号の両者を得ている場合について説明しているが、必ずしもこのような実施の形態に限ったものではない。例えば、ストリーム１の変調信号を得たい端末、ストリーム２の変調信号を得たい端末、ストリーム１の変調信号およびストリーム２の変調信号の両者を得たい端末が存在するというように、端末によって、得たい変調信号が異なるというような実施をしてもよい。
【０１７１】
（実施の形態２）
実施の形態１では、マルチキャストデータ伝送及びブロードキャストデータ伝送において、基地局が、データシンボルを複数の送信ビームを用いて送信する方法について説明した。本実施の形態では、実施の形態１の変形例として、基地局が、マルチキャストデータ伝送及びブロードキャストデータ伝送を行うとともに、ユニキャストのデータ伝送を行う場合について説明する。
【０１７２】
図１７は、基地局（または、アクセスポイントなど）と端末の通信状態の一例を示しており、図７と同様に動作するものについては、同一番号を付しており、詳細の説明は省略する。
【０１７３】
基地局７００は、複数アンテナを具備し、送信用のアンテナ７０１から、複数の送信信号を送信する。このとき、基地局７００は、例えば、図１、図３のような構成で構成されており、信号処理部１０２（および／または、重み付け合成部３０１）において、プリコーディング（重み付け合成）を行うことで、送信ビームフォーミング（指向性制御）を行う。
【０１７４】
そして、送信ビーム７０２−１、７０２−２、７０２−３、７０３−１、７０３−２、７０３−３の説明については、図７を用いて説明したとおりであるので、説明を省略する。
【０１７５】
また、端末７０４−１、７０４−２、７０４−３、７０４−４、７０４−５、および、受信指向性７０５−１、７０５−２、７０５−３、７０５−４、７０５−５、７０６−１、７０６−２、７０６−３、７０６−４、７０６−５の説明については、図７を用いて説明したとおりであるので、説明を省略する。
【０１７６】
図１７において、特徴的な点は、基地局が、図７で説明したように、マルチキャストを行うとともに、基地局７００と端末（例えば１７０２）がユニキャストの通信を行う点である。
【０１７７】
基地局７００は、マルチキャスト用の送信ビーム７０２−１、７０２−２、７０２−３、７０３−１、７０３−２、７０３−３に加え、図１７では、ユニキャスト用の送信ビーム１７０１を生成し、端末１７０２に対し、個別データを伝送する。なお、図１７では、端末１７０２に対し、基地局７００は、送信ビーム１７０１の一つを送信している例を示しているが、送信ビームの数は、一つに限ったものではなく、基地局７００は、端末１７０２に対し、複数の送信ビームを送信してもよい（複数の変調信号を送信してもよい）。
【０１７８】
そして、端末１７０２は、「信号処理部４０５」、および／または、「アンテナ４０１−１から４０１−Ｎ」、および／または、「乗算部６０３−１から６０３−Ｌ、および、信号処理部６０５」により、受信時の指向性制御を行う、受信指向性１７０３を形成する。これにより、端末１７０２は、送信ビーム１７０１の受信及び復調が可能となる。
【０１７９】
なお、送信ビーム１７０１を含む送信ビームを生成するために、基地局は、例えば、図１、図３のような構成における信号処理部１０２（および／または、重み付け合成部３０１）において、プリコーディング（重み付け合成）を行う。
【０１８０】
逆に、端末１７０２が、基地局７００に対し、変調信号を送信する場合、端末１７０２は、プリコーディング（または、重み付け合成）を行い、送信ビーム１７０３を送信し、基地局７００は、受信時の指向性制御を行う、受信指向性１７０１を形成する。これにより、基地局７００は、送信ビーム１７０３の受信及び復調が可能となる。
【０１８１】
なお、ストリーム１のデータを伝送するための送信ビーム７０２−１とストリーム２のデータを伝送するための送信ビーム７０３−１は、同一周波数（同一周波数帯）、同一時間を用いて、基地局７００は送信する。そして、ストリーム１のデータを伝送するための送信ビーム７０２−２とストリーム２のデータを伝送するための送信ビーム７０３−２は、同一周波数（同一周波数帯）、同一時間を用いて、基地局７００は送信する。また、ストリーム１のデータを伝送するための送信ビーム７０２−３とストリーム２のデータを伝送するための送信ビーム７０３−３は、同一周波数（同一周波数帯）、同一時刻を用いて、基地局７００は送信する。
【０１８２】
また、ストリーム１のデータを伝送するための送信ビーム７０２−１、７０２−２、７０２−３は、同一周波数（同一周波数帯）のビームであってもよいし、それぞれ、異なる周波数（異なる周波数帯）のビームであってもよい。ストリーム２のデータを伝送するための送信ビーム７０３−１、７０３−２、７０３−３は、同一周波数（同一周波数帯）のビームであってもよいし、それぞれ、異なる周波数（異なる周波数帯）のビームであってもよい。
【０１８３】
そして、ユニキャスト用の送信ビーム１７０１は、送信ビーム７０２−１、７０２−２、７０２−３、７０３−１、７０３−２、７０３−３と同一周波数（同一周波数帯）のビームであってもよいし、異なる周波数（異なる周波数帯）のビームであってもよい。
【０１８４】
また、図１７では、ユニキャスト通信を行う端末を１台として記載を進めたが、基地局とユニキャスト通信を行う端末の数は、複数台であってもよい。
【０１８５】
このとき、基地局の構成図１、図３における設定部１５８の動作について、説明する。
【０１８６】
設定部１５８は、設定信号１６０を入力としている。設定信号１６０は、「マルチキャスト用の送信を行うか／ユニキャスト用の送信を行うか」の情報を含んでおり、図１７のような送信を基地局が行う場合、設定信号１６０により「マルチキャスト用の送信、ユニキャスト用の送信両者を行う」という情報が、設定部１５８に入力される。
【０１８７】
あわせて、設定信号１６０は、「マルチキャストを行うときの送信ストリーム数」の情報を含んでおり、図１７のような送信を基地局が行う場合、設定信号１６０により、「送信ストリーム数は２」という情報が、設定部１５８に入力される。
【０１８８】
また、設定信号１６０は、「各ストリームをいくつの送信ビームで送信するか」の情報を含んでいてもよい。図１７のような送信を基地局が行う場合、設定信号１６０により、「ストリーム１を送信する送信ビーム数は３、ストリーム２を送信する送信ビーム数は３」という情報が、設定部１５８に入力される。
【０１８９】
なお、図１、図３の基地局は、データシンボルが「マルチキャスト用の送信であるか／ユニキャスト用の送信であるか」の情報、「マルチキャストを行うときの送信ストリーム数」の情報、「各ストリームをいくつの送信ビームで送信するか」の情報等を含んだ制御情報シンボルを送信してもよい。これにより、端末は、適切な受信が可能となる。
【０１９０】
さらに、基地局は、ユニキャスト通信を行う端末に対して、基地局が指向性制御を行うためのトレーニング用の制御情報シンボル、端末が指向性制御を行うためのトレーニング用の制御情報シンボルを送信してもよい。
【０１９１】
図１８は、基地局（または、アクセスポイントなど）と端末の通信状態の一例を示しており、図７、図１２と同様に動作するものについては、同一番号を付しており、詳細の説明は省略する。
【０１９２】
基地局７００は、複数アンテナを具備し、送信用のアンテナ７０１から、複数の送信信号を送信する。このとき、基地局７００は、例えば、図１、図３のような構成で構成されており、信号処理部１０２（および／または、重み付け合成部３０１）において、プリコーディング（重み付け合成）を行うことで、送信ビームフォーミング（指向性制御）を行う。
【０１９３】
そして、送信ビーム１２０２−１、１２０２−２、１２０２−３、１２０３−１、１２０３−２、１２０３−３の説明については、図１２を用いて説明したとおりであるので、説明を省略する。
【０１９４】
また、端末７０４−１、７０４−２、７０４−３、７０４−４、７０４−５、および、受信指向性７０５−１、７０５−２、７０５−３、７０５−４、７０５−５、７０６−１、７０６−２、７０６−３、７０６−４、７０６−５の説明については、図１２を用いて説明したとおりであるので、説明を省略する。
【０１９５】
図１８において、特徴的な点は、基地局が、図１２で説明したように、マルチキャストを行うとともに、基地局７００と端末（例えば１７０２）がユニキャストの通信を行う点である。
【０１９６】
基地局７００は、マルチキャスト用の送信ビーム１２０２−１、１２０２−２、１２０２−３、１２０３−１、１２０３−２、１２０３−３に加え、図１８では、ユニキャスト用の送信ビーム１７０１を生成し、端末１７０２に対し、個別データを伝送する。なお、図１８では、端末１７０２に対し、基地局７００は、送信ビーム１７０１の一つを送信している例を示しているが、送信ビームの数は、一つに限ったものではなく、基地局７００は、端末１７０２に対し、複数の送信ビームを送信してもよい（複数の変調信号を送信してもよい）。
【０１９７】
そして、端末１７０２は、「信号処理部４０５」、および／または、「アンテナ４０１−１から４０１−Ｎ」、および／または、「乗算部６０３−１から６０３−Ｌ、および、信号処理部６０５」により、受信時の指向性制御を行う、受信指向性１７０３を形成する。これにより、端末１７０２は、送信ビーム１７０１の受信及び復調が可能となる。
【０１９８】
なお、送信ビーム１７０１を含む送信ビームを生成するために、基地局は、例えば、図１、図３のような構成における信号処理部１０２（および／または、重み付け合成部３０１）において、プリコーディング（重み付け合成）を行う。
【０１９９】
逆に、端末１７０２が、基地局７００に対し、変調信号を送信する場合、端末１７０２は、プリコーディング（または、重み付け合成）を行い、送信ビーム１７０３を送信し、基地局７００は、受信時の指向性制御を行う、受信指向性１７０１を形成する。これにより、基地局７００は、送信ビーム１７０３の受信及び復調が可能となる。
【０２００】
なお、「変調信号１」を伝送するための送信ビーム１２０２−１と「変調信号２」を伝送するための送信ビーム１２０３−１は、同一周波数（同一周波数帯）、同一時間を用いて、基地局７００は送信する。そして、「変調信号１」を伝送するための送信ビーム１２０２−２と「変調信号２」を伝送するための送信ビーム１２０３−２は、同一周波数（同一周波数帯）、同一時間を用いて、基地局７００は送信する。また、「変調信号１」を伝送するための送信ビーム１２０２−３と「変調信号２」を伝送するための送信ビーム１２０３−３は、同一周波数（同一周波数帯）、同一時刻を用いて、基地局７００は送信する。
【０２０１】
また、「変調信号１」を伝送するための送信ビーム１２０２−１、１２０２−２、１２０２−３は、同一周波数（同一周波数帯）のビームであってもよいし、それぞれ、異なる周波数（異なる周波数帯）のビームであってもよい。「変調信号２」を伝送するための送信ビーム１２０３−１、１２０３−２、１２０３−３は、同一周波数（同一周波数帯）のビームであってもよいし、それぞれ、異なる周波数（異なる周波数帯）のビームであってもよい。
【０２０２】
そして、ユニキャスト用の送信ビーム１７０１は、送信ビーム１２０２−１、１２０２−２、１２０２−３、１２０３−１、１２０３−２、１２０３−３と同一周波数（同一周波数帯）のビームであってもよいし、異なる周波数（異なる周波数帯）のビームであってもよい。
【０２０３】
また、図１８では、ユニキャスト通信を行う端末を１台として記載を進めたが、基地局とユニキャスト通信を行う端末の数は、複数台であってもよい。
【０２０４】
このとき、基地局の構成図１、図３における設定部１５８の動作について、説明する。
【０２０５】
設定部１５８は、設定信号１６０を入力としている。設定信号１６０は、「マルチキャスト用の送信を行うか／ユニキャスト用の送信を行うか」の情報を含んでおり、図１８のような送信を基地局が行う場合、設定信号１６０により「マルチキャスト用の送信、ユニキャスト用の送信両者を行う」という情報が、設定部１５８に入力される。
【０２０６】
あわせて、設定信号１６０は、「マルチキャストを行うときの送信ストリーム数」の情報を含んでおり、図１８のような送信を基地局が行う場合、設定信号１６０により、「送信ストリーム数は２」という情報が、設定部１５８に入力される。
【０２０７】
また、設定信号１６０は、「各ストリームをいくつの送信ビームで送信するか」の情報を含んでいてもよい。図１８のような送信を基地局が行う場合、設定信号１６０により、「ストリーム１を送信する送信ビーム数は３、ストリーム２を送信する送信ビーム数は３」という情報が、設定部１５８に入力される。
【０２０８】
なお、図１、図３の基地局は、データシンボルが「マルチキャスト用の送信であるか／ユニキャスト用の送信であるか」の情報、「マルチキャストを行うときの送信ストリーム数」の情報、「各ストリームをいくつの送信ビームで送信するか」の情報等を含んだ制御情報シンボルを送信してもよい。これにより、端末は、適切な受信が可能となる。
【０２０９】
さらに、基地局は、ユニキャスト通信を行う端末に対して、基地局が指向性制御を行うためのトレーニング用の制御情報シンボル、端末が指向性制御を行うためのトレーニング用の制御情報シンボルを送信してもよい。
【０２１０】
次に、実施の形態１の変形例として、基地局が、マルチキャストデータ伝送を複数送信する場合について説明する。
【０２１１】
図１９は、基地局（または、アクセスポイントなど）と端末の通信状態の一例を示しており、図７と同様に動作するものについては、同一番号を付しており、詳細の説明は省略する。
【０２１２】
基地局７００は、複数アンテナを具備し、送信用のアンテナ７０１から、複数の送信信号を送信する。このとき、基地局７００は、例えば、図１、図３のような構成で構成されており、信号処理部１０２（および／または、重み付け合成部３０１）において、プリコーディング（重み付け合成）を行うことで、送信ビームフォーミング（指向性制御）を行う。
【０２１３】
そして、送信ビーム７０２−１、７０２−２、７０２−３、７０３−１、７０３−２、７０３−３の説明については、図７を用いて説明したとおりであるので、説明を省略する。
【０２１４】
また、端末７０４−１、７０４−２、７０４−３、７０４−４、７０４−５、および、受信指向性７０５−１、７０５−２、７０５−３、７０５−４、７０５−５、７０６−１、７０６−２、７０６−３、７０６−４、７０６−５の説明については、図７を用いて説明したとおりであるので、説明を省略する。
【０２１５】
基地局７００は、送信ビーム７０２−１、７０２−２、７０２−３、７０３−１、７０３−２、７０３−３に加えて送信ビーム１９０１−１、１９０１−２、１９０２−１、１９０２−２を送信する。
【０２１６】
送信ビーム１９０１−１は、ストリーム３のデータを伝送するための送信ビームである。また、送信ビーム１９０１−２も、ストリーム３のデータを伝送するための送信ビームである。
【０２１７】
送信ビーム１９０２−１は、ストリーム４のデータを伝送するための送信ビームである。また、送信ビーム１９０２−２も、ストリーム４のデータを伝送するための送信ビームである。
【０２１８】
７０４−１、７０４−２、７０４−３、７０４−４、７０４−５、１９０３−１、１９０３−２、１９０３−３は端末であり、例えば、図４、図５のような構成で構成されている。なお、端末７０４−１、７０４−２、７０４−３、７０４−４、７０４−５の動作については、図７を用いて説明したとおりである。
【０２１９】
端末１９０３−１は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性１９０４−１、および、受信指向性１９０５−１を形成する。そして、受信指向性１９０４−１により、端末１９０３−１は、ストリーム３のデータを伝送するための送信ビーム１９０１−２の受信及び復調が可能となり、受信指向性１９０５−１により、端末１９０３−１は、ストリーム４のデータを伝送するための送信ビーム１９０２−２の受信及び復調が可能となる。
【０２２０】
端末１９０３−２は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性１９０４−２、および、受信指向性１９０５−２を形成する。そして、受信指向性１９０４−２により、端末１９０３−２は、ストリーム４のデータを伝送するための送信ビーム１９０２−１の受信及び復調が可能となり、受信指向性１９０５−２により、端末１９０３−２は、ストリーム３のデータを伝送するための送信ビーム１９０１−２の受信及び復調が可能となる。
【０２２１】
端末１９０３−３は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性１９０４−３、および、受信指向性１９０５−３を形成する。そして、受信指向性１９０４−３により、端末１９０３−３は、ストリーム３のデータを伝送するための送信ビーム１９０１−１の受信及び復調が可能となり、受信指向性１９０５−３により、端末１９０３−３は、ストリーム４のデータを伝送するための送信ビーム１９０２−１の受信及び復調が可能となる。
【０２２２】
端末１９０３−４は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性１９０４−４、および、受信指向性１９０５−４を形成する。そして、受信指向性１９０４−４により、端末１９０３−４は、ストリーム２のデータを伝送するための送信ビーム７０３−１の受信及び復調が可能となり、受信指向性１９０５−４により、端末１９０３−４は、ストリーム３のデータを伝送するための送信ビーム１９０１−１の受信及び復調が可能となる。
【０２２３】
図１９において、特徴的な点は、基地局が、マルチキャスト用のデータを含むストリームを複数送信するとともに、各ストリームは、複数の送信ビームで送信されており、各端末は、複数のストリームのうち一つ以上のストリームの送信ビームを選択的に受信する点である。
【０２２４】
なお、ストリーム１のデータを伝送するための送信ビーム７０２−１とストリーム２のデータを伝送するための送信ビーム７０３−１は、同一周波数（同一周波数帯）、同一時間を用いて、基地局７００は送信する。そして、ストリーム１のデータを伝送するための送信ビーム７０２−２とストリーム２のデータを伝送するための送信ビーム７０３−２は、同一周波数（同一周波数帯）、同一時間を用いて、基地局７００は送信する。また、ストリーム１のデータを伝送するための送信ビーム７０２−３とストリーム２のデータを伝送するための送信ビーム７０３−３は、同一周波数（同一周波数帯）、同一時刻を用いて、基地局７００は送信する。
【０２２５】
ストリーム３のデータを伝送するための送信ビーム１９０１−１とストリーム４のデータを伝送するための送信ビーム１９０２−１は、同一周波数（同一周波数帯）、同一時間を用いて、基地局７００は送信する。そして、ストリーム３のデータを伝送するための送信ビーム１９０１−２とストリーム４のデータを伝送するための送信ビーム１９０２−２は、同一周波数（同一周波数帯）、同一時間を用いて、基地局７００は送信する。
【０２２６】
また、ストリーム１のデータを伝送するための送信ビーム７０２−１、７０２−２、７０２−３は、同一周波数（同一周波数帯）のビームであってもよいし、それぞれ、異なる周波数（異なる周波数帯）のビームであってもよい。ストリーム２のデータを伝送するための送信ビーム７０３−１、７０３−２、７０３−３は、同一周波数（同一周波数帯）のビームであってもよいし、それぞれ、異なる周波数（異なる周波数帯）のビームであってもよい。
【０２２７】
ストリーム３のデータを伝送するための送信ビーム１９０１−１、１９０１−２は、同一周波数（同一周波数帯）のビームであってもよいし、それぞれ、異なる周波数（異なる周波数帯）のビームであってもよい。また、ストリーム４のデータを伝送するための送信ビーム１９０２−１、１９０２−２は、同一周波数（同一周波数帯）のビームであってもよいし、それぞれ、異なる周波数（異なる周波数帯）のビームであってもよい。
【０２２８】
そして、図１の＃１情報１０１−１からストリーム１のデータシンボルを生成してもよいし、ストリーム２のデータシンボルを生成し、＃２情報１０１−２からストリーム３のデータシンボル、ストリーム４のデータシンボルを生成してもよい。なお、＃１情報１０１−１、＃２情報１０１−２はそれぞれ誤り訂正符号化を行い、その後、データシンボルを生成してもよい。
【０２２９】
また、図１の＃１情報１０１−１からストリーム１のデータシンボルを生成し、図１の＃２情報１０１−２からストリーム２のデータシンボルを生成し、図１の＃３情報１０１−３からストリーム３のデータシンボルを生成し、図１の＃４情報１０１−４からストリーム４のデータシンボルを生成するとしてもよい。なお、＃１情報１０１−１、＃２情報１０１−２、＃３情報１０１−３、＃４情報１０１−４は、それぞれ、誤り訂正符号化を行い、その後データシンボルを生成してもよい。
【０２３０】
つまり、各ストリームのデータシンボルは、図１の情報のいずれから生成してもよい。このため、端末は、マルチキャスト用のストリームを選択的に得ることができるという効果を得る。
【０２３１】
このとき、基地局の構成図１、図３における設定部１５８の動作について、説明する。設定部１５８は、設定信号１６０を入力としている。設定信号１６０は、「マルチキャスト用の送信を行うか／ユニキャスト用の送信を行うか」の情報を含んでおり、図１９のような送信を基地局が行う場合、設定信号１６０により「マルチキャスト用の送信を行う」という情報が、設定部１５８に入力される。
【０２３２】
設定信号１６０は、「マルチキャストを行うときの送信ストリーム数」の情報を含んでおり、図１９のような送信を基地局が行う場合、設定信号１６０により、「送信ストリーム数は４」という情報が、設定部１５８に入力される。
【０２３３】
また、設定信号１６０は、「各ストリームをいくつの送信ビームで送信するか」の情報を含んでいてもよい。図１９のような送信を基地局が行う場合、設定信号１６０により、「ストリーム１を送信する送信ビーム数は３、ストリーム２を送信する送信ビーム数は３、ストリーム３を送信する送信ビーム数は２、ストリーム４を送信する送信ビーム数は２」という情報が、設定部１５８に入力される。
【０２３４】
なお、図１、図３の基地局は、データシンボルが「マルチキャスト用の送信であるか／ユニキャスト用の送信であるか」の情報、「マルチキャストを行うときの送信ストリーム数」の情報、「各ストリームをいくつの送信ビームで送信するか」の情報等を含んだ制御情報シンボルを送信してもよい。これにより、端末は、適切な受信が可能となる。
【０２３５】
次に、実施の形態１の変形例として、基地局が、マルチキャストデータ伝送を複数送信する場合について説明する。
【０２３６】
図２０は、基地局（または、アクセスポイントなど）と端末の通信状態の一例を示しており、図７、図１２、図１９と同様に動作するものについては、同一番号を付しており、詳細の説明は省略する。
【０２３７】
基地局７００は、複数アンテナを具備し、送信用のアンテナ７０１から、複数の送信信号を送信する。このとき、基地局７００は、例えば、図１、図３のような構成で構成されており、信号処理部１０２（および／または、重み付け合成部３０１）において、プリコーディング（重み付け合成）を行うことで、送信ビームフォーミング（指向性制御）を行う。
【０２３８】
そして、送信ビーム１２０２−１、１２０２−２、１２０２−３、１２０３−１、１２０３−２、１２０３−３の説明については、図１２の説明と重複するので、説明を省略する。
【０２３９】
また、端末７０４−１、７０４−２、７０４−３、７０４−４、７０４−５、および、受信指向性７０５−１、７０５−２、７０５−３、７０５−４、７０５−５、７０６−１、７０６−２、７０６−３、７０６−４、７０６−５の説明については、図１２の説明と重複するので、説明を省略する。
【０２４０】
基地局７００は、送信ビーム１２０２−１、１２０２−２、１２０２−３、１２０３−１、１２０３−２、１２０３−３に加えて送信ビーム２００１−１、２００１−２、２００２−１、２００２−２を送信する。
【０２４１】
送信ビーム２００１−１は、「変調信号３」を伝送するための送信ビームである。また、送信ビーム２００１−２も、「変調信号３」を伝送するための送信ビームである。
【０２４２】
送信ビーム２００２−１は、「変調信号４」を伝送するための送信ビームである。また、送信ビーム２００２−２も、「変調信号４」を伝送するための送信ビームである。
【０２４３】
端末７０４−１、７０４−２、７０４−３、７０４−４、７０４−５、１９０３−１、１９０３−２、１９０３−３は、例えば、図４、図５と同じ構成である。なお、端末７０４−１、７０４−２、７０４−３、７０４−４、７０４−５の動作については、図７の説明と同じである。
【０２４４】
端末１９０３−１は、「信号処理部４０５」、および／または、「アンテナ４０１−１からアンテナ４０１−Ｎまで」、および／または、「乗算部６０３−１から乗算部６０３−Ｌまで、および、処理部６０５」により、受信時の指向性制御を行い、受信指向性１９０４−１、および、受信指向性１９０５−１を形成する。そして、受信指向性１９０４−１により、端末１９０３−１は、「変調信号３」を伝送するための送信ビーム２００１−２の受信及び復調が可能となり、受信指向性１９０５−１により、端末１９０３−１は、「変調信号４」を伝送するための送信ビーム２００２−２の受信及び復調が可能となる。
【０２４５】
端末１９０３−２は、「信号処理部４０５」、および／または、「アンテナ４０１−１からアンテナ４０１−Ｎまで」、および／または、「乗算部６０３−１から乗算部６０３−Ｌまで、および、処理部６０５」により、受信時の指向性制御を行い、受信指向性１９０４−２、および、受信指向性１９０５−２を形成する。そして、受信指向性１９０４−２により、端末１９０３−２は、「変調信号４」を伝送するための送信ビーム２００２−１の受信及び復調が可能となり、受信指向性１９０５−２により、端末１９０３−２は、「変調信号３」を伝送するための送信ビーム２００１−２の受信及び復調が可能となる。
【０２４６】
端末１９０３−３は、「信号処理部４０５」、および／または、「アンテナ４０１−１からアンテナ４０１−Ｎまで」、および／または、「乗算部６０３−１から乗算部６０３−Ｌまで、および、処理部６０５」により、受信時の指向性制御を行い、受信指向性１９０４−３、および、受信指向性１９０５−３を形成する。そして、受信指向性１９０４−３により、端末１９０３−３は、「変調信号３」を伝送するための送信ビーム２００１−１の受信及び復調が可能となり、受信指向性１９０５−３により、端末１９０３−３は、「変調信号４」を伝送するための送信ビーム２００２−１の受信及び復調が可能となる。
【０２４７】
端末１９０３−４は、「信号処理部４０５」、および／または、「アンテナ４０１−１からアンテナ４０１−Ｎまで」、および／または、「乗算部６０３−１から乗算部６０３−Ｌまで、および、処理部６０５」により、受信時の指向性制御を行い、受信指向性１９０４−４、および、受信指向性１９０５−４を形成する。そして、受信指向性１９０４−４により、端末１９０３−４は、「変調信号３」を伝送するための送信ビーム２００１−１の受信及び復調が可能となり、受信指向性１９０５−４により、端末１９０３−４は、「変調信号４」を伝送するための送信ビーム２００２−１の受信及び復調が可能となる。
【０２４８】
図２０において、基地局が、マルチキャスト用のデータを含む変調信号を複数送信し、各変調信号は、複数の送信ビームで送信されており、各端末は、複数の変調信号のうち一つ以上のストリームの送信ビームを選択的に受信する。
【０２４９】
なお、基地局７００は、「変調信号１」を伝送するための送信ビーム１２０２−１と「変調信号２」を伝送するための送信ビーム１２０３−１を、同一周波数（同一周波数帯）、同一時間を用いて、送信する。そして、基地局７００は、「変調信号１」を伝送するための送信ビーム１２０２−２と「変調信号２」を伝送するための送信ビーム１２０３−２を、同一周波数（同一周波数帯）、同一時間を用いて、送信する。また、基地局７００は、「変調信号１」を伝送するための送信ビーム１２０２−３と「変調信号２」を伝送するための送信ビーム１２０３−３を、同一周波数（同一周波数帯）、同一時刻を用いて、送信する。
【０２５０】
基地局７００は、「変調信号３」を伝送するための送信ビーム２００１−１と「変調信号４」を伝送するための送信ビーム２００２−１を、同一周波数（同一周波数帯）、同一時間を用いて、送信する。そして、基地局７００は、「変調信号３」を伝送するための送信ビーム２００１−２と「変調信号４」を伝送するための送信ビーム２００２−２を、同一周波数（同一周波数帯）、同一時間を用いて、送信する。
【０２５１】
また、ストリーム１のデータを伝送するための送信ビーム７０２−１、７０２−２、７０２−３は、同一周波数（同一周波数帯）のビームであってもよいし、それぞれ、異なる周波数（異なる周波数帯）のビームであってもよい。ストリーム２のデータを伝送するための送信ビーム７０３−１、７０３−２、７０３−３は、同一周波数（同一周波数帯）のビームであってもよいし、それぞれ、異なる周波数（異なる周波数帯）のビームであってもよい。
【０２５２】
「変調信号３」を伝送するための送信ビーム２００１−１、２００１−２は、同一周波数（同一周波数帯）のビームであってもよいし、それぞれ、異なる周波数（異なる周波数帯）のビームであってもよい。また、「変調信号４」を伝送するための送信ビーム２００２−１、２００２−２は、同一周波数（同一周波数帯）のビームであってもよいし、それぞれ、異なる周波数（異なる周波数帯）のビームであってもよい。
【０２５３】
このとき、基地局の構成図１、図３における設定部１５８の動作について、説明する。設定部１５８は、設定信号１６０を入力としている。設定信号１６０は、「マルチキャスト用の送信を行うか／ユニキャスト用の送信を行うか」の情報を含んでおり、図１９に示す送信を基地局が行う場合、設定信号１６０により「マルチキャスト用の送信を行う」という情報が、設定部１５８に入力される。
【０２５４】
設定信号１６０は、「マルチキャストを行うときの送信変調信号数」の情報を含んでおり、図２０に示す送信を基地局が行う場合、設定信号１６０により、「送信変調信号数は４」という情報が、設定部１５８に入力される。
【０２５５】
また、設定信号１６０は、「各変調信号をいくつの送信ビームで送信するか」の情報を含んでいてもよい。図２０に示す送信を基地局が行う場合、設定信号１６０により、「変調信号１を送信する送信ビーム数は３、変調信号２を送信する送信ビーム数は３、変調信号３を送信する送信ビーム数は２、変調信号４を送信する送信ビーム数は２」という情報が、設定部１５８に入力される。
【０２５６】
なお、図１、図３の基地局は、データシンボルが「マルチキャスト用の送信であるか／ユニキャスト用の送信であるか」の情報、「マルチキャストを行うときの送信ストリーム数」の情報、「各ストリームをいくつの送信ビームで送信するか」の情報等を含んだ制御情報シンボルを送信してもよい。これにより、端末は、適切な受信が可能となる。
【０２５７】
なお、図２０では、端末は、「変調信号１」の送信ビームと「変調信号２」の送信ビームの両者を受信すると、高い受信品質でストリーム１のデータとストリーム２のデータを得ることができる。
【０２５８】
同様に、端末は、「変調信号３」の送信ビームと「変調信号４」の送信ビームの両者を受信すると、高い受信品質でストリーム３のデータとストリーム４のデータを得ることができる。
【０２５９】
そして、図２０では、基地局が「変調信号１」、「変調信号２」、「変調信号３」、「変調信号４」を送信する例を説明しているが、基地局は、ストリーム５のデータ及びストリーム６のデータを伝送する「変調信号５」及び「変調信号６」を送信してもよいし、それよりも多くのストリームを伝送するためにより多くの変調信号を送信してもよい。なお、変調信号のそれぞれは１以上の送信ビームを用いて送信される。
【０２６０】
さらに、図１７、図１８で説明したように、ユニキャスト用の送信ビーム（または受信指向性制御）が一つ以上存在していてもよい。
【０２６１】
「変調信号１」、「変調信号２」の関係については、図１３の説明と重複するので省略する。ここでは、「変調信号３」、「変調信号４」の関係について、図２１を用いて説明する。
【０２６２】
例えば、＃２情報１０１−２に対して、誤り訂正符号化などの処理を施し、誤り訂正符号化後のデータを得る。この誤り訂正符号化後のデータを＃２送信データと名付ける。そして、＃２送信データに対してマッピングを行い、データシンボルを得るが、このデータシンボルをストリーム３用、ストリーム４用に振り分け、ストリーム３のデータシンボル（データシンボル群）、および、ストリーム４のデータシンボル（データシンボル群）を得る。このとき、シンボル番号ｉにおけるストリーム３のデータシンボルをｓ３（ｉ）、ストリーム４のデータシンボルをｓ４（ｉ）とする。すると、シンボル番号ｉにおける「変調信号３」ｔｘ３（ｉ）は、例えば、以下のようにあらわす。
【０２６３】
【数５】
2019093464.tif 000007
【０２６４】
そして、シンボル番号ｉにおける「変調信号４」ｔｘ４（ｉ）は、例えば、以下のようにあらわす。
【０２６５】
【数６】
2019093464.tif 000008
【０２６６】
なお、式（５）、式（６）において、ｅ（ｉ）、ｆ（ｉ）、ｇ（ｉ）、ｈ（ｉ）は、それぞれ、複素数で定義することができ、したがって、実数であってもよい。
【０２６７】
また、ｅ（ｉ）、ｆ（ｉ）、ｇ（ｉ）、ｈ（ｉ）と記載しているが、それらはシンボル番号ｉの関数でなくてもよく、固定の値であってもよい。
【０２６８】
そして、データシンボルから構成された「変調信号３のデータ伝送領域の信号」を含んだ「変調信号３のシンボル群」は、図１、図３の基地局から送信される。また、データシンボルから構成された「変調信号４のデータ伝送領域の信号」を含んだ「変調信号４のシンボル群」は、図１、図３の基地局から送信される。
【０２６９】
（補足）
当然であるが、本明細書において説明した実施の形態、その他の内容を複数組み合わせて、実施してもよい。
【０２７０】
また、各実施の形態、その他の内容については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【０２７１】
変調方式については、本明細書で記載している変調方式以外の変調方式を使用しても、本明細書において説明した実施の形態、その他の内容を実施することが可能である。例えば、ＡＰＳＫ（Amplitude Phase Shift Keying）、ＰＡＭ（Pulse Amplitude Modulation）、ＰＳＫ（Phase Shift Keying）、ＱＡＭ（Quadrature Amplitude Modulation）を適用してもよいし、各変調方式において、均一マッピング、非均一マッピングとしてもよい。ＡＰＳＫは、例えば、16APSK, 64APSK, 128APSK, 256APSK, 1024APSK, 4096APSKを含み、ＰＡＭは、例えば、4PAM, 8PAM, 16PAM, 64PAM, 128PAM, 256PAM, 1024PAM, 4096PAMを含み、ＰＳＫは、例えば、BPSK, QPSK, 8PSK, 16PSK, 64PSK, 128PSK, 256PSK, 1024PSK,4096PSKを含み、ＱＡＭは、例えば、4QAM, 8QAM, 16QAM, 64QAM, 128QAM, 256QAM, 1024QAM, 4096QAMを含む。
【０２７２】
また、Ｉ−Ｑ平面における２個、４個、８個、１６個、６４個、１２８個、２５６個、１０２４個等の信号点の配置方法（２個、４個、８個、１６個、６４個、１２８個、２５６個、１０２４個等の信号点をもつ変調方式）は、本明細書で示した変調方式の信号点配置方法に限ったものではない。
【０２７３】
本明細書で記載した「基地局」は、例えば、放送局、基地局、アクセスポイント、端末、携帯電話（mobile phone）などであってもよい。そして、本明細書で記載している「端末」は、テレビ、ラジオ、端末、パーソナルコンピュータ、携帯電話、アクセスポイント、基地局などであってもよい。また、本開示における「基地局」、「端末」は、通信機能を有している機器であって、その機器が、テレビ、ラジオ、パーソナルコンピュータ、携帯電話等のアプリケーションを実行するための装置に何らかのインターフェースを解して接続できるようなに構成されてもよい。また、本実施の形態では、データシンボル以外のシンボル、例えば、パイロットシンボル、制御情報用のシンボルなどが、フレームにおいて、どのように配置されていてもよい。
【０２７４】
そして、パイロットシンボル、制御情報用のシンボルは、どのような名付け方を行ってもよく、例えば、送受信機において、ＰＳＫ変調を用いて変調した既知のシンボルであればよく、または、受信機が同期することによって、受信機は、送信機が送信したシンボルを知ることができてもよい。受信機は、このシンボルを用いて、周波数同期、時間同期、各変調信号のチャネル推定（ＣＳＩ（Channel State Information）の推定）、信号の検出等を行う。なお、パイロットシンボルは、プリアンブル、ユニークワード、ポストアンブル、リファレンスシンボル等と呼ぶことがある。
【０２７５】
また、制御情報用のシンボルは、データ（アプリケーション等のデータ）以外の通信を実現するための、通信相手に伝送する必要がある情報（例えば、通信に用いている変調方式、誤り訂正符号化方式、誤り訂正符号化方式の符号化率、上位レイヤーでの設定情報等）を伝送するためのシンボルである。
【０２７６】
なお、本開示は各実施の形態に限定されず、種々変更して実施することが可能である。例えば、各実施の形態では、通信装置として行う場合について説明しているが、これに限られるものではなく、この通信方法をソフトウェアとして行うことも可能である。
【０２７７】
なお、例えば、上記通信方法を実行するプログラムを予めＲＯＭ（Read Only Memory）に格納しておき、そのプログラムをＣＰＵ（Central Processor Unit）によって動作させるようにしても良い。
【０２７８】
また、上記通信方法を実行するプログラムをコンピュータで読み取り可能な記憶媒体に格納し、記憶媒体に格納されたプログラムをコンピュータのＲＡＭ（Random Access Memory）に記録して、コンピュータをそのプログラムにしたがって動作させるようにしても良い。
【０２７９】
そして、上記の各実施の形態などの各構成は、典型的には、入力端子及び出力端子を有する集積回路であるＬＳＩ（Large Scale Integration）として実現されてもよい。これらは、個別に１チップ化されてもよいし、各実施の形態の全ての構成または一部の構成を含むように１チップ化されてもよい。ここでは、ＬＳＩとしたが、集積度の違いにより、ＩＣ（Integrated Circuit）、システムＬＳＩ、スーパーＬＳＩ、ウルトラＬＳＩと呼称されることもある。また、集積回路化の手法はＬＳＩに限られるものではなく、専用回路または汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【０２８０】
（実施の形態３）
本実施の形態では、実施の形態１、実施の形態２と異なるビームフォーミングを適用したときのマルチキャスト通信方法について説明する。
【０２８１】
基地局の構成については、実施の形態１の図１から図３を用いて説明したとおりであるため、実施の形態１と同様に動作する部分についての説明は省略する。また、基地局と通信を行う端末の構成についても、実施の形態１の図４から図６を用いて説明したとおりであるため、実施の形態１と同様に動作する部分についての説明は省略する。
【０２８２】
以下では、本実施の形態における基地局と端末の動作の例を説明する。
【０２８３】
図２２は、基地局が１つの端末に対して、マルチキャスト用送信ストリームを送信している場合を示している。
【０２８４】
図２２において、基地局７００は、送信用アンテナから「（マルチキャスト用）ストリーム１−１（ストリーム１の第１ビーム）」の送信ビーム２２０１−１を端末２２０２−１に対して送信しており、端末２２０２−１は、指向性制御を行うことで、受信指向性２２０３−１を生成し、「ストリーム１−１」の送信ビーム２２０１−１を受信している。
【０２８５】
図２３は、図２２のような基地局と端末の通信状態のために行う「基地局と端末の通信を行うための手順」の説明を行う。
【０２８６】
［２３−１］端末は、まず、基地局に対し、「ストリーム１のマルチキャスト送信の要求」を行う。
【０２８７】
［２３−２］基地局は、［２３−１］を受け、「ストリーム１のマルチキャスト送信を行っていない」ことを認識する。そこで、基地局は、端末に対し、ストリーム１のマルチキャスト送信を行うために、送信指向性制御用のトレーニングシンボル、受信指向性制御用のトレーニングシンボルを送信する。
【０２８８】
［２３−３］端末は、基地局が送信した送信指向性制御用のトレーニングシンボル、および、受信指向性制御用のトレーニングシンボルを受信し、基地局が送信指向性制御、端末が受信指向性制御を行うために、基地局に対し、フィードバック情報を送信する。
【０２８９】
［２３−４］基地局は、端末が送信したフィードバック情報に基づいて、送信指向性制御の方法（指向性制御を行うときに使用する重み付け係数の決定など）の決定を行い、送信指向性制御を行い、ストリーム１のデータシンボルを送信する。
【０２９０】
［２３−５］端末は、受信指向性制御方法（指向性制御を行うときに使用する重み付け係数の決定など）の決定を行い、基地局が送信したストリーム１のデータシンボルの受信を開始する。
【０２９１】
なお、図２３の「基地局と端末の通信を行うための手順」は一例であり、各情報の送信の順番は、図２３に限ったものではなく、各情報の送信の順番が入れ替わっても同様に実施することができる。また、図２３では、端末が受信指向性制御を行う場合を例に説明しているが、端末が受信指向性制御を行わない場合であってもよい。このとき、図２３において、基地局は、受信指向性制御用トレーニングシンボルを送信しなくてもよく、また、端末は受信指向性制御方法の決定を行わない。
【０２９２】
また、基地局が送信指向性制御を行う際、基地局が図１の構成の場合、例えば、図２の乗算部２０４−１、２０４−２、２０４−３、２０４−４における乗算係数が設定され、また、基地局が図３の構成の場合、例えば、重み付け合成部３０１において、重み付け係数が設定される。なお、送信するストリーム数は、図２２の場合「１」としているが、これに限ったものではない。
【０２９３】
そして、端末が受信指向性制御を行う際、端末が図４の構成の場合、例えば、図５の乗算部５０３−１、５０３−２、５０３−３、５０３−４における乗算係数が設定され、また、端末が図６の構成の場合、例えば、乗算部６０３−１、６０３−２、・・・、６０３−Ｌにおける乗算係数が設定される。
【０２９４】
図２４は、図２３における基地局が、送信指向性制御用シンボル、および、受信指向性制御用シンボル、データシンボルを送信する際、基地局が送信するシンボルと端末が送信するシンボルの一例を時間軸において示す図である。図２４における（ａ）は基地局が送信するシンボルの一例を時間軸において示す図であり、図２４における（ｂ）は端末が送信するシンボルの一例を時間軸において示す図であり、いずれも横軸は時間である。
【０２９５】
図２３のように基地局と端末の通信が行われた場合、図２４に示すように、まず、「基地局送信指向性制御トレーニングシンボル」２４０１を、基地局は送信する。例えば、「基地局送信指向性制御トレーニングシンボル」２４０１は、制御情報シンボルと既知のＰＳＫシンボルで構成されている。
【０２９６】
そして、端末は、基地局が送信した「基地局送信指向性制御トレーニングシンボル」２４０１を受信し、例えば、基地局が送信に使用するアンテナの情報、指向性制御で使用する乗算係数（または、重み付け係数）に関する情報をフィードバック情報シンボル２４０２として送信する。
【０２９７】
基地局は、端末が送信した「フィードバック情報シンボル」２４０２を受信し、フィードバック情報シンボル２４０２から送信に使用するアンテナを決定し、また、フィードバック情報シンボル２４０２から送信指向性制御に用いる係数を決定する。その後、基地局は、「端末受信指向性制御トレーニングシンボル」２４０３を送信する。例えば、「端末受信指向性制御トレーニングシンボル」２４０３は、制御情報シンボルと既知ＰＳＫシンボルで構成されている。
【０２９８】
そして、端末は、基地局が送信した「端末受信指向性制御トレーニングシンボル」２４０３を受信し、例えば、端末が受信に使用するアンテナ、端末が受信指向性制御に使用する乗算係数を決定する。そして、端末は、データシンボルを受信する準備が完了したことをフィードバック情報シンボル２４０４として送信する。
【０２９９】
そして、基地局は、端末が送信した「フィードバック情報シンボル」２４０４を受信し、フィードバック情報シンボル２４０４に基づき、データシンボル２４０５を出力する。
【０３００】
なお、図２４の基地局と端末の通信は、一例であり、シンボルの送信の順番や基地局の送信と端末の送信の順番については、これに限ったものではない。また、「基地局送信指向性制御トレーニングシンボル」２４０１、「フィードバック情報シンボル」２４０２、「端末受信指向性制御トレーニングシンボル」２４０３、「フィードバック情報シンボル」２４０４、「データシンボル」２４０５のそれぞれに、信号検出、時間同期、周波数同期、周波数オフセット推定及びチャネル推定のためのプリアンブル、リファレンスシンボル、パイロットシンボル、また、制御情報を伝送するためのシンボルなどが含まれていてもよい。
【０３０１】
図２５は、図２３における基地局と端末の通信が完了した後、基地局がストリーム１のデータシンボルを送信する際の、基地局が送信するシンボルの例であり、横軸を時間とする。
【０３０２】
図２５では、基地局は、「（マルチキャスト用）ストリーム１−１データシンボル（１）」２５０１−１−１として、ストリーム１の送信ビーム１の第１番目のデータシンボルを送信する。その後、データシンボル送信可能な区間２５０２−１が配置される。
【０３０３】
その後、基地局は、「（マルチキャスト用）ストリーム１−１データシンボル（２）」２５０１−１−２として、（マルチキャスト用）ストリーム１の送信ビーム１の第２番目のデータシンボルを送信する。その後、データシンボル送信可能な区間２５０２−２が配置される。
【０３０４】
その後、基地局は、「（マルチキャスト用）ストリーム１−１データシンボル（３）」２５０１−１−３として、（マルチキャスト用）ストリーム１の送信ビーム１の第３番目のデータシンボルを送信する。
【０３０５】
このようにして、基地局は、図２２に示した「（マルチキャスト用）ストリーム１−１」２２０１−１のデータシンボルを、基地局は送信する。なお、図２５において、「（マルチキャスト用）ストリーム１−１データシンボル（１）」２５０１−１−１、「（マルチキャスト用）ストリーム１−１データシンボル（２）」２５０１−１−２、「（マルチキャスト用）データシンボル１−１データシンボル（３）」２５０１−１−３、・・・には、データシンボル以外に、信号検出、時間同期、周波数同期、周波数オフセット推定、チャネル推定のためのプリアンブル、リファレンスシンボル、パイロットシンボル、また、制御情報を伝送するためのシンボルなどが含まれていてもよい。
【０３０６】
なお、図２５では、データシンボル送信可能な区間２５０２−１は、ユニキャスト送信区間２５０３−１を含み、また、データシンボル送信可能な区間２５０２−２は、ユニキャスト送信区間２５０３−２を含む。
【０３０７】
図２５では、フレームは、ユニキャスト送信区間２５０３−１、２５０３−２を含む。例えば、図２５では、基地局は、データシンボル送信可能な区間２５０２−１のユニキャスト送信区間２５０３−１を除く区間、および、データシンボル送信可能区間２５０２−２のユニキャスト送信区間２５０３−２を除く区間では、マルチキャスト用のシンボルを送信してもよい。この点については、後で、例を用いて説明する。
【０３０８】
このように、ユニキャスト送信区間をフレームに設けることは、無線通信システムを安定的に動作させるために有用な構成要件となる。この点については、後で例を説明する。なお、ユニキャスト送信区間は、図２５のような時間的位置でなくてもよく、どのように時間的に配置してもよい。なお、ユニキャスト送信区間は、基地局がシンボルを送信してもよいし、端末がシンボルを送信してもよい。
【０３０９】
また、基地局によって、直接的に、ユニキャスト送信区間を設定できるような構成であってもよいが、別の方法として、基地局が、マルチキャスト用のシンボルを送信するための最大送信データ伝送速度を設定するようにしてもよい。
【０３１０】
例えば、基地局が送信可能なデータの伝送速度が２Ｇｂｐｓ（ｂｐｓ： bits per second）であり、基地局において、マルチキャスト用のシンボルを送信するのに割り当てることができるデータの最大伝送速度を１．５Ｇｂｐｓとする場合、５００Ｍｂｐｓに相当するユニキャスト送信区間を設定することができる。
【０３１１】
このように、ユニキャスト送信区間を基地局において間接的に設定できるような構成であってもよい。なお、別の具体的な例については後で説明を行う。
【０３１２】
なお、図２２の状態に伴い、図２５では、「（マルチキャスト用）ストリーム１−１データシンボル（１）」２５０１−１−１、「（マルチキャスト用）ストリーム１−１データシンボル（２）」２５０１−１−２、「（マルチキャスト用）ストリーム１−１データシンボル（３）」２５０１−１−３が存在するフレーム構成を記載しているが、これに限ったものではない。例えば、ストリーム１（ストリーム１−１）以外のマルチキャスト用のストリームのデータシンボルが存在してもよいし、ストリーム１の第２の送信ビームであるストリーム１−２のデータシンボル、ストリーム１の第３の送信ビームであるストリーム１−３データストリームが存在していてもよい。この点については、後で説明を行う。
【０３１３】
図２６は、図２２の基地局が１つの端末に対して、マルチキャスト用送信ストリームを送信している状態に対し、新たに端末が１つ追加されたときの状態を示しており、図２２と同様に動作するものについては同一番号を付している。
【０３１４】
図２６において、新たに追加された端末は２２０２−２である。端末２２０２−２は、指向性制御を行うことで、受信指向性２２０３−２を生成し、「（マルチキャスト用）ストリーム１−１」の送信ビーム２２０１−１を受信する。
【０３１５】
次に、図２６について説明する。
【０３１６】
以下の説明では、図２６において、基地局７００と端末２２０２−１がマルチキャスト通信を行っている状態に対し、新たに端末２２０２−２がマルチキャスト通信に参加するという状態である。したがって、図２７に示すように基地局は、「端末受信指向性制御トレーニングシンボル」２７０１と「データシンボル」２７０２を送信しており、図２４に示した「基地局送信トレーニングシンボル」は送信しない。なお、図２７において、横軸は時間である。
【０３１７】
図２８は、図２６のように基地局が２つの端末にマルチキャスト用の送信ビームを送信している状態になるために行われる動作の例を示している。
【０３１８】
［２８−１］端末２２０２−２は、基地局に対して「ストリーム１のマルチキャスト送信の要求」を行う。なお、「ストリーム１のマルチキャスト送信の要求」は、図２５におけるユニキャスト送信区間に送信される。
【０３１９】
［２８−２］基地局は、［２８−１］を受け、「マルチキャスト用のストリーム１の送信を行っていること」を端末２２０２−２に通知する。なお、「マルチキャスト用のストリーム１の送信を行っていること」の通知は、図２５におけるユニキャスト送信区間に送信される。
【０３２０】
［２８−３］端末２２０２−２は、［２８−２］を受け、マルチキャスト用のストリーム１の受信を開始するために、受信指向性制御を実施する。そして、端末２２０２−２は、受信指向性制御を行い、「マルチキャスト用のストリーム１」の受信ができたことを、基地局に通知する。
【０３２１】
［２８−４］基地局は、［２８−３］を受け、端末が「マルチキャスト用のストリーム１」を受信できたことを確認する。
【０３２２】
［２８−５］端末２２０２−２は、受信指向性制御を行い、「マルチキャスト用のストリーム１」の受信を開始する。
【０３２３】
図２９は、図２２の基地局が一つの端末に対して、マルチキャスト用送信ストリームを送信している状態に対し、新たに端末一つが追加されたときの状態を示しており、図２２と同様に動作するものについては同一番号を付している。
【０３２４】
図２９において、新たに追加された端末は２２０２−２である。このとき、図２６と異なる点は、基地局７００は、「（マルチキャスト用）ストリーム１−２（ストリーム１の第２）」の送信ビーム２２０１−２を新たに送信し、端末２２０２−２は、指向性制御を行うことで、受信指向性２２０３−２を生成し、「（マルチキャスト用）ストリーム１−２」の送信ビーム２２０１−２を受信する。
【０３２５】
次に、図２９のような状態のために行われる制御について説明する。
【０３２６】
以下の説明では、図２９において、基地局７００と端末２２０２−１がマルチキャスト通信を行っている状態に対し、新たに端末２２０２−２がマルチキャスト通信に参加するという状態である。
【０３２７】
図３０は、図２９のように基地局が２つの端末にマルチキャスト用の送信ビームを送信している状態になるために行われる動作の例を示している。
【０３２８】
［３０−１］端末２２０２−２は、基地局に対して「ストリーム１のマルチキャスト送信の要求」を行う。なお、「ストリーム１のマルチキャスト送信の要求」は、図２５におけるユニキャスト送信区間に送信される。
【０３２９】
［３０−２］基地局は、［３０−１］を受け、「マルチキャスト用のストリーム１の送信を行っていること」を端末２２０２−２に通知する。なお、「マルチキャスト用のストリーム１の送信を行っていること」の通知は、図２５におけるユニキャスト送信区間に送信されている。
【０３３０】
［３０−３］端末２２０２−２は、［３０−２］を受け、「マルチキャスト用のストリーム１を受信していないこと」を基地局に通知する。なお、「マルチキャスト用のストリーム１を受信していないこと」の通知は、図２５におけるユニキャスト送信区間に送信されている。
【０３３１】
［３０−４］基地局は、［３０−３］を受け、マルチキャスト用のストリーム１の別の送信ビーム（つまり、図２９の送信ビーム２２０１−２）を送信すると決定する。なお、ここでは、マルチキャスト用のストリーム１の別の送信ビームを送信すると判断しているが、マルチキャスト用のストリーム１の別の送信ビームを送信しないと判断してもよい。この点については、後で説明する。
【０３３２】
そこで、基地局は、端末２２０２−２に対し、ストリーム１のマルチキャスト送信を行うために、送信指向性制御用のトレーニングシンボル、受信指向性制御用のトレーニングシンボルを送信する。なお、これらのシンボルの送信とは別に、図２９におけるストリーム１−１の送信ビームを、基地局は送信している。この点については、後で説明する。
【０３３３】
［３０−５］端末２２０２−２は、基地局が送信した送信指向性制御用のトレーニングシンボル、および、受信指向性制御用のトレーニンシンボルを受信し、基地局が送信指向性制御、端末２２０２−２が受信指向性制御を行うために、基地局に対し、フィードバック情報を送信する。
【０３３４】
［３０−６］基地局は、端末２２０２−２が送信したフィードバック情報に基づいて、送信指向性制御の方法（指向性制御を行うときに使用する重み付け係数の決定など）の決定を行い、ストリーム１のデータシンボル（図２９のストリーム１−２の送信ビーム２２０１−２）を送信する。
【０３３５】
［３０−７］端末２２０２−２は、受信指向性制御方法（指向性制御を行うときに使用する重み付け係数の決定など）の決定を行い、基地局が送信したストリーム１のデータシンボル（図２９のストリーム１−２の送信ビーム２２０１−２）の受信を開始する。
【０３３６】
なお、図３０の「基地局と端末の通信を行うための手順」は一例であり、各情報の送信の順番は、図３０に限ったものではなく、各情報の送信の順番が入れ替わっても同様に実施することができる。
【０３３７】
また、図３０では、端末の受信指向性制御を行う場合を例に説明しているが、端末が受信指向性制御を行わないような場合であってもよい。このとき、図３０において、基地局は、受信指向性制御用のトレーニングシンボルを送信しなくてもよく、また、端末は受信指向性制御方法の決定を行わなくてもよい。
【０３３８】
また、基地局が送信指向性制御を行う際、基地局の構成が図１の構成の場合、例えば、図２の乗算部２０４−１、２０４−２、２０４−３、２０４−４における乗算係数が設定され、また、基地局の構成が図３の構成の場合、例えば、重み付け合成部３０１において、重み付け係数が設定される。なお、送信するストリーム数は、図２９の場合、「２」としているが、これに限ったものではない。
【０３３９】
そして、端末２２０２−１、２２０２−２が受信指向性制御を行う際、端末の構成が図４の構成の場合、例えば、図５の乗算部５０３−１、５０３−２、５０３−３、５０３−４における乗算係数が設定され、また、端末の構成が図６の構成の場合、例えば、乗算部６０３−１、６０３−２、・・・、６０３−Ｌにおける乗算係数が設定される。
【０３４０】
図３１は、図３０における基地局と端末の通信が完了した後、基地局がストリーム１のデータシンボルを送信する際の、基地局が送信するシンボルの例であり、横軸を時間とする。
【０３４１】
図３１では、図２９の「ストリーム１−１」が存在しているので、図２５と同様に、「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−Ｍ＋２が存在する。なお、「（Ｍ）、（Ｍ＋１）、（Ｍ＋２）」と記載しているが、（マルチキャスト用）ストリーム１−１は、（マルチキャスト用）ストリーム１−２が存在する前から存在しているからである。したがって、図３１では、Ｍは２以上の整数とする。
【０３４２】
そして、図３１に示すように、ユニキャスト送信区間２５０３−１、２５０３−２以外の区間において、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３が存在している。
【０３４３】
これまでの説明のように、以下のような特長をもつ。
【０３４４】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３は、いずれも「ストリーム１」を伝送するためのデータシンボルである。
【０３４５】
・端末は、「ストリーム１−１のデータシンボル」を得ることで、「ストリーム１のデータ」を得ることができる。また、端末は、「ストリーム１−２のデータシンボル」を得ることで、「ストリーム１のデータ」を得ることができる。
【０３４６】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）の送信ビームの指向性と、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３の送信ビームの指向性は異なる。したがって、「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）の送信ビームを生成するために使用する基地局の送信装置の乗算係数（または重み付け係数）のセットと、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３の送信ビームを生成するために使用する基地局の送信装置の乗算係数（または重み付け係数）のセットは異なる。
【０３４７】
以上より、基地局が送信したマルチキャストストリームを２つの端末が受信できるようになる。このとき、送受信で指向性制御を行っているため、マルチキャスト用のストリームを受信することができるエリアを広範にすることができるという効果を得る。また、ストリームの追加、送信ビームの追加は必要なときに限って行うため、データを伝送するための周波数、時間、空間の資源を有効に活用することができるという効果を得る。
【０３４８】
なお、以降で説明するような制御を行うことがある。制御の詳細は以下のとおりである。
【０３４９】
図３２は、図３１と異なる「図３０における基地局と端末の通信が完了した後、基地局が（ストリーム１の）データシンボルを送信する際の、基地局が送信するシンボルの例」であり、横軸を時間とする。なお、図３２において、図２５、図３１と同様に動作するものについては、同一番号を付している。
【０３５０】
図３２において、図３１と異なる点は、ユニキャスト送信区間２５０３−１、２５０３−２を時間的に長く設定しているため、基地局は、これ以上のマルチキャスト用のシンボルを追加して、送信しない点である。
【０３５１】
図３３は、図２９のように基地局が２つの端末（端末２２０２−１、２２０２−２）にマルチキャスト用の送信ビームを送信しているのに加え、新たな端末２２０２−３が基地局に対し、送信ビームの追加の要求を行ったときの動作の例を示している。なお、基地局が送信している変調信号のフレームは、図３２に示す。
【０３５２】
［３３−１］端末２２０２−３は、基地局に対して、「ストリーム１のマルチキャスト送信の要求」を行う。なお、「ストリーム１のマルチキャスト送信の要求」は、図３２におけるユニキャスト送信区間に送信される。
【０３５３】
［３３−２］基地局は、［３３−１］を受け、「マルチキャスト用のストリーム１の送信を行っていること」を端末２２０２−３に通知する。なお、「マルチキャスト用のストリーム１の送信を行っていることの通知」は、図３２におけるユニキャスト送信区間に送信される。
【０３５４】
［３３−３］端末２２０２−３は、［３３−２］を受け、「マルチキャスト用のストリーム１を受信していないこと」を基地局に通知する。なお、「マルチキャスト用のストリーム１を受信していないことの通知」は、図３２におけるユニキャスト送信区間に送信されている。
【０３５５】
［３３−４］基地局は、［３３−３］を受け、マルチキャスト用ストリーム１の送信ビームとして、ストリーム１−１の送信ビーム、ストリーム１−２の送信ビームとは別の送信ビームを送信することができるかの判定を行う。このとき、図３２に示すフレームであることを考慮し、基地局は、マルチキャスト用ストリーム１の別の送信ビームを送信しないと判定する。よって、基地局は、「マルチキャスト用ストリーム１の別の送信ビームを送信しないこと」を端末２２０２−３に通知する。なお、「マルチキャスト用ストリーム１の別の送信ビームを送信しないことの通知」は、図３２におけるユニキャスト送信区間に送信される。
【０３５６】
［３３−５］端末２２０２−３は、「マルチキャスト用ストリーム１の別の送信ビームを送信しないことの通知」を受信する。
【０３５７】
なお、図３３の「基地局と端末の通信の手順」は一例であり、各情報の送信の順番は、図３３に限ったものではなく、各送信の順番が入れ替わっても同様に実施することができる。このように、マルチキャスト送信のための通信資源が不足している場合、マルチキャスト送信ビームの追加を行わなくてもよい。
【０３５８】
図３４は、図２９に示す基地局が２つの端末（端末２２０２−１、２２０２−２）にマルチキャスト用の送信ビームを送信しているのに加え、新たな端末２２０２−３が基地局に対し、別のマルチキャスト用のストリーム（ストリーム２）の送信ビームの追加の要求を行う動作の例を示している。なお、基地局が送信している変調信号のフレームは、図３１のような状態である。
【０３５９】
［３４−１］端末２２０２−３は、基地局に対して、「ストリーム２のマルチキャスト送信の要求」を行う。なお、「ストリーム２のマルチキャスト送信の要求」は、図３１におけるユニキャスト送信区間２５０３に送信される。
【０３６０】
［３４−２］基地局は、［３４−１］を受け、「マルチキャスト用のストリーム２の送信を行っていないこと」を端末２２０２−３に通知する。また、「マルチキャスト用のストリーム２の送信ビームを基地局が追加して送信できるかの判定を行う。このとき図３１のようなフレーム状態であることを考慮し、「マルチキャスト用のストリーム２の送信ビームの送信に対応していること」を端末２２０２−３に通知する。なお、「マルチキャスト用のストリーム２の送信を行っていないことの通知」、および、「マルチキャスト用のストリーム２の送信ビームが送信可能であることの通知」は、図３１におけるユニキャスト送信区間２５０３に送信される。
【０３６１】
［３４−３］端末２２０３−３は、［３４−２］を受け、「マルチキャスト用のストリーム２の受信準備が完了したこと」を基地局に通知する。なお、「マルチキャスト用のストリーム２の受信準備が完了したこと」の通知は、図３１におけるユニキャスト送信区間２５０３に送信される。
【０３６２】
［３４−４］基地局は、［３４−３］を受け、マルチキャスト用のストリーム２の送信ビームを送信することを決定する。そこで、基地局は、端末２２０２−３に対し、ストリーム２のマルチキャスト送信を行うために、送信指向性制御用のトレーニングシンボル、受信指向性制御用のトレーニングシンボルを送信する。なお、これらのシンボルの送信とは別に、図３１のようにストリーム１−１の送信ビーム、ストリーム１−２の送信ビームを基地局は送信している。この点については、後で説明する。
【０３６３】
［３４−５］端末２２０２−３は、基地局が送信した送信指向性制御用のトレーニングシンボル、および、受信指向性制御用のトレーニングシンボルを受信し、基地局は送信指向性制御、端末２２０２−３が受信指向性制御を行うために、基地局に対し、フィードバック情報を送信する。
【０３６４】
［３４−６］基地局は、端末２２０２−３が送信したフィードバック情報に基づいて、送信指向性制御の方法（指向性制御を行うときに使用する重み付け係数の決定など）の決定を行い、ストリーム２のデータシンボルを送信する。
【０３６５】
［３４−７］端末２２０２−３は、受信指向性制御方法（指向性制御を行うときに使用する重み付け係数の決定など）の決定を行い、基地局が送信したストリーム２のデータシンボルの受信を開始する。
【０３６６】
なお、図３４の「基地局と端末の通信を行うための手順」は、一例であり、各情報の送信の順番は、図３４に限ったものではなく、各情報の送信の順番が入れ替わっても同様に実施することができる、また、図３４では、端末の受信指向性制御を行う場合を例に説明しているが、端末が受信指向性制御を行わないような場合であってもよい。このとき、図３４において、基地局は受信指向性制御用のトレーニングシンボルを送信しなくてもよく、また、端末は受信指向性制御方法の決定を行わない。
【０３６７】
また、基地局が送信指向性制御を行う際、基地局が図１の構成の場合、例えば、図２の乗算部２０４−１、２０４−２、２０４−３、２０４−４における乗算係数が設定される。
【０３６８】
そして、端末２２０２−１、２２０２−２、２２０２−３が受信指向性制御を行う際、端末が図４の構成の場合、例えば、図５の乗算部５０３−１、５０３−２、５０３−３、５０３−４における乗算係数が設定されることになり、また、端末の構成が図６の構成の場合、例えば、乗算部６０３−１、６０３−２、・・・、６０３−Ｌにおける乗算係数が設定される。
【０３６９】
図３５は、図３４における基地局と端末の通信が完了した後、基地局がストリーム１、ストリーム２のデータシンボルを送信する際の、基地局が送信するシンボルの例であり、横軸を時間とする。
【０３７０】
図３５において、図３１に示す「ストリーム１−１」、「ストリーム１−２」が存在しているので、「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）が存在し、また、「（マルチキャスト用）ストリーム１−２データシンボル（Ｎ）」３１０１−Ｎ、「（マルチキャスト用）ストリーム１−２データシンボル（Ｎ＋１）」３１０１−（Ｎ＋１）、「（マルチキャスト用）ストリーム１−２データシンボル（Ｎ＋２）」３１０１−（Ｎ＋２）が存在する。なお、Ｎ、Ｍは２以上の整数とする。
【０３７１】
そして、図３５に示すように、ユニキャスト送信区間２５０３−１、２５０３−２以外の区間において、「（マルチキャスト用）ストリーム２−１データシンボル（１）」３５０１−１、「（マルチキャスト用）ストリーム２−１データシンボル（２）」３５０１−２、「（マルチキャスト用）ストリーム２−１データシンボル（３）」３５０１−３が存在している。
【０３７２】
これまでの説明のように、このとき、以下のような特長をもつ。
【０３７３】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）、「（マルチキャスト用）ストリーム１−２データシンボル（Ｎ）」３１０１−Ｎ、「（マルチキャスト用）ストリーム１−２データシンボル（Ｎ＋１）」３１０１−（Ｎ＋１）、「（マルチキャスト用）ストリーム１−２データシンボル（Ｎ＋２）」３１０１−（Ｎ＋２）は、いずれも「ストリーム１」を伝送するためのデータシンボルである。
【０３７４】
・端末は、「ストリーム１−１のデータシンボル」を得ることで、「ストリーム１のデータ」を得る。また、端末は、「ストリーム１−２のデータシンボル」を得ることで、「ストリーム１のデータ」を得る。
【０３７５】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）の送信ビームの指向性と、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３の送信ビームの指向性は異なる。
【０３７６】
したがって、「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）の送信ビームを生成するために使用する基地局の送信装置の乗算係数（または重み付け係数）のセットと、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３の送信ビームを生成するために使用する基地局の送信装置の乗算係数（または重み付け係数）のセットは異なる。
【０３７７】
・「（マルチキャスト用）ストリーム２−１データシンボル（１）」３５０１−１、「（マルチキャスト用）ストリーム２−１データシンボル（２）」３５０１−２、「（マルチキャスト用）ストリーム２−１データシンボル（３）」３５０１−３は「ストリーム２」を伝送するためのデータシンボルである。
【０３７８】
・端末は、「ストリーム２−１のデータシンボル」を得ることで、「ストリーム２」のデータを得る。以上より、端末は、基地局が送信した複数のマルチキャストストリーム（ストリーム１とストリーム２）を受信できる。このとき、送受信で指向性制御を行っているため、マルチキャスト用のストリームが受信可能なエリアを広範にすることができるという効果を得る。また、ストリームの追加、送信ビームの追加は必要なときに限って行うため、データを伝送するための周波数、時間、空間の資源を有効に活用することができるという効果を得る。
【０３７９】
なお、以降で説明するような制御を行なってもよい。制御の詳細は以下のとおりである。
【０３８０】
図３２は、図３５と異なる「基地局が（ストリーム１の）データシンボルを送信する際の、基地局が送信するシンボルの例」であり、横軸を時間とする。なお、図３２において、図２５と図３１と同様に動作するものについては、同一番号を付している。
【０３８１】
図３２において、図３５と異なる点は、ユニキャスト送信区間２５０３−１、２５０３−２を時間的に長く設定しているため、基地局は、これ以上のマルチキャスト用のシンボル、例えば、新しいストリームのシンボルを追加して、送信しない点である。
【０３８２】
図３６は、図２９のように基地局が２つの端末（端末２２０２−１、２２０２−２）にマルチキャスト用の送信ビームを送信しているのに加え、新たな端末２２０２−３が基地局に対し、別のマルチキャスト用のストリーム（ストリーム２）の送信ビームの追加の要求を行う動作の例を示す。なお、基地局が送信する変調信号のフレームを、図３２に示す。
【０３８３】
［３６−１］端末２２０２−３は、基地局に対して、「ストリーム２のマルチキャスト送信の要求」を行う。なお、「ストリーム２のマルチキャスト送信の要求」は、図３２におけるユニキャスト送信区間に送信される。
【０３８４】
［３６−２］基地局は、［３６−１］を受け、「マルチキャスト用のストリーム２の送信を行っていないこと」を端末２２０２−３に通知する。なお、「マルチキャスト用のストリーム２の送信を行っていないこと」は、図３２におけるユニキャスト送信区間に送信される。また、基地局は、マルチキャスト用ストリーム２の送信ビームを送信することができるかの判定を行う。基地局は、図３２に示すフレームを考慮し、マルチキャスト用ストリーム２の送信ビームを送信しないと判定する。よって、基地局は、「マルチキャスト用ストリーム２の送信ビームを送信しないこと」を端末２２０２−３に通知する。なお、「マルチキャスト用ストリーム２の送信ビームを送信しないことの通知」は、図３２におけるユニキャスト送信区間に送信される。
【０３８５】
［３６−３］端末２２０２−３は、「マルチキャスト用ストリーム２の送信ビームを送信しないことの通知」を受信する。
【０３８６】
なお、図３６の「基地局と端末の通信の手順」は一例であり、各情報の送信の順番は、図３６に限ったものではなく、各送信の手順が入れ替わっても同様に実施することができる。このように、マルチキャスト送信のための通信資源が不足している場合、ストリームの追加、マルチキャスト送信ビームの追加を行わなくてもよい。
【０３８７】
なお、図３５などで示したユニキャスト送信区間２５０３−１、２５０３−２の設定方法について補足説明をする。
【０３８８】
例えば、図３５において、マルチキャスト用の送信ビームの数の最大値をあらかじめ決めておく、または、設定する。
【０３８９】
そして、各端末の要求を受け、基地局は、マルチキャスト用の送信ビームの数の最大値以下となる、マルチキャスト用の送信ビームを送信する。例えば、図３５の場合、マルチキャスト用の送信ビーム数は３である。そして、基地局は、マルチキャスト用の複数の送信ビームを送信するが、これらを送信した後の時間的な空き時間をユニキャスト送信区間と定める。
【０３９０】
以上のように、ユニキャスト送信区間を定めてもよい。
【０３９１】
（補足１）
補足１では、基地局が、複数の端末とユニキャスト通信、つまり、個別通信を行っている場合について説明する。
【０３９２】
このとき、例えば、図９のストリーム１の＃１シンボル群９０１−１、ストリーム１の＃２シンボル群９０１−２、および、ストリーム１の＃３シンボル群９０１−３が、ブロードキャストチャネル、つまり、基地局が複数の端末とデータ通信を行うために、基地局が複数の端末に対してブロードキャスト送信を行う制御情報であってもよい。なお、制御情報とは、例えば、基地局と端末がデータ通信を実現するために必要となる制御情報である。
【０３９３】
また、例えば、図９のストリーム１の＃１シンボル群９０１−１、ストリーム１の＃２シンボル群９０１−２、および、ストリーム１の＃３シンボル群９０１−３が、コモンサーチスペース（common search space）であってもよい。なお、コモンサーチスペースとは、セル制御を行うための制御情報である。そして、コモンサーチスペースは、複数の端末に対し、ブロードキャストされる制御情報である。
【０３９４】
同様に、例えば、図９のストリーム２の＃１シンボル群９０２−１、ストリーム２の＃２シンボル群９０２−２、および、ストリーム２の＃３シンボル群９０２−３が、ブロードキャストチャネル、つまり、基地局が複数の端末とデータ通信を行うために、基地局が複数の端末に対してブロードキャスト送信を行う制御情報であってもよい。
【０３９５】
また、例えば、図９のストリーム２の＃１シンボル群９０２−１、ストリーム２の＃２シンボル群９０２−２、および、ストリーム２の＃３シンボル群９０２−３が、コモンサーチスペースであってもよい。
【０３９６】
なお、図９のストリーム１の＃１シンボル群９０１−１、ストリーム１の＃２シンボル群９０１−２、および、ストリーム１の＃３シンボル群９０１−３、ストリーム２の＃１シンボル群９０２−１、ストリーム２の＃２シンボル群９０２−２、および、ストリーム２の＃３シンボル群９０２−３の特徴については、これまでに説明した実施の形態に記載したとおりである。
【０３９７】
例えば、図１４の変調信号１の＃１シンボル群１４０１−１、変調信号１の＃２シンボル群１４０１−２、および、変調信号１の＃３シンボル群１４０１−３が、ブロードキャストチャネル、つまり、基地局が複数の端末とデータ通信を行うために、基地局が複数の端末に対してブロードキャスト送信を行う制御情報であってもよい。
【０３９８】
また、例えば、図１４の変調信号１の＃１シンボル群１４０１−１、変調信号１の＃２シンボル群１４０１−２、および、変調信号１の＃３シンボル群１４０１−３が、コモンサーチスペースであってもよい。
【０３９９】
例えば、図１４の変調信号２の＃１シンボル群１４０２−１、変調信号２の＃２シンボル群１４０２−２、および、変調信号２の＃３シンボル群１４０２−３が、ブロードキャストチャネル、つまり、基地局が複数の端末とデータ通信を行うために、基地局が複数の端末に対してブロードキャスト送信を行う制御情報であってもよい。
【０４００】
また、例えば、図１４の変調信号２の＃１シンボル群１４０２−１、変調信号２の＃２シンボル群１４０２−２、および、変調信号２の＃３シンボル群１４０２−３が、コモンサーチスペースであってもよい。
【０４０１】
なお、図１４の変調信号１の＃１シンボル群１４０１−１、変調信号１の＃２シンボル群１４０１−２、および、変調信号１の＃３シンボル群１４０１−３は、これまでに説明した実施の形態に記載したとおりであり、図１４の変調信号２の＃１シンボル群１４０２−１、変調信号２の＃２シンボル群１４０２−２、および、変調信号２の＃３シンボル群１４０２−３は、これまでに説明した実施の形態に記載したとおりである。
【０４０２】
例えば、図２５のストリーム１−１データシンボル（１）２５０１−１−１、ストリーム１−１データシンボル（２）２５０１−１−２、および、ストリーム１−１データシンボル（３）２５０１−１−３は、ブロードキャストチャネル、つまり、基地局が複数の端末とデータ通信を行うために、基地局が複数の端末に対してブロードキャスト送信を行う制御情報であってもよい。
【０４０３】
また、図２５のストリーム１−１データシンボル（１）２５０１−１−１、ストリーム１−１データシンボル（２）２５０１−１−２、および、ストリーム１−１データシンボル（３）２５０１−１−３は、コモンサーチスペースであってもよい。
【０４０４】
なお、図２５のストリーム１−１データシンボル（１）２５０１−１−１、ストリーム１−１データシンボル（２）２５０１−１−２、および、ストリーム１−１データシンボル（３）２５０１−１−３は、これまでに説明した実施の形態に記載したとおりである。
【０４０５】
例えば、図３１、図３２のストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（１）３１０１−１、ストリーム１−２データシンボル（２）３１０１−２、及び、ストリーム１−２データシンボル（３）３１０１−３は、ブロードキャストチャネル、つまり、基地局が複数の端末とデータ通信を行うために、基地局が複数の端末に対してブロードキャスト送信を行う制御情報であってもよい。
【０４０６】
また、図３１、図３２のストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（１）３１０１−１、ストリーム１−２データシンボル（２）３１０１−２、及び、ストリーム１−２データシンボル（３）３１０１−３は、コモンサーチスペースであってもよい。
【０４０７】
なお、図３１、図３２のストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（１）３１０１−１、ストリーム１−２データシンボル（２）３１０１−２、及び、ストリーム１−２データシンボル（３）３１０１−３は、これまでに説明した実施の形態に記載したとおりである。
【０４０８】
例えば、図３５において、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（Ｎ）３１０１−Ｎ、ストリーム１−２データシンボル（Ｎ＋１）３１０１−（Ｎ＋１）、および、ストリーム１−２データシンボル（Ｎ＋２）３１０１−（Ｎ＋２）は、ブロードキャストチャネル、つまり、基地局が複数の端末とデータ通信を行うために、基地局が複数の端末に対してブロードキャスト送信を行う制御情報であってもよい。
【０４０９】
また、図３５において、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（Ｎ）３１０１−Ｎ、ストリーム１−２データシンボル（Ｎ＋１）３１０１−（Ｎ＋１）、および、ストリーム１−２データシンボル（Ｎ＋２）３１０１−（Ｎ＋２）は、コモンサーチスペースであってもよい。
【０４１０】
例えば、図３５のストリーム２−１データシンボル（１）３５０１−１、ストリーム２−１データシンボル（２）３５０１−２、および、ストリーム２−１データシンボル（３）３５０１−３は、ブロードキャストチャネル、つまり、基地局が複数の端末とデータ通信を行うために、基地局が複数の端末に対してブロードキャスト送信を行う制御情報であってもよい。
【０４１１】
また、図３５のストリーム２−１データシンボル（１）３５０１−１、ストリーム２−１データシンボル（２）３５０１−２、および、ストリーム２−１データシンボル（３）３５０１−３は、コモンサーチスペースであってもよい。
【０４１２】
なお、図３５において、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（Ｎ）３１０１−Ｎ、ストリーム１−２データシンボル（Ｎ＋１）３１０１−（Ｎ＋１）、および、ストリーム１−２データシンボル（Ｎ＋２）３１０１−（Ｎ＋２）は、これまでに説明した実施の形態に記載したとおりであり、図３５のストリーム２−１データシンボル（１）３５０１−１、ストリーム２−１データシンボル（２）３５０１−２、および、ストリーム２−１データシンボル（３）３５０１−３は、これまでに説明した実施の形態に記載したとおりである。
【０４１３】
図９、図１４、図２５、図３１、図３２、図３５において、各データシンボルを送信する際、シングルキャリアの伝送方法を用いてもよいし、ＯＦＤＭなどのマルチキャリアの伝送方式を用いてもよい。また、データシンボルの時間的な位置は、図９、図１４、図２５、図３１、図３２、図３５に限ったものではない。
【０４１４】
また、図２５、図３１、図３２、図３５において、横軸を時間として説明しているが、横軸を周波数（キャリア）としても、同様に実施することが可能である。なお、横軸を周波数（キャリア）としたとき、基地局は、各データシンボルを、１つ以上のキャリア、または、サブキャリアを用いて、送信する。
【０４１５】
（補足２）
補足２では、基地局が複数の端末とユニキャスト通信、つまり、個別通信を行っている場合について説明する。
【０４１６】
このとき、例えば、図９のストリーム１の＃１シンボル群９０１−１、ストリーム１の＃２シンボル群９０１−２、ストリーム１の＃３シンボル群９０１−３、ストリーム２の＃１シンボル群９０２−１、ストリーム２の＃２シンボル群９０２−２、および、ストリーム２の＃３シンボル群９０２−３は、基地局宛てのデータ又は通信を行っている複数端末のいずれかの端末宛のデータであってもよい。このとき、データの中には、制御情報が含まれていてもよい。
【０４１７】
なお、図９のストリーム１の＃１シンボル群９０１−１、ストリーム１の＃２シンボル群９０１−２、ストリーム１の＃３シンボル群９０１−３、ストリーム２の＃１シンボル群９０２−１、ストリーム２の＃２シンボル群９０２−２、および、ストリーム２の＃３シンボル群９０２−３は、これまでに説明した実施の形態に記載したとおりである。
【０４１８】
例えば、図１４の変調信号１の＃１シンボル群１４０１−１、変調信号１の＃２シンボル群１４０１−２、変調信号１の＃３シンボル群１４０１−３、変調信号２の＃１シンボル群１４０１−３、変調信号２の＃２シンボル群１４０２−２、および、変調信号２の＃３シンボル群１４０２−３は、基地局宛てのデータ又は通信を行っている複数端末のいずれかの端末宛のデータであってもよい。このとき、データの中には、制御情報が含まれていてもよい。
【０４１９】
なお、図１４の変調信号１の＃１シンボル群１４０１−１、変調信号１の＃２シンボル群１４０１−２、変調信号１の＃３シンボル群１４０１−３、変調信号２の＃１シンボル群１４０１−３、変調信号２の＃２シンボル群１４０２−２、および、変調信号２の＃３シンボル群１４０２−３は、これまでに説明した実施の形態に記載したとおりである。
【０４２０】
例えば、図２５のストリーム１−１データシンボル（１）２５０１−１−１、ストリーム１−１データシンボル（２）２５０１−１−２、および、ストリーム１−１データシンボル（３）２５０１−１−３は、基地局宛てのデータ又は通信を行っている複数端末のいずれかの端末宛のデータであってもよい。このとき、データの中には、制御情報が含まれていてもよい。
【０４２１】
なお、図２５のストリーム１−１データシンボル（１）２５０１−１−１、ストリーム１−１データシンボル（２）２５０１−１−２、および、ストリーム１−１データシンボル（３）２５０１−１−３は、これまでに説明した実施の形態に記載したとおりである。
【０４２２】
例えば、図３１、図３２のストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（１）３１０１−１、ストリーム１−２データシンボル（２）３１０１−２、ストリーム１−２データシンボル（３）３１０１−３は、基地局宛てのデータ又は通信を行っている複数端末のいずれかの端末宛のデータであってもよい。このとき、データの中には、制御情報が含まれていてもよい。
【０４２３】
なお、図３１、図３２のストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（１）３１０１−１、ストリーム１−２データシンボル（２）３１０１−２、ストリーム１−２データシンボル（３）３１０１−３は、これまでに説明した実施の形態に記載したとおりである。
【０４２４】
例えば、図３５において、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）は、基地局宛てのデータ又は通信を行っている複数端末のいずれかの端末宛のデータであってもよい。このとき、データの中には、制御情報が含まれていてもよい。
【０４２５】
例えば、図３５のストリーム２−１データシンボル（１）３５０１−１、ストリーム２−１データシンボル（２）３５０１−２、および、ストリーム２−１データシンボル（３）３５０１−３は、基地局宛てのデータ又は通信を行っている複数端末のいずれかの端末宛のデータであってもよい。このとき、データの中には、制御情報が含まれていてもよい。
【０４２６】
なお、図３５において、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）、ストリーム２−１データシンボル（１）３５０１−１、ストリーム２−１データシンボル（２）３５０１−２、および、ストリーム２−１データシンボル（３）３５０１−３は、これまでに説明した実施の形態に記載したとおりである。
【０４２７】
図９、図１４、図２５、図３１、図３２、図３５において、各データシンボルを送信する際、シングルキャリアの伝送方法を用いてもよいし、ＯＦＤＭなどのマルチキャリアの伝送方式を用いてもよい。また、データシンボルの時間的な位置は、図９、図１４、図２５、図３１、図３２、図３５に限ったものではない。
【０４２８】
また、図２５、図３１、図３２、図３５において、横軸を時間として説明しているが、横軸を周波数（キャリア）としても、同様に実施することが可能である。なお、横軸を周波数（キャリア）としたとき、基地局は、各データシンボルを、１つ以上のキャリア、または、サブキャリアを用いて、送信する。
【０４２９】
（補足３）
基地局が、図９のフレーム構成のように、ストリーム１の＃１シンボル群９０１−１、ストリーム１の＃２シンボル群９０１−２、ストリーム１の＃３シンボル群９０１−３、ストリーム２の＃１シンボル群９０２−１、ストリーム２の＃２シンボル群９０２−２、及び、ストリーム２の＃３シンボル群９０２−３を送信している時間帯に、「ストリーム１の＃１シンボル群９０１−１の送信ビーム、ストリーム１の＃２シンボル群９０１−２の送信ビーム、ストリーム１の＃３シンボル群９０１−３の送信ビーム、ストリーム２の＃１シンボル群９０２−１の送信ビーム、ストリーム２の＃２シンボル群９０２−２の送信ビーム、ストリーム２の＃３シンボル群９０２−３の送信ビーム」とは別の送信ビームを用いて、別のシンボル群を、基地局は送信してもよい。
【０４３０】
また、図３の基地局が、「信号処理部１０２の信号処理、および、重み付け合成部３０１による信号処理」、または、「信号処理部１０２の信号処理、または、重み付け合成部３０１による信号処理」によって、上記の「別のシンボル群」のための送信ビームを生成してもよい。
【０４３１】
また、基地局が、図１４のフレーム構成のように、変調信号１の＃１シンボル群１４０１−１、変調信号１の＃２シンボル群１４０１−２、変調信号１の＃３シンボル群１４０１−３、変調信号２の＃１シンボル群１４０２−１、変調信号２の＃２シンボル群１４０２−２、変調信号２の＃３シンボル群１４０２−３を送信している時間帯に「変調信号１の＃１シンボル群１４０１−１の送信ビーム、変調信号１の＃２シンボル群１４０１−２の送信ビーム、変調信号１の＃３シンボル群１４０１−３の送信ビーム、変調信号２の＃１シンボル群１４０２−１の送信ビーム、変調信号２の＃２シンボル群１４０２−２の送信ビーム、変調信号２の＃３シンボル群１４０２−３の送信ビーム」とは別の送信ビームを用いて、別のシンボル群を、基地局は送信してもよい。
【０４３２】
このとき、「別のシンボル群」は、ある端末宛のデータシンボルを含むシンボル群であってもよいし、本開示の他の部分で説明したような、制御情報シンボル群を含むシンボル群であってもよいし、他のマルチキャスト用のデータシンボルを含むシンボル群であってもよい。
【０４３３】
また、図３の基地局が、「信号処理部１０２の信号処理、および、重み付け合成部３０１による信号処理」、または、「信号処理部１０２の信号処理、または、重み付け合成部３０１による信号処理」によって、上記の「別のシンボル群」のための送信ビームを生成してもよい。
【０４３４】
（補足４）
基地局が、図２５のフレーム構成のように、ストリーム１−１データシンボル（１）２５０１−１−１、ストリーム１−１データシンボル（２）２５０１−１−２、ストリーム１−１データシンボル（３）２５０１−１−３を送信している時間帯に、「ストリーム１−１データシンボル（１）２５０１−１−１、ストリーム１−１データシンボル（２）２５０１−１−２、ストリーム１−１データシンボル（３）２５０１−１−３を送信する送信ビーム」とは別の送信ビームを用いて、別のシンボル群を、基地局は送信してもよい。
【０４３５】
なお、図２５において、横軸が周波数であった場合でも同様であり、基地局が、ストリーム１−１データシンボル（１）２５０１−１−１、ストリーム１−１データシンボル（２）２５０１−１−２、ストリーム１−１データシンボル（３）２５０１−１−３を送信している時間帯に、「ストリーム１−１データシンボル（１）２５０１−１−１、ストリーム１−１データシンボル（２）２５０１−１−２、ストリーム１−１データシンボル（３）２５０１−１−３を送信する送信ビーム」とは別の送信ビームを用いて、別のシンボル群を、基地局は送信してもよい。
【０４３６】
また、基地局が、図３１、図３２のフレーム構成のように、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）を送信している時間帯に、「ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）を送信する送信ビーム」とは別の送信ビームを用いて、別のシンボル群を基地局は送信してもよい。
【０４３７】
なお、図３１、図３２において、横軸が周波数であった場合でも同様であり、基地局が、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）を送信している時間帯に、「ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）を送信する送信ビーム」とは別の送信ビームを用いて、別のシンボル群を基地局は送信してもよい。
【０４３８】
そして、基地局が、図３１、図３２のフレーム構成のように、ストリーム１―２データシンボル（１）３１０１−１、ストリーム１−２データシンボル（２）３１０１−２、ストリーム１−２データシンボル（３）３１０１−３を送信している時間帯に、「ストリーム１―２データシンボル（１）３１０１−１、ストリーム１−２データシンボル（２）３１０１−２、ストリーム１−２データシンボル（３）３１０１−３を送信する送信ビーム」とは別の送信ビームを用いて、別のシンボル群を基地局は送信してもよい。
【０４３９】
なお、図３１、図３２において、横軸が周波数であった場合でも同様であり、基地局が、ストリーム１―２データシンボル（１）３１０１−１、ストリーム１−２データシンボル（２）３１０１−２、ストリーム１−２データシンボル（３）３１０１−３を送信している時間帯に、「ストリーム１―２データシンボル（１）３１０１−１、ストリーム１−２データシンボル（２）３１０１−２、ストリーム１−２データシンボル（３）３１０１−３を送信する送信ビーム」とは別の送信ビームを用いて、別のシンボル群を基地局は送信してもよい。
【０４４０】
基地局が、図３５のフレーム構成のように、ストリーム１−１データシンボル（Ｍ）２５０１−１−Ｍ、ストリーム１−１データシンボル（Ｍ＋１）２５０１−（Ｍ＋１）、ストリーム１−１データシンボル（Ｍ＋２）２５０１−（Ｍ＋２）を送信している時間帯に、「ストリーム１−１データシンボル（Ｍ）２５０１−１−Ｍ、ストリーム１−１データシンボル（Ｍ＋１）２５０１−（Ｍ＋１）、ストリーム１−１データシンボル（Ｍ＋２）２５０１−（Ｍ＋２）を送信する送信ビーム」とは別の送信ビームを用いて、別のシンボル群を基地局は送信してもよい。
【０４４１】
なお、図３５において、横軸が周波数であった場合でも同様であり、基地局が、ストリーム１−１データシンボル（Ｍ）２５０１−１−Ｍ、ストリーム１−１データシンボル（Ｍ＋１）２５０１−（Ｍ＋１）、ストリーム１−１データシンボル（Ｍ＋２）２５０１−（Ｍ＋２）を送信している時間帯に、「ストリーム１−１データシンボル（Ｍ）２５０１−１−Ｍ、ストリーム１−１データシンボル（Ｍ＋１）２５０１−（Ｍ＋１）、ストリーム１−１データシンボル（Ｍ＋２）２５０１−（Ｍ＋２）を送信する送信ビーム」とは別の送信ビームを用いて、別のシンボル群を基地局は送信してもよい。
【０４４２】
また、基地局が、図３５のフレーム構成のように、ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）を送信している時間帯に、「ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）を送信する送信ビーム」とは別の送信ビームを用いて、別のシンボル群を基地局は送信してもよい。
【０４４３】
なお、図３５において、横軸が周波数であった場合でも同様であり、基地局が、ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）を送信している時間帯に、「ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）を送信する送信ビーム」とは別の送信ビームを用いて、別のシンボル群を基地局は送信してもよい。
【０４４４】
そして、基地局が、図３５のフレーム構成のように、ストリーム２−１データシンボル（１）３５０１−１、ストリーム２−１データシンボル（２）３５０１−２、ストリーム２−１データシンボル（３）３５０１−３を送信している時間帯に、「ストリーム２−１データシンボル（１）３５０１−１、ストリーム２−１データシンボル（２）３５０１−２、ストリーム２−１データシンボル（３）３５０１−３を送信する送信ビーム」とは別の送信ビームを用いて、別のシンボル群を基地局は送信してもよい。
【０４４５】
なお、図３５において、横軸が周波数であった場合でも同様であり、基地局が、ストリーム２−１データシンボル（１）３５０１−１、ストリーム２−１データシンボル（２）３５０１−２、ストリーム２−１データシンボル（３）３５０１−３を送信している時間帯に、「ストリーム２−１データシンボル（１）３５０１−１、ストリーム２−１データシンボル（２）３５０１−２、ストリーム２−１データシンボル（３）３５０１−３を送信する送信ビーム」とは別の送信ビームを用いて、別のシンボル群を基地局は送信してもよい。
【０４４６】
上記において、「別のシンボル群」とは、ある端末宛のデータシンボルを含むシンボル群であってもよいし、本明細書の他の部分で説明したような、制御情報シンボルを含むシンボル群であってもよいし、他のマルチキャスト用のデータシンボルを含むシンボル群であってもよい。
【０４４７】
このとき、図１の基地局が、信号処理部１０２の信号処理によって、上記の「別のシンボル群」のための送信ビームを生成してもよいし、図１の基地局が、アンテナ部１０６−１からアンテナ部１０６−Ｍまでのアンテナを選択することで、上記の「別のシンボル群」のための送信ビームを生成してもよい。
【０４４８】
また、図３の基地局が、「信号処理部１０２の信号処理、および、重み付け合成部３０１による信号処理」、または、「信号処理部１０２の信号処理、または、重み付け合成部３０１による信号処理」によって、上記の「別のシンボル群」のための送信ビームを生成してもよい。
【０４４９】
そして、図２５、図３１、図３２、図に記載されているようなユニキャスト送信区間２５０３−１、２５０３−２を設定しなくてもよい。
【０４５０】
（補足５）
図３１、図３２に関する説明で以下のような記載を行っている。
【０４５１】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３は、いずれも「ストリーム１」を伝送するためのデータシンボルである。
【０４５２】
・端末は、「ストリーム１−１のデータシンボル」を得ることで、「ストリーム１のデータ」を得ることができる。また、端末は、「ストリーム１−２のデータシンボル」を得ることで、「ストリーム１のデータ」を得ることができる。
【０４５３】
また、図３５に関する説明で以下のような記載を行っている。
【０４５４】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）、「（マルチキャスト用）ストリーム１−２データシンボル（Ｎ）」３１０１−Ｎ、「（マルチキャスト用）ストリーム１−２データシンボル（Ｎ＋１）」３１０１−（Ｎ＋１）、「（マルチキャスト用）ストリーム１−２データシンボル（Ｎ＋２）」３１０１−（Ｎ＋２）は、いずれも「ストリーム１」を伝送するためのデータシンボルである。
【０４５５】
・端末は、「ストリーム１−１のデータシンボル」を得ることで、「ストリーム１のデータ」を得ることができる。また、端末は、「ストリーム１−２のデータシンボル」を得ることで、「ストリーム１のデータ」を得ることができる。
【０４５６】
以下では、上述について補足説明を行う。例えば、図３５において、以下の、＜方法１−１＞、または、＜方法１−２＞、または、＜方法２−１＞、または、＜方法２−２＞により、上述を実現するにことができる。
【０４５７】
＜方法１−１＞
・ストリーム１−１データシンボル（Ｍ）２５０１−１−Ｍとストリーム１−２データシンボル（Ｎ）３１０１−Ｎが同じデータを含んでいる。
【０４５８】
そして、ストリーム１−１データシンボル（Ｍ＋１）２５０１−１−（Ｍ＋１）とストリーム１−２データシンボル（Ｎ＋１）３１０１−（Ｎ＋１）が同じデータを含んでいる。
【０４５９】
ストリーム１−１データシンボル（Ｍ＋２）２５０１−１−（Ｍ＋２）とストリーム１−２データシンボル（Ｎ＋２）３１０１−（Ｎ＋２）が同じデータを含んでいる。
【０４６０】
＜方法１−２＞
・ストリーム１−１データシンボル（Ｋ）２５０１−１−Ｋが含むデータと同じデータが含まれているストリーム１−２データシンボル（Ｌ）３１０１−Ｌが存在する。なお、Ｋ、Ｌは整数である。
【０４６１】
＜方法２−１＞
・ストリーム１−１データシンボル（Ｍ）２５０１−１−Ｍとストリーム１−２データシンボル（Ｎ）３１０１−Ｎが一部同じデータを含んでいる。
【０４６２】
そして、ストリーム１−１データシンボル（Ｍ＋１）２５０１−１−（Ｍ＋１）とストリーム１−２データシンボル（Ｎ＋１）３１０１−（Ｎ＋１）が一部同じデータを含んでいる。
【０４６３】
ストリーム１−１データシンボル（Ｍ＋２）２５０１−１−（Ｍ＋２）とストリーム１−２データシンボル（Ｎ＋２）３１０１−（Ｎ＋２）が一部同じデータを含んでいる。
【０４６４】
＜方法２−２＞
・ストリーム１−１データシンボル（Ｋ）２５０１−１−Ｋが含むデータの一部を含んでいるストリーム１−２データシンボル（Ｌ）３１０１−Ｌが存在する。なお、Ｋ、Ｌは整数である。
【０４６５】
すなわち、第１の基地局または第１の送信システムは、第１のストリームのデータを含む第１のパケット群と、第１のストリームのデータを含む第２のパケット群とを生成し、第１のパケット群に含まれるパケットを第１の送信ビームを用いて第１の期間に送信し、第２のパケット群に含まれるパケットを第１の送信ビームとは異なる第２の送信ビームを用いて第２の期間に送信し、第１の期間と第２の期間は互いに重複していない。
【０４６６】
ここで、第２のパケット群は、第１のパケット群に含まれる第１のパケットが含むデータと同一のデータを含む第２のパケットを含んでいてもよい。また、上記とは別の構成として、第２のパケット群は、第１のパケット群に含まれる第１のパケットが含むデータの一部と同一のデータを含む第３のパケットを含んでいてもよい。
【０４６７】
また、第１の送信ビームと第２の送信ビームは、同一のアンテナ部を用いて送信される互いに異なる指向性を有する送信ビームであってもよいし、互いに異なるアンテナ部を用いて送信される送信ビームであってもよい。
【０４６８】
また、第２の基地局または第２の送信システムは、第１の基地局または第１の送信システムの構成に加えて、第１のストリームのデータを含む第３のパケット群をさらに生成し、第３のパケット群に含まれるパケットを第１の送信ビーム及び第２の送信ビームとは異なる第３の送信ビームを用いて第３の期間に送信し、第３の期間は第１の期間および第２の期間と重複していない。
【０４６９】
ここで、第２の基地局または第２の送信システムは、第１の期間、第２の期間及び第３の期間を所定の順序で繰り返し設定してもよい。
【０４７０】
また、第３の基地局または第３の送信システムは、第１の基地局または第１の送信システムの構成に加えて、第１のストリームのデータを含む第３のパケット群をさらに生成し、第３のパケット群に含まれるパケットを第１の送信ビーム及び第２の送信ビームとは異なる第３の送信ビームを用いて第３の期間に送信し、第３の期間の少なくとも一部は第１の期間と重複している。
【０４７１】
ここで、第３の基地局または第３の送信システムは、第１の期間、第２の期間及び第３の期間を繰り返し設定してもよく、繰り返し設定される第３の期間のいずれの第３の期間もその少なくとも一部が第１の期間と重複していてもよいし、繰り返し設定される第３の期間のうち少なくともいずれか一つの第３の期間も第１の期間と重複していなくてもよい。
【０４７２】
また、第４の基地局または第４の送信システムは、第１の基地局または第１の送信システムの構成に加えて、第２のストリームのデータを含む第４のパケットをさらに生成し、第４のパケットを第１の送信ビームとは異なる第４の送信ビームを用いて第４の期間に送信し、第４の期間の少なくとも一部は第１の期間と重複している。
【０４７３】
なお、上記の説明では、第１の期間と第２の期間は互いに重複していないと説明したが、第１の期間と第２の期間は一部が互いに重複していてもよいし、第１の期間の全部が第２の期間と重複していてもよいし、第１の期間の全部が第２の期間の全部と互いに重複していてもよい。
【０４７４】
また、第５の基地局または第５の送信システムは、第１のストリームのデータを含むパケット群を一つまたは複数生成し、パケット群毎に互いに異なる送信ビームを用いて送信し、端末から送信される信号に基づいて生成するパケット群の数を増加、または減少させるとしてもよい。
【０４７５】
なお、上述において、「ストリーム」と記載しているが、本明細書の他の箇所で記載しているように、図３１、図３２の「ストリーム１−１データシンボル（Ｍ）２５０１−１−Ｍ、および、ストリーム１−１データシンボル（Ｍ＋１）２５０１−１−（Ｍ＋１）、および、ストリーム１−１データシンボル（Ｍ＋２）２５０１−１−（Ｍ＋２）、および、ストリーム１−２データシンボル（１）３１０１−１、および、ストリーム１−２データシンボル（２）３１０１−２、ストリーム１−２データシンボル（３）３１０１−３」、および、図３５の「ストリーム１−１データシンボル（Ｍ）２５０１−１−Ｍ、および、ストリーム１−１データシンボル（Ｍ＋１）２５０１−１−（Ｍ＋１）、ストリーム１−１データシンボル（Ｍ＋２）２５０１−１−（Ｍ＋２）、および、ストリーム１−２データシンボル（Ｎ）３１０１−Ｎ、および、ストリーム１−２データシンボル（Ｎ＋１）３１０１−（Ｎ＋１）、および、ストリーム１−２データシンボル（Ｎ＋２）３１０１−（Ｎ＋２）」は、ある端末宛のデータシンボルを含むシンボルであってもよいし、制御情報シンボルを含むシンボルであってもよいし、マルチキャスト用のデータシンボルを含むシンボルであってもよい。
【０４７６】
（実施の形態４）
本実施の形態では、実施の形態１から実施の形態３で説明した通信システムの具体的な例について説明する。
【０４７７】
本実施の形態における通信システムは、（複数の）基地局と複数の端末で構成されているものとする。例えば、図７、図１２、図１７、図１９、図２０、図２６、図２９などにおける基地局７００と端末７０４−１、７０４−２などにより構成された通信システムを考える。
【０４７８】
図３７は、基地局（７００）の構成の一例を示している。
【０４７９】
論理チャネル生成部３７０３は、データ３７０１および制御データ３７０２を入力とし、論理チャネル信号３７０４を出力する。論理チャネル信号３７０４は、例えば、制御用の論理チャネルである「ＢＣＣＨ（Broadcast Control Channel）、ＰＣＣＨ（Paging Control Channel）、ＣＣＣＨ（Common Control Channel）、ＭＣＣＨ（Multicast Control Channel）、ＤＣＣＨ（Dedicated Control Channel）」、データ用の論理チャネルである「ＤＴＣＨ（Dedicated Traffic Channel）、ＭＴＣＨ（Multicast Traffic Channel）」などで構成されているものとする。
【０４８０】
なお、「ＢＣＣＨは、下りリンク、システム制御情報の報知用チャネル」であり、「ＰＣＣＨは、下りリンク、ページング情報用チャネル」であり、「ＣＣＣＨは、下りリンク、ＲＲＣ（Radio Resource Control）接続が存在しないときに使用する共通制御チャネル」であり、「ＭＣＣＨは、下りリンク、１対多のＭＢＭＳ（Multimedia Broadcast Multicast Service）のためのマルチキャスト・チャネルスケジューリング、制御用チャネル」であり、「ＤＣＣＨは、下りリンク、ＲＲＣ接続をもつ端末に使用される専用制御チャネル」であり、「ＤＴＣＨは、下りリンク、１台の端末ＵＥ（User Equipment）への専用トラフィック・チャネル、ユーザ・データ専用チャネル」であり、「ＭＴＣＨは、下りリンク、１対多のＭＢＭＳユーザ・データ用チャネル」である。
【０４８１】
トランスポートチャネル生成部３７０５は、論理チャネル信号３７０４を入力とし、トランスポートチャネル信号３７０６を生成し、出力する。トランスポートチャネル信号３７０６は、例えば、ＢＣＨ（Broadcast Channel）、ＤＬ−ＳＣＨ（Downlink Shared Channel）、ＰＣＨ（Paging Channel）、ＭＣＨ（Multicast Channel）などで構成されているものとする。
【０４８２】
なお、「ＢＣＨは、セル全域にわたって報知されるシステム情報用チャネル」であり、「ＤＬ−ＳＣＨは、ユーザ・データ、制御情報とシステム情報を用いるチャネル」であり、「ＰＣＨは、セル全域にわたって放置されるページング情報用チャネル」であり、「ＭＣＨは、セル全域にわたって報知されるＭＢＭＳトラフィックならびに制御用チャネル」である。
【０４８３】
物理チャネル生成部３７０７は、トランスポートチャネル信号３７０６を入力とし、物理チャネル信号３７０８を生成し、出力する。物理チャネル信号３７０８は、例えば、ＰＢＣＨ（Physical; Broadcast Channel）、ＰＭＣＨ（Physical Multicast Channel）、ＰＤＳＣＨ（Physical Downlink Shared Channel）、ＰＤＣＣＨ（Physical Downlink Control Channel）などで構成されているものとする。
【０４８４】
なお、「ＰＢＣＨは、ＢＣＨトランスポート・チャネルの伝送用」であり、「ＰＭＣＨは、ＭＣＨトランスポート・チャネル伝送用」であり、「ＰＤＳＣＨは、ＤＬ−ＳＣＨならびにトランスポート・チャネルの伝送用」であり、「ＰＤＣＣＨは下りリンクＬ１（Layer 1）／Ｌ２（Layer 2）制御信号の伝送用」である。
【０４８５】
変調信号生成部３７０９は、物理チャネル信号３７０８を入力とし、物理チャネル信号３７０８に基づいた変調信号３７１０を生成し、出力する。そして、基地局７００は、変調信号３７１０を、電波として送信することになる。
【０４８６】
まず、基地局が、複数の端末とユニキャスト通信、つまり、個別通信を行っている場合を考える。
【０４８７】
このとき、例えば、図９の９０１−１のストリーム１のシンボル群＃１、および、９０１−２のストリーム１のシンボル群＃２、および、９０１−３のストリーム１のシンボル群＃３が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０４８８】
ここで、ブロードキャストチャネルについて説明する。ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０４８９】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０４９０】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０４９１】
同様に、例えば、図９の９０２−１のストリーム２のシンボル群＃１、および、９０２−２のストリーム２のシンボル群＃２、および、９０２−３のストリーム２のシンボル群＃３が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０４９２】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０４９３】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０４９４】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０４９５】
このとき、図９の９０１−１のストリーム１のシンボル群＃１、および、９０１−２のストリーム１のシンボル群＃２、および、９０１−３のストリーム１のシンボル群＃３の特徴については、これまでに説明した実施の形態に記載したとおりであり、また、図９の９０２−１のストリーム２のシンボル群＃１、および、９０２−２のストリーム２のシンボル群＃２、および、９０２−３のストリーム２のシンボル群＃３の特徴については、これまでに説明した実施の形態に記載したとおりである。
【０４９６】
なお、図９のストリーム２のシンボル群＃１（９０２−１）、ストリーム２のシンボル群＃２（９０２−２）、ストリーム２のシンボル群＃３（９０２−３）など、ストリーム２を送信しない場合があってもよい。特に、ブロードキャストチャネルの信号を送信する場合、ストリーム２のシンボル群を、基地局が送信しないとしてもよい（このとき、例えば、図７では、７０３−１、７０３−２、７０３−３を基地局７０１が送信していないことになる。）。
【０４９７】
例えば、図１４の１４０１−１の変調信号１のシンボル群＃１、および、１４０１−２の変調信号１のシンボル群＃２、および、１４０１−３の変調信号１のシンボル群＃３が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０４９８】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０４９９】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５００】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５０１】
例えば、図１４の１４０２−１の変調信号２のシンボル群＃１、および、１４０２−２の変調信号２のシンボル群＃２、および、１４０２−３の変調信号２のシンボル群＃３が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５０２】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５０３】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５０４】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５０５】
なお、図１４の１４０１−１の変調信号１のシンボル群＃１、および、１４０１−２の変調信号１のシンボル群＃２、および、１４０１−３の変調信号１のシンボル群＃３の特徴については、これまでに説明した実施の形態に記載したとおりであり、図１４の１４０２−１の変調信号２のシンボル群＃１、および、１４０２−２の変調信号２のシンボル群＃２、および、１４０２−３の変調信号２のシンボル群＃３の特徴については、これまでに説明した実施の形態に記載したとおりである。
【０５０６】
例えば、図２５の２５０１−１−１のストリーム１−１データシンボル（１）、および、２５０１−１−２のストリーム１−１データシンボル（２）、および、２５０１−１−３のストリーム１−１データシンボル（３）が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５０７】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５０８】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５０９】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５１０】
なお、図２５の２５０１−１−１のストリーム１−１データシンボル（１）、および、２５０１−１−２のストリーム１−１データシンボル（２）、および、２５０１−１−３のストリーム１−１データシンボル（３）の特徴については、これまでに説明した実施の形態に記載したとおりである。
【０５１１】
例えば、図３１、図３２の２５０１−１−Ｍのストリーム１−１データシンボル（Ｍ）、および、２５０１−１−（Ｍ＋１）のストリーム１−１データシンボル（Ｍ＋１）、および、２５０１−１−（Ｍ＋２）のストリーム１−１データシンボル（Ｍ＋２）、および、３１０１−１のストリーム１−２データシンボル（１）、および、３１０１−２のストリーム１−２データシンボル（２）、３１０１−３のストリーム１−２データシンボル（３）が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５１２】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５１３】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５１４】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５１５】
なお、図３１、図３２の２５０１−１−Ｍのストリーム１−１データシンボル（Ｍ）、および、２５０１−１−（Ｍ＋１）のストリーム１−１データシンボル（Ｍ＋１）、および、２５０１−１−（Ｍ＋２）のストリーム１−１データシンボル（Ｍ＋２）、および、３１０１−１のストリーム１−２データシンボル（１）、および、３１０１−２のストリーム１−２データシンボル（２）、３１０１−３のストリーム１−２データシンボル（３）の特徴については、これまでに説明した実施の形態に記載したとおりである。
【０５１６】
例えば、図３５において、２５０１−１−Ｍのストリーム１−１データシンボル（Ｍ）、および、２５０１−１−（Ｍ＋１）のストリーム１−１データシンボル（Ｍ＋１）、２５０１−１−（Ｍ＋２）のストリーム１−１データシンボル（Ｍ＋２）、および、３１０１−Ｎのストリーム１−２データシンボル（Ｎ）、および、３１０１−（Ｎ＋１）のストリーム１−２データシンボル（Ｎ＋１）、および、３１０１−（Ｎ＋２）のストリーム１−２データシンボル（Ｎ＋２）が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５１７】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５１８】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５１９】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５２０】
例えば、図３５の３５０１−１のストリーム２−１データシンボル（１）、および、３５０１−２のストリーム２−１データシンボル（２）、および、３５０１−３のストリーム２−１データシンボル（３）が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５２１】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５２２】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５２３】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５２４】
なお、図３５において、２５０１−１−Ｍのストリーム１−１データシンボル（Ｍ）、および、２５０１−１−（Ｍ＋１）のストリーム１−１データシンボル（Ｍ＋１）、２５０１−１−（Ｍ＋２）のストリーム１−１データシンボル（Ｍ＋２）、および、３１０１−Ｎのストリーム１−２データシンボル（Ｎ）、および、３１０１−（Ｎ＋１）のストリーム１−２データシンボル（Ｎ＋１）、および、３１０１−（Ｎ＋２）のストリーム１−２データシンボル（Ｎ＋２）の特徴については、これまでに説明した実施の形態に記載したとおりであり、図３５の３５０１−１のストリーム２−１データシンボル（１）、および、３５０１−２のストリーム２−１データシンボル（２）、および、３５０１−３のストリーム２−１データシンボル（３）の特徴については、これまでに説明した実施の形態に記載したとおりである。
【０５２５】
図９、図１４、図２５、図３１、図３２、図３５において、各データシンボルを送信する際、シングルキャリアの伝送方法を用いてもよいし、ＯＦＤＭなどのマルチキャリアの伝送方式を用いてもよい。また、データシンボルの時間的な位置は、図９、図１４、図２５、図３１、図３２、図３５に限ったものではない。
【０５２６】
また、図２５、図３１、図３２、図３５において、横軸を時間として説明しているが、横軸を周波数（キャリア）としても、同様に実施することが可能である。なお、横軸を周波数（キャリア）としたとき、基地局は、各データシンボルを、１つ以上のキャリア、または、サブキャリアを用いて、送信することになる。
【０５２７】
なお、図９のストリーム１のシンボル群において、端末個別に送信するデータ（ユニキャスト用のデータ）（または、シンボル）が含まれることがあってもよい。同様に、図９のストリーム２のシンボル群において、端末個別に送信するデータ（ユニキャスト用のデータ）（または、シンボル）が含まれることがあってもよい。
【０５２８】
図１４のストリーム１のシンボル群において、端末個別に送信するデータ（ユニキャスト用のデータ）（または、シンボル）が含まれることがあってもよい。同様に、図１４のストリーム２のシンボル群において、端末個別に送信するデータ（ユニキャスト用のデータ）（または、シンボル）が含まれることがあってもよい。
【０５２９】
また、図２５のストリーム１−１のシンボルに、端末個別に送信するデータ（ユニキャスト用のデータ）（または、シンボル）が含まれることがあってもよい。図３１、図３２のストリーム１−１のシンボル、ストリーム１−２のシンボルに、端末個別に送信するデータ（ユニキャスト用のデータ）（または、シンボル）が含まれることがあってもよい。
【０５３０】
そして、ＰＢＣＨは、例えば、「ＵＥがセルサーチ後の最初に読むべき最低限の情報（システム帯域幅、システムフレーム番号、送信アンテナ数など）を送信するために使用される」という構成としてもよい。
【０５３１】
ＰＭＣＨは、例えば、「ＭＢＳＦＮ（Multicast-broadcast single-frequency network）の運用に使用される」という構成としてもよい。
【０５３２】
ＰＤＳＣＨは、例えば、「下りリンクのユーザデータを送信するための共有データチャネルであり、C（control）-plane/U（User）-planeに関係なくすべてのデータを集約して送信される」という構成としてもよい。
【０５３３】
ＰＤＣＣＨは、例えば、「eNodeB（gNodeB）（基地局）がスケジューリングにより選択したユーザに対して、無線リソースの割り当て情報を通知するために使用される」という構成としてもよい。
【０５３４】
以上のように実施することで、マルチキャスト・ブロードキャストデータ伝送において、基地局が、データシンボル、制御情報シンボルを複数の送信ビームを用いて送信し、端末は、複数の送信ビームから、品質のよいビームを選択的に受信し、これに基づき、端末は、データシンボルの受信を行うことで、端末は高いデータの受信品質を得ることができるという効果を得ることができる。
【０５３５】
（実施の形態５）
本実施の形態では、基地局（７００）が送信する図９のストリーム１のシンボル群とストリーム２のシンボル群の構成について補足説明を行う。
【０５３６】
図３８は、基地局（７００）が送信するストリーム１のフレーム構成の一例を示しており、図３８におけるフレーム構成において、横軸は時間であり、縦軸は周波数であり、時刻１から時刻１０、キャリア１からキャリア４０までのフレーム構成を示している。したがって、図３８は、ＯＦＤＭ（Orthogonal Frequency Division Multiplexing）方法のようなマルチキャリア伝送方式のフレーム構成となる。
【０５３７】
図３８におけるストリーム１のシンボル領域３８０１＿１は、時刻１から時刻１０、キャリア１からキャリア９に存在しているものとする。
【０５３８】
ストリーム１のシンボル群＃ｉ（３８００＿ｉ）は、時刻１から時刻１０、キャリア１０からキャリア２０に存在しているものとする。なお、ストリーム１のシンボル群＃ｉ（３８００＿ｉ）は図９のストリーム１のシンボル群＃ｉ（９０１−ｉ）に相当するものとする。
【０５３９】
ストリーム１のシンボル領域３８０１＿２は、時刻１から時刻１０、キャリア２１からキャリア４０に存在しているものとする。
【０５４０】
このとき、例えば、実施の形態４などで説明したように、基地局が、１つ以上の端末に対し、個別のデータを伝送する（ユニキャストする）場合に、図３８のストリーム１のシンボル領域３８０１＿１、３８０１＿２を使用することができる。
【０５４１】
そして、図３８のストリーム１のシンボル群＃ｉ（３８００＿ｉ）は、実施の形態１、実施の形態４などで説明したように、基地局が、マルチキャスト用のデータを伝送するために使用することになる。
【０５４２】
図３９は、基地局（７００）が送信するストリーム２のフレーム構成の一例を示しており、図３９におけるフレーム構成において、横軸は時間であり、縦軸は周波数であり、時刻１から時刻１０、キャリア１からキャリア４０までのフレーム構成を示している。したがって、図３９はＯＦＤＭ方式のようなマルチキャリア伝送方式のフレームとなる。
【０５４３】
図３９におけるストリーム２のシンボル領域３９０１＿１は、時刻１から時刻１０、キャリア１からキャリア９に存在しているものとする。
【０５４４】
ストリーム２のシンボル群＃ｉ（３９００＿ｉ）は、時刻１から時刻１０、キャリア１０からキャリア２０に存在しているものとする。なお、ストリーム２のシンボル群＃ｉ（３９００＿ｉ）は図９のストリーム２のシンボル群＃ｉ（９０２−ｉ）に相当するものとする。
【０５４５】
ストリーム２のシンボル領域３９０１＿２は、時刻１から時刻１０、キャリア２１からキャリア４０に存在しているものとする。
【０５４６】
このとき、例えば、実施の形態４などで説明したように、基地局が、１つ以上の端末に対し、個別のデータ伝送する（ユニキャストする）場合に、図３９のストリーム２のシンボル領域３９０１＿１、３９０１＿２を使用することができる。
【０５４７】
そして、図３９のストリーム２のシンボル群＃ｉ（３９００＿ｉ）は、実施の形態１、実施の形態４などで説明したように、基地局が、マルチキャスト用のデータを伝送するために使用することになる。
【０５４８】
なお、基地局は、図３８における時刻Ｘ（図３８の場合、Ｘは１以上１０以下の整数）、キャリアＹ（図３８の場合Ｙは１以上４０以下の整数）のシンボルと図３９の時刻Ｘ、キャリアＹのシンボルを同一周波数、同一時刻を用いて送信することになる。
【０５４９】
そして、図９の９０１−１のストリーム１のシンボル群＃１、および、９０１−２のストリーム１のシンボル群＃２、および、９０１−３のストリーム１のシンボル群＃３の特徴については、これまでに説明した実施の形態に記載したとおりである。つまり、図３８のストリーム１のシンボル群＃ｉの特徴については、図９のストリーム１のシンボル群と同様であり、これまでに説明した実施の形態に記載したとおりである。
【０５５０】
また、図９の９０２−１のストリーム２のシンボル群＃１、および、９０２−２のストリーム２のシンボル群＃２、および、９０２−３のストリーム２のシンボル群＃３の特徴については、これまでに説明した実施の形態に記載したとおりである。つまり、図３９のストリーム２のシンボル群＃ｉの特徴については、図９のストリーム２のシンボル群と同様であり、これまでに説明した実施の形態に記載したとおりである。
【０５５１】
なお、図３８、図３９のフレーム構成のキャリア１０からキャリア２０における時刻１１以降にシンボルが存在した場合、マルチキャスト伝送用に使用してもよいし、個別データ伝送（ユニキャスト伝送）に使用してもよい。
【０５５２】
また、基地局が、図３８、図３９のフレーム構成で、図９のようなフレームを送信した場合、実施の形態１、実施の形態４で説明した実施を同様に行ってもよい。
【０５５３】
以上のように実施することで、マルチキャスト・ブロードキャストデータ伝送において、基地局が、データシンボル、制御情報シンボルを複数の送信ビームを用いて送信し、端末は、複数の送信ビームから、品質のよいビームを選択的に受信し、これに基づき、端末は、データシンボルの受信を行うことで、端末は高いデータの受信品質を得ることができるという効果を得ることができる。
【０５５４】
（実施の形態６）
本実施の形態では、基地局（７００）が送信する図１４の変調信号１のシンボル群と変調信号２のシンボル群の構成について補足説明を行う。
【０５５５】
図４０は、基地局（７００）が送信する変調信号１のフレーム構成の一例を示しており、図４０におけるフレーム構成において、横軸は時間であり、縦軸は周波数であり、時刻１から時刻１０、キャリア１からキャリア４０までのフレーム構成を示している。したがって、図４０は、ＯＦＤＭ（Orthogonal Frequency Division Multiplexing）方法のようなマルチキャリア伝送方式のフレーム構成となる。
【０５５６】
図４０における変調信号１のシンボル領域４００１＿１は、時刻１から時刻１０、キャリア１からキャリア９に存在しているものとする。
【０５５７】
変調信号１のシンボル群＃ｉ（４０００＿ｉ）は、時刻１から時刻１０、キャリア１０からキャリア２０に存在しているものとする。なお、変調信号１のシンボル群＃ｉ（４０００＿ｉ）は図１４の変調信号１のシンボル群＃ｉ（１４０１−ｉ）に相当するものとする。
【０５５８】
変調信号１のシンボル領域４００１＿２は、時刻１から時刻１０、キャリア２１からキャリア４０に存在しているものとする。
【０５５９】
このとき、例えば、実施の形態４などで説明したように、基地局が、１つ以上の端末に対し、個別のデータを伝送する（ユニキャストする）場合に、図４０のストリーム１のシンボル領域４００１＿１、４００１＿２を使用することができる。
【０５６０】
そして、図４０の変調信号１のシンボル群＃ｉ（４０００＿ｉ）は、実施の形態１、実施の形態４などで説明したように、基地局が、マルチキャスト用のデータを伝送するために使用することになる。
【０５６１】
図４１は、基地局（７００）が送信する変調信号２のフレーム構成の一例を示しており、図４１におけるフレーム構成において、横軸は時間であり、縦軸は周波数であり、時刻１から時刻１０、キャリア１からキャリア４０までのフレーム構成を示している。したがって、図４１はＯＦＤＭ方式のようなマルチキャリア伝送方式のフレームとなる。
【０５６２】
図４１における変調信号２のシンボル領域４１０１＿１は、時刻１から時刻１０、キャリア１からキャリア９に存在しているものとする。
【０５６３】
変調信号２のシンボル群＃ｉ（４１００＿ｉ）は、時刻１から時刻１０、キャリア１０からキャリア２０に存在しているものとする。なお、変調信号２のシンボル群＃ｉ（４１００＿ｉ）は図１４の変調信号２のシンボル群＃ｉ（１４０２−ｉ）に相当するものとする。
【０５６４】
変調信号２のシンボル領域４１０１＿２は、時刻１から時刻１０、キャリア２１からキャリア４０に存在しているものとする。
【０５６５】
このとき、例えば、実施の形態４などで説明したように、基地局が、１つ以上の端末に対し、個別のデータ伝送する（ユニキャストする）場合に、図４１の変調信号２のシンボル領域４１０１＿１、４１０１＿２を使用することができる。
【０５６６】
そして、図４１の変調信号２のシンボル群＃ｉ（４１００＿ｉ）は、実施の形態１、実施の形態４などで説明したように、基地局が、マルチキャスト用のデータを伝送するために使用することになる。
【０５６７】
なお、基地局は、図４０における時刻Ｘ（図４０の場合、Ｘは１以上１０以下の整数）、キャリアＹ（図４０の場合Ｙは１以上４０以下の整数）のシンボルと、図４１の時刻Ｘ、キャリアＹのシンボルを同一周波数、同一時刻を用いて送信することになる。
【０５６８】
そして、図１４の１４０１＿１のストリーム１のシンボル群＃１、および、１４０１＿２の変調信号１のシンボル群＃２、および、１４０１＿３の変調信号１のシンボル群＃３の特徴については、これまでに説明した実施の形態に記載したとおりである。つまり、図４０の変調信号１のシンボル群＃ｉの特徴については、図１４の変調信号１のシンボル群と同様であり、これまでに説明した実施の形態に記載したとおりである。
【０５６９】
また、図１４の１４０２＿１の変調信号２のシンボル群＃１、および、１４０２＿２の変調信号２のシンボル群＃２、および、１４０２＿３の変調信号２のシンボル群＃３の特徴については、これまでに説明した実施の形態に記載したとおりである。つまり、図４１の変調信号２のシンボル群＃ｉの特徴については、図１４の変調信号２のシンボル群と同様であり、これまでに説明した実施の形態に記載したとおりである。
【０５７０】
なお、図４０、図４１のフレーム構成のキャリア１０からキャリア２０における時刻１１以降にシンボルが存在した場合、マルチキャスト伝送用に使用してもよいし、個別データ伝送（ユニキャスト伝送）に使用してもよい。
【０５７１】
また、基地局が、図４０、図４１のフレーム構成で、図１４のようなフレームを送信した場合、実施の形態１、実施の形態４で説明した実施を同様に行ってもよい。
【０５７２】
上述の説明における図３８のストリーム１のシンボル領域３８０１＿１、３８０１＿２、図３９のストリーム２のシンボル領域３９０１＿１、３９０１＿２、図４０の変調信号１のシンボル領域４００１＿１、４００１＿２、図４１の変調信号２のシンボル領域４１０１＿１、４１０２＿２の使用方法の例について説明する。
【０５７３】
図４２は、「図３８のストリーム１のシンボル領域３８０１＿１、３８０１＿２、図３９のストリーム２のシンボル領域３９０１＿１、３９０１＿２、図４０の変調信号１のシンボル領域４００１＿１、４００１＿２、図４１の変調信号２のシンボル領域４１０１＿１、４１０２＿２」の端末への割り当ての一例を示している。なお、図４２において、横軸は時間であり、縦軸は周波数（キャリア）である。
【０５７４】
図４２に示すように、例えば、「図３８のストリーム１のシンボル領域３８０１＿１、３８０１＿２、図３９のストリーム２のシンボル領域３９０１＿１、３９０１＿２、図４０の変調信号１のシンボル領域４００１＿１、４００１＿２、図４１の変調信号２のシンボル領域４１０１＿１、４１０２＿２」を周波数分割し、端末に対し割り当てを行う。そして、４２０１＿１は端末＃１用に割り当てられたシンボル群であり、４２０１＿２は端末＃２用に割り当てられたシンボル群であり、４２０１＿３は端末＃３用に割り当てられたシンボル群である。
【０５７５】
例えば、基地局（７００）は、端末＃１、端末＃２、端末＃３と通信を行っており、基地局が端末＃１に対してデータを伝送する場合、図４２の「端末＃１用に割り当てられたシンボル群４２０１＿１」を用いて、基地局は端末＃１にデータを伝送することになる。そして、基地局が端末＃２に対してデータを伝送する場合、図４２の「端末＃２用に割り当てられたシンボル群４２０１＿２」を用いて、基地局は端末＃２にデータを伝送することになる。基地局が端末＃３に対してデータを伝送する場合、図４２の「端末＃３用に割り当てられたシンボル群４２０１＿３」を用いて、基地局は端末＃３にデータを伝送することになる。
【０５７６】
なお、端末への割り当て方法は、図４２に限ったものではなく、周波数帯域（キャリア数）は時間により変化してもよいし、また、どのように設定してもよい。そして、時間とともに端末への割り当て方法を変更してもよい。
【０５７７】
図４３は、「図３８のストリーム１のシンボル領域３８０１＿１、３８０１＿２、図３９のストリーム２のシンボル領域３９０１＿１、３９０１＿２、図４０の変調信号１のシンボル領域４００１＿１、４００１＿２、図４１の変調信号２のシンボル領域４１０１＿１、４１０２＿２」の端末への割り当ての図４２とは異なる例である。なお、図４３において、横軸は時間であり縦軸は周波数（キャリア）である。
【０５７８】
図４３に示すように、例えば、「図３８のストリーム１のシンボル領域３８０１＿１、３８０１＿２、図３９のストリーム２のシンボル領域３９０１＿１、３９０１＿２、図４０の変調信号１のシンボル領域４００１＿１、４００１＿２、図４１の変調信号２のシンボル領域４１０１＿１、４１０２＿２」を時間、周波数分割を行い、端末に対し割り当てを行う。そして、４３０１＿１は端末＃１用に割り当てられたシンボル群であり、４３０１＿２は端末＃２用に割り当てられたシンボル群であり、４３０１＿３は端末＃３用に割り当てられたシンボル群であり、４３０１＿４は端末＃４用に割り当てられたシンボル群であり、４３０１＿５は端末＃５用に割り当てられたシンボル群であり、４３０１＿６は端末＃６用に割り当てられたシンボル群である。
【０５７９】
例えば、基地局（７００）は、端末＃１、端末＃２、端末＃３、端末＃４、端末＃５、端末＃６と通信を行っており、基地局が端末＃１に対してデータを伝送する場合、図４３の「端末＃１用に割り当てられたシンボル群４３０１＿１」を用いて、基地局は端末＃１にデータを伝送することになる。そして、基地局が端末＃２に対してデータを伝送する場合、図４３の「端末＃２用に割り当てられたシンボル群４３０１＿２」を用いて、基地局は端末＃２にデータを伝送することになる。基地局が端末＃３に対してデータを伝送する場合、図４３の「端末＃３用に割り当てられたシンボル群４３０１＿３」を用いて、基地局は端末＃３にデータを伝送することになる。基地局が端末＃４に対してデータを伝送する場合、図４３の「端末＃４用に割り当てられたシンボル群４３０１＿４」を用いて、基地局は端末＃４にデータを伝送することになる。基地局が端末＃５に対してデータを伝送する場合、図４３の「端末＃５用に割り当てられたシンボル群４３０１＿５」を用いて、基地局は端末＃５にデータを伝送することになる。基地局が端末＃６に対してデータを伝送する場合、図４３の「端末＃６用に割り当てられたシンボル群４３０１＿６」を用いて、基地局は端末＃６にデータを伝送することになる。
【０５８０】
なお、端末への割り当て方法は、図４３に限ったものではなく、周波数帯域（キャリア数）、時間幅は変化してもよいし、また、どのように設定してもよい。そして、時間とともに端末への割り当て方法を変更してもよい。
【０５８１】
また、図３８、図３９、図４０、図４１におけるストリーム１のシンボル領域、ストリーム２のシンボル領域、変調信号１のシンボル領域、変調信号２のシンボル領域では、キャリアごとに異なる重み付け合成を行ってもよいし、複数のキャリアを単位として、重み付け合成方法を決定してもよい。また、図４３、図４４のように割り当てた端末ごとに重み付け合成のパラメータを設定してもよい。キャリアにおける重み付け合成の方法の設定は、これらの例に限ったものではない。
【０５８２】
以上のように実施することで、マルチキャスト・ブロードキャストデータ伝送において、基地局が、データシンボル、制御情報シンボルを複数の送信ビームを用いて送信し、端末は、複数の送信ビームから、品質のよいビームを選択的に受信し、これに基づき、端末は、データシンボルの受信を行うことで、端末は高いデータの受信品質を得ることができるという効果を得ることができる。
【０５８３】
（実施の形態７）
本明細書において、図７、図１２、図１７、図１８、図１９、図２０、図２２における基地局７００、他の実施の形態で説明した基地局の構成として、図４４のような構成であってもよい。
【０５８４】
以下では、図４４の基地局の動作について説明を行う。図４４において、図１、図３と同様に動作するものについては、同一番号を付しており、説明を省略する。
【０５８５】
重み付け合成部３０１は、信号処理後の信号１０３＿１、１０３＿２、・・・、１０３＿Ｍ、および、制御信号１５９を入力とし、制御信号１５９に基づき、重み付け合成を行い、重み付け合成信号４４０１＿１、４４０１＿２、・・・、４４０１＿Ｋを出力する。なお、Ｍは２以上の整数とし、Ｋは２以上の整数とする。
【０５８６】
例えば、信号処理後の信号１０３＿ｉ（ｉは１以上Ｍ以下の整数）をｕｉ（ｔ）（ｔは時間）、重み付け合成後の信号４４０１＿ｇ（ｇは１以上Ｋ以下の整数）をｖｇ（ｔ）とあらわすと、ｖｇ（ｔ）は次式であらわすことができる。
【０５８７】
【数７】
2019093464.tif 000009
【０５８８】
無線部１０４＿ｇは、重み付け合成後の信号４４０１＿ｇ、制御信号１５９を入力とし、制御信号１５９に基づいて、所定の処理を行い、送信信号１０５＿ｇを生成し、出力する。そして、送信信号１０５＿ｇはアンテナ３０３＿１から送信される。
【０５８９】
なお、基地局が対応している送信方法は、ＯＦＤＭなどのマルチキャリア方式であってもよいし、シングルキャリア方式であってもよい。また、基地局は、マルチキャリア方式、シングルキャリア方式の両者に対応していてもよい。このときシングルキャリア方式の変調信号を生成する方法は、複数あり、いずれの方式の場合についても実施が可能である。例えば、シングルキャリア方式の例として、「DFT（Discrete Fourier Transform）-Spread OFDM（Orthogonal Frequency Division Multiplexing）」、「Trajectory Constrained DFT-Spread OFDM」、「OFDM based SC（Single Carrier）」、「SC（Single Carrier）-FDMA（Frequency Division Multiple Access）」、「Guard interval DFT-Spread OFDM」などがある。
【０５９０】
式（７）では、時間の関数で記載しているが、ＯＦＤＭ方式などのマルチキャリア方式の場合、時間に加え周波数の関数であってもよい。
【０５９１】
例えば、ＯＦＤＭ方式において、キャリアごとに異なる重み付け合成を行ってもよいし、複数のキャリアを単位として、重み付け合成方法を決定してもよい。キャリアにおける重み付け合成の方法の設定は、これらの例に限ったものではない。
【０５９２】
（補足６）
当然であるが、本明細書において説明した実施の形態、補足などのその他の内容を複数組み合わせて、実施してもよい。
【０５９３】
そして、基地局の構成として、例として、図１、図３に限ったものではなく、複数の送信アンテナを持ち、複数の送信ビーム（送信指向性ビーム）を生成し、送信する基地局であれば、本開示を実施することが可能である。
【０５９４】
また、各実施の形態については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【０５９５】
変調方式については、本明細書で記載している変調方式以外の変調方式を使用しても、本明細書において説明した実施の形態、その他の内容を実施することが可能である。例えば、ＡＰＳＫ（例えば、16APSK, 64APSK, 128APSK, 256APSK, 1024APSK, 4096APSKなど）、ＰＡＭ（例えば、4PAM, 8PAM, 16PAM, 64PAM, 128PAM, 256PAM, 1024PAM, 4096PAMなど）、ＰＳＫ（例えば、BPSK, QPSK, 8PSK, 16PSK, 64PSK, 128PSK, 256PSK, 1024PSK, 4096PSKなど）、ＱＡＭ（例えば、4QAM, 8QAM, 16QAM, 64QAM, 128QAM, 256QAM, 1024QAM, 4096QAMなど）などを適用してもよいし、各変調方式において、均一マッピング、非均一マッピングとしてもよい。また、Ｉ−Ｑ平面における２個、４個、８個、１６個、６４個、１２８個、２５６個、１０２４個等の信号点の配置方法（２個、４個、８個、１６個、６４個、１２８個、２５６個、１０２４個等の信号点をもつ変調方式）は、本明細書で示した変調方式の信号点配置方法に限ったものではない。
【０５９６】
本明細書において、送信装置を具備しているのは、例えば、放送局、基地局、アクセスポイント、端末、携帯電話（ｍｏｂｉｌｅ  ｐｈｏｎｅ）等の通信・放送機器であることが考えられ、このとき、受信装置を具備しているのは、テレビ、ラジオ、端末、パーソナルコンピュータ、携帯電話、アクセスポイント、基地局等の通信機器であることが考えられる。また、本開示における送信装置、受信装置は、通信機能を有している機器であって、その機器が、テレビ、ラジオ、パーソナルコンピュータ、携帯電話等のアプリケーションを実行するための装置に何らかのインターフェースを解して接続できるような形態であることも考えられる。また、本実施の形態では、データシンボル以外のシンボル、例えば、パイロットシンボル（プリアンブル、ユニークワード、ポストアンブル、リファレンスシンボル等）、制御情報用のシンボルなどが、フレームにどのように配置されていてもよい。そして、ここでは、パイロットシンボル、制御情報用のシンボルと名付けているが、どのような名付け方を行ってもよく、機能自身が重要となっている。
【０５９７】
パイロットシンボルは、例えば、送受信機において、ＰＳＫ変調を用いて変調した既知のシンボルであればよく、受信機は、このシンボルを用いて、周波数同期、時間同期、各変調信号のチャネル推定（ＣＳＩ（Channel State Information）の推定）、信号の検出等を行う。または、パイロットシンボルは、受信機が同期することによって、受信機は、送信機が送信したシンボルを知ることができてもよい。
【０５９８】
また、制御情報用のシンボルは、データ（アプリケーション等のデータ）以外の通信を実現するための、通信相手に伝送する必要がある情報（例えば、通信に用いている変調方式、誤り訂正符号化方式、誤り訂正符号化方式の符号化率、上位レイヤーでの設定情報等）を伝送するためのシンボルである。
【０５９９】
なお、本開示は各実施の形態に限定されず、種々変更して実施することが可能である。例えば、各実施の形態では、通信装置として行う場合について説明しているが、これに限られるものではなく、この通信方法をソフトウェアとして行うことも可能である。
【０６００】
なお、例えば、上記通信方法を実行するプログラムを予めＲＯＭに格納しておき、そのプログラムをＣＰＵによって動作させるようにしても良い。
【０６０１】
また、上記通信方法を実行するプログラムをコンピュータで読み取り可能な記憶媒体に格納し、記憶媒体に格納されたプログラムをコンピュータのＲＡＭに記録して、コンピュータをそのプログラムにしたがって動作させるようにしても良い。
【０６０２】
そして、上記の各実施の形態などの各構成は、典型的には、入力端子及び出力端子を有する集積回路であるＬＳＩとして実現されてもよい。これらは、個別に１チップ化されてもよいし、各実施の形態の全ての構成または一部の構成を含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限られるものではなく、専用回路または汎用プロセッサで実現しても良い。ＬＳＩ製造後に、プログラムすることが可能なＦＰＧＡや、ＬＳＩ内部の回路セルの接続や設定を再構成可能なリコンフィギュラブル・プロセッサを利用しても良い。さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【０６０３】
本明細書において、種々のフレーム構成について説明した。本明細書で説明したフレーム構成の変調信号を、図１の送信装置を具備する例えば基地局（ＡＰ）が、ＯＦＤＭ方式などのマルチキャリア方式を用いて送信する。このとき、基地局（ＡＰ）と通信を行っている端末（ユーザー）が変調信号を送信する際、端末が送信する変調信号はシングルキャリアの方式であるという適用方法を考えることができる（基地局（ＡＰ）はＯＦＤＭ方式を用いることで、複数の端末に対し、同時にデータシンボル群を送信することができ、また、端末はシングルキャリア方式を用いることにより、消費電力を低減することが可能となる。）。
【０６０４】
また、基地局（ＡＰ）が送信する変調信号が使用する周波数帯域の一部を用いて、端末は変調方式を送信するＴＤＤ（Time Division Duplex）方式を適用してもよい。
【０６０５】
図１のアンテナ部１０６−１、１０６−２、・・・、１０６−Ｍの構成は、実施の形態において説明した構成に限ったものではない。例えば、アンテナ部１０６−１、１０６−２、・・・、１０６−Ｍが、複数のアンテナで構成されていなくてもよく、また、アンテナ部１０６−１、１０６−２、・・・、１０６−Ｍは、信号１５９を入力としなくてもよい。
【０６０６】
図４のアンテナ部４０１−１、４０１−２、・・・、４０１−Ｎの構成は、実施の形態において説明した構成に限ったものではない。例えば、アンテナ部４０１−１、４０１−２、・・・、４０１−Ｎが、複数のアンテナで構成されていなくてもよく、また、アンテナ部４０１−１、４０１−２、・・・、４０１−Ｎは、信号４１０を入力としなくてもよい。
【０６０７】
なお、基地局、端末が対応している送信方法は、ＯＦＤＭなどのマルチキャリア方式であってもよいし、シングルキャリア方式であってもよい。また、基地局は、マルチキャリア方式、シングルキャリア方式の両者に対応していてもよい。このときシングルキャリア方式の変調信号を生成する方法は、複数あり、いずれの方式の場合についても実施が可能である。例えば、シングルキャリア方式の例として、「DFT（Discrete Fourier Transform）-Spread OFDM（Orthogonal Frequency Division Multiplexing）」、「Trajectory Constrained DFT-Spread OFDM」、「OFDM based SC（Single Carrier）」、「SC（Single Carrier）-FDMA（Frequency Division Multiple Access）」、「Guard interval DFT-Spread OFDM」などがある。
【０６０８】
また、図１、図３、図４４における情報＃１（１０１＿１）、情報＃２（１０１＿２）、・・・、情報＃Ｍ（１０１＿Ｍ）の中に、少なくともマルチキャスト（ブロードキャスト）のデータが存在することになる。例えば、図１において、情報＃１（１０１＿１）がマルチキャスト用のデータの場合、このデータを含んだ、複数のストリーム、または、変調信号を信号処理部１０２により生成し、アンテナから出力することになる。
【０６０９】
図３において、情報＃１（１０１＿１）がマルチキャスト用のデータの場合、このデータを含んだ、複数のストリーム、または、変調信号を信号処理部１０２、および／または、重み付け合成部３０１で生成し、アンテナから出力することになる。
【０６１０】
図４４において、情報＃１（１０１＿１）がマルチキャスト用のデータの場合、このデータを含んだ、複数のストリーム、または、変調信号を信号処理部１０２、および／または、重み付け合成部３０１で生成し、アンテナから出力することになる。
【０６１１】
なお、複数ストリームまたは変調信号の様子については、図７、図９、図１２、図１４、図１７、図１８、図１９を用いて説明したとおりである。
【０６１２】
さらに、図１、図３、図４４における情報＃１（１０１＿１）、情報＃２（１０１＿２）、・・・、情報＃Ｍ（１０１＿Ｍ）の中に、個別端末宛のデータを含んでいてもよい。この点については、本明細書の実施の形態で説明したとおりである。
【０６１３】
なお、ＦＰＧＡ（Field Programmable Gate Array）およびＣＰＵ（Central Processing Unit）の少なくとも一方が、本開示において説明した通信方法を実現するために必要なソフトウェアの全部あるいは一部を無線通信または有線通信によりダウンロードできるような構成であってもよい。さらに、更新のためのソフトウェアの全部あるいは一部を無線通信または有線通信によりダウンロードできるような構成であってもよい。そして、ダウンロードしたソフトウェアを記憶部に格納し、格納されたソフトウェアに基づいてＦＰＧＡおよびＣＰＵの少なくとも一方を動作させることにより、本開示において説明したデジタル信号処理を実行するようにしてもよい。
【０６１４】
このとき、ＦＰＧＡおよびＣＰＵの少なくとも一方を具備する機器は、通信モデムと無線または有線で接続し、この機器と通信モデムにより、本開示において説明した通信方法を実現してもよい。
【０６１５】
例えば、本明細書で記載した基地局、ＡＰ、端末などの通信装置が、ＦＰＧＡおよび、ＣＰＵのうち、少なくとも一方を具備しており、ＦＰＧＡ及びＣＰＵの少なくとも一方を動作させるためのソフトウェアを外部から入手するためのインターフェースを通信装置が具備していてもよい。さらに、通信装置が外部から入手したソフトウェアを格納するための記憶部を具備し、格納されたソフトウェアに基づいて、ＦＰＧＡ、ＣＰＵを動作させることで、本開示において説明した信号処理を実現するようにしてもよい。
【０６１６】
以下では、実施の形態１から７で説明した複数アンテナを用いた無線通信方式を適用可能な通信システムの例について説明する。なお、実施の形態１から７で説明した複数アンテナを用いた無線通信方式は、あくまで以降で説明する通信システムに適用な可能な無線通信方式の一例である。すなわち、以降で説明する通信システムで用いる無線通信方式は、実施の形態１から７で説明した複数アンテナを用いた無線通信方式であってもよいし、その他の複数アンテナを用いた無線通信方式であってもよい。また、以降で説明する通信システムで用いる無線通信方式は、一つのアンテナを用いた無線通信方式であってもよいし、例えば光通信などのアンテナ以外のデバイスを用いて通信を行う通信方式であってもよい。また、送信装置は一つ以上の変調信号を同一周波数、同一時間を用いて送信する方式を用いてもよいし、送信装置は一つ以上のストリームの変調信号を同一周波数、同一時間を用いて送信する方法を用いてもよい。
【０６１７】
（実施の形態８）
本実施の形態では、例えば、通信装置＃Ａが保有するデータを複数の通信装置に送信する場合の実施例について説明する。
【０６１８】
図４５は、通信装置＃Ａが保有するデータを複数の通信装置に送信する場合の例を示している。４５０１の通信装置＃Ａは、例えば、第１のデータで構成されている第１のファイルを蓄積部に蓄積しており、４５０１の通信装置＃Ａは、４５０２＿１の通信装置＃１、４５０２＿２の通信装置＃２、４５０２＿３の通信装置＃３、および、４５０２＿４の通信装置＃４に、第１のデータを送信するものとする。
【０６１９】
４５０２＿４の通信装置＃４は、４５０１の通信装置＃Ａから得た第１のデータを、ネットワーク４５０３を介して、サーバー４５０６＿４に送信することになる。
【０６２０】
図４５における４５０１の通信装置＃Ａ、４５０２＿１の通信装置＃１、４５０２＿２の通信装置＃２、４５０２＿３の通信装置＃３、４５０２＿４の通信装置＃４の動作について、詳しく説明する。
【０６２１】
４５０１の通信装置＃Ａは、例えば、図１（または、図３、または、図４４）の構成を具備するものとする。そして、４５０２＿１の通信装置＃１、４５０２＿２の通信装置＃２、４５０２＿３の通信装置＃３、４５０２＿４の通信装置＃４は、例えば、図４の構成を具備するものとする。なお、図１（図３、図４４）の各部の動作、および、図４の各部の動作については、すでに説明を行っているので、説明を省略する。
【０６２２】
４５０１の通信装置＃Ａが具備する信号処理部１０２は、第１のデータを含む情報１０１−１、制御信号１５９を入力とし、制御信号１５９に含まれる、「誤り訂正符号化の方法（符号化率、符号長（ブロック長））に関する情報」「変調方式に関する情報」、「送信方法（多重化方法）」、などの情報に基づき、信号処理を行うことになる。
【０６２３】
このとき、信号処理部１０２は、第１のデータを含む情報１０１−１から、４５０２＿１の通信装置＃１に送信するための信号処理後の信号、４５０２＿２の通信装置＃２に送信するための信号処理後の信号、４５０２＿３の通信装置＃３に送信するための信号処理後の信号、４５０２＿４の通信装置＃４に送信するための信号処理後の信号を生成する。例として、４５０２＿１の通信装置＃１に送信するための信号処理後の信号を１０３−１とし、４５０２＿２の通信装置＃２に送信するための信号処理後の信号を１０３−２とし、４５０２＿３の通信装置＃３に送信するための信号処理後の信号を１０３−３とし、４５０２＿４の通信装置＃４に送信するための信号処理後の信号を１０３−４とする。
【０６２４】
そして、４５０２＿１の通信装置＃１に送信するための信号処理後の信号１０３−１は、無線部１０４−１を介し、送信信号１０５−１はアンテナ部１０６−１から送信される。同様に、４５０２＿２の通信装置＃２に送信するための信号処理後の信号１０３−２は、無線部１０４−２を介し、送信信号１０５−２はアンテナ部１０６−２から送信され、４５０２＿３の通信装置＃３に送信するための信号処理後の信号１０３−３は、無線部１０４−３を介し、送信信号１０５−３はアンテナ部１０６−３から送信され、４５０２＿４の通信装置＃４に送信するための信号処理後の信号１０３−４は、無線部１０４−４を介し、送信信号１０５−４はアンテナ部１０６−４から送信される。
【０６２５】
このとき、送信信号１０５−１、１０５−２、１０５−３、１０５−４の周波数の設定方法について、図４６を用いて説明する。
【０６２６】
図４６において、横軸を周波数とし、縦軸をパワーとする。送信信号１０５−１、１０５−２、１０５−３、１０５−４は、第１の周波数帯（第１のチャネル）にスペクトル４６０１をもつスペクトル、第２の周波数帯（第２のチャネル）にスペクトル４６０２をもつスペクトル、第３の周波数帯（第３のチャネル）にスペクトル４６０３をもつスペクトルのいずれかの信号となる。
【０６２７】
具体的な例について、図４７、図４８、図４９、図５０を用いて説明する。
【０６２８】
図４７は、図４５の４５０１の通信装置＃Ａ、４５０２＿１の通信装置＃１、４５０２＿２の通信装置＃２、４５０２＿３の通信装置＃３、４５０２＿４の通信装置＃４の位置関係を示している。したがって、図４７では、図４５で付加した番号を記載している。
【０６２９】
図４７の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第１の周波数帯のスペクトル４６０１を使用し、４５０２＿３の通信装置＃３に送信する送信信号１０５−３が使用するスペクトルとして、図４６の第１の周波数帯のスペクトル４６０１を使用し、４５０２＿４の通信装置＃４に送信する送信信号１０５−４が使用するスペクトルとして、図４６の第１の周波数帯のスペクトル４６０１を使用することができる。このように、「４５０２＿１の通信装置＃１に送信する送信信号が使用する周波数帯」、「４５０２＿２の通信装置＃２に送信する送信信号が使用する周波数帯」、「４５０２＿３の通信装置＃３に送信する送信信号が使用する周波数帯」、「４５０２＿４の通信装置＃４に送信する送信信号が使用する周波数帯」を同じに設定できることになる。このようにすることで、周波数利用効率を向上することができるという効果を得ることができる。
【０６３０】
ここで、「４５０２＿１の通信装置＃１に送信する送信信号１０５−１」、「４５０２＿２の通信装置＃２に送信する送信信号１０５−２」、「４５０２＿３の通信装置＃３に送信する送信信号１０５−３」、「４５０２＿４の通信装置＃４に送信する送信信号１０５−４」の時間的な存在について説明する。
【０６３１】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０６３２】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０６３３】
図４８は、図４５の４５０１の通信装置＃Ａ、４５０２＿１の通信装置＃１、４５０２＿２の通信装置＃２、４５０２＿３の通信装置＃３、４５０２＿４の通信装置＃４の図４７とは異なる位置関係を示している。したがって、図４８では、図４５で付加した番号を記載している。
【０６３４】
図４８の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第１の周波数帯のスペクトル４６０１を使用し、４５０２＿３の通信装置＃３に送信する送信信号１０５−３が使用するスペクトルとして、図４６の第１の周波数帯のスペクトル４６０１を使用し、４５０２＿４の通信装置＃４に送信する送信信号１０５−４が使用するスペクトルとして、図４６の第２の周波数帯のスペクトル４６０２を使用するものとする。このとき、４５０２＿３の通信装置＃３に送信する送信信号１０５−３が使用する周波数帯と４５０２＿４の通信装置＃４に送信する送信信号１０５−４が使用する周波数帯が異なるのは、４５０１の送信装置＃Ａが、「４５０２＿３の通信装置＃３に送信する送信信号１０５−３が使用する周波数帯と４５０２＿４の通信装置＃４に送信する送信信号１０５−４が使用する周波数帯」を同じようにすると、４５０２＿３の通信装置＃３、４５０２＿４の通信装置＃４はビームの分離が困難のため、干渉が大きく、これにより、データの受信品質が低下するからである。
【０６３５】
上述のようにすることで高いデータの受信品質を確保しながら、周波数利用効率を向上することができるという効果を得ることができる。
【０６３６】
ここで、「４５０２＿１の通信装置＃１に送信する送信信号１０５−１」、「４５０２＿２の通信装置＃２に送信する送信信号１０５−２」、「４５０２＿３の通信装置＃３に送信する送信信号１０５−３」、「４５０２＿４の通信装置＃４に送信する送信信号１０５−４」の時間的な存在について説明する。
【０６３７】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０６３８】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０６３９】
なお、図４７のときにおいても、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第１の周波数帯のスペクトル４６０１を使用し、４５０２＿３の通信装置＃３に送信する送信信号１０５−３が使用するスペクトルとして、図４６の第１の周波数帯のスペクトル４６０１を使用し、４５０２＿４の通信装置＃４に送信する送信信号１０５−４が使用するスペクトルとして、図４６の第２の周波数帯のスペクトル４６０２を使用することができる。
【０６４０】
図４９は、図４５の４５０１の通信装置＃Ａ、４５０２＿１の通信装置＃１、４５０２＿２の通信装置＃２、４５０２＿３の通信装置＃３、４５０２＿４の通信装置＃４の図４７、図４８とは異なる位置関係を示している。したがって、図４９では、図４５で付加した番号を記載している。
【０６４１】
図４９の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第２の周波数帯のスペクトル４６０２を使用し、４５０２＿４の通信装置＃４に送信する送信信号１０５−４が使用するスペクトルとして、図４６の第３の周波数帯のスペクトル４６０３を使用するものとする。このとき、４５０２＿１の通信装置＃１に送信する送信信号１０５−１が使用する周波数帯、４５０２＿３の通信装置＃３に送信する送信信号１０５−３が使用する周波数帯、４５０２＿４の通信装置＃４に送信する送信信号１０５−４が使用する周波数帯が異なるのは、４５０１の送信装置＃Ａが、「４５０２＿１の通信装置＃１に送信する送信信号１０５−１が使用する周波数帯、４５０２＿３の通信装置＃３に送信する送信信号１０５−３が使用する周波数帯と４５０２＿４の通信装置＃４に送信する送信信号１０５−４が使用する周波数帯」を同じようにすると、４５０２＿１の通信装置＃１、４５０２＿３の通信装置＃３、４５０２＿４の通信装置＃４はビームの分離が困難のため、干渉が大きく、これにより、データの受信品質が低下するからである。
【０６４２】
上述のようにすることで高いデータの受信品質を確保しながら、周波数利用効率を向上することができるという効果を得ることができる。
【０６４３】
ここで、「４５０２＿１の通信装置＃１に送信する送信信号１０５−１」、「４５０２＿２の通信装置＃２に送信する送信信号１０５−２」、「４５０２＿３の通信装置＃３に送信する送信信号１０５−３」、「４５０２＿４の通信装置＃４に送信する送信信号１０５−４」の時間的な存在について説明する。
【０６４４】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０６４５】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０６４６】
なお、図４７のときにおいても、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第２の周波数帯のスペクトル４６０２を使用し、４５０２＿４の通信装置＃４に送信する送信信号１０５−４が使用するスペクトルとして、図４６の第３の周波数帯のスペクトル４６０３を使用することができる。
【０６４７】
図５０は、図４５の４５０１の通信装置＃Ａ、４５０２＿１の通信装置＃１、４５０２＿２の通信装置＃２、４５０２＿３の通信装置＃３、４５０２＿４の通信装置＃４の図４７、図４８、図４９とは異なる位置関係を示している。したがって、図５０では、図４５で付加した番号を記載している。
【０６４８】
図５０の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第２の周波数帯のスペクトル４６０２を使用し、４５０２＿４の通信装置＃４に送信する送信信号１０５−４が使用するスペクトルとして、図４６の第１の周波数帯のスペクトル４６０１を使用するものとする。
【０６４９】
このとき、４５０２＿１の通信装置＃１に送信する送信信号１０５−１が使用する周波数帯と４５０２＿２の通信装置＃２に送信する送信信号１０５−２が使用する周波数帯、が異なるのは、４５０１の送信装置＃Ａが、「４５０２＿１の通信装置＃１に送信する送信信号１０５−１が使用する周波数帯と４５０２＿２の通信装置＃２に送信する送信信号１０５−２が使用する周波数帯」を同じようにすると、４５０２＿１の通信装置＃１、４５０２＿２の通信装置＃２はビームの分離が困難のため、干渉が大きく、これにより、データの受信品質が低下するからである。
【０６５０】
同様に、４５０２＿３の通信装置＃３に送信する送信信号１０５−３が使用する周波数帯と４５０２＿４の通信装置＃４に送信する送信信号１０５−４が使用する周波数帯、が異なるのは、４５０１の送信装置＃Ａが、「４５０２＿３の通信装置＃３に送信する送信信号１０５−３が使用する周波数帯と４５０２＿４の通信装置＃４に送信する送信信号１０５−４が使用する周波数帯」を同じようにすると、４５０２＿３の通信装置＃３、４５０２＿４の通信装置＃４はビームの分離が困難のため、干渉が大きく、これにより、データの受信品質が低下するからである。
【０６５１】
上述のようにすることで高いデータの受信品質を確保しながら、周波数利用効率を向上することができるという効果を得ることができる。
【０６５２】
ここで、「４５０２＿１の通信装置＃１に送信する送信信号１０５−１」、「４５０２＿２の通信装置＃２に送信する送信信号１０５−２」、「４５０２＿３の通信装置＃３に送信する送信信号１０５−３」、「４５０２＿４の通信装置＃４に送信する送信信号１０５−４」の時間的な存在について説明する。
【０６５３】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０６５４】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０６５５】
なお、図４７のときにおいても、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第２の周波数帯のスペクトル４６０２を使用し、４５０２＿４の通信装置＃４に送信する送信信号１０５−４が使用するスペクトルとして、図４６の第１の周波数帯のスペクトル４６０１を使用することができる。
【０６５６】
また、図５０の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第２の周波数帯のスペクトル４６０２を使用し、４５０２＿４の通信装置＃４に送信する送信信号１０５−４が使用するスペクトルとして、図４６の第３の周波数帯のスペクトル４６０３を使用するものとしても、高いデータの受信品質を確保しながら、周波数利用効率を向上することができるという効果を得ることができる。
【０６５７】
さらに、図５０の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第１の周波数帯のスペクトル４６０１を使用し、４５０２＿４の通信装置＃４に送信する送信信号１０５−４が使用するスペクトルとして、図４６の第３の周波数帯のスペクトル４６０３を使用するものとしても、高いデータの受信品質を確保しながら、周波数利用効率を向上することができるという効果を得ることができる。
【０６５８】
なお、４５０２＿１の通信装置＃１、４５０２＿２の通信装置＃２、４５０２＿３の通信装置＃３、４５０２＿４の通信装置＃４は、例えば、図４の構成を具備しており、所望の信号を受信し、図４の受信部分を動作させることで、所望のデータを得ることになる。
【０６５９】
以上のように、同一のデータを複数の通信装置に送信する際、
・複数ビームおよび複数周波数帯を使用する
・複数ビームおよび特定の周波数帯を使用する
・特定ビームと複数周波数帯を使用するのいずれかの方法を採ることで、高いデータの受信品質を得るとともに、高い周波数利用効率を得ることができるという効果が得られる。
【０６６０】
次に、４５０１の通信装置＃Ａが、例えば、図３の構成を具備するものとし、４５０２＿１の通信装置＃１、４５０２＿２の通信装置＃２、４５０２＿３の通信装置＃３、４５０２＿４の通信装置＃４は、例えば、図４の構成を具備する場合について説明する。
【０６６１】
４５０１の通信装置＃Ａが具備する信号処理部１０２は、第１のデータを含む情報１０１−１、制御信号１５９を入力とし、制御信号１５９に含まれる、「誤り訂正符号化の方法（符号化率、符号長（ブロック長））に関する情報」「変調方式に関する情報」、「送信方法（多重化方法）」、などの情報に基づき、信号処理を行うことになる。
【０６６２】
このとき、信号処理部１０２は、第１のデータを含む情報１０１−１から、４５０２＿１の通信装置＃１に送信するための信号処理後の信号、４５０２＿２の通信装置＃２に送信するための信号処理後の信号、４５０２＿３の通信装置＃３に送信するための信号処理後の信号、４５０２＿４の通信装置＃４に送信するための信号処理後の信号を生成する。例として、４５０２＿１の通信装置＃１に送信するための信号処理後の信号を１０３−１とし、４５０２＿２の通信装置＃２に送信するための信号処理後の信号を１０３−２とし、４５０２＿３の通信装置＃３に送信するための信号処理後の信号を１０３−３とし、４５０２＿４の通信装置＃４に送信するための信号処理後の信号を１０３−４とする。
【０６６３】
そして、無線部１０４−１は、４５０２＿１の通信装置＃１に送信するための信号処理後の信号１０３−１を入力とし、送信信号１０５−１を出力する。同様に、無線部１０４−２は、４５０２＿２の通信装置＃２に送信するための信号処理後の信号１０３−２を入力とし、送信信号１０５−２を出力する。そして、無線部１０４−３は、４５０２＿３の通信装置＃３に送信するための信号処理後の信号１０３−３を入力とし、送信信号１０５−３を出力する。また、無線部１０４−４は、４５０２＿４の通信装置＃４に送信するための信号処理後の信号１０３−４を入力とし、送信信号１０５−４を出力する。
【０６６４】
重み付け合成部３０１は、少なくとも送信信号１０５−１、送信信号１０５−２、送信信号１０５−３、送信信号１０５−４を入力とし、重み付け合成の演算を行い、重み付け合成後の信号３０２−１、３０２−２、・・・、３０２−Ｋを出力し、重み付け合成後の信号３０２−１、３０２−２、・・・、３０２−Ｋは、アンテナ３０３−１、３０３−２、・・・、３０３−Ｋからそれぞれ電波として出力される。したがって、送信信号１０５−１は、アンテナ３０３−１、３０３−２、・・・、３０３−Ｋの1つ以上のアンテナを用いて送信されることになる。同様に、送信信号１０５−２は、アンテナ３０３−１、３０３−２、・・・、３０３−Ｋの1つ以上のアンテナを用いて送信され、送信信号１０５−３は、アンテナ３０３−１、３０３−２、・・・、３０３−Ｋの1つ以上のアンテナを用いて送信され、送信信号１０５−４は、アンテナ３０３−１、３０３−２、・・・、３０３−Ｋの1つ以上のアンテナを用いて送信されることになる。
【０６６５】
なお、アンテナ３０３−１、３０３−２、・・・、３０３−Ｋそれぞれは、図２の構成であってもよい。
【０６６６】
このとき、送信信号１０５−１、１０５−２、１０５−３、１０５−４の周波数の設定方法について、図４６を用いて説明する。
【０６６７】
図４６において、横軸を周波数とし、縦軸をパワーとする。送信信号１０５−１、１０５−２、１０５−３、１０５−４は、第１の周波数帯（第１のチャネル）にスペクトル４６０１をもつスペクトル、第２の周波数帯（第２のチャネル）にスペクトル４６０２をもつスペクトル、第３の周波数帯（第３のチャネル）にスペクトル４６０３をもつスペクトルのいずれかの信号となる。
【０６６８】
具体的な例について、図４７、図４８、図４９、図５０を用いて説明する。
【０６６９】
図４７は、図４５の４５０１の通信装置＃Ａ、４５０２＿１の通信装置＃１、４５０２＿２の通信装置＃２、４５０２＿３の通信装置＃３、４５０２＿４の通信装置＃４の位置関係を示している。したがって、図４７では、図４５で付加した番号を記載している。
【０６７０】
図４７の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第１の周波数帯のスペクトル４６０１を使用し、４５０２＿３の通信装置＃３に送信する送信信号１０５−３が使用するスペクトルとして、図４６の第１の周波数帯のスペクトル４６０１を使用し、４５０２＿４の通信装置＃４に送信する送信信号１０５−４が使用するスペクトルとして、図４６の第１の周波数帯のスペクトル４６０１を使用することができる。このように、「４５０２＿１の通信装置＃１に送信する送信信号が使用する周波数帯」、「４５０２＿２の通信装置＃２に送信する送信信号が使用する周波数帯」、「４５０２＿３の通信装置＃３に送信する送信信号が使用する周波数帯」、「４５０２＿４の通信装置＃４に送信する送信信号が使用する周波数帯」を同じに設定できることになる。このようにすることで、周波数利用効率を向上することができるという効果を得ることができる。
【０６７１】
ここで、「４５０２＿１の通信装置＃１に送信する送信信号１０５−１」、「４５０２＿２の通信装置＃２に送信する送信信号１０５−２」、「４５０２＿３の通信装置＃３に送信する送信信号１０５−３」、「４５０２＿４の通信装置＃４に送信する送信信号１０５−４」の時間的な存在について説明する。
【０６７２】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０６７３】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０６７４】
図４８は、図４５の４５０１の通信装置＃Ａ、４５０２＿１の通信装置＃１、４５０２＿２の通信装置＃２、４５０２＿３の通信装置＃３、４５０２＿４の通信装置＃４の図４７とは異なる位置関係を示している。したがって、図４８では、図４５で付加した番号を記載している。
【０６７５】
図４８の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第１の周波数帯のスペクトル４６０１を使用し、４５０２＿３の通信装置＃３に送信する送信信号１０５−３が使用するスペクトルとして、図４６の第１の周波数帯のスペクトル４６０１を使用し、４５０２＿４の通信装置＃４に送信する送信信号１０５−４が使用するスペクトルとして、図４６の第２の周波数帯のスペクトル４６０２を使用するものとする。このとき、４５０２＿３の通信装置＃３に送信する送信信号１０５−３が使用する周波数帯と４５０２＿４の通信装置＃４に送信する送信信号１０５−４が使用する周波数帯が異なるのは、４５０１の送信装置＃Ａが、「４５０２＿３の通信装置＃３に送信する送信信号１０５−３が使用する周波数帯と４５０２＿４の通信装置＃４に送信する送信信号１０５−４が使用する周波数帯」を同じようにすると、４５０２＿３の通信装置＃３、４５０２＿４の通信装置＃４はビームの分離が困難のため、干渉が大きく、これにより、データの受信品質が低下するからである。
【０６７６】
上述のようにすることで高いデータの受信品質を確保しながら、周波数利用効率を向上することができるという効果を得ることができる。
【０６７７】
ここで、「４５０２＿１の通信装置＃１に送信する送信信号１０５−１」、「４５０２＿２の通信装置＃２に送信する送信信号１０５−２」、「４５０２＿３の通信装置＃３に送信する送信信号１０５−３」、「４５０２＿４の通信装置＃４に送信する送信信号１０５−４」の時間的な存在について説明する。
【０６７８】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０６７９】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０６８０】
なお、図４７のときにおいても、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第１の周波数帯のスペクトル４６０１を使用し、４５０２＿３の通信装置＃３に送信する送信信号１０５−３が使用するスペクトルとして、図４６の第１の周波数帯のスペクトル４６０１を使用し、４５０２＿４の通信装置＃４に送信する送信信号１０５−４が使用するスペクトルとして、図４６の第２の周波数帯のスペクトル４６０２を使用することができる。
【０６８１】
図４９は、図４５の４５０１の通信装置＃Ａ、４５０２＿１の通信装置＃１、４５０２＿２の通信装置＃２、４５０２＿３の通信装置＃３、４５０２＿４の通信装置＃４の図４７、図４８とは異なる位置関係を示している。したがって、図４９では、図４５で付加した番号を記載している。
【０６８２】
図４９の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第２の周波数帯のスペクトル４６０２を使用し、４５０２＿４の通信装置＃４に送信する送信信号１０５−４が使用するスペクトルとして、図４６の第３の周波数帯のスペクトル４６０３を使用するものとする。このとき、４５０２＿１の通信装置＃１に送信する送信信号１０５−１が使用する周波数帯、４５０２＿３の通信装置＃３に送信する送信信号１０５−３が使用する周波数帯、４５０２＿４の通信装置＃４に送信する送信信号１０５−４が使用する周波数帯が異なるのは、４５０１の送信装置＃Ａが、「４５０２＿１の通信装置＃１に送信する送信信号１０５−１が使用する周波数帯、４５０２＿３の通信装置＃３に送信する送信信号１０５−３が使用する周波数帯と４５０２＿４の通信装置＃４に送信する送信信号１０５−４が使用する周波数帯」を同じようにすると、４５０２＿１の通信装置＃１、４５０２＿３の通信装置＃３、４５０２＿４の通信装置＃４はビームの分離が困難のため、干渉が大きく、これにより、データの受信品質が低下するからである。
【０６８３】
上述のようにすることで高いデータの受信品質を確保しながら、周波数利用効率を向上することができるという効果を得ることができる。
【０６８４】
ここで、「４５０２＿１の通信装置＃１に送信する送信信号１０５−１」、「４５０２＿２の通信装置＃２に送信する送信信号１０５−２」、「４５０２＿３の通信装置＃３に送信する送信信号１０５−３」、「４５０２＿４の通信装置＃４に送信する送信信号１０５−４」の時間的な存在について説明する。
【０６８５】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０６８６】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０６８７】
なお、図４７のときにおいても、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第２の周波数帯のスペクトル４６０２を使用し、４５０２＿４の通信装置＃４に送信する送信信号１０５−４が使用するスペクトルとして、図４６の第３の周波数帯のスペクトル４６０３を使用することができる。
【０６８８】
図５０は、図４５の４５０１の通信装置＃Ａ、４５０２＿１の通信装置＃１、４５０２＿２の通信装置＃２、４５０２＿３の通信装置＃３、４５０２＿４の通信装置＃４の図４７、図４８、図４９とは異なる位置関係を示している。したがって、図５０では、図４５で付加した番号を記載している。
【０６８９】
図５０の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第２の周波数帯のスペクトル４６０２を使用し、４５０２＿４の通信装置＃４に送信する送信信号１０５−４が使用するスペクトルとして、図４６の第１の周波数帯のスペクトル４６０１を使用するものとする。
【０６９０】
このとき、４５０２＿１の通信装置＃１に送信する送信信号１０５−１が使用する周波数帯と４５０２＿２の通信装置＃２に送信する送信信号１０５−２が使用する周波数帯、が異なるのは、４５０１の送信装置＃Ａが、「４５０２＿１の通信装置＃１に送信する送信信号１０５−１が使用する周波数帯と４５０２＿２の通信装置＃２に送信する送信信号１０５−２が使用する周波数帯」を同じようにすると、４５０２＿１の通信装置＃１、４５０２＿２の通信装置＃２はビームの分離が困難のため、干渉が大きく、これにより、データの受信品質が低下するからである。
【０６９１】
同様に、４５０２＿３の通信装置＃３に送信する送信信号１０５−３が使用する周波数帯と４５０２＿４の通信装置＃４に送信する送信信号１０５−４が使用する周波数帯、が異なるのは、４５０１の送信装置＃Ａが、「４５０２＿３の通信装置＃３に送信する送信信号１０５−３が使用する周波数帯と４５０２＿４の通信装置＃４に送信する送信信号１０５−４が使用する周波数帯」を同じようにすると、４５０２＿３の通信装置＃３、４５０２＿４の通信装置＃４はビームの分離が困難のため、干渉が大きく、これにより、データの受信品質が低下するからである。
【０６９２】
上述のようにすることで高いデータの受信品質を確保しながら、周波数利用効率を向上することができるという効果を得ることができる。
【０６９３】
ここで、「４５０２＿１の通信装置＃１に送信する送信信号１０５−１」、「４５０２＿２の通信装置＃２に送信する送信信号１０５−２」、「４５０２＿３の通信装置＃３に送信する送信信号１０５−３」、「４５０２＿４の通信装置＃４に送信する送信信号１０５−４」の時間的な存在について説明する。
【０６９４】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０６９５】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０６９６】
なお、図４７のときにおいても、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第２の周波数帯のスペクトル４６０２を使用し、４５０２＿４の通信装置＃４に送信する送信信号１０５−４が使用するスペクトルとして、図４６の第１の周波数帯のスペクトル４６０１を使用することができる。
【０６９７】
また、図５０の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第２の周波数帯のスペクトル４６０２を使用し、４５０２＿４の通信装置＃４に送信する送信信号１０５−４が使用するスペクトルとして、図４６の第３の周波数帯のスペクトル４６０３を使用するものとしても、高いデータの受信品質を確保しながら、周波数利用効率を向上することができるという効果を得ることができる。
【０６９８】
さらに、図５０の場合、４５０１の通信装置＃Ａは、４５０２＿１の通信装置＃１に送信する送信信号１０５−１が使用するスペクトルとして、図４６の第１の周波数帯のスペクトル４６０１を使用し、４５０２＿２の通信装置＃２に送信する送信信号１０５−２が使用するスペクトルとして、図４６の第２の周波数帯のスペクトル４６０２を使用し、４５０２＿３の通信装置＃３に送信する送信信号１０５−３が使用するスペクトルとして、図４６の第１の周波数帯のスペクトル４６０１を使用し、４５０２＿４の通信装置＃４に送信する送信信号１０５−４が使用するスペクトルとして、図４６の第３の周波数帯のスペクトル４６０３を使用するものとしても、高いデータの受信品質を確保しながら、周波数利用効率を向上することができるという効果を得ることができる。
【０６９９】
なお、４５０２＿１の通信装置＃１、４５０２＿２の通信装置＃２、４５０２＿３の通信装置＃３、４５０２＿４の通信装置＃４は、例えば、図４の構成を具備しており、所望の信号を受信し、図４の受信部分を動作させることで、所望のデータを得ることになる。
【０７００】
次に、４５０１の通信装置＃Ａが、例えば、図４４の構成を具備するものとし、４５０２＿１の通信装置＃１、４５０２＿２の通信装置＃２、４５０２＿３の通信装置＃３、４５０２＿４の通信装置＃４は、例えば、図４の構成を具備する場合について説明する。
【０７０１】
４５０１の通信装置＃Ａが具備する信号処理部１０２は、第１のデータを含む情報１０１−１、制御信号１５９を入力とし、制御信号１５９に含まれる、「誤り訂正符号化の方法（符号化率、符号長（ブロック長））に関する情報」「変調方式に関する情報」、「送信方法（多重化方法）」、などの情報に基づき、信号処理を行うことになる。
【０７０２】
このとき、信号処理部１０２は、第１のデータを含む情報１０１−１から、４５０２＿１の通信装置＃１に送信するための信号処理後の信号、４５０２＿２の通信装置＃２に送信するための信号処理後の信号、４５０２＿３の通信装置＃３に送信するための信号処理後の信号、４５０２＿４の通信装置＃４に送信するための信号処理後の信号を生成する。例として、４５０２＿１の通信装置＃１に送信するための信号処理後の信号を１０３−１とし、４５０２＿２の通信装置＃２に送信するための信号処理後の信号を１０３−２とし、４５０２＿３の通信装置＃３に送信するための信号処理後の信号を１０３−３とし、４５０２＿４の通信装置＃４に送信するための信号処理後の信号を１０３−４とする。
【０７０３】
重み付け合成部３０１は、少なくとも信号処理後の信号を１０３−１、信号処理後の信号１０３−２、信号処理後の信号１０３−３、信号処理後の信号１０３−４を入力とし、重み付け合成の演算を行い、重み付け合成後の信号４４０２−１、４４０２−２、・・・、４４０２−Ｋを出力する。したがって、信号処理後の信号１０３−１は、アンテナ３０３−１、３０３−２、・・・、３０３−Ｋの1つ以上のアンテナを用いて送信されることになる。同様に、信号処理後の信号１０３−２は、アンテナ３０３−１、３０３−２、・・・、３０３−Ｋの1つ以上のアンテナを用いて送信され、信号処理後の信号１０３−３は、アンテナ３０３−１、３０３−２、・・・、３０３−Ｋの1つ以上のアンテナを用いて送信され、信号処理後の信号１０３−４は、アンテナ３０３−１、３０３−２、・・・、３０３−Ｋの1つ以上のアンテナを用いて送信されることになる。
【０７０４】
なお、アンテナ３０３−１、３０３−２、・・・、３０３−Ｋそれぞれは、図２の構成であってもよい。
【０７０５】
このとき、信号処理後の信号１０３−１、１０３−２、１０３−３、１０３−４の周波数の設定方法について、図４６を用いて説明する。
【０７０６】
図４６において、横軸を周波数とし、縦軸をパワーとする。信号処理後の信号１０３−１、１０３−２、１０３−３、１０３−４は、周波数変換後、第１の周波数帯（第１のチャネル）にスペクトル４６０１をもつスペクトル、第２の周波数帯（第２のチャネル）にスペクトル４６０２をもつスペクトル、第３の周波数帯（第３のチャネル）にスペクトル４６０３をもつスペクトルのいずれかの信号となる。
【０７０７】
なお、例えば、図１、図３の送信装置により、第１の周波数帯４６０１の変調信号、第２の周波数帯４６０２の変調信号、第３の周波数帯４６０３の変調信号を生成することになる場合、図１のアンテナ部、図３、図４４の重み付け合成部において、第１の周波数帯４６０１の変調信号の指向性と第２の周波数帯４６０２の変調信号の指向性が異なるように、設定してもよい。同様に、図１のアンテナ部、図３、図４４の重み付け合成部において、第１の周波数帯４６０１の変調信号の指向性と第３の周波数帯４６０３の変調信号の指向性が異なるように、設定してもよい。また、図１のアンテナ部、図３、図４４の重み付け合成部において、第２の周波数帯４６０２の変調信号の指向性と第３の周波数帯４６０３の変調信号の指向性が異なるように、設定してもよい。
【０７０８】
具体的な例について、図４７、図４８、図４９、図５０を用いて説明する。
【０７０９】
図４７は、図４５の４５０１の通信装置＃Ａ、４５０２＿１の通信装置＃１、４５０２＿２の通信装置＃２、４５０２＿３の通信装置＃３、４５０２＿４の通信装置＃４の位置関係を示している。したがって、図４７では、図４５で付加した番号を記載している。
【０７１０】
図４７の場合、４５０１の通信装置＃Ａは、４５０２＿１の通信装置＃１に送信する信号処理後の信号１０３−１が周波数変換後に使用するスペクトルとして、図４６の第１の周波数帯のスペクトル４６０１を使用し、４５０２＿２の通信装置＃２に送信する信号処理後の信号１０３−２が周波数変換後に使用するスペクトルとして、図４６の第１の周波数帯のスペクトル４６０１を使用し、４５０２＿３の通信装置＃３に送信する信号処理後の信号１０３−３が周波数変換後に使用するスペクトルとして、図４６の第１の周波数帯のスペクトル４６０１を使用し、４５０２＿４の通信装置＃４に送信する信号処理後の信号１０３−４が周波数変換後に使用するスペクトルとして、図４６の第１の周波数帯のスペクトル４６０１を使用することができる。このように、「４５０２＿１の通信装置＃１に送信する送信信号が使用する周波数帯」、「４５０２＿２の通信装置＃２に送信する送信信号が使用する周波数帯」、「４５０２＿３の通信装置＃３に送信する送信信号が使用する周波数帯」、「４５０２＿４の通信装置＃４に送信する送信信号が使用する周波数帯」を同じに設定できることになる。このようにすることで、周波数利用効率を向上することができるという効果を得ることができる。
【０７１１】
ここで、「４５０２＿１の通信装置＃１に送信する信号処理後の信号１０３−１」、「４５０２＿２の通信装置＃２に送信する信号処理後の信号１０３−２」、「４５０２＿３の通信装置＃３に送信する信号処理後の信号１０３−３」、「４５０２＿４の通信装置＃４に送信する信号処理後の信号１０３−４」の時間的な存在について説明する。
【０７１２】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０７１３】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０７１４】
図４８は、図４５の４５０１の通信装置＃Ａ、４５０２＿１の通信装置＃１、４５０２＿２の通信装置＃２、４５０２＿３の通信装置＃３、４５０２＿４の通信装置＃４の図４７とは異なる位置関係を示している。したがって、図４８では、図４５で付加した番号を記載している。
【０７１５】
図４８の場合、４５０１の通信装置＃Ａは、４５０２＿１の通信装置＃１に送信する信号処理後の信号１０３−１が周波数変換後に使用するスペクトルとして、図４６の第１の周波数帯のスペクトル４６０１を使用し、４５０２＿２の通信装置＃２に送信する信号処理後の信号１０３−２が周波数変換後に使用するスペクトルとして、図４６の第１の周波数帯のスペクトル４６０１を使用し、４５０２＿３の通信装置＃３に送信する信号処理後の信号１０３−３が周波数変換後に使用するスペクトルとして、図４６の第１の周波数帯のスペクトル４６０１を使用し、４５０２＿４の通信装置＃４に送信する信号処理後の信号１０３−４が周波数変換後に使用するスペクトルとして、図４６の第２の周波数帯のスペクトル４６０２を使用するものとする。このとき、４５０２＿３の通信装置＃３に送信する信号処理後の信号１０３−３が周波数変換後に使用する周波数帯と４５０２＿４の通信装置＃４に送信する信号処理後の信号１０３−４が周波数変換後に使用する周波数帯が異なるのは、４５０１の送信装置＃Ａが、「４５０２＿３の通信装置＃３に送信する信号処理後の信号１０３−３が周波数変換後に使用する周波数帯と４５０２＿４の通信装置＃４に送信する信号処理後の信号１０３−４が周波数変換後に使用する周波数帯」を同じようにすると、４５０２＿３の通信装置＃３、４５０２＿４の通信装置＃４はビームの分離が困難のため、干渉が大きく、これにより、データの受信品質が低下するからである。
【０７１６】
上述のようにすることで高いデータの受信品質を確保しながら、周波数利用効率を向上することができるという効果を得ることができる。
【０７１７】
ここで、「４５０２＿１の通信装置＃１に送信する信号処理後の信号１０３−１」、「４５０２＿２の通信装置＃２に送信する信号処理後の信号１０３−２」、「４５０２＿３の通信装置＃３に送信する信号処理後の信号１０３−３」、「４５０２＿４の通信装置＃４に送信する信号処理後の信号１０３−４」の時間的な存在について説明する。
【０７１８】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０７１９】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０７２０】
なお、図４７のときにおいても、４５０１の通信装置＃Ａは、４５０２＿１の通信装置＃１に送信する信号処理後の信号１０３−１が周波数変換後に使用するスペクトルとして、図４６の第１の周波数帯のスペクトル４６０１を使用し、４５０２＿２の通信装置＃２に送信する信号処理後の信号１０３−２が周波数変換後に使用するスペクトルとして、図４６の第１の周波数帯のスペクトル４６０１を使用し、４５０２＿３の通信装置＃３に送信する信号処理後の信号１０３−３が周波数変換後に使用するスペクトルとして、図４６の第１の周波数帯のスペクトル４６０１を使用し、４５０２＿４の通信装置＃４に送信する信号処理後の信号１０３−４が周波数変換後に使用するスペクトルとして、図４６の第２の周波数帯のスペクトル４６０２を使用することができる。
【０７２１】
図４９は、図４５の４５０１の通信装置＃Ａ、４５０２＿１の通信装置＃１、４５０２＿２の通信装置＃２、４５０２＿３の通信装置＃３、４５０２＿４の通信装置＃４の図４７、図４８とは異なる位置関係を示している。したがって、図４９では、図４５で付加した番号を記載している。
【０７２２】
図４９の場合、４５０１の通信装置＃Ａは、４５０２＿１の通信装置＃１に送信する信号処理後の信号１０３−１が周波数変換後にスペクトルとして、図４６の第１の周波数帯のスペクトル４６０１を使用し、４５０２＿２の通信装置＃２に送信する信号処理後の信号１０３−２が周波数変換後に使用するスペクトルとして、図４６の第２の周波数帯のスペクトル４６０２を使用し、４５０２＿３の通信装置＃３に送信する信号処理後の信号１０３−３が周波数変換後に使用するスペクトルとして、図４６の第２の周波数帯のスペクトル４６０２を使用し、４５０２＿４の通信装置＃４に送信する信号処理後の信号１０３−４が周波数変換後に使用するスペクトルとして、図４６の第３の周波数帯のスペクトル４６０３を使用するものとする。このとき、４５０２＿１の通信装置＃１に送信する信号処理後の信号１０３−１が使用する周波数帯、４５０２＿３の通信装置＃３に送信する送信信号１０５−３が周波数変換後に使用する周波数帯、４５０２＿４の通信装置＃４に送信する信号処理後の信号１０３−４が周波数変換後に使用する周波数帯が異なるのは、４５０１の送信装置＃Ａが、「４５０２＿１の通信装置＃１に送信する信号処理後の信号１０３−１が周波数変換後に使用する周波数帯、４５０２＿３の通信装置＃３に送信する信号処理後の信号１０３−３が周波数変換後に使用する周波数帯と４５０２＿４の通信装置＃４に送信する信号処理後の信号１０３−４が周波数変換後に使用する周波数帯」を同じようにすると、４５０２＿１の通信装置＃１、４５０２＿３の通信装置＃３、４５０２＿４の通信装置＃４はビームの分離が困難のため、干渉が大きく、これにより、データの受信品質が低下するからである。
【０７２３】
上述のようにすることで高いデータの受信品質を確保しながら、周波数利用効率を向上することができるという効果を得ることができる。
【０７２４】
ここで、「４５０２＿１の通信装置＃１に送信する信号処理後の信号１０３−１」、「４５０２＿２の通信装置＃２に送信する信号処理後の信号１０３−２」、「４５０２＿３の通信装置＃３に送信する信号処理後の信号１０３−３」、「４５０２＿４の通信装置＃４に送信する信号処理後の信号１０３−４」の時間的な存在について説明する。
【０７２５】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０７２６】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０７２７】
なお、図４７のときにおいても、４５０１の通信装置＃Ａは、４５０２＿１の通信装置＃１に送信する信号処理後の信号１０３−１が周波数変換後に使用するスペクトルとして、図４６の第１の周波数帯のスペクトル４６０１を使用し、４５０２＿２の通信装置＃２に送信する信号処理後の信号１０３−２が周波数変換後に使用するスペクトルとして、図４６の第２の周波数帯のスペクトル４６０２を使用し、４５０２＿３の通信装置＃３に送信する信号処理後の信号１０３−３が周波数変換後に使用するスペクトルとして、図４６の第２の周波数帯のスペクトル４６０２を使用し、４５０２＿４の通信装置＃４に送信する信号処理後の信号１０３−４が周波数変換後に使用するスペクトルとして、図４６の第３の周波数帯のスペクトル４６０３を使用することができる。
【０７２８】
図５０は、図４５の４５０１の通信装置＃Ａ、４５０２＿１の通信装置＃１、４５０２＿２の通信装置＃２、４５０２＿３の通信装置＃３、４５０２＿４の通信装置＃４の図４７、図４８、図４９とは異なる位置関係を示している。したがって、図５０では、図４５で付加した番号を記載している。
【０７２９】
図５０の場合、４５０１の通信装置＃Ａは、４５０２＿１の通信装置＃１に送信する信号処理後の信号１０３−１が周波数変換後に使用するスペクトルとして、図４６の第１の周波数帯のスペクトル４６０１を使用し、４５０２＿２の通信装置＃２に送信する信号処理後の信号１０３−２が周波数変換後に使用するスペクトルとして、図４６の第２の周波数帯のスペクトル４６０２を使用し、４５０２＿３の通信装置＃３に送信する信号処理後の信号１０３−３が周波数変換後に使用するスペクトルとして、図４６の第２の周波数帯のスペクトル４６０２を使用し、４５０２＿４の通信装置＃４に送信する信号処理後の信号１０３−４が周波数変換後に使用するスペクトルとして、図４６の第１の周波数帯のスペクトル４６０１を使用するものとする。
【０７３０】
このとき、４５０２＿１の通信装置＃１に送信する信号処理後の信号１０３−１が周波数変換後に使用する周波数帯と４５０２＿２の通信装置＃２に送信する信号処理後の信号１０３−２が周波数変換後に使用する周波数帯、が異なるのは、４５０１の送信装置＃Ａが、「４５０２＿１の通信装置＃１に送信する信号処理後の信号１０３−１が周波数変換後に使用する周波数帯と４５０２＿２の通信装置＃２に送信する信号処理後の信号１０３−２が周波数変換後に使用する周波数帯」を同じようにすると、４５０２＿１の通信装置＃１、４５０２＿２の通信装置＃２はビームの分離が困難のため、干渉が大きく、これにより、データの受信品質が低下するからである。
【０７３１】
同様に、４５０２＿３の通信装置＃３に送信する信号処理後の信号１０３−３が周波数変換後に使用する周波数帯と４５０２＿４の通信装置＃４に送信する信号処理後の信号１０３−４が周波数変換後に使用する周波数帯、が異なるのは、４５０１の送信装置＃Ａが、「４５０２＿３の通信装置＃３に送信する信号処理後の信号１０３−３が周波数変換後に使用する周波数帯と４５０２＿４の通信装置＃４に送信する信号処理後の信号１０３−４が周波数変換後に使用する周波数帯」を同じようにすると、４５０２＿３の通信装置＃３、４５０２＿４の通信装置＃４はビームの分離が困難のため、干渉が大きく、これにより、データの受信品質が低下するからである。
【０７３２】
上述のようにすることで高いデータの受信品質を確保しながら、周波数利用効率を向上することができるという効果を得ることができる。
【０７３３】
ここで、「４５０２＿１の通信装置＃１に送信する信号処理後の信号１０３−１」、「４５０２＿２の通信装置＃２に送信する信号処理後の信号１０３−２」、「４５０２＿３の通信装置＃３に送信する信号処理後の信号１０３−３」、「４５０２＿４の通信装置＃４に送信する信号処理後の信号１０３−４」の時間的な存在について説明する。
【０７３４】
図５１は、４５０１の通信装置Ａが送信する変調信号のフレーム構成の一例を示しており、横軸時間におけるシンボルの配置の例を示している。図５１において、５１０１−１は、４５０２＿１の通信装置＃１宛のデータシンボル群、または、４５０２＿１の通信装置＃１宛のデータシンボル群の一部を示しており、５１０１−２は、４５０２＿２の通信装置＃２宛のデータシンボル群、または、４５０２＿２の通信装置＃２宛のデータシンボル群の一部を示しており、５１０１−３は、４５０２＿３の通信装置＃３宛のデータシンボル群、または、４５０２＿３の通信装置＃３宛のデータシンボル群の一部を示しており、５１０１−４は、４５０２＿４の通信装置＃４宛のデータシンボル群、または、４５０２＿４の通信装置＃４宛のデータシンボル群の一部を示している。
【０７３５】
「４５０２＿１の通信装置＃１宛のデータシンボル群、または、４５０２＿１の通信装置＃１宛のデータシンボル群の一部」５１０１＿１、「４５０２＿２の通信装置＃２宛のデータシンボル群、または、４５０２＿２の通信装置＃２宛のデータシンボル群の一部」５１０１−２、「４５０２＿３の通信装置＃３宛のデータシンボル群、または、４５０２＿３の通信装置＃３宛のデータシンボル群の一部」５１０１＿３、「通信装置＃４宛のデータシンボル群、または、４５０２＿４の通信装置＃４宛のデータシンボル群の一部」５１０１＿４はいずれも時間区間１に存在することになる。
【０７３６】
なお、図４７のときにおいても、４５０１の通信装置＃Ａは、４５０２＿１の通信装置＃１に送信する信号処理後の信号１０３−１が周波数変換後に使用するスペクトルとして、図４６の第１の周波数帯のスペクトル４６０１を使用し、４５０２＿２の通信装置＃２に送信する信号処理後の信号１０３−２が周波数変換後に使用するスペクトルとして、図４６の第２の周波数帯のスペクトル４６０２を使用し、４５０２＿３の通信装置＃３に送信する信号処理後の信号１０３−３が周波数変換後に使用するスペクトルとして、図４６の第２の周波数帯のスペクトル４６０２を使用し、４５０２＿４の通信装置＃４に送信する信号処理後の信号１０３−４が周波数変換後に使用するスペクトルとして、図４６の第１の周波数帯のスペクトル４６０１を使用することができる。
【０７３７】
また、図５０の場合、４５０１の通信装置＃Ａは、４５０２＿１の通信装置＃１に送信する信号処理後の信号１０３−１が周波数変換後に使用するスペクトルとして、図４６の第１の周波数帯のスペクトル４６０１を使用し、４５０２＿２の通信装置＃２に送信する信号処理後の信号１０３−２が周波数変換後に使用するスペクトルとして、図４６の第２の周波数帯のスペクトル４６０２を使用し、４５０２＿３の通信装置＃３に送信する信号処理後の信号１０３−３が周波数変換後に使用するスペクトルとして、図４６の第２の周波数帯のスペクトル４６０２を使用し、４５０２＿４の通信装置＃４に送信する信号処理後の信号１０３−４が周波数変換後に使用するスペクトルとして、図４６の第３の周波数帯のスペクトル４６０３を使用するものとしても、高いデータの受信品質を確保しながら、周波数利用効率を向上することができるという効果を得ることができる。
【０７３８】
さらに、図５０の場合、４５０１の通信装置＃Ａは、４５０２＿１の通信装置＃１に送信する信号処理後の信号１０３−１が周波数変換後に使用するスペクトルとして、図４６の第１の周波数帯のスペクトル４６０１を使用し、４５０２＿２の通信装置＃２に送信する信号処理後の信号１０３−２が周波数変換後に使用するスペクトルとして、図４６の第２の周波数帯のスペクトル４６０２を使用し、４５０２＿３の通信装置＃３に送信する信号処理後の信号１０３−３が周波数変換後に使用するスペクトルとして、図４６の第１の周波数帯のスペクトル４６０１を使用し、４５０２＿４の通信装置＃４に送信する信号処理後の信号１０３−４が周波数変換後に使用するスペクトルとして、図４６の第３の周波数帯のスペクトル４６０３を使用するものとしても、高いデータの受信品質を確保しながら、周波数利用効率を向上することができるという効果を得ることができる。
【０７３９】
なお、４５０２＿１の通信装置＃１、４５０２＿２の通信装置＃２、４５０２＿３の通信装置＃３、４５０２＿４の通信装置＃４は、例えば、図４の構成を具備しており、所望の信号を受信し、図４の受信部分を動作させることで、所望のデータを得ることになる。
【０７４０】
本実施の形態において、図５１における「通信装置＃１宛のデータシンボル群、または、通信装置＃１宛のデータシンボル群の一部５１０１−１」を生成するための変調方式および誤り訂正符号化方式、「通信装置＃２宛のデータシンボル群、または、通信装置＃２宛のデータシンボル群の一部５１０１−２」を生成するための変調方式および誤り訂正符号化方式、「通信装置＃３宛のデータシンボル群、または、通信装置＃３宛のデータシンボル群の一部５１０１−３」を生成するための変調方式および誤り訂正符号化方式、「通信装置＃４宛のデータシンボル群、または、通信装置＃４宛のデータシンボル群の一部５１０１−４」を生成するための変調方式および誤り訂正符号化方式を、同一の変調方式、同一の誤り訂正符号化方式にした場合、かつ、各チャネルの周波数帯域を同一とした場合、これらのデータシンボル群を送信する時間を短くすることができるという効果を得ることができる。また、同期して、これらのデータシンボル群を送信することができるという効果を得ることができる（データシンボル群の送信開始時間と送信終了時間をそろえることができる）。ただし、変調方式、または、誤り訂正符号化方式を異なるようにすることも可能である。
【０７４１】
また、本実施の形態では、４５０１の通信装置＃Ａは、４５０２＿１の通信装置＃１、４５０２＿２の通信装置＃２、４５０２＿３の通信装置＃３、４５０２＿４の通信装置＃４に第１のデータを含む変調信号を送信する場合について説明したが、４５０１の通信装置＃Ａは一つの通信装置に対し、第１のデータを含む変調信号を送信するとしてもよい。
【０７４２】
そして、例えば、図５２のように時間分割を用いることも可能である。なお、図５２において、図５１と同様のものに対しては同一番号を付しており、横軸は時間である。図５２に示すように、通信装置＃１宛のデータシンボル群、または、通信装置＃１宛のデータシンボル群の一部５１０１−１、通信装置＃２宛のデータシンボル群、または、通信装置＃２宛のデータシンボル群の一部５１０１−２、通信装置＃３宛のデータシンボル群、または、通信装置＃３宛のデータシンボル群の一部５１０１−３を、区間１を用いて、４５０１の通信装置＃Ａが送信し、通信装置＃４宛のデータシンボル群、または、通信装置＃４宛のデータシンボル群の一部５１０１−４を、区間２を用いて、４５０１の通信装置＃Ａが送信するものとする。
【０７４３】
例えば、４５０１の通信装置＃Ａ、４５０２＿１の通信装置＃１、４５０２＿２の通信装置＃２、４５０２＿３の通信装置＃３、４５０２＿４の通信装置＃４が図４９のような位置関係にあるとき、４５０１の通信装置＃Ａは、４５０２＿４の通信装置＃４にデータシンボルを送信する際、図５２のように区間２を用いて送信し、４５０２＿１の通信装置＃１、４５０２＿２の通信装置＃２、４５０２＿３の通信装置＃３にデータシンボルを送信する際、図５２のように区間１を用いて送信する。なお、４５０２＿１の通信装置＃１のデータシンボル群またはデータシンボル群の一部、４５０２＿２の通信装置＃２のデータシンボル群またはデータシンボル群の一部、４５０２＿３の通信装置＃３のデータシンボル群またはデータシンボル群の一部を送信する際の周波数帯の使用方法については、図４９の説明を行っているときと同様であればよい。
【０７４４】
このように、時間分割を行ってデータシンボルを送信するようにしても、上述の説明のような効果を得ることができる。
【０７４５】
なお、本実施の形態において、サーバー（４５０６＿４）と名づけ、本実施の形態の説明を行っているが、サーバーを通信装置に置き換えて本実施の形態を実施しても、同様に実施することができる。
【０７４６】
また、本実施の形態で説明した「４５０１の通信装置＃Ａと４５０２＿１の通信装置＃１の無線通信」、「４５０１の通信装置＃Ａと４５０２＿２の通信装置＃２の無線通信」、「４５０１の通信装置＃Ａと４５０２＿３の通信装置＃３の無線通信」、「４５０１の通信装置＃Ａと４５０２＿４の通信装置＃４の無線通信」は、他の実施の形態で説明したようなＭＩＭＯ伝送、つまり、送信用のアンテナが複数あり、また、受信アンテナが複数あり（1つでもよい）、送信装置が、複数の変調信号を、複数のアンテナから、同一周波数、同一時間に送信する方法であってもよい。また、変調信号を1つ送信する方法であってもよい。なお、このときの送信装置、受信装置の構成例については、他の実施の形態で説明したとおりである。
【０７４７】
（実施の形態９）
本実施の形態では、実施の形態８で説明した図４５の４５０１の通信装置＃Ａと４５０２＿４の通信装置＃４の通信の具体例を説明する。
【０７４８】
図４５に示しているとおり、４５０２＿４の通信装置＃４はネットワークに接続するための有線による通信を行うことができるものとする。
【０７４９】
例えば、「４５０１の通信装置＃Ａが４５０２＿４の通信装置＃４に無線通信でデータを伝送するときの最大のデータ伝送速度」が、「４５０２＿４の通信装置＃４が有している有線通信での最大のデータ伝送速度」よりはやいものとする（ただし、この条件を満たさなくても、本実施の形態の一部を実施することは可能である。）。
【０７５０】
このときの４５０２＿４の通信装置＃４の構成例を図５３に示す。図５３において、受信装置５３０３は、アンテナ５３０１で受信した受信信号５３０２を入力とし、復調、誤り訂正復号などの処理を行い、受信データ５３０４を出力する。例えば、図４５のとき、４５０１の通信装置＃Ａが送信したデータを含む変調信号を受信し、復調などの処理を行い、受信データ５３０４を得ることになる。
【０７５１】
なお、図５３では、アンテナ５３０１の1つのアンテナを具備する例を示しているが、受信用のアンテナを複数具備しており、複数の変調信号を受信し、復調するような装置であってもよい。
【０７５２】
記憶部５３０５は、受信データ５３０４を入力とし、受信データを一時的に記憶することになる。これは、「４５０１の通信装置＃Ａが４５０２＿４の通信装置＃４に無線通信でデータを伝送するときの最大のデータ伝送速度」が、「４５０２＿４の通信装置＃４が有している有線通信での最大のデータ伝送速度」よりはやいからで、あり、記憶部５３０５を具備していないと、受信データ５３０４の一部を失ってしまう可能性があるからである。
【０７５３】
インターフェース部５３０８は、記憶部から出力されるデータ５３０７を入力とし、インターフェース部５３０８を介し、有線通信用のデータ５３０９となる。
【０７５４】
有線通信用のデータ５３１０は、インターフェース部５３０８を介し、データ５３１１を生成し、送信装置５３１２は、データ５３１１を入力とし、誤り訂正符号化、マッピング、周波数変換等の処理を行い、送信信号５３１３を生成し、出力する。そして、送信信号５３１３は、アンテナ５３１４から電波として、出力され、通信相手にデータを送信することになる。
【０７５５】
次に、図５４について説明を行う。４５０２＿４の通信装置＃４は、図４５を用いて、実施の形態８で説明したように、通信装置＃Ａ４５０１からデータを得る。それに加え、４５０２＿４の通信装置＃４は、基地局やアクセスポイントのように、通信装置＃Ａ４５０１以外の端末と通信を行い、ネットワークを介して、例えば、サーバーに情報を提供する、または、サーバーから情報を得、通信装置＃Ａ４５０１以外の端末に情報を提供する機能を有しているものとする。図５４は、４５０２＿４の通信装置＃４が、通信装置＃Ａ４５０１以外の端末、つまり５４０１の通信装置＃Ｂ、５４０２の通信装置＃Ｃと通信を行っている様子を示している。
【０７５６】
図５４のように、例えば、５４０１の通信装置＃Ｂが変調信号を送信し、４５０２＿４の通信装置＃４がこの変調信号を受信する。そして、４５０２＿４の通信装置＃４は、この変調信号の復調を行い、受信データ４５０３＿４を得、出力する。また、受信データ４５０３＿４は、ネットワーク４５０４＿４を介し、例えば、サーバー４５０６＿４に送られる。
【０７５７】
また、図５４のように、サーバー４５０６＿４が出力したデータ５４５１は、ネットワーク４５０４＿４を介し、４５０２＿４の通信装置＃４に入力され、４５０２＿４の通信装置＃４は、誤り訂正符号化、変調などの処理が行われ、変調信号を生成し、５４０１の通信装置＃Ｂに送信する。
【０７５８】
同様に、例えば、５４０２の通信装置＃Ｃが変調信号を送信し、４５０２＿４の通信装置＃４がこの変調信号を受信する。そして、４５０２＿４の通信装置＃４は、この変調信号の復調を行い、受信データ４５０３＿４を得、出力する。また、受信データ４５０３＿４は、ネットワーク４５０４＿４を介し、例えば、サーバー４５０６＿４に送られる。
【０７５９】
また、図５４のように、サーバー４５０６＿４が出力したデータ５４５１は、ネットワーク４５０４＿４を介し、４５０２＿４の通信装置＃４に入力され、４５０２＿４の通信装置＃４は、誤り訂正符号化、変調などの処理が行われ、変調信号を生成し、５４０２の通信装置＃Ｃに送信する。
【０７６０】
図５５は、４５０２＿４の通信装置＃４と、４５０１の通信装置＃Ａおよび５４０１の通信装置＃Ｂの通信の様子の例を示している。
【０７６１】
まず、［５５−１］のように、４５０１の通信装置＃Ａは、４５０２＿４の通信装置＃４に対し、データを含む変調信号の送信を開始する。
【０７６２】
［５５−２］のように、４５０２＿４の通信装置＃４は、４５０１の通信装置＃Ａが送信した変調信号の受信を開始する。そして、４５０２＿４の通信装置＃４が具備する記憶部５３０５は、受信によって得られたデータの記憶を開始する。
【０７６３】
［５５−３］のように、４５０２＿４の通信装置＃４は、４５０１の通信装置＃Ａとの通信を完了し、データの記憶を完了する。
【０７６４】
［５５−４］のように、４５０２＿４の通信装置＃４は、記憶部５３０５が保持している４５０１の通信装置＃Ａから得られたデータをサーバー４５０６＿４へ転送を開始する。
【０７６５】
なお、データの転送は、［５５−３］のデータの記憶の完了前に開始してもよい。
【０７６６】
［５５−５］のように、サーバー４５０６＿４は、４５０２＿４の通信装置＃４が転送した（４５０１の通信装置＃Ａから得られた）データの受信を開始する。
【０７６７】
［５５−６］のように、サーバー４５０６＿４は、４５０２＿４の通信装置＃４が転送した（４５０１の通信装置＃Ａから得られた）データの受信を完了する。
【０７６８】
［５５−７］のように、サーバー４５０６＿４は、４５０２＿４の通信装置＃４が転送した（４５０１の通信装置＃Ａから得られた）データの受信を完了したことを４５０２＿４の通信装置＃４に通知する。
【０７６９】
［５５−８］４５０２＿４の通信装置＃４は、サーバー４５０６＿４から、「データの受信を完了した」という通知を受ける。
【０７７０】
［５５−９］４５０２＿４の通信装置＃４は、記憶部５３０５が保持している４５０１の通信装置＃Ａから得られたデータを削除する。
【０７７１】
なお、この削除を行ったことを通信装置＃Ａに通知してもよい。
【０７７２】
［５５−１０］５４０１の通信装置＃Ｂは、４５０１の通信装置＃Ａとの通信を開始する。
【０７７３】
図５５において、「４５０２＿４の通信装置＃４は、記憶部５３０５が保持している４５０１の通信装置＃Ａから得られたデータを削除する機能」が重要となる。これにより、４５０１の通信装置＃Ａのデータを他の通信装置に盗まれる可能性を低くすることができるという効果を得ることができる。
【０７７４】
図５６は、４５０２＿４通信装置＃４と、４５０１の通信装置＃Ａおよび５４０１の通信装置＃Ｂの通信の様子の図５５とは異なる例を示している。
【０７７５】
まず、［５６−１］のように、４５０１の通信装置＃Ａは、４５０２＿４の通信装置＃４に対し、データを含む変調信号の送信を開始する。
【０７７６】
［５６−２］のように、４５０２＿４の通信装置＃４は、４５０１の通信装置＃Ａが送信した変調信号の受信を開始する。そして、４５０２＿４の通信装置＃４が具備する記憶部５３０５は、受信によって得られたデータの記憶を開始する。
【０７７７】
［５６−３］のように、４５０２＿４の通信装置は、４５０１の通信装置＃Ａとの通信を完了し、データの記憶を完了する。そして、記憶したデータを複数のファイルに分割するものとする。このとき、Ｎ個のファイルを作成するものとする。なお、Ｎは１以上の整数、または、２以上の整数とする（以下では、第１のファイル、第２のファイル、・・・、第Ｎのファイルと名づけるものとする。）。
【０７７８】
［５６−４］のように、４５０２＿４の通信装置＃４は、記憶部５３０５が保持している４５０１の通信装置＃Ａから得られたデータのうちの第１のファイルのデータを４５０６＿４へ転送を開始する。
【０７７９】
なお、データの転送は、［５６−３］のデータの記憶の完了前に開始してもよい。
【０７８０】
［５６−５］のように、サーバー４５０６＿４は、４５０２＿４の通信装置＃４が転送した（４５０１の通信装置＃Ａから得られた）データのうちの第１のファイルのデータの受信を開始する。
【０７８１】
［５６−６］のように、サーバー４５０６＿４は、通信装置４５０２＿４の通信装置＃４が転送した第１ファイルのデータの受信を完了する。
【０７８２】
［５６−７］のように、サーバー４５０６＿４は、４５０２＿４の通信装置＃４が転送した第１ファイルのデータの受信を完了したことを４５０２＿４の通信装置＃４に通知する。
【０７８３】
［５６−８］４５０２＿４の通信装置＃４は、サーバー４５０６＿４から、「第１ファイルのデータの受信を完了した」という通知を受ける。
【０７８４】
［５６−９］５４０１の通信装置＃Ｂは、４５０１の通信装置＃Ａとの通信を開始する。
【０７８５】
［５６−１０］サーバー４５０６＿４は、４５０２＿４の通信装置＃４を介し、５４０１の通信装置＃Ｂが送信したデータを受信する。
【０７８６】
［５６−１１］これに対し、例えば、サーバー４５０６＿４は、データを送信する。
【０７８７】
［５６−１２］のように、５４０１の通信装置＃Ｂは、４５０２＿４の通信装置＃４を介し、サーバー４５０６＿４が送信したデータを受信する。
【０７８８】
［５６−１３］のように、４５０２＿４の通信装置＃４は、記憶部５３０５が保持している４５０１の通信装置＃Ａから得られたデータのうちの第２のファイルのデータを４５０６＿４へ転送を開始する。
【０７８９】
［５６−１４］のように、サーバー４５０６＿４は、４５０２＿４の通信装置＃４が転送した（４５０１の通信装置＃Ａから得られた）データのうちの第２のファイルのデータの受信を開始する。
【０７９０】
［５６−１５］のように、サーバー４５０６＿４は、通信装置４５０２＿４の通信装置＃４が転送した第２ファイルのデータの受信を完了する。
【０７９１】
・・・
図５６において、「４５０２＿４の通信装置＃４は、記憶部５３０５が保持している４５０１の通信装置＃Ａから得られたデータを削除する機能」が重要となる。これにより、４５０１の通信装置＃Ａのデータを他の通信装置に盗まれる可能性を低くする（安全性の確保）ことができるという効果を得ることができる。
【０７９２】
これに対し、以下の２つの方法がある。
【０７９３】
第１の方法：
図５６の［５６−８］において、サーバーが送信した「第１ファイルのデータの受信完了」の通知を受けた４５０２＿４の通信装置＃４は、第１のファイルのデータをこの時点で削除する（したがって、４５０２＿４の通信装置＃４は、サーバーが送信した「第Ｘのファイルのデータの受信完了」の通知を受け、第Ｘのファイルのデータを削除することになる。このとき、Ｘは１以上Ｎ以下の整数となる。）。
【０７９４】
第１の方法の変形例として、４５０２＿４の通信装置＃４は、サーバーに、第Ｘのファイルのデータの送信の完了とともに、第Ｘのファイルのデータを削除するとしてもよい。
【０７９５】
第２の方法：
４５０２＿４の通信装置＃４が、第１から第Ｎのファイルのデータの送信を完了し、サーバーから、すべてのファイルのデータの受信が完了したという通知を、４５０２＿４の通信装置＃４が受け、その後、第１から第Ｎのファイルのデータを削除する。
【０７９６】
第２の方法の変形例として、４５０２＿４の通信装置＃４は、サーバーに、第１から第Ｎのファイルのデータの送信の完了とともに、第１から第Ｎのファイルのデータを削除するとしてもよい。
【０７９７】
以上のように、「第１の通信装置が第２の通信装置に無線通信でデータを伝送するときの最大のデータ伝送速度」が、「第２の通信装置が有している有線通信での最大のデータ伝送速度」よりはやい際、第１の通信装置が送信したデータを受信した第２の通信装置は、このデータを記憶部に記憶し、記憶したデータを、第２の通信装置は他の通信装置に送信した後、第２の通信装置は記憶したデータを削除することで、データの安全性を確保できるという効果を得ることができる。
【０７９８】
「第１の通信装置が第２の通信装置に無線通信でデータを伝送するときの最大のデータ伝送速度」が、「第２の通信装置が有している有線通信での最大のデータ伝送速度」よりはやい」について、説明する。
【０７９９】
例えば、第１の通信装置が、第２の通信装置に無線通信でデータを伝送するときの周波数帯域をＡ［Ｈｚ］とする。このとき、例えば、誤り訂正符号を用いず、１ストリーム送信、ＢＰＳＫを用いたときの伝送速度は、約Ａ［ｂｐｓ（bit per second）］となり、誤り訂正符号を用いず、１ストリーム送信、ＱＰＳＫを用いたときの伝送速度は、約２×Ａ［ｂｐｓ（bit per second）］となり、誤り訂正符号を用いず、１ストリーム送信、１６ＱＡＭを用いたときの伝送速度は、約４×Ａ［ｂｐｓ（bit per second）］となり、誤り訂正符号を用いず、１ストリーム送信、６４ＱＡＭを用いたときの伝送速度は、約６×Ａ［ｂｐｓ（bit per second）］となる。さらに、２ストリーム送信（例えば、ＭＩＭＯ伝送）、ＢＰＳＫを用いたときの伝送速度は、約２×Ａ［ｂｐｓ（bit per second）］となり、２ストリーム送信、ＱＰＳＫを用いたときの伝送速度は、約４×Ａ［ｂｐｓ（bit per second）］となり、誤り訂正符号を用いず、２ストリーム送信、１６ＱＡＭを用いたときの伝送速度は、約８×Ａ［ｂｐｓ（bit per second）］となり、誤り訂正符号を用いず、２ストリーム送信、６４ＱＡＭを用いたときの伝送速度は、約１２×Ａ［ｂｐｓ（bit per second）］となる。
【０８００】
「第２の通信装置が有している有線通信での最大のデータ伝送速度」をＢ［ｂｐｓ］とする。
【０８０１】
このとき、Ａ≧Ｂとすると、設定可能な通信パラメータの多くケースで、「「第１の通信装置が第２の通信装置に無線通信でデータを伝送するときの最大のデータ伝送速度」が、「第２の通信装置が有している有線通信での最大のデータ伝送速度」よりはやい」を満たすことになる（ただし、この条件を満たさなくても、本実施の形態の一部を実施することは可能である。）。
【０８０２】
したがって、Ａ≧Ｂを満たし、第１の通信装置が送信したデータを受信した第２の通信装置は、このデータを記憶部に記憶し、記憶したデータを、第２の通信装置は他の通信装置に送信した後、第２の通信装置は記憶したデータを削除することでも、データの安全性を確保できるという効果を得ることができる。
【０８０３】
なお、本実施の形態において、サーバー（４５０６＿４）と名づけ、本実施の形態の説明を行っているが、サーバーを通信装置に置き換えて本実施の形態を実施しても、同様に実施することができる。
【０８０４】
また、ネットワーク４５０４＿４が無線通信に基づくネットワークであってもよい。このとき、「「第１の通信装置が第２の通信装置に第１の無線通信でデータを伝送するときの最大のデータ伝送速度」が、「第２の通信装置が有している第１の無線通信とは異なる第２の無線通信での最大のデータ伝送速度」よりはやい」ことが重要となる。さらに、「第２の通信装置が有している第２の無線通信での最大のデータ伝送速度」をＢ［ｂｐｓ］とすると、Ａ≧Ｂを満たすことが重要となる（ただし、この条件を満たさなくても、本実施の形態の一部を実施することは可能である。）。
【０８０５】
また、本実施の形態で説明した「４５０１の通信装置＃Ａと４５０２＿１の通信装置＃１の無線通信」、「４５０１の通信装置＃Ａと４５０２＿２の通信装置＃２の無線通信」、「４５０１の通信装置＃Ａと４５０２＿３の通信装置＃３の無線通信」、「４５０１の通信装置＃Ａと４５０２＿４の通信装置＃４の無線通信」、「５４０１の通信装置＃Ｂと４５０２＿４の通信装置＃４の無線通信」、「５４０２の通信装置＃Ｃと４５０２＿４の通信装置＃４の無線通信」は、他の実施の形態で説明したようなＭＩＭＯ伝送、つまり、送信用のアンテナが複数あり、また、受信アンテナが複数あり（1つでもよい）、送信装置が、複数の変調信号を、複数のアンテナから、同一周波数、同一時間に送信する方法であってもよい。また、変調信号を1つ送信する方法であってもよい。なお、このときの送信装置、受信装置の構成例については、他の実施の形態で説明したとおりである。
【０８０６】
（実施の形態１０）
本実施の形態では、実施の形態９の実施例について説明を行う。
【０８０７】
図５７において、５７００は通信装置であり、５７５０は送電装置、５７９０は装置である。そして、図５８において、５８００は図５７の５７９０の装置であり、５８２１はサーバーである。
【０８０８】
このとき、図５７の通信装置５７００と送電装置５７５０は、例えば、無線による通信を行っているものとする。
【０８０９】
また、図５７の送電装置５７５０は、送電を行っており、通信装置５７００は受電を行い、電池の充電を行うものとする。
【０８１０】
そして、図５７の送電装置５７５０は装置５７９０と通信を行っているものとする（例えば、有線による通信とする。ただし、無線通信であってもよい。）。
【０８１１】
また、図５８に示すように、装置５８００（つまり、図５７の装置５７９０）は、ネットワーク５８１７を介し、サーバー５８２１と通信を行うものとする。
【０８１２】
このとき、「通信装置５７００が送電装置５７５０に無線通信でデータを伝送するときの最大のデータ伝送速度」が、「装置５８００（つまり、図５７の装置５７９０）が有している有線通信（または、無線通信）での最大のデータ伝送速度」よりはやいものとする（ただし、この条件を満たさなくても、本実施の形態の一部を実施することは可能である。）。
【０８１３】
別の表現をすると、通信装置５７００が送電装置５７５０に無線通信でデータを伝送するときの周波数帯域をＡ［Ｈｚ］、装置５８００（つまり、図５７の装置５７９０）が有している有線通信（または、無線通信）の最大伝送速度をＢ［ｂｐｓ］とすると、Ａ≧Ｂを満たすものとする（ただし、この条件を満たさなくても、本実施の形態の一部を実施することは可能である。）。
【０８１４】
次に、図５７の具体的な動作例を説明する。送電装置５７５０の送電部５７５３は、インターフェース５７５１からの給電５７５２、および／または、外部電源からの給電５７６５を入力とし、送電信号５７５４を出力し、送電信号５７５４は、送電アンテナ５７５５から無線で送信される。
【０８１５】
通信装置５７００の制御部５７０３は、受電アンテナ５７０１で受信した受信信号５７０２を入力とする。
【０８１６】
上述の説明において、送電アンテナ５７５５と記載したが、送電コイルであってもよい。また、受電アンテナ５７０１と記載したが、受電コイルであってもよい。
【０８１７】
そして、制御部５７０３は、給電信号５７０４、および、制御信号５７０５を出力する。電池５７０６は、給電信号５７０４を入力とすることで、充電が行われることになる。
【０８１８】
制御部５７０３は、電圧、電流などに基づいて、受電中であるかどうかを知り、受電中であるかどうかに関する情報を含む制御信号５７０５を出力する。なお、受電に関連する部分が、通信機能を有し、通信により、受電中であるかどうかを制御部５７０３は知り、受電中であるかどうかに関する情報を含む制御信号５７０５を出力するとしてもよい。また、制御信号５７０５は、これらの情報以外の制御情報を含んでいてもよい。
【０８１９】
データ蓄積部５７１１は、データ５７１０を入力とし、データを蓄積する。なお、データ５７１０は、通信装置５７００が生成したデータであってもよい。
【０８２０】
そして、データ蓄積部５７１１は、制御信号５７０５を入力とし、制御信号５７０５に基づいて、データ蓄積部５７１１で蓄積しているデータ５７１２を出力する。
【０８２１】
通信制御部５７０８は、制御情報５７０７を入力とし、通信制御信号５７０９を出力する。
【０８２２】
送受信部５７１３は、データ５７１２、制御信号５７０５、通信制御信号５７０９を入力とし、制御信号５７０５、通信制御信号５７０９に基づいて、送信方法などを決定し、データ５７１２を含んだ変調信号を生成し、送信信号５７１４を出力し、通信用アンテナ５７１５から、例えば、電波として出力する。
【０８２３】
また、送受信部５７１３は、通信用アンテナ５７１５で受信した受信信号５７１６を入力とし、復調、誤り訂正復号などの処理を行い、受信データ５７１７を出力する。
【０８２４】
送電装置５７５０の制御部５７５７は、給電５７５２、および、装置５７９０からの情報５７５６を入力とし、通信制御信号５７５８を出力する。
【０８２５】
通信用アンテナ５７５９は、通信相手（通信装置５７００）が送信した送信信号を受信する。送受信部５７６１は、通信用アンテナ５７５９が受信した受信信号５７６０、および、通信制御信号５７５８を入力とし、復調、誤り訂正復号などの処理を行い、受信データ５７６２を出力する。
【０８２６】
また、送受信部５７６１は、データ５７６３、通信制御信号５７５８を入力とし、通信制御信号５７５８に基づいて、変調方式、送信方法などを決定し、変調信号を生成し、送信信号５７６４を出力する。そして、送信信号５７６４は、通信用アンテナ５７５９から、電波として出力される。
【０８２７】
信号５７９１は、送電装置５７５０に入力、および、出力される。また、信号５７９１は、装置５７９０に入力、および、出力される。
【０８２８】
そして、信号５７９１は、給電５７５２、情報５７５６、受信５７６２、データ５７６３を含んでいることになる。インターフェース５７５１は、「信号５７９１」と「給電５７５２、情報５７５６、受信５７６２、データ５７６３」のためのインターフェースとなる。
【０８２９】
図５８は、図５７の装置５７９０の構成（装置５８００）および、装置５８００と接続されるネットワーク５８１７、サーバー５８２１を示している。
【０８３０】
変換部５８０２は、例えば、外部電源からＡＣ（Alternating Current）給電５８０１を入力とし、ＡＣ−ＤＣ（Direct Current）変換が行われ、ＤＣ給電５８０３を出力する。ＤＣ給電５８０３は、インターフェース５８０４を介し、５８０５となる。
【０８３１】
記憶部（例えば、ストレージ）５８１３は、装置５８００が記憶部を有していることを通知するための通知信号５８１４を出力する。そして、モデム部５８１１は、通知信号５８１４を入力とし、図５７の送電装置５７５０に記憶部を具備していることを通知するために、「記憶部を具備している」ことを示す情報を含むデータ（または、変調信号）５８１０を出力する。そして、データ（または、変調信号）５８１０は、インターフェース５８０４を介し、５８０９となる。
【０８３２】
モデム部５８１１は、図５７の送電装置５７５０から得たデータ５８０６を、インターフェース５８０４を介して、５８０７として入力とする。そして、モデム部５８１１は、データを記憶部５８１３に記憶するかどうかの判断を行う。記憶部５８１３に記憶すると判断した場合、制御信号５８１２は、「記憶部にデータを記憶する」という通知情報を含むことになる。また、モデム部５８１１は、得たデータ５８０７を５８１６として出力する。
【０８３３】
そして、記憶部５８１３は、データ５８１６を記憶することになる。
【０８３４】
また、モデム部５８１１は、ネットワーク５８１８を介し、サーバー５８２１にデータを送信する場合がある。例えば、記憶部５８１３に記憶しているデータをサーバー５８２１に送信する場合がある。モデム部５８１１は、記憶部５８１３に対し、記憶部５８１３が具備しているデータをサーバー５８２１に送信する通知の情報を含む制御信号５８１２を出力する。
【０８３５】
すると、記憶部５８１３は、制御信号５８１２に含まれている「記憶部５８１３が具備しているデータをサーバー５８２１に送信する通知の情報」を受け、記憶しているデータ５８１５を出力する。
【０８３６】
そして、モデム部５８１１は、記憶しているデータ５８１５を入力とし、このデータに相当するデータ（または、このデータを含む変調信号）５８１６を出力する。データ（または、変調信号）５８１６（５８２０）は、ネットワーク５８１８を介して、サーバー５８２１に届けられる。そして、サーバー５８２１は、必要であれば、他の装置にデータを送信する（５８２２）。
【０８３７】
サーバー５８２１は、他の装置からのデータ５８２３を入力とし、ネットワークを介し、モデム部５８１１に届けられることになる。そして、必要であれば、モデム部５８１１は、サーバー５８２１から得たデータ（または、このデータを含んだ変調信号）を図５７の送電装置５７５０に送信することになる。
【０８３８】
なお、「通信装置５７００が送電装置５７５０に無線通信でデータを伝送するときの最大のデータ伝送速度」は、図５８の５８１６、５８１９の最大のデータの伝送速度よりはやいものとする（ただし、この条件を満たさなくても、本実施の形態の一部を実施することは可能である。）。
【０８３９】
別の表現をすると、通信装置５７００が送電装置５７５０に無線通信でデータを伝送するときの周波数帯域をＡ［Ｈｚ］、図５８の５８１６、５８１９の最大伝送速度をＢ［ｂｐｓ］とすると、Ａ≧Ｂを満たすものとする（ただし、この条件を満たさなくても、本実施の形態の一部を実施することは可能である。）。
【０８４０】
また、図５８のデータ伝送５８０６、５８０９は、十分なデータの伝送速度を確保できるものとする。
【０８４１】
次に、「図５７の通信装置５７００、図５７の送電装置５７５０、図５７の装置５７９０（図５８の装置５８００に相当する）、図５８のサーバー５８２１」の具体的な通信例を、図５９、図６０を用いて説明する。
【０８４２】
図５９に示すように、
［５９−１］まず、図５７の装置５７９０、つまり、図５８の装置５８００は、記憶部５８１３を具備していることを、図５７の送電装置５７５０に通知する。
【０８４３】
［５９−２］送電装置５７５０は、この通知を受け、「図５７の装置５７９０、つまり、図５８の装置５８００が記憶部５８１３を具備している」ことを認識する。
【０８４４】
［５９−３］図５７の通信装置５７００は、図５７の送電装置５７５０に対し、給電の要求を行う。
【０８４５】
［５９−４］これを受け、図５７の送電装置５７５０は、図５７の通信装置５７００に対し、送電を開始する。
【０８４６】
［５９−５］したがって、図５７の通信装置５７００は、受電を開始することになる、つまり、図５７の通信装置５７００が具備する電池の充電が開始されることになる。
【０８４７】
［５９−６］そして、図５７の通信装置５７００は、受電の開始に伴い、図５７の送電装置５７５０に対し、データ転送の要望を通知する。
【０８４８】
図５７の通信装置が、受電に伴い、データ転送の要求を送電装置５７５０に対し行うことにより、高いデータの伝送速度を得ることができるという効果を得ることができる。受電ができることから、データ伝送における通信距離は非常に短くなるため通信環境は良好となる可能性が高くなり、高いデータ伝送を行うことができる変調方式、誤り訂正符号化方式を変調方式を送信する際に、図５７の通信装置が選択することができるようになるからである。
【０８４９】
［５９−７］図５７の送電装置５７５０は、図５７の通信装置５７００からのデータ転送の要望の通知を受け、「送電装置５７５０が記憶部５８１３を具備する装置５８００と接続している」ことを、送電装置５７５０は、図５７の通信装置に通知する。
【０８５０】
［５９−８］図５７の通信装置５７００は、この通知を受け、伝送方法（送信方法）を決定する。このとき、「「通信装置５７００が送電装置５７５０に無線通信でデータを伝送するときの最大のデータ伝送速度」が、図５８の５８１６、５８１９の最大のデータの伝送速度よりはやい」を満たす伝送方式を、通信装置５７００は選択することになる。別の表現を行うと、通信装置５７００が送電装置５７５０に無線通信でデータを伝送するときの周波数帯域をＡ［Ｈｚ］、図５８の５８１６、５８１９の最大伝送速度をＢ［ｂｐｓ］とすると、Ａ≧Ｂを満たす伝送方式を、通信装置５７００は選択することになる。
【０８５１】
実施の形態９で説明したように、このような選択を行っても、データの一部を通信中に失う可能性を低くすることができる。
【０８５２】
［５９−９］そして、図５７の通信装置５７００は、（無線による）データ伝送を開始する。
【０８５３】
［５９−１０］［５９−９］において、図５７の通信装置５７００が送信したデータを、送電装置５７５０は受信し、送電装置５７５０は、図５７の装置５７９０、つまり、図５８の装置５８００にデータを送信することになる。そして、図５７の装置５７９０、つまり、図５８の装置５８００は、データを受信することになり、この受信したデータを図５８の記憶部５８１３に記憶する。
【０８５４】
［５９−１１］そして、図５７の通信装置５７００は、（無線による）データ伝送を完了する。
【０８５５】
［５９−１２］［５９−１１］のデータ伝送の完了に伴い、図５７の装置５７９０、つまり、図５８の装置５８００は、受信したデータの記憶部５８１３への記憶を完了する。
【０８５６】
図５９の［５９−１２］の記憶の完了に伴い、図６０の動作に移行することができる。図６０は、図５７の装置５７９０、つまり、図５８の装置５８００と図５８のサーバー５８２１の通信の様子の例を示している。
【０８５７】
［６０−１］図５７の装置５７９０、つまり、図５８の装置５８００は、記憶部５８１３が記憶しているデータを、ネットワーク５８１８を介して、サーバー５８２１に対して送信を開始する。
【０８５８】
［６０−２］図５８のサーバー５８２１は、このデータの受信を開始する。
【０８５９】
［６０−３］例えば、図５８のサーバー５８２１は、受信したデータを他のシステムに対して送信する。
【０８６０】
［６０−４］図５７の装置５７９０、つまり、図５８の装置５８００は、記憶部５８１３が記憶しているデータの送信を完了する。
【０８６１】
［６０−５］図５８のサーバー５８２１は、このデータの受信を完了する。
【０８６２】
［６０−６］例えば、図５８のサーバー５８２１は、受信したデータを他のシステムへの送信を完了する。
【０８６３】
以上のように、図５７の通信装置５７００は、通信相手である図５７の５７５０の送電装置が、記憶部をもつ装置と接続されていることを認識し、これに基づき、通信方法を選択することで、他のシステムにデータを伝送することによるデータの損失の可能性を低くすることができるという効果を得ることができる。
【０８６４】
なお、上述の説明において、「図５７の通信装置５７００と送電装置５７５０」の無線通信は、他の実施の形態で説明したようなＭＩＭＯ伝送、つまり、送信用のアンテナが複数あり、また、受信アンテナが複数あり（1つでもよい）、送信装置が、複数の変調信号を、複数のアンテナから、同一周波数、同一時間に送信する方法であってもよい。また、変調信号を1つ送信する方法であってもよい。なお、このときの送信装置、受信装置の構成例については、他の実施の形態で説明したとおりである。
【０８６５】
また、図５７の通信装置５７００は、携帯電話端末に搭載されてもよいし、車などの乗り物に搭載されるというような例が考えられる。そして、装置５７９０は、基地局、アクセスポイント、コンピュータ、サーバーなどに搭載されるというような例が考えられる。
【０８６６】
図５７に示した送電装置５７５０における通信用アンテナ配置に関する課題について図６１を用いて説明する。
【０８６７】
図６１において、６１００は、図５７の送電装置の外形を示している。そして、６１０１は送電コイル５７５５を示している。なお、図５７では「送電コイル」を「送電アンテナ」と記載している。
【０８６８】
このとき、図５７の通信装置５７００において、受電アンテナ５７０１は、受電コイルが搭載されていることになる。
【０８６９】
６１５０、６１５１、６１５２は図５７の通信装置５７００の外形を示している。図６１に示すように、図５７の通信装置５７００を使用するユーザは、通信装置５７００において受電を行う場合、通信装置５７００を６１５０のように配置するケース、６１５１のように配置するケース、６１５２のように配置するケースなど、さまざまなケースが考えられる。
【０８７０】
このようなケースにおいて通信装置５７００と送電装置５７５０が無線通信を行う際、データ伝送速度の速い通信方法を選択し、かつ、高いデータの受信品質を得たいという要求、つまり、このような課題がある。
【０８７１】
また、送電装置５７５０と通信を行う通信装置５７００について考えた場合、ユーザによって、保有している通信装置が異なるため、例えば、通信用アンテナ５７１５の例えば配置は、通信装置ごとに異なる可能性があり、このような条件下においても、通信装置５７００と送電装置５７５０が無線通信を行う際、データ伝送速度の速い通信方法を選択し、かつ、高いデータの受信品質を得たいという要求、つまり、このような課題がある。
【０８７２】
本実施の形態は、この課題を克服するための図５７における送電装置５７５０の構成について説明する。
【０８７３】
図６２に、図５７の送電装置５７５０における通信用アンテナ５７５９、送電コイル５７５５の好適な配置例を示している。なお、図６２において、図６１と同様に動作するものについては、同一番号を付しており、説明を省略する。
【０８７４】
図６２において、６２０１＿１、６２０１＿２、６２０１＿３、６２０１＿４、６２０１＿５、６２０１＿６、６２０１＿７、６２０１＿８は、送電装置５７５０の通信用のアンテナである。
【０８７５】
図６２に示すように、送電装置５７５０は、通信装置５７００が具備している受電コイル５７０１に対し、送電する必要があるため、例えば、図６２のように中心付近に送電コイル６１０１（図５７の送電コイル５７５５に相当する）を配置するものとする。
【０８７６】
このとき、送電コイル５７５５が円状に配置される（閉ループが構成される）。その様子が、図６２の６１０１の黒い部分になる。したがって、この円状の内側と外側に、空間が生まれることになる。
【０８７７】
このとき、円状のコイルの内側、および、円状のコイルの外側に送電装置５７５０の通信用のアンテナを配置する。図６２の例では、円状のコイルの内側に通信用アンテナ６２０１＿５、６２０１＿６、６２０１＿７、６２０１＿８を配置し、円状のコイルの外側に通信用アンテナ６２０１＿１、６２０１＿２、６２０１＿３、６２０１＿４を配置する。
【０８７８】
このように送電装置５７５０の通信用のアンテナを配置すると、平面６１００に対し、通信用アンテナを密に配置することになるので、通信装置５７００が、平面６１００に対し、どのように配置されても、通信装置５７００および送電装置５７５０において、変調信号の受信電界強度を確保することができる可能性が高くなる。これにより、データ伝送速度の速い通信方法の選択、および、高いデータの受信品質の確保が可能となるという効果を得ることができる。また、このように送電装置５７５０の通信用のアンテナを配置すると、通信装置５７００が通信アンテナをどのように配置され、具備されているときも、平面６１００に対し、通信用アンテナを密に配置することになるので、通信装置５７００および送電装置５７５０において、変調信号の受信電界強度を確保することができる可能性が高くなる。
【０８７９】
なお、送電装置５７５０の通信用アンテナを配置は、図６１のような配置に限ったものではなく、例えば、図６２、図６３、図６４のように、送電装置５７５０の通信用アンテナを配置してもよい。なお、図６２、図６３、図６４において、図６１と同様に動作するものについては、同一番号を付しており、説明を省略する。このとき、特長的な点は、通信用アンテナ６２０１＿５、６２０１＿６、６２０１＿７、６２０１＿８において、四角形を生成している点である。
【０８８０】
また、円状のコイルの内側に４つの通信用アンテナ、円状のコイルの外側に４つの通信用アンテナという構成以外の構成であってもよい。
【０８８１】
例えば、円状のコイルの内側に１、または、２以上の送電装置５７５０の通信用アンテナを配置し、円状のコイルの外側に１、または、２以上の送電装置５７５０の通信用のアンテナを配置しても、上述と同様の効果を得ることができる。
【０８８２】
また、円状のコイルの内側にＮ個（Ｎは１以上、または、２以上の整数）の送電装置５７５０の通信用アンテナを配置し、円状のコイルの外側にＭ個（Ｍは１以上、または、２以上の整数）の送電装置５７５０の通信用アンテナを配置したとき、Ｎ＝Ｍを満たしてもよいし、Ｎ≠Ｍであってもよい。また、ＭがＮより大きいとよりアンテナを密に配置することが可能となることがある。
【０８８３】
図６５、図６６は、Ｎ≠Ｍのときの通信用アンテナの配置の一例である。なお、図６５、図６６において、図６１、図６２と同様に動作するものについては、同一番号を付している。図６５、図６６において、６２０１＿１、６２０１＿２、６２０１＿３、６２０１＿４、６２０１＿５、６２０１＿６、６２０１＿７、６２０１＿８、６２０１＿９は、送電装置５７５０の通信用アンテナである。
【０８８４】
また、円状のコイルの内側に着目した場合、送電装置５７５０の通信用アンテナを、図６７、図６８のように配置した場合、通信アンテナをより密に配置することができる。なお、図６７、図６８において、図６１、図６２と同様に動作するものについては、同一番号を付している。そして、６２０１＿１、６２０１＿２、６２０１＿３、６２０１＿４、６２０１＿５、６２０１＿６、６２０１＿７、６２０１＿８、６２０１＿９、６２０１＿１０、６２０１＿１１は、送電装置５７５０の通信用のアンテナである。このとき、特長的な点は、６２０１＿５、６２０１＿６、６２０１＿７、６２０１＿８、６２０１＿９、６２０１＿１０により、六角形が生成されている点である。
【０８８５】
そして、図６２、図６３、図６４、図６５、図６６、図６７、図６８などにおいて、送電装置５７５０の送電コイル５７５５は円状でなくてもよい。例えば、送電コイル５７５５は閉ループが構成されており、閉ループの内側と外側に、空間が生まれ、閉ループの内側に送電装置５７５０の通信用アンテナを配置するとともに、閉ループの外側にも送電装置５７５０の通信用アンテナを配置するというような方法が考えられる。このとき、閉ループの内側に配置する通信用アンテナの個数、閉ループの外側に配置する通信用アンテナの個数については、「円状の内側に通信用アンテナを配置し、また、円状の外側に通信用のアンテナを配置する」ときと同様に実施する方法であってもよい。
【０８８６】
これまでに、送電装置５７５０の通信用アンテナの配置方法について説明したが、通信装置５７００の通信用アンテナについても、送電装置５７５０の通信用アンテナの配置方法と同様に実施すると、同様の効果を得ることができる。
【０８８７】
例えば、図６２、図６３、図６４、図６５、図６６、図６７、図６８において、６１００が通信装置５７００の外形であり、６１０１が通信装置５７００の受電コイル５７０１であり、６２０１＿１、６２０１＿２、６２０１＿３、６２０１＿４、６２０１＿５、６２０１＿６、６２０１＿７、６２０１＿８、６２０１＿９、６２０１＿１０、６２０１＿１１が通信装置５７００の通信用アンテナと考え、上述で述べた構成要件を満たすように、実施することで、上述で述べた効果を同様に得ることができる。
【０８８８】
なお、図５７の送電装置の制御部５７５７は、インターフェース５７５１からの信号５７５２、５７５６、５７６３により、装置５７９０と接続されていないと認識した場合、送受信部５７６１、通信用アンテナ５７５９に対し、通信機能を停止するように、５７５８により指示してもよい。
【０８８９】
また、送電装置５７５０は、送電に必要な電流（または、電力）と通信に必要な電流（または、電力）を制御部５７５７で認識し、インターフェース５７５１からの給電５７５２では、電流（または、電力）が不十分であることを、通知する（例えば、ＬＥＤ（Light Emitting Diode）などの灯りを点灯させる）機能を有していてもよい。
【０８９０】
（実施の形態１１）
本実施の形態では、実施の形態１０で説明した通信装置と送電装置の具体的な動作例について説明する。
【０８９１】
図６９は、本実施の形態におけるシステムの概要である。図６９において、６９０２の車には、実施の形態１０で述べたような通信装置が具備されているものとする。つまり、車は、無線による受電、および、通信が可能であるものとする。
【０８９２】
通信装置を具備する車６９０２は、送電システム６９５１からの電波を受電アンテナで受け、電池の充電を行うものとする。また、通信装置を具備する車６９０２は、データ６９０１を入力とし、誤り訂正符号化、変調などの処理を行い、変調信号を生成し、例えば、電波として出力する。
【０８９３】
そして、送電システム６９５１は、通信装置を具備する車６９０２から送信された変調信号を受信し、復調、誤り訂正復号などの処理を施し、データを得、そのデータに基づいて生成されたデータ、または、データを含んだ信号６９５２を出力する。
【０８９４】
また、送電システム６９５１は、データ、または、データを含んだ信号６９５３を入力とし、このデータから得たデータに対し、誤り訂正符号化、変調などの処理を施し、変調信号を生成し、例えば、電波として出力する。
【０８９５】
通信装置を具備する車６９０２は、送電システム６９５１から送信された変調信号を受信し、復調、誤り訂正復号などの処理を施し、データを得、そのデータに基づいて生成されたデータ、または、データを含んだ信号６９０３を出力する。
【０８９６】
図７０の７０００は、図６９における通信装置６９０２の構成例を示している。制御部７００３は、受電アンテナ７００１で受信した受信信号７００２、第２の制御信号７００８を入力とし、受電の制御を行い、給電信号７００４、第１の制御信号７００７を出力する。
【０８９７】
電池７００５は給電信号７００４を入力とし、電池の充電を行い、また、信号７００６を出力する。
【０８９８】
送受信部７０１１は、第１のデータ７００９、信号７００６、第１の制御信号７００７を入力とし、誤り訂正符号化、変調などの処理を施し、第１のデータ７００９を含む変調信号を生成し、送信信号７０１２として出力する。そして、送信信号７０１２は、例えば、電波として、通信用アンテナ７０１４から出力される。
【０８９９】
また、送受信部７０１０は、受信アンテナ７０１４で受信した受信信号７０１３を入力とし、復調、誤り訂正復号などの処理を施し、第２のデータ７０１０、第２の制御信号７００８を出力する。
【０９００】
図７１の７１００は、図６９における送電システム６９５１の構成例を示している。変換部７１２５は、外部電源から得たＡＣ給電７１２４を入力とし、ＡＣ−ＤＣ変換を行い、ＤＣ給電７１０１を出力する。
【０９０１】
送電部７１０２は、ＤＣ給電７１０１、第４の制御信号７１１３を入力とし、第４の制御信号７１１３に基づいて、送電信号７１０３を生成し、出力する。そして、送電信号７１０３は、送電アンテナ７１０４から出力する。このとき、この信号を受信し、図７０の通信装置は、受電することになる。
【０９０２】
サーバー７１２１は、第３のデータ７１２３を入力とし、第３のデータを含むデータ、または、変調信号７１２０を出力する。そして、第３のデータを含むデータ、または、変調信号７１２０は、ネットワーク７１１８を介し、通信装置７１１５に入力される。
【０９０３】
通信装置７１１５は、第３の制御信号７１１１、第３のデータを含むデータ、または、変調信号７１１７を入力とし、第５のデータ７１１０を生成し、出力する。
【０９０４】
送受信装置７１０８は、第５のデータ７１１０を入力とし、誤り訂正符号化、変調などの処理を施し、変調信号を生成し、送信信号７１０７として出力する。そして、送信信号７１０７は、例えば電波として、通信用アンテナ７１０５から出力され、例えば、図７０の通信装置７０００が、この信号を受信することになる。
【０９０５】
また、送受信部７１０８は、通信用アンテナ７１０５から出力された受信信号７１０６を入力とし、復調、誤り訂正復号などの処理を施し、第６のデータ７１０９を出力する。
【０９０６】
通信装置７１１５は、第３の制御信号７１１１、第６のデータ７１０９を入力とし、これらに含まれているデータを含むデータ、または、変調信号７１１６を生成し、出力する。
【０９０７】
この信号７１１６は、ネットワーク７１１８を介し、サーバー７１２１に入力されることになる。そして、サーバー７１２１は、信号７１１６から第４のデータ７１２２を得、出力する。
【０９０８】
決済装置７１１４は、第５のデータ７１１０を入力とし、決済を行うことが可能となる。ただし、送電システム７１００は、決済装置７１１４を具備していなくてもよい。
【０９０９】
制御部７１１２は、第６のデータ７１０９を入力とし、第３の制御信号７１１１、第４の制御信号７１１３を出力する。
【０９１０】
なお、図７０の通信装置７０００および送電システム７１００の各部の具体的な動作については、図７２、図７３、図７４、図７５、図７６、図７６を説明する際に、説明を行う。
【０９１１】
通信装置７０００は、まず、送電システム７１００にアクセスする。すると、通信装置７０００が具備する表示部（ただし、図７０には表示部を記載していない）に手続き画面が表示され、例えば、まず、図７２のような動作を行うことになる。次に、図７２について説明を行う。
【０９１２】
開始７２００により、以下の手続きを開始することになる。
【０９１３】
図７２に示すように、通信装置７０００は、送電システム７１００に対し、「受電したいことをリクエスト７２０１」することになる。例えば、図７０の制御部７００３は、第１の制御信号７００７を用いて、「受電したいことをリクエスト７２０１」の情報を出力し、送受信部７０１１は、この情報を含んだ送信信号７０１２を生成、出力し、通信用アンテナ７０１４から電波として出力する。送電システム７１００は、この信号を受信することになる。なお、図７０の制御部７００３は、外部入力により「受電したいことをリクエスト７２０１」を行ってもよい。
【０９１４】
また、通信装置７０００は、送電システム７１００に対し、「受電時間または受電量をリクエストするか？７２０２」を判断することになる。
【０９１５】
「受電時間または受電量をリクエストしない場合」、７２０４へと行くことになる。「受電時間または受電量をリクエストする場合」、通信装置７０００は、「受電時間または受電量の情報を送電システム（７１００）に通知（７２０３）」することになる。例えば、図７０の制御部７００３は、第１の制御信号７００７を用いて「受電時間または受電量の情報を送電システム（７１００）に通知」する情報を出力し、送受信部７０１１は、この情報を含んだ送信信号７０１２を生成、出力し、通信用アンテナ７０１４から電波として出力する。送電システム７１００は、この信号を受信することになる。なお、図７０の制御部７００３は、外部入力により「受電時間または受電量の情報」を得てもよい。
【０９１６】
次に、通信装置７０００は、「決済方法を選択し、送電システムに通知（７２０４）」することになる。例えば、図７０の制御部７００３は、第１の制御信号７００７を用いて「決済方法を選択し、送電システムに通知（７２０４）」する情報を出力し、送受信部７０１１は、この情報を含んだ送信信号７０１２を生成、出力し、通信用アンテナ７０１４から電波として出力する。送電システム７１００は、この信号を受信することになる。なお、図７０の制御部７００３は、外部入力により「決済方法の情報」を得てもよい。
【０９１７】
これにより、通信装置７０００は、受電を開始（７２０５）することになる。
【０９１８】
図７３は、図７２の通信装置７０００の動作に対する送電システム７１００の動作となる。送電システム７１００は、通信装置７０００から「受電リクエスト（７３０１）」を受けることになる。例えば、送電システム７１００の送受信部７１０８は、通信用アンテナ７１０５から受信した受信信号７１０６を入力とし、受信信号７１０６に含まれる「受電リクエスト（７３０１）」を得ることになる。
【０９１９】
そして、送電システム７１００は、通信装置７０００からの「受電時間または受電量の制限をするか、しないか（７３０２）」の情報を受けることになる。例えば、送電システム７１００の送受信部７１０８は、通信用アンテナ７１０５から受信した受信信号７１０６を入力とし、受信信号７１０６に含まれる「受電時間または受電量の制限をするか、しないか（７３０２）」の情報を得ることになる。
【０９２０】
次に、送電システム７１００は、「送電方法を決定（７３０３）」することになる。例えば、送電システム７１００は、（通信装置７０００の）受電時間または受電量（送電システム７１００の送電時間または送電量）の制限をするのであれば、その制限方法を決定する。また、送電システム７１００は、（通信装置７０００の）受電時間または受電量（送電システム７１００の送電時間または送電量）の制限を行わないのであれば、制限を行わないと決定することになる。例えば、送電システム７１００の送受信部７１０８は、通信用アンテナ７１０５から受信した受信信号７１０６を入力とし、受信信号７１０６に含まれる「受電時間または受電量の制限をするか、しないか（７３０２）」の情報を得、制御部７１１２は、この情報から、送電方法を決定し、決定した送電方法の情報を含む第４の制御信号７１１３を出力する。
【０９２１】
そして、送電システム７１００は、通信装置７０００からの「決済方法の情報を受け、決済方法を決定（７３０４）」することになる。例えば、送電システム７１００の送受信部７１０８は、通信用アンテナ７１０５から受信した受信信号７１０６を入力とし、受信信号７１０６に含まれる「決済方式に関する情報」を得、制御部７１１２は、この情報から決済方法を決定することになる。そして、通信装置７１１５は、この情報を得、サーバー７１２１に対し、決済方法の情報を渡すとともに、決済装置７１１４に対し、決定した決済方法の情報を渡し、決済装置７１１４は、決済方法を知ることになる。
【０９２２】
この一連の動作を完了し、送電システム７１１０は、通信装置７０００に対し、送電を開始７３０５することになる。
【０９２３】
図７４は、図７２、図７３の動作後の、送電システム７１１０の動作となる。送電システム７１１０は、通信装置７０００が受電に関する「受電時間または受電量の制限」に関する情報を送信しているため、「受電時間または受電の制限分の送電が完了（７４０１）」した時点で、送電を完了７４０２する。
【０９２４】
また、図７４とは異なり、送電システム７１１０は、通信装置７０００から、「受電時間または受電の制限」を受けていない、または、「受電時間または受電の制限」を受けているが、その制限に到達していないが、「受電を完了したい」という要望を受けた場合（通信装置７０００の送受信部がこの情報を送信し、送電システムの送受信部が受けることになる）、送電システム７１１０は、送電を完了するものとする。
【０９２５】
すると、図７５に示すように、通信装置７０００は、決済を開始（７５０１）する。したがって、通信装置７０００は、送電システム７１１０に対し、決済を開始することを送受信部７０１１を用いて、伝えることになる。
【０９２６】
これに伴い、通信装置７０００は、送電システム７１１０から、金額情報を受ける（７５０２）。したがって、送電システム７１１０は、金額の情報を含む変調信号を送受信部７１０８で生成し、送信することになる。通信装置７０００は、この情報を含む変調信号を送受信部７０１１で受信し、金額情報を得ることになる。
【０９２７】
そして、通信装置７０００は、決済完了７５０３の手続きを行い、終了７５０４する。
【０９２８】
このとき、送電システム７１００は、図７６に示すように、通信装置７０００から、決済開始の通知を受ける７６０１ことになる。これに伴い、送電システム７１００は、送電を終了（７６０２）する。
【０９２９】
そして、送電システム７１００は、「送電に要した金額を計算し、通信装置７０００に金額を通知（７６０３）」する。
【０９３０】
送電システム７１００は、通信装置７０００の決済に伴い、決済の手続きを完了（７６０４）し、手続きを終了（７６０５）する。
【０９３１】
以上のように、通信装置７０００と送電システム７１００が動作することで、送電量、受電量、を制限することができ、また、制限した送電量、受電量に基づいた決済システムを提供することができるという効果を得ることができる。
【０９３２】
なお、本実施の形態における通信装置７０００と送電システム７１００の通信は、電波による無線通信であってもよいし、可視光などを用いた光通信であってもよい。
【０９３３】
（実施の形態１２）
本実施の形態では、実施の形態１０、実施の形態１１で説明した通信装置と送電装置の具体的な動作例について説明する。
【０９３４】
図７７の７１００は、図６９における送電システム６９５１の構成例を示しており、図７７において、図７１と同様に動作するものについては、同一番号を付しており、説明を省略する。
【０９３５】
図７７の駐車場システム７７００は、例えば、送電システム７１００のサーバー７１２１と通信を行っているものとする。
【０９３６】
例えば、サーバー７１２１は、駐車料金の精算の要求を含むデータ７１２２を送信するものとする。
【０９３７】
すると、駐車場システム７７００は、サーバー７１２１に対し、駐車料金の情報を含むデータ７１２３を送信することになる。
【０９３８】
なお、駐車場システム７７００は、例えば、車の駐車時間の管理、車の駐車時間などに応じた駐車料金の管理、車の入庫・出庫の管理などを行うシステムであるものとする。
【０９３９】
図７８の７１００は、図６９における送電システム６９５１の構成例を示しており、図７７とは異なり、送電システム７１００は、駐車場システム７７００を具備しているものとする。
【０９４０】
図７８の駐車場システム７７００は、例えば、ネットワーク７１１８を介し、通信装置７１１５と通信を行っているものとする。
【０９４１】
例えば、通信装置７１１５は、駐車料金の精算の要求を含むデータ７１１６を送信するものとする。
【０９４２】
すると、駐車場システム７７００は、ネットワーク７１１８を介し、駐車場料金の情報を含むデータ７１２０を送信することになる。
【０９４３】
なお、図６９における送電システム６９５１（例えば、図７７、図７８）と通信を行う、例えば、車６９０２が具備する通信装置の構成については、他の実施の形態で説明を行っているので説明を省略する。
【０９４４】
図７９は、図６９の車６９０２が具備する通信装置の動作に関する図である。
【０９４５】
図６９の車６９０２が具備する通信装置は、まず、例えば、図７７、図７８の送電システム７１００にアクセスする。すると、図６９の車６９０２が具備する通信装置が具備する表示部に手続き画面が表示され、図７９の動作を行うことになる。次に、図７９について説明する。
【０９４６】
開始７９００により、以下の手続きを開始することになる。
【０９４７】
図７９に示すように、図６９の車６９０２が具備する通信装置は、送電システム７１００に対し、車６９０２を駐車場に「駐車するか？（７９０１）」を伝えることになる。例えば、車６９０２が具備する通信装置が図７０の構成を具備している場合、送受信部７０１１は、「駐車するかどうか」の情報を含んだ送信信号７０１２を生成、出力し、通信用アンテナ７０１４から電波として出力する。送電システム７１００は、この信号を受信することになる。
【０９４８】
車６９０２が駐車場に駐車しない場合、つまり、７９０１において「ＮＯ」の場合、手続きは完了となる。一方、車６９０２が駐車場に駐車する場合、つまり、７９０１において「ＹＥＳ」の場合、７９０２へと行く。
【０９４９】
図６９の車６９０２が具備する通信装置は、送電システム７１００に対し、車６９０２が「受電するか？（７９０２）」を伝えることになる。例えば、車６９０２が具備する通信装置が図７０の構成を具備している場合、制御部７００３は、第１制御信号７００７を用いて、「受電するか？（７９０２）」の情報を出力し、送受信部７０１１は、この情報を含んだ送信信号７０１２を生成、出力し、通信用アンテナ７０１４から電波として出力する。送電システム７１００は、この信号を受信することになる。なお、図７０の制御部７００３は、外部入力により「受電したいことをリクエスト７２０１」を行ってもよい。
【０９５０】
車６９０２が受電しない場合、つまり、７９０２において「ＮＯ」の場合。７２０４へと行く。一方、車６９０２が受電する場合、つまり、７９０２において「ＹＥＳ」の場合、７２０２へと行く。
【０９５１】
図６９の車６９０２が具備する通信装置は、送電システム７１００に対し、「受電したいことをリクエスト７２０１」することになる。「受電時間または受電量をリクエストするか？７２０２」を判断することになる。
【０９５２】
「受電時間または受電量をリクエストしない場合」、７２０４へと行くことになる。「受電時間または受電量をリクエストする場合」、通信装置７０００は、「受電時間または受電量の情報を送電システム（７１００）に通知（７２０３）」することになる。例えば、車６９０２が具備する通信装置が図７０の構成を具備している場合、制御部７００３は、第１の制御信号７００７を用いて「受電時間または受電量の情報を送電システム（７１００）に通知」する情報を出力し、送受信部７０１１は、この情報を含んだ送信信号７０１２を生成、出力し、通信用アンテナ７０１４から電波として出力する。送電システム７１００は、この信号を受信することになる。なお、図７０の制御部７００３は、外部入力により「受電時間または受電量の情報」を得てもよい。
【０９５３】
次に、図６９の車６９０２が具備する通信装置は、「決済方法を選択し、送電システムに通知（７２０４）」することになる。例えば、車６９０２が具備する通信装置が図７０の構成を具備している場合、制御部７００３は、第１の制御信号７００７を用いて「決済方法を選択し、送電システムに通知（７２０４）」する情報を出力し、送受信部７０１１は、この情報を含んだ送信信号７０１２を生成、出力し、通信用アンテナ７０１４から電波として出力する。送電システム７１００は、この信号を受信することになる。なお、図７０の制御部７００３は、外部入力により「決済方法の情報」を得てもよい。
【０９５４】
これにより。通信装置７０００は、受電を開始（７２０５）することになる。
【０９５５】
図８０は、図６９の送電システム６９５１、つまり、例えば、図７７、図７８の送電システム７１００の動作に関する図である。
【０９５６】
送電システム７１００は、図６９の車６９０２が具備する通信装置から「駐車リクエストを受ける（８００１）」ことになる。
【０９５７】
次に、送電システム７１００は、図６９の車６９０２が具備する通信装置から「受電リクエストがあるか？（８００２）」を受けることになる。
【０９５８】
例えば、送電システム７１００の送受信部７１０８は、通信用アンテナ７１０５から受信した受信信号７１０６を入力とし、受信信号７１０６に含まれる「受電リクエストがあるか？（８００２）」の情報を得ることになる。
【０９５９】
受電リクエストを得ていない場合、つまり、８００２において「ＮＯ」の場合、７３０４へと行く。一方、受電リクエストを得ている場合、つまり、８００２において「ＹＥＳ」の場合、７３０１へと行く。
【０９６０】
そして、送電システム７１００は、図６９の車６９０２が具備する通信装置からの「受電時間または受電量の制限をするか、しないか（７３０２）」の情報を受けることになる。例えば、送電システム７１００の送受信部７１０８は、通信用アンテナ７１０５から受信した受信信号７１０６を入力とし、受信信号７１０６に含まれる「受電時間または受電量の制限をするか、しないか（７３０２）」の情報を得ることになる。
【０９６１】
次に、送電システム７１００は、「送電方法を決定（７３０３）」することになる。例えば、送電システム７１００は、（図６９の車６９０２が具備する通信装置の）受電時間または受電量（送電システム７１００の送電時間または送電量）の制限をするのであれば、その制限方法を決定する。また、送電システム７１００は、（図６９の車６９０２が具備する通信装置の）受電時間または受電量（送電システム７１００の送電時間または送電量）の制限を行わないのであれば、制限を行わないと決定することになる。例えば、送電システム７１００の送受信部７１０８は、通信用アンテナ７１０５から受信した受信信号７１０６を入力とし、受信信号７１０６に含まれる「受電時間または受電量の制限をするか、しないか（７３０２）」の情報を得、制御部７１１２は、この情報から、送電方法を決定し、決定した送電方法の情報を含む第４の制御信号７１１３を出力する。
【０９６２】
そして、送電システム７１００は、図６９の車６９０２が具備する通信装置からの「決済方法の情報を受け、決済方法を決定（７３０４）」することになる。例えば、送電システム７１００の送受信部７１０８は、通信用アンテナ７１０５から受信した受信信号７１０６を入力とし、受信信号７１０６に含まれる「決済方式に関する情報」を得、制御部７１１２は、この情報から決済方法を決定することになる。そして、通信装置７１１５は、この情報を得、サーバー７１２１に対し、決済方法の情報を渡すとともに、決済装置７１１４に対し、決定した決済方法の情報わたし、決済装置７１１４は、決済方法を知ることになる。
【０９６３】
この一連の動作を完了し、送電システム７１１０は、図６９の車６９０２に対し、送電を開始７３０５することになる。
【０９６４】
図７４は、図７９、図８０の動作後の、送電システム７１１０の動作となる。送電システム７１１０は、図６９の車６９０２が具備する通信装置が受電に関する「受電時間または受電量の制限」に関する情報を送信しているため、「受電時間または受電の制限分の送電が完了（７４０１）」した時点で、送電を完了７４０２する。
【０９６５】
また、図７４とは異なり、送電システム７１１０は、図６９の車６９０２が具備する通信装置から、「受電時間または受電の制限」を受けていない、または、「受電時間または受電の制限」を受けているが、その制限に到達していないが、「受電を完了したい」という要望を受けた場合（図６９の車６９０２が具備する通信装置の送受信部がこの情報を送信し、送電システムの送受信部が受けることになる）、送電システム７１１０は、送電を完了するものとする。
【０９６６】
すると、図６９の車６９０２が具備する通信装置は、決済を開始（７５０１）する。したがって、図６９の車６９０２が具備する通信装置は、送電システム７１１０に対し、決済を開始することを送受信部７０１１を用いて、伝えることになる。
【０９６７】
これに伴い、通信装置７０００は、送電システム７１１０から、金額情報を受ける（７５０２）。
【０９６８】
このとき、金額は、「駐車料金」、または、「駐車料金、および、受電料金」のいずれかが含まれることになる。
【０９６９】
したがって、送電システム７１１０は、金額の情報を含む変調信号を送受信部７１０８で生成し、送信することになる。図６９の車６９０２が具備する通信装置は、この情報を含む変調信号を送受信部７０１１で受信し、金額情報を得ることになる。
【０９７０】
そして、図６９の車６９０２が具備する通信装置は、決済完了７５０３の手続きを行い、終了７５０４する。
【０９７１】
このとき、送電システム７１００は、図６９の車６９０２が具備する通信装置から、決済開始の通知を受ける７６０１ことになる。これに伴い、送電システム７１００は、送電を終了（７６０２）する。
【０９７２】
そして、送電システム７１００は、「送電に要した金額、および、駐車に関連する金額を計算し、通信装置７０００に金額を通知（７６０３）」する。
【０９７３】
送電システム７１００は、図６９の車６９０２が具備する通信装置の決済に伴い、決済の手続きを完了（７６０４）し、手続きを終了（７６０５）する。
【０９７４】
以上のように、図６９の車６９０２が具備する通信装置と送電システム７１００が動作することで、送電量、受電量、を制限することができ、また、制限した送電量、受電量に基づいた決済と駐車に関連した決済を同時にできるシステムを提供することができるという効果を得ることができる。
【０９７５】
なお、本実施の形態における図６９の車６９０２が具備する通信装置と送電システム７１００の通信は、電波による無線通信であってもよいし、可視光などを用いた光通信であってもよい。
【０９７６】
（実施の形態１３）
本実施の形態では、実施の形態１０、実施の形態１１で説明した通信装置と送電装置の具体的な動作の例について説明する。
【０９７７】
図６９における車６９０２と送電システム６９５１において。車６９０２に対応する構成を図８１に示す。
【０９７８】
図８１において、図７０と同様に動作するものについては、同一番号を付しており、説明を省略する。図８１において、８１００は車である。そして、車制御部８１０１は、第１の制御信号７００７、第２の制御信号７００８を入力とし、第１の制御信号７００７に含まれている情報、第２の制御信号７００８に含まれている情報に基づいて、車の制御方法を決定し、車制御信号８１０２を出力する。
【０９７９】
そして、運転装置８１０３は、車制御信号８１０２を入力とし、車制御信号８１０２に基づいて、動力である、例えば、モータ、駆動系、ハンドル、ステアリングなどを制御し、車は、好適な場所に移動することになる。
【０９８０】
図６９における送電システム６９５１に相当するシステムの構成については、図７１、図７７、図７８に示したとおりであり、すでに説明を行っているので、説明を省略する。送電システム６９５１は、「給電決済（送電決済）の機能を有している」、または、「給電決済、および、駐車決済の機能を有している」構成を有していてもよいし、これらの機能を有していなくてもよい。
【０９８１】
図８２は、図６９の車６９０２が具備する通信装置関連（図８１の車８１００）の動作に関する図である。
【０９８２】
図８１の車８１００は、まず、図７１、図７７、図７８、の送電システム７１００にアクセスする。すると、図８１の８１００が具備する表示部に手続き画面が表示され、図８２の動作を行うことになる。次に、図８２について説明する。
【０９８３】
開始８２００により、以下の手続きを開始することになる。
【０９８４】
図８２に示すように、図８１の車８１００は、送電システム７１００に対し、車８１００を駐車場に「駐車するか？（８２０１）」を伝えることになる。例えば、車８１００が具備している通信装置が図８１の構成を具備している場合、送受信部７０１１は、「駐車するかどうか」の情報を含んだ送信信号７０１２を生成し、出力し、通信用アンテナ７０１４から電波として出力する。送電システム７１００は、この信号を受信することになる。
【０９８５】
車８１００が駐車場に駐車しない場合、つまり、８２０１において「ＮＯ」の場合、手続きは完了となる。一方、車８１００が駐車場に駐車する場合、つまり、８２０１において「ＹＥＳ」の場合、次に進む。
【０９８６】
次に、車８１００が駐車場に停めてもよい種類の車であるかどうかの判定を行う、つまり、車８１００は送電システム７１００と通信を行い、「駐車対象車か？（８２０２）」の判定を行うことになる。
【０９８７】
例えば、車８１００が具備している通信装置が図８１の構成を具備している場合、送受信部７０１１は、「車８１００の種類（例えば、トラック、バス、普通自動車など）、および／または、車種」の情報を含んだ送信信号７０１２を生成し、出力し、通信用アンテナ７０１４から電波として出力する。
【０９８８】
送電システム７１００は、この信号を通信用アンテナ７１０５で受信し、送電システムの送受信部７１０８は、「車８１００の種類（例えば、トラック、バス、普通自動車など）、および／または、車種」の情報を得、「車８１００が駐車場に停めてよい車の種類であるか」、の判定を行い、判定結果の情報を含む変調信号７１０７を生成、出力し、通信用アンテナ７１０５から電波として出力する。
【０９８９】
そして、車８１００は、この信号を通信用アンテナ７０１４で受信し、送受信部７０１１は、「判定結果」を得ることになる。
【０９９０】
なお、上述のさらなる具体的な動作については、後で説明を行う。
【０９９１】
「駐車対象車か？（８２０２）」の「判定結果」が、「駐車の対象外である」とき、つまり、８２０２において「ＮＯ」のとき、車８１００は、例えば、「警告を受ける（８２０３）」を受ける。つまり、車８１００は、駐車場に停めることの対象外であることを知ることになる。
【０９９２】
一方、「駐車対象車か？（８２０２）」の「判定結果」が、「駐車の対象である」とき、つまり、８２０２において「ＹＥＳ」のとき、次に進むことになる。
【０９９３】
車８１００が具備する通信装置は、送電システム７１００に対し、車８１００が「受電するか？（８２０４）」を伝えることになる。例えば、車８１００が具備する通信装置が図８１の構成を具備している場合、制御部７００３は、第１制御信号７００７を用いて、「受電するか？（７９０２）」の情報を出力し、送受信部７０１１は、この情報を含んだ送信信号７０１２を生成、出力し、通信用アンテナ７０１４から電波として出力する。送電システム７１００は、この信号を受信することになる。なお、図８１の制御部７００３は、外部入力により「受電したいことをリクエスト７２０１」を行ってもよい。
【０９９４】
車８１００が受電しない場合、つまり、８２０４において「ＮＯ」の場合、８２０５へと行く。そして、車８１００は、「駐車関連の手続きを開始（８２０５）」することになる。
【０９９５】
なお、駐車関連手続き８２０５については、例えば、実施の形態１２のような手続きが考えられるが、駐車関連手続き８２０５の方法は、これに限ったものではない。
【０９９６】
一方、車８１００が受電する場合、つまり、８２０４において「ＹＥＳ」の場合、８２０６へと行く。
【０９９７】
そして、車８１００は「受電対象車か？（８２０６）」の判定を、送電システム７１００と通信を行うことで、行うことになる。
【０９９８】
例えば、車８１００が具備している通信装置が図８１の構成を具備している場合、送受信部７０１１は、「車８１００の種類（例えば、トラック、バス、普通自動車など）、および／または、車種」の情報を含んだ送信信号７０１２を生成し、出力し、通信用アンテナ７０１４から電波として出力する。
【０９９９】
送電システム７１００は、この信号を通信用アンテナ７１０５で受信し、送電システムの送受信部７１０８は、「車８１００の種類（例えば、トラック、バス、普通自動車など）、および／または、車種」の情報を得、車８１００が「受電対象の車であるか」、の判定を行い、判定結果の情報を含む変調信号７１０７を生成、出力し、通信用アンテナ７１０５から電波として出力する。
【１０００】
そして、車８１００は、この信号を通信用アンテナ７０１４で受信し、送受信部７０１１は、「判定結果」を得ることになる。
【１００１】
「受電対象車か？（８２０６）」の「判定結果」が、「受電の対象外である」とき、つまり、８２０６において「ＮＯ」のとき、車８１００は、例えば、「警告を受ける（８２０７）」を受ける。つまり、車８１００は、受電の対象外であることを知ることになる。そして、車８１００は、「駐車関連手続きを開始（８２０５）」することになる。
【１００２】
一方、「受電対象車か？（８２０６）」の「判定結果」が、「受電の対象である」とき、つまり、８２０６において「ＹＥＳ」のとき、次に進むことになる。したがって、車８１００は「受電関連手続きを開始（８２０８）」することになる。
【１００３】
なお、受電関連手続き８２０８については、例えば、実施の形態１１、実施の形態１２のような手続きが考えられるが、受電関連手続き８２０８の方法は、これに限ったものではない。
【１００４】
図８３は、送電システム７１００の動作に関する図である。
【１００５】
送電システム７１００は、車８１００が具備する通信装置から「駐車リクエストを受ける（８３０１）」ことになる。
【１００６】
次に、送電システム７１００は、図８２で説明したように車８１００と通信を行うことで、車８１００が「駐車対象車か？（８３０２）」の判定を行うことになる。なお、詳細については図８２を用いて説明したとおりである。
【１００７】
送電システム７１００は、車８１００が「駐車対象車か？（８３０２）」の判定を行い、「駐車対象車ではない」、つまり、８３０２において「ＮＯ」と判定した場合、車８１００に対し、「警告」の情報を含む変調信号を送信することになる（８３０３）。
【１００８】
送電システム７１００は、車８１００が「駐車対象車か？（８３０２）」の判定を行い、「駐車対象車である」、つまり、８３０２に対して「ＹＥＳ」と判定した場合、車８１００に対し、「駐車対象車である」という情報を含む変調信号を送信することになる。
【１００９】
そして、送電システム７１００は、車８１００から「受電するか？（８３０４）」の情報を受けることになる。
【１０１０】
「受電するか？（８３０４）」の情報が「受電しない」という情報、つまり、８３０４において「ＮＯ」の場合、８３０５へと行く。したがって、送電システム７１００は、車８１００に対し「駐車手続きを開始（８３０５）」を通知する。
【１０１１】
なお、駐車関連手続き８３０５については、例えば、実施の形態１２のような手続きが考えられるが、駐車関連手続き８３０５の方法は、これに限ったものではない。
【１０１２】
「受電するか？（８３０４）」の情報が「受電する」という情報、つまり、８３０４において「ＹＥＳ」の場合、８３０６へと行く。したがって、送電システム７１００は、車８１００が「受電対象車か？（８３０６）」の判定を行うことになる。
【１０１３】
送電システム７１００が、車８１００は「受電対象車ではない」、つまり、８３０６において「ＮＯ」の場合、送電システム７１００は、車８１００に対し、警告を行い（８３０７）、送電システム７１００は、車８１００に対し「駐車手続きを開始（８３０５）」を通知する。
【１０１４】
一方、送電システム７１００が、車８１００は「受電対象車である」、つまり８３０６において「ＹＥＳ」の場合、送電システム７１００は、車８１００に対し、「送電手続きを開始（８３０８）」を通知することになる。
【１０１５】
なお、受電関連手続き８３０８については、例えば、実施の形態１１、実施の形態１２のような手続きが考えられるが、受電関連手続き８３０８の方法は、これに限ったものではない。
【１０１６】
以上のように、駐車対象車に関する警告、受電対象車に対する警告を行うことで、駐車対象車、受電対象車に正しくサービスを提供することができるという効果を得ることができる。
【１０１７】
次に、図８２とは異なる図８４の動作、および、図８３とは異なる図８５の動作について説明する。
【１０１８】
図８４は、図８２とは異なる、図６９の車６９０２が具備する通信装置関連（図８１の車８１００）の動作に関する図である。図８４において、図８２と同様に動作するものについては、同一番号を付している。
【１０１９】
図８１の車８１００は、まず、図７１、図７７、図７８、の送電システム７１００にアクセスする。すると、図８１の８１００が具備する表示部に手続き画面が表示され、図８４の動作を行うことになる。次に、図８４について説明する。
【１０２０】
開始８２００により、以下の手続きを開始することになる。
【１０２１】
図８２に示すように、図８１の車８１００は、送電システム７１００に対し、車８１００を駐車場に「駐車するか？（８２０１）」を伝えることになる。例えば、車８１００が具備している通信装置が図８１の構成を具備している場合、送受信部７０１１は、「駐車するかどうか」の情報を含んだ送信信号７０１２を生成し、出力し、通信用アンテナ７０１４から電波として出力する。送電システム７１００は、この信号を受信することになる。
【１０２２】
車８１００が駐車場に駐車しない場合、つまり、８２０１において「ＮＯ」の場合、手続きは完了となる。一方、車８１００が駐車場に駐車する場合、つまり、８２０１において「ＹＥＳ」の場合、次に進む。
【１０２３】
次に、車８１００が駐車場に停めてもよい種類の車であるかどうかの判定を行う、つまり、車８１００は送電システム７１００と通信を行い、「駐車対象車か？（８２０２）」の判定を行うことになる。
【１０２４】
例えば、車８１００が具備している通信装置が図８１の構成を具備している場合、送受信部７０１１は、「車８１００の種類（例えば、トラック、バス、普通自動車など）、および／または、車種」の情報を含んだ送信信号７０１２を生成し、出力し、通信用アンテナ７０１４から電波として出力する。
【１０２５】
送電システム７１００は、この信号を通信用アンテナ７１０５で受信し、送電システムの送受信部７１０８は、「車８１００の種類（例えば、トラック、バス、普通自動車など）、および／または、車種」の情報を得、「車８１００が駐車場に停めてよい車の種類であるか」、の判定を行い、判定結果の情報を含む変調信号７１０７を生成、出力し、通信用アンテナ７１０５から電波として出力する。
【１０２６】
そして、車８１００は、この信号を通信用アンテナ７０１４で受信し、送受信部７０１１は、「判定結果」を得ることになる。
【１０２７】
なお、上述のさらなる具体的な動作については、後で説明を行う。
【１０２８】
「駐車対象車か？（８２０２）」の「判定結果」が、「駐車の対象外である」とき、つまり、８２０２において「ＮＯ」のとき、車８１００は、例えば、「警告を受ける（８２０３）」を受ける。つまり、車８１００は、駐車場に停めることの対象外であることを知ることになる。
【１０２９】
一方、「駐車対象車か？（８２０２）」の「判定結果」が、「駐車の対象である」とき、つまり、８２０２において「ＹＥＳ」のとき、次に進むことになる。
【１０３０】
車８１００が具備する通信装置は、送電システム７１００に対し、車８１００が「受電するか？（８２０４）」を伝えることになる。例えば、車８１００が具備する通信装置が図８１の構成を具備している場合、制御部７００３は、第１制御信号７００７を用いて、「受電するか？（７９０２）」の情報を出力し、送受信部７０１１は、この情報を含んだ送信信号７０１２を生成、出力し、通信用アンテナ７０１４から電波として出力する。送電システム７１００は、この信号を受信することになる。なお、図８１の制御部７００３は、外部入力により「受電したいことをリクエスト７２０１」を行ってもよい。
【１０３１】
車８１００が受電しない場合、つまり、８２０４において「ＮＯ」の場合、８２０５へと行く。そして、車８１００は、「駐車関連の手続きを開始（８２０５）」することになる。
【１０３２】
なお、駐車関連手続き８２０５については、例えば、実施の形態１２のような手続きが考えられるが、駐車関連手続き８２０５の方法は、これに限ったものではない。
【１０３３】
一方、車８１００が受電する場合、つまり、８２０４において「ＹＥＳ」の場合、８２０８へと行く。
【１０３４】
車８１００は「受電関連手続きを開始（８２０８）」することになる。
【１０３５】
なお、受電関連手続き８２０８については、例えば、実施の形態１１、実施の形態１２のような手続きが考えられるが、受電関連手続き８２０８の方法は、これに限ったものではない。
【１０３６】
図８５は、送電システム７１００の動作に関する図である。
【１０３７】
送電システム７１００は、車８１００が具備する通信装置から「駐車リクエストを受ける（８３０１）」ことになる。
【１０３８】
次に、送電システム７１００は、図８４で説明したように車８１００と通信を行うことで、車８１００が「駐車対象車か？（８３０２）」の判定を行うことになる。なお、詳細については図８４を用いて説明したとおりである。
【１０３９】
送電システム７１００は、車８１００が「駐車対象車か？（８３０２）」の判定を行い、「駐車対象車ではない」、つまり、８３０２において「ＮＯ」と判定した場合、車８１００に対し、「警告」の情報を含む変調信号を送信することになる（８３０３）。
【１０４０】
送電システム７１００は、車８１００が「駐車対象車か？（８３０２）」の判定を行い、「駐車対象車である」、つまり、８３０２に対して「ＹＥＳ」と判定した場合、車８１００に対し、「駐車対象車である」という情報を含む変調信号を送信することになる。
【１０４１】
そして、送電システム７１００は、車８１００から「受電するか？（８３０４）」の情報を受けることになる。
【１０４２】
「受電するか？（８３０４）」の情報が「受電しない」という情報、つまり、８３０４において「ＮＯ」の場合、８３０５へと行く。したがって、送電システム７１００は、車８１００に対し「駐車手続きを開始（８３０５）」を通知する。
【１０４３】
なお、駐車関連手続き８３０５については、例えば、実施の形態１２のような手続きが考えられるが、駐車関連手続き８３０５の方法は、これに限ったものではない。
【１０４４】
「受電するか？（８３０４）」の情報が「受電する」という情報、つまり、８３０４において「ＹＥＳ」の場合、８３０８へと行く。よって、送電システム７１００は、車８１００に対し、「送電手続きを開始（８３０８）」を通知することになる。
【１０４５】
なお、受電関連手続き８３０８については、例えば、実施の形態１１、実施の形態１２のような手続きが考えられるが、受電関連手続き８３０８の方法は、これに限ったものではない。
【１０４６】
以上のように、駐車対象車に関する警告を行うことで、駐車対象車に正しくサービスを提供することができるという効果を得ることができる。
【１０４７】
次に、図８２、図８４における「駐車対象車か？８２０２」の具体的な例について説明する。
【１０４８】
図８６は、「駐車対象車か？８２０２」の判断を送電システムの通信装置が行う際の、車と送電システムのデータの流れの一例を示している。
【１０４９】
第１の例である図８６では、車が具備する通信装置が、「車種情報」、「車の種類の情報」を含む変調信号を送信する。なお、「車種情報」、「車の種類の情報」については、すでに説明したとおりである。
【１０５０】
そして、この変調信号を受信した送電システムの通信装置は、この変調信号に含まれる「車種情報」、「車の種類の情報」のうちの一つ以上の情報に基づき、この変調信号を送信した車が、駐車の対象であるかを判定し、「駐車対象結果情報」を含む変調信号を、車が具備する通信装置に送信することになる。なお、これらの動作については、すでに説明したとおりである。
【１０５１】
図８７は、「駐車対象車か？８２０２」の判断を送電システムの通信装置が行う際の、車と送電システムのデータの流れの、図８６とは異なる例を示している。
【１０５２】
第２の例である図８７では、車が具備する通信装置が、「車種情報」「車の種類の情報」、「受電部位置情報」、「受電方法情報」を含む変調信号を送信する。なお、「車種情報」、「車の種類の情報」については、すでに説明したとおりである。
【１０５３】
例えば、車の前方に受電部が存在する場合、「受電部位置情報」は「車の前方に受電部が存在する」ことを示す情報となる。
【１０５４】
別の例としては、車の後方の右側に受電部が存在する場合、「受電部位置情報」は「車の後方の右側に受電部が存在する」ことを示す情報となる。
【１０５５】
また、具体的な数値を含んだ情報であってもよい。例えば、「車前方から８０ｃｍ、車右から５０ｃｍのところに受電部が存在する」というような「受電部位置情報」であってもよい。
【１０５６】
また、例えば、車の受電方法が、無線による受電に対応している場合、「受電方法情報」は、例えば、「無線による受電に対応している」という情報となる。一方、車の受電方法が、無線による受電に対応していない場合、「受電方法情報」は、例えば、「無線による受電に対応していない」という情報となる。
【１０５７】
そして、この変調信号を受信した送電システムの通信装置は、この変調信号に含まれる「車種情報」「車の種類の情報」、「受電部位置情報」、「受電方法情報」のうちの一つ以上の情報に基づき、この変調信号を送信した車が、駐車の対象であるかを判定し、「駐車対象結果情報」を含む変調信号を、車が具備する通信装置に送信することになる。なお、これらの動作の例については、すでに説明している。
【１０５８】
以降では、別の例を説明する。
【１０５９】
例えば、送電システムが具備する通信装置は、図８７における「受電方法情報」を得、「無線による受電に対応していない」という情報を得た場合、送電システムの通信装置は、「受電対象結果情報」として、「受電対象外」であるという情報とし、この情報を、車の通信装置に送信することになる。
【１０６０】
次の例として、図８７における「受電方法情報」が「無線による受電に対応している」という情報であったときの動作例について説明する。
【１０６１】
図８８の８８０１は、車の駐車場のスペースを示している。そして、８８０２は送電システムにおける送電アンテナを示している。なお、図８８において、駐車場のスペースに配置されている送電システムにおいて、送電アンテナ部分を、例えば、例外を除き、任意の位置で上下、左右に移動させることができるものとする。
【１０６２】
車が具備する通信装置が、図８７のように、「車種情報」、「車の種類の情報」、「受電部位置情報」、「受電方法情報」を、送電システムの通信装置に送信する。なお、上述のように、「受電方法情報」が「無線による受電に対応している」という情報であるものとする。
【１０６３】
そして、送電システムは、以下のような判断を行うことができる。
【１０６４】
「車種情報」、「車の種類情報」から、送電システムが、車に十分な送電が行えるかを判断する。例えば、送電システムの電力容量が足らないため、車に十分な送電を行うことができない、というような判断を送電システムが行うことも可能である。このような場合、送電システムの通信装置は、「受電対象結果情報」として、対象外であることを車に通知することになる。
【１０６５】
「受電部位置情報」から、送電システムは、図８８における送電アンテナ部８８０２を移動させることができるものとする。例えば、車が具備する受電アンテナの位置近くに送電アンテナ部８８０２を移動させることで、車の充電効率を向上させることができるという利点を得ることができる。また、車ごとに、受電アンテナの位置が異なるような場合、より多くの車に対し、送電システムは、充電を行うことができるという効果を得ることができる。
【１０６６】
送電システムにおいて、上述の判断、制御を行うことで、車に対し、充電を行うことができるという判断を行った場合、送電システムが具備する通信装置は、対象となる車は受電の対象となる車であると判定し、この判定結果を「受電対象結果情報」として、車が具備する通信装置に対し、送信することになる。
【１０６７】
また、別の例として、図８９のようなケースが考えられる。
【１０６８】
図８９のように例えば、車が具備する通信装置が、「車種情報」、「車の種類情報」、「受電部位置情報」、「受電方法情報」を含む変調信号を送信する。なお、「車種情報」、「車の種類の情報」については、すでに説明したとおりである。
【１０６９】
例えば、車の前方に受電部が存在する場合、「受電部位置情報」は「車の前方に受電部が存在する」ことを示す情報となる。
【１０７０】
別の例としては、車の後方の右側に受電部が存在する場合、「受電部位置情報」は「車の後方の右側に受電部が存在する」ことを示す情報となる。
【１０７１】
また、具体的な数値を含んだ情報であってもよい。例えば、「車前方から８０ｃｍ、車右から５０ｃｍのところに受電部が存在する」というような「受電部位置情報」であってもよい。
【１０７２】
また、例えば、車の受電方法が、無線による受電に対応している場合、「受電方法情報」は、例えば、「無線による受電に対応している」という情報となる。一方、車の受電方法が、無線による受電に対応していない場合、「受電方法情報」は、例えば、「無線による受電に対応していない」という情報となる。
【１０７３】
そして、この変調信号を受信した送電システムの通信装置は、この変調信号に含まれる「車種情報」「車の種類の情報」、「受電部位置情報」、「受電方法情報」のうちの一つ以上の情報に基づき、この変調信号を送信した車が、駐車の対象であるかを判定し、「駐車対象結果情報」を含む変調信号を、車が具備する通信装置に送信することになる。なお、これらの動作の例については、すでに説明している。
【１０７４】
さらに、送電システムの通信装置は、「送電部位置情報」を、車が具備する通信装置に対し、送信する。
【１０７５】
例えば、「図８８の駐車場のスペースにおいて、送電システムにおける送電アンテナ８８０２がどの位置にあるか」、の情報が、「送電部位置情報」になる。
【１０７６】
図８１の構成を具備する車は、図８９における、送電システムの通信装置が送信した「受電対象結果情報」、および、「送電部位置情報」を受信する。そして、図８１の構成を具備する車は、「受電対象結果情報」から、駐車スペースにおいて、受電が可能であるかどうかを、知ることになる。
【１０７７】
このとき、例えば、図８１の構成を具備する車が、「駐車スペースにおいて、受電が可能である」ことを知ると、図８１の構成を具備する車は、「送電部位置情報」に基づいて、車自身が具備する受電アンテナを、駐車スペースの送電部位置により近い、好適な位置になるように、車制御部８１０１を制御し、車は、車自身を移動させることになる。
【１０７８】
なお、車を移動させるために、車は、周辺画像を用いて、車を好適な位置に移動させてもよいし、通信により、位置確認を行いながら、車を好適な位置に移動させてもよいし、車が具備している受電アンテナにおける電力、電力量を観測しながら、車を好適な位置に移動させてもよい。車を好適な位置に移動させるために、どのような情報を用いてもよい。
【１０７９】
なお、車が駐車の移動中に、車が具備する通信装置が「受電部位置情報」、「受電部における受電量に関する情報」、「受電部と送電部の推定距離（位置関係）の情報」などの情報を、送電システムが具備する通信装置に送信してもよい。また、車が駐車の移動中に、送電システムが具備する通信装置が「送電部位置情報」、「送電部における送電量に関する情報」、「受電部と送電部の推定距離（位置関係）の情報」などの情報を、車が具備する通信装置に送信してもよい。
【１０８０】
車が駐車スペースに駐車のための移動中に、送電システムの送電アンテナの位置を好適な位置に、送電システムが移動させてもよい。
【１０８１】
また、別の方法として、車が駐車スペースに駐車後に、送電システムの送電アンテナの位置を好適な位置に、送電システムが移動させてもよい。
【１０８２】
さらには、まず、送電システムの送電アンテナの位置を移動させ、その後、車を駐車スペースに移動させてもよい。
【１０８３】
ここで、一つの重要な点は、車が具備する通信装置が「受電部位置情報」を送電システムが具備する通信装置に対し送信し、また、送電システムの通信装置が「送電部位置情報」を車が具備する通信装置に対し、送信し、車の駐車位置の制御、または、送電システムの送電アンテナの位置の制御を行う点である。
【１０８４】
なお、車が自動的に駐車スペースに駐車する方法としては、「車が駐車スペースを認識し、車が運転の制御を行い、駐車スペースに駐車する」としてもよいし、車が具備する通信装置と送電システムが具備する通信装置が通信を行い、「受電部と送電部の位置関係」を車が具備する通信装置と送電システムが具備する通信装置が共有したり、「車と駐車スペースの位置関係」を車が具備する通信装置と送電システムが具備する通信装置が共有したりすることで、車が運転の制御を行い、駐車スペースに駐車する」としてもよい。
【１０８５】
そして、上述の例では、送電システムの送電アンテナの位置を移動させることができる場合について、説明したが、これに限ったものではなく、送電システムの送電アンテナの位置が、駐車スペースに対し、固定的であってもよい。この場合、車は、車自身を好適な位置に自動的に移動させることで、受電アンテナを好適な位置に移動させ、高い充電効率を得ることができることになる。このとき、好適な位置変更を行うために、車が具備する通信装置は、受電部位置情報を、送電システムの通信装置に対し、送信するとよい。また、送電システムの通信装置が、「送電部位置情報」を送信してもよい。なお、送電部位置情報は、駐車スペースのどのような位置にあるか（「例えば、駐車スペースの前方、右」）という情報であってもよいし、また、具体的な数値を含む、例えば、駐車スペースに白線があった場合、「白線の後方から３ｍ、白線の右から２ｍに送電部がある」というような情報であってもよい。
【１０８６】
なお、送電システムにおける送電アンテナは、複数のアンテナで構成されており、送信ビームフォーミングを行ってもよい。このとき、送電システムは、図８８、図８９における、車が送信する「受電部位置情報」を利用して、ビームフォーミング方法を切り替えると好適な送電を行うことが可能となる。なお、送電アンテナの位置は、変更することができてもよいし、固定されていてもよい。
【１０８７】
また、車が具備する受電アンテナは、複数のアンテナで構成されており、受信ビームフォーミングを行ってもよい。このとき、車は、図８９における、送電システムが送信する「送電部位置情報」を利用して、ビームフォーミングの方法を切り替えると好適な受電を行うことが可能となる。
【１０８８】
以上のように、本実施の形態を実施することで、駐車対象となる車を選別して駐車させることが可能となり、これにより、送電システムの稼動率が向上するという効果が得ることができる。また、送電アンテナ、受電アンテナの位置を好適に制御することで、充電効率が改善するという効果を得ることができる。
【１０８９】
なお、本実施の形態における車が具備する通信装置と送電システムの通信は、電波による無線通信であってもよいし、可視光などを用いた光通信であってもよい。
【１０９０】
（補足説明）
以下、本開示の送信装置、受信装置、送信方法、及び、受信方法について補足説明をする。
【１０９１】
本開示の一態様の送信装置は、複数の送信アンテナを備える送信装置であって、第１ストリームのデータを変調して第１ベースバンド信号を生成し、第２ストリームのデータを変調して第２ベースバンド信号を生成する信号処理部と、第１ベースバンド信号からそれぞれ指向性の異なる複数の第１送信信号を生成し、第２ベースバンド信号からそれぞれ指向性の異なる複数の第２送信信号を生成し、複数の第１送信信号及び複数の前記第２送信信号を同一時間に送信する送信部と、を備え、送信部は、さらに、端末から第１ストリームの送信の要求を受けた場合には、複数の第１送信信号とは異なり、かつ、それぞれ指向性の異なる複数の第３送信信号を、第１ベースバンド信号から生成して送信する。
【１０９２】
複数の第１送信信号及び複数の第２送信信号のそれぞれは、当該送信信号が第１ストリームおよび第２ストリームのうちのいずれのストリームのデータを伝送する信号であるかを通知するための制御信号を含んでいてもよい。
【１０９３】
複数の第１送信信号及び複数の第２送信信号のそれぞれは、受信装置が指向性制御を行うためのトレーニング信号を含んでいてもよい。
【１０９４】
本開示の一態様の受信装置は、複数の受信アンテナを備える受信装置であって、送信装置が同一時間に送信する第１ストリームのデータを伝送するそれぞれ指向性の異なる複数の第１信号及び第２ストリームのデータを伝送するそれぞれ指向性の異なる複数の第２信号のうち、少なくとも１つの第１信号及び少なくとも１つの第２信号を選択し、選択した複数の信号を受信するための指向性制御を行って信号を受信する受信部と、受信した信号を復調して前記第１ストリームのデータ及び前記第２ストリームのデータを出力する信号処理部と、受信部によって前記少なくとも１つの第１信号が受信されていない場合に、送信装置に対して第１ストリームの送信の要求を行う送信部とを備える。
【１０９５】
受信部は、複数の受信信号のそれぞれに含まれる前記第１ストリームおよび前記第２ストリームのうちのいずれのストリームのデータを伝送する信号であるかを通知するための制御信号に基づいて、前記少なくとも１つの第１信号及び前記少なくとも１つの第２信号を選択してもよい。
【１０９６】
受信部は、複数の受信信号のそれぞれに含まれるトレーニング信号を用いて指向性制御を行ってもよい。
【１０９７】
本開示の一態様の送信方法は、複数の送信アンテナを備える送信装置で実行される送信方法であって、第１ストリームのデータを変調して第１ベースバンド信号を生成し、第２ストリームのデータを変調して第２ベースバンド信号を生成する処理と、第１ベースバンド信号からそれぞれ指向性の異なる複数の第１送信信号を生成し、第２ベースバンド信号からそれぞれ指向性の異なる複数の第２送信信号を生成し、複数の第１送信信号及び複数の前記第２送信信号を同一時間に送信する処理とを含み、送信処理では、さらに、端末から第１ストリームの送信の要求を受けた場合には、複数の第１送信信号とは異なり、かつ、それぞれ指向性の異なる複数の第３送信信号を、第１ベースバンド信号から生成して送信する。
【１０９８】
本開示の一態様の受信方法は、複数の受信アンテナを備える受信装置で実行される受信方法あって、送信装置が同一時間に送信する第１ストリームのデータを伝送するそれぞれ指向性の異なる複数の第１信号及び第２ストリームのデータを伝送するそれぞれ指向性の異なる複数の第２信号のうち、少なくとも１つの第１信号及び少なくとも１つの第２信号を選択し、選択した複数の信号を受信するための指向性制御を行って信号を受信する処理と、受信した信号を復調して前記第１ストリームのデータ及び前記第２ストリームのデータを出力する処理と、受信処理において少なくとも１つの第１信号が受信されていない場合に、送信装置に対して第１ストリームの送信の要求を行う送信処理とを含む。
【１０９９】
（実施の形態１４）
図９０は、本実施の形態に係る通信システムの構成を示す図である。図９０に示す通信システムは、複数の車両９００１と、複数の送電システム９００２と、クラウドサーバ９００３とを含む。例えば、この通信システムは、「車両の使用に対して、時間分割を行い、時間ごとに車両を使用するユーザを割り当てる」車両シェアリングシステムに用いられる。
【１１００】
車両９００１は、例えば、「電気をエネルギー源とし、電動機を動力源として走行する自動車」である電気自動車、「電気をエネルギー源とし、電動機を動力源として走行する二輪車」などであり、例えば、図８１などに示す車８１００と同様の構成を有する（他の図の車の構成を適用してもよい）。
【１１０１】
送電システム９００２は、例えば、複数の車両９００１が駐車される駐車場に設けられている。例えば、１カ所の駐車場に一つ、または、一つ以上の送電システム９００２が設けられる。送電システム９００２は、一つ以上、または、複数の送電器９００４と、ネットワーク９００５と、サーバ９００６とを含む。送電器９００４は、車両９００１への送電を行う。サーバ９００６は、ネットワーク９００５を介して、複数の送電器９００４と通信可能である。また、サーバ９００６はクラウドサーバ９００３と通信可能である。
【１１０２】
クラウドサーバ９００３は、一つ以上、または、複数の送電システム９００２と通信可能なサーバである。
【１１０３】
図９１は、送電器９００４の構成例を示すブロック図である。図９１において、図７７と同様に動作するものについては、同一番号を付しており、説明を省略する。
【１１０４】
本実施の形態では、「車両９００１が受電中（給電中）に車両９００１からの情報の取得、及び車両９００１への情報の供給が行われる。図９２は、本実施の形態に係る通信システムの動作の概要を示す図である。
【１１０５】
送電器９００４−１は、車両９００１−１の受電中に、車両９００１−１から第１の情報を取得する（９２−１）。なお、送電及び車両９００１−１から情報を取得する方法は、実施の形態１０〜実施の形態１３で説明した方法と同様の方法を用いることができる。なお、送電の方法は無線送電に限らず有線送電であってもよい。
【１１０６】
送電器９００４−１は、取得した第１の情報をサーバ９００６−１に送信する（９２−２）。ここで、送電器９００４−１とサーバ９００６−１とは、同じ送電システム９００２に含まれる。サーバ９００６−１は、受信した第１の情報をクラウドサーバ９００３に送信する（９２−３）。なお、送電システム９００２が、サーバ９００６−１を具備していない場合、送電器９００４−１は取得した第１の情報をクラウドサーバ９００３に送信することになる。
【１１０７】
クラウドサーバ９００３は、受信した第１の情報に基づく第２の情報をサーバ９００６−２に送信する（９２−４）。サーバ９００６−２は、受信した第２の情報を送電器９００４−２に送信する（９２−５）。ここで、送電器９００４−２とサーバ９００６−２とは、同じ送電システム９００２に含まれる。なお、送電システム９００２が、サーバ９００６−１を具備していない場合、クラウドサーバ９００３は、第２の情報を送電器９００４−２に送信することになる。
【１１０８】
送電器９００４−２は、車両９００１−２の受電中に、第２の情報を車両９００１−２に供給する（９２−６）。
【１１０９】
なお、第２の情報は、例えば、第１の情報に基づきクラウドサーバ９００３において生成された情報であってもよいし、複数の車両から得られた複数の「情報」に基づき生成された情報であってもよいし、他の車両から得られた「情報」であってもよい。また、第１の情報は、送電器９００４−１又はサーバ９００６−１が加工したものであってもよく、送電器９００４−１又はサーバ９００６−１は、この情報をクラウドサーバ９００３に送信してもよい。また、第２の情報の生成処理の一部又は全てが、送電器９００４−１、サーバ９００６−１、サーバ９００６−２又は９００４−２で行われてもよい。
【１１１０】
また、図９２では、クラウドサーバ９００３を介して異なる送電システム９００２間で情報が伝送される例を示したが、ある送電システム９００２内の異なる送電器９００４間で情報が伝送されてもよい。この場合、クラウドサーバ９００３で行われる処理が、サーバ９００６で行われてもよい。また、同一の送電器９００４を用いて、車両９００１−１からの第１の情報の取得と、車両９００１−２への第２の情報の供給とが行われてもよい。
【１１１１】
また、図９２では、車両からの情報の取得と、車両への情報の供給とを個別の処理として記載しているが、車両からの情報の取得の際に、既に取得済み又は生成済みの情報が当該車両に供給されてもよい。
【１１１２】
また、送電器９００４とサーバ９００６とクラウドサーバ９００３との間における、第１の情報及び第２の情報の伝送のタイミングは任意のタイミングでよい。例えば、送電器９００４−２は、車両９００１−２に送電を行う際に、サーバ９００６−２又はクラウドサーバ９００３に、第２情報の取得要求を送り、サーバ９００６−２又はクラウドサーバ９００３は、当該取得要求に応じて第２情報を送電器９００４−２に送信してもよい。
【１１１３】
以下、第１の情報及び第２の情報及び車両が送信する情報の具体例について説明する。
【１１１４】
第１の情報及び車両が送信する情報は、車両の状態を示す情報、又は、ユーザが車両の運転時に車両で得られた情報を含む。例えば、第１の情報及び車両が送信する情報は、車両が搭載している電池の状態を示す情報である。具体的には、例えば、電池の電圧及び電流を示す情報、並びに、電池を構成する複数のセルの各々の状態（例えば正常に動作しているか否か）を示す情報である。また、第１の情報及び車両が送信する情報は、車両に搭載されたセンサの状態（例えば正常に動作しているか否か）を示す情報である。また、センサとは、例えば、画像センサ（（ＣＭＯＳ（Complementary Metal Oxide Semiconductor）、有機ＣＭＯＳ、ＣＣＤ（Charged Coupled Devices））イメージセンサなど）、レーダ、加速度センサ、速度センサ、温度センサ、光センサ等である。そして、第１の情報及び車両が送信する情報は、車両が搭載している太陽光発電などを例とする「発電機の発電の状態を示す情報（発電電力量に関する情報）」であってもよい。また、第１の情報及び車両が送信する情報は、車両が搭載している太陽光発電などを例とする「発電機の故障の有無を示す情報」であってもよい。
【１１１５】
なお、第１の情報及び車両が送信する情報は、他の車両、他の通信装置から通信を行うことによって、他の車両のセンサのより得られた情報であってもよい。また、第１の情報及び車両が送信する情報は、他の車両、他の通信装置から通信を行うことによって、他の車両が得ている情報（例えば、交通情報、車々間の距離の情報、緊急情報、渋滞状況の情報など）であってもよい。このとき、車両は、他の車両、他の通信装置と通信を行うための通信装置を具備していることになる。
【１１１６】
また、本システムが車両シェアリングシステムに適用される場合には、第１の情報及び車両が送信する情報は、車両シェアリングに関連する情報を含む。また、第１の情報及び車両が送信する情報は、車両を運転した個人のための情報（以下、個人用情報）と、他のユーザなどの複数のユーザに供給してもよい情報、または、供給する情報（以下、共有情報）とを含む。例えば、個人用情報は、個人を特定するユーザ情報等と紐づけられて、例えば、サーバ９００６又はクラウドサーバ９００３で管理される。また、複数のユーザから得られた共有情報は、サーバ９００６又はクラウドサーバ９００３で管理され、複数のユーザに供給される。
【１１１７】
具体的には、第１の情報及び車両が送信する情報は、車両が移動した地域の情報、または、新しい情報を含む。例えば、当該情報は、交通情報（渋滞情報及び工事の情報等）、「店舗、または、新しい店舗」の情報、「イベント情報」、「駐車施設、および、料金」情報を含んでいてもよい。なお、当該情報が新しい情報であるか否かは、車両９００１で判定されてもよいし、送電システム９００２又はクラウドサーバ９００３で判定されてもよい。また、これらの情報は、例えば、車両が備える画像センサで得られた情報を画像認識及びセンシングすることで得られる。また、これらの情報は、ローカルの共有情報としてサーバ９００６又はクラウドサーバ９００３で管理及び共有されてもよい。
【１１１８】
また、第１の情報及び車両が送信する情報は、車両をレンタルしたユーザが車両に対して行った異常動作を示す情報を含んでもよい。例えば、異常動作を示す情報は、タイヤ又は車体が障害物等に接触したことを示す情報を含んでいてもよい。なお、当該情報は、当該接触の回数、時刻、及び程度を示す情報を含んでもよい。また、異常動作を示す情報は、急ブレーキが行われたことを示す情報を含んでいてもよい。なお、当該情報は、急ブレーキの回数、時刻、及び程度を示す情報を含んでもよい。また、異常動作を示す情報は、予め定められた速度以上の速度で走行したことを示す情報を含んでいてもよい。なお、当該情報は、予め定められた速度以上の速度で走行した時刻、及び最高速度を示す情報を含んでもよい。また、第１の情報及び車両が送信する情報は、上記の異常動作が発生した際にドライブレコーダ（車両が走行している際の映像を記録する装置）で得られた動画像情報を含んでもよい。
【１１１９】
また、第１の情報及び車両が送信する情報に含まれる個人用情報は、レンタルの終了時等にユーザに対応付けて、例えば、サーバ９００６又はクラウドサーバ９００３で管理されてもよい。そして、この管理されている情報に基づき第２の情報を生成し、ユーザが次回車両をレンタルする際に、サーバ９００６又はクラウドサーバ９００３は、この第２情報を当該車両に供給してもよい。
【１１２０】
また、共有情報について、情報の供給を許可するか否かを提供するユーザが設定してもよい。例えば、この設定は、ユーザ情報に対応付けて予め行われていてもよいし、車両のレンタル開始時又は終了時に行われてもよい。また、共有情報の種別又はレベル毎に情報の供給を許可するか否かが設定されてもよい。
【１１２１】
また、情報の共有を許可した場合には、ユーザに特典が与えられてもよい。例えば、特典として車両のレンタル料が割引されてもよい。また、個人用情報についても共有情報と同様に、情報の取得の可否をユーザが設定してもよい。
【１１２２】
そして、第１の情報及び車両が送信する情報又は第２の情報は、車両をレンタルしたユーザの保険に関する情報を含んでもよい。
【１１２３】
さらに、個人情報は、「使用したユーザが車両に対して行った設定に関する情報」、「使用したユーザが車両内の装置に対して行った設定に関する情報」を含んでいてもよい。
【１１２４】
例えば、ユーザが、運転席の座席の位置、および、高さをユーザにとって好適な設定を行ったものとする。このときの座席の設定に関する情報を個人情報の一部としてもよい。
【１１２５】
また、ユーザが、車両に対し、自動運転のための好適な設定を行ったものとする。このときの自動運転の設定に関する情報を個人情報の一部としてもよい。
【１１２６】
そして、ユーザが、車両から接続した通信相手の情報、そのときに得た情報を個人情報の一部としてもよい。
【１１２７】
そして、これらの情報を含む個人情報は、レンタルの終了時等にユーザに対応付けて、例えば、サーバ９００６又はクラウドサーバ９００３で管理されてもよい。そして、この管理されている情報に基づき第２の情報を生成し、ユーザが次回車両をレンタルする際に、サーバ９００６又はクラウドサーバ９００３は、この第２情報を当該車両に供給してもよい。
【１１２８】
このようにすることで、ユーザは、レンタル都度、煩わしい設定を行う必要がなくなるとともに、ユーザごとに、好適な設定を簡単に呼び出すことができるため、ユーザの利便性が向上するという効果を得ることができる。
【１１２９】
そして、車両が具備する通信装置は、第１の情報及び車両が送信する情報を、「車両の受電時間、または、車両が駐車場に停車中」に、サーバ９００６、または、クラウドサーバ９００３へ送信することになる。なお、車両が走行中に、車両が具備する通信装置が、第１の情報および車両が送信する情報の「すべて、または、一部」を、サーバ９００６、または、クラウドサーバ９００３へ送信してもよい。
【１１３０】
以下、車両９００１とクラウドサーバ９００３とのデータ同期について例を説明する。
【１１３１】
図９０におけるサーバ９００６、および、クラウドサーバ９００３は、他の第１のネットワークを介し、第１の通信装置と接続されているものとする。
【１１３２】
そして、ユーザは保有する第２の通信装置を用いて、第１通信装置、第１ネットワークを介し、サーバ９００６、および、クラウドサーバ９００３と接続するものとする。
【１１３３】
そして、車両を介して保存された個人情報、共有情報の「サーバ９００６、および、クラウドサーバ９００３」におけるアクセス先の情報を、ユーザは保有する第２の通信装置は、第１通信装置、第１ネットワークを介し、「サーバ９００６、および、クラウドサーバ９００３」から得ることになる。
【１１３４】
これにより、ユーザは、第２の通信装置から、「サーバ９００６、および、クラウドサーバ９００３」内の個人情報、共有情報にアクセスすることが可能となる。
【１１３５】
そして、このユーザが、別の機会に車両に乗る際、個人情報、共有情報を呼び出すために、第２通信装置を用いて、「サーバ９００６、および、クラウドサーバ９００３」にアクセスし、個人情報、共有情報に基づいた第２の情報を使用する車両に転送することで、使用する車両は、個人情報、共有情報に基づいた車両の設定にすることができ、また、個人情報、共有情報に基づいた情報を得ることができることになる。
【１１３６】
また、ユーザは、第２通信装置を用いて、「サーバ９００６、および、クラウドサーバ９００３」にアクセスし、共有情報については、「他のユーザにアクセスできるように」設定してもよい。
【１１３７】
さらに、ユーザが別の機会に車両に乗る際、個人情報、共有情報に加え、他のユーザが提供した共有情報を呼びだしてもよい。したがって、ユーザは、第２通信装置を用いて、「サーバ９００６、および、クラウドサーバ９００３」にアクセスし、個人情報、共有情報、他のユーザが提供した共有情報に基づいた第２の情報を使用する車両に転送することで、使用する車両は、個人情報、共有情報、他のユーザが提供した共有情報に基づいた車両の設定にすることができ、また、個人情報、共有情報、他のユーザが提供した共有情報に基づいた情報を得ることができることになる。
【１１３８】
このようにすることで、ユーザは、レンタル都度、煩わしい設定を行う必要がなくなるとともに、ユーザごとに、好適な設定を簡単に呼び出すことができるため、ユーザの利便性が向上するという効果を得ることができる。さらに、ユーザは、ユーザ自身が過去に得た有益な情報、および、他のユーザが得た有益な情報を簡単に得ることができるという効果を得ることができる。
【１１３９】
以上のように、本実施の形態に係る通信システムは、１つ以上の送電器９００４と、１つ以上の送電器９００４と通信可能なサーバ９００６又はクラウドサーバ９００３とを含む。サーバ９００６又はクラウドサーバ９００３は、１つ以上の送電器９００４に含まれる第１の送電器９００４−１による第１の車両９００１−１の受電中に、第１の車両９００１−１から第１の送電器９００４−１を介して第１の情報を取得する（９２−１〜９２−３）。サーバ９００６又はクラウドサーバ９００３は、１つ以上の送電器９００４に含まれる第２の送電器９００４−２による第２の車両９００１−２の受電中に、第１の情報に基づく第２の情報を第２の送電器９００４−２を介して第２の車両９００１−２に供給する。
【１１４０】
また、例えば、図６２から図６８に示すように、１つ以上の送電器９００４の各々は、車両９００１に送電するための送電コイル６１０１と、送電コイル６１０１の内側に配置され、車両９００１と通信するための第１の通信用アンテナ６２０１＿５〜６２０１＿８と、送電コイル６１０１の外側に配置され、車両９００１と通信するための第２の通信用アンテナ６２０１＿１〜６２０１＿４とを備える。
【１１４１】
そして、図９０において、車両９００１は、送電システム９００２内のサーバ９００６に対し、車両９００１を使用するユーザの認証が行われてもよい。または、車両９００１は、送電システム９００２を介し、クラウドサーバ９００３に対し、車両９００１を使用するユーザの認証が行われてもよい。また、ユーザの認証の際、車両９００１の個別識別子を示す情報（車両個別のＩＤ（identification）情報）が、通信装置から送信されてもよい。
【１１４２】
サーバ９００６、または、クラウドサーバ９００３は、この認証が完了すると、送電システム９００２の通信機能を介すことで、車両９００１に対し、認証完了に関する情報を送信することになる。そして、車両９００１は、認証を完了することにより、動くための起動が行われ、動くことが可能となってもよい。
【１１４３】
または、サーバ９００６、または、クラウドサーバ９００３は、この認証が完了すると、ユーザが保有している通信装置に対し、認証完了に関する情報を送信してもよい。そして、車両９００１は、ユーザが、この認証完了に関する情報に基づくことで（例えば、認証完了に関する情報にパスワードが含まれており、ユーザは、車両９００１にパスワードの情報を与える）、動くための起動が行われ、動くことが可能となってもよい。
【１１４４】
このように、「車両の受電時間」と「サーバへのデータの提供および供給時間」を別々に設定せず、「車両の受電時間」中に「サーバへのデータの提供および供給」を行うため、車両を自由に使用することができる時間を長くすることができるという効果を得ることができる。また、「車両の停車中」と「サーバへのデータへの提供および共有時間」を別々に設定せず、「車両の停車中」に「サーバへのデータの提供および供給」を行うため、車両を自由に使用することができる時間を長くすることができるという効果を得ることができる。
【１１４５】
なお、ユーザは、車両９００１を動かすことを目的として使用するとは限らない。したがって、ユーザは、車両９００１が具備する通信装置から、サーバ９００６、または、クラウドサーバ９００３に対し、「車両９００１を動かすかどうかの情報」、または、「車両９００１を動かさないという情報」を送信してもよい。そして、サーバ９００６、または、クラウドサーバ９００３が、車両９００１を動かさないと判断した場合、サーバ９００６、または、クラウドサーバ９００３は、車両９００１に対し、「動くための起動を行わない」という情報を送信してもよい。
【１１４６】
（補足７）
本明細書において、受信装置に関連する処理に関するアプリケーションをサーバが提供し、端末は、このアプリケーションをインストールすることで、本明細書で記載した受信装置の機能を実現してもよい。なお、アプリケーションは、本明細書に記載した送信装置を具備する通信装置がネットワークを介しサーバと接続することによって、端末に提供されてもよいし、アプリケーションは、別の送信機能を有する通信装置がネットワークを介しサーバと接続することによって、端末に提供されてもよい。
【１１４７】
同様に、本明細書において、送信装置に関連する処理に関するアプリケーションをサーバが提供し、通信装置は、このアプリケーションをインストールすることで、本明細書で記載した送信装置の機能を実現してもよい。なお、アプリケーションは、他の通信装置がネットワークを介しサーバと接続することによって、この通信装置に提供されるという方法が考えられる。
【１１４８】
本明細書において、例えば、「端末」、「中継器」、「車両」、「通信装置」、「車」、「送受信装置」と記載しているが、「端末」、「中継器」、「車両」、「通信装置」、「車」、「送受信装置」は、衛星、ロボット、家電機器（家庭用電気機械器具）、ドローン、車などのVehicle、航空機、飛行船（Airborne）、（動くことが可能な）アクセスポイント、基地局、船、海底移動装置、自転車、（自動）二輪車などであってもよい。
【１１４９】
本明細書において、「サーバ」を記載している。このサーバの構成の一例について説明する。サーバの構成の一例を図９３に示す。サーバは、処理を行うためのＡＰＩ（Application Programming Interface）として、認識層ＡＰＩ、の分析層ＡＰＩ、学習層ＡＰＩ、通信ネットワーク層ＡＰＩなどを具備しており、これらのＡＰＩは、アプリケーション接続のＡＰＩと接続されており、それぞれのＡＰＩで処理を行い、例えば、各装置の動作のための指示を決定したり、実施の形態１４で説明した第２の情報の生成を行うことになる。そして、アプリケーション接続のためのＡＰＩは、ネットワークと接続しており、処理結果を、出力することになる。
【１１５０】
本開示によれば、通信システムの性能改善や新たなサービスの提供などを促進することができる可能性がある。
【１１５１】
（実施の形態１５）
上記の各実施の形態で説明した複数アンテナを用いた無線通信方式は、通信システムに適用可能な無線通信方式の一例である。ここで、上述のように、通信システムで用いる無線通信方式は、光通信などのアンテナ以外のデバイスを用いて通信を行う通信方式であってもよい。つまり、本明細書の中で、通信装置、送信装置、受信装置などが通信を行う際、例えば、可視光を用いた光通信を用いてもよい。以下では、光通信の例として、可視光通信に関する具体的な例を説明する。まず、本開示の各実施の形態に適用可能な可視光通信方式の一例である、可視光通信の第１例について説明する。
【１１５２】
＜ラインスキャンサンプリング＞
スマートフォンまたはデジタルカメラなどには、ＣＭＯＳ（Complementary Metal Oxide Semiconductor）センサなどのイメージセンサが搭載されている。ＣＭＯＳセンサで撮像された画像は、全体が厳密に同じ時刻の風景を写しているわけではなく、例えば、行ごとにシャッタ動作を行うローリングシャッタ方式により、１ライン毎にセンサが受光した光の量を読み出す。そのため、読み出しに要する時間を見計らって、１ライン毎に時間差をおいて受光の開始、終了の制御が行われる。つまり、ＣＭＯＳセンサで撮像された画像は、露光期間に少しずつタイムラグのある多数のラインを重ねた形になる。
【１１５３】
可視光通信方式の第１の例では、このＣＭＯＳセンサの性質に着目した方式に基づいて、可視光信号受信の高速化を実現している。すなわち、可視光通信方式の第１の例では、ライン毎に露光時間が少しずつ異なることを利用することで、図９４に示すように、１枚の画像（イメージセンサの撮像画像）から、複数の時点における光源の輝度、色をライン毎に測定することができ、フレームレートよりも高速に変調された信号を捉えることができる。
【１１５４】
以下では、このサンプリング手法を「ラインスキャンサンプリング」と呼び、同じタイミングで露光される１列の画素を「露光ライン」と呼ぶ。
【１１５５】
なお、ＣＭＯＳセンサによるローリングシャッタ方式で「ラインスキャンサンプリング」を実現することができるが、ＣＭＯＳセンサ以外のセンサ、例えば、ＣＣＤ（Ｃｈａｒｇｅ−Ｃｏｕｐｌｅｄ  Ｄｅｖｉｃｅ）センサ、有機（ＣＭＯＳ）センサなどにより、ローリングシャッタ方式を実現しても、同様に「ラインスキャンサンプリング」を実施することができる。
【１１５６】
ただし、カメラ機能（動画または静止画の撮影機能）における撮像時の撮像設定では、高速で点滅する光源を撮影しても、点滅が露光ラインに沿った縞模様として現れることはない。なぜなら、この設定では、露光時間が光源の点滅周期よりも十分に長いため、図９５に示すように、光源の点滅（発光パターン）による輝度の変化が平均化されて露光ライン間の画素値の変化が小さくなり、ほぼ一様な画像になるからである。
【１１５７】
これに対して、図９６に示すように、露光時間を光源の点滅周期程度に設定することで、光源の点滅の状態（発光パターン）を露光ラインの輝度変化として観測することができる。図９６では、露光期間の長さを同じ発光状態が継続する最小の期間の長さより少し長く設定し、隣接する露光ライン間で露光期間の開始時刻の差を同じ発光状態が継続する最小の期間の長さよりも短く設定しているが、ラインスキャンサンプリングにおける露光期間の設定はこれに限定されない。例えば、露光期間の長さは、同じ発光状態が継続する最小の期間の長さより短く設定してもよいし、同じ発光状態が継続する最小の期間の長さの２倍程度の長さに設定してもよい。また、光通信方式として、光信号が例えば図９７Ａに示す矩形波の組み合わせで表現される方式だけでなく、光信号が連続的に変化する方式を用いる場合もある。いずれの場合においても、光通信方式の受信装置は、光信号を受信して復調するために必要なサンプリングレートに対して、時間的に隣接する露光ライン間で露光期間の開始時刻または終了時刻の差を当該サンプリングレートに対応するサンプリング間隔と同じか、それ以下に設定する。また、光通信方式の受信装置は、露光期間の長さをサンプリング間隔と同じか、それ以下に設定する。ただし、光通信方式の受信装置は、露光期間の長さをサンプリング間隔の１．５倍以下に設定してもよいし、２倍以下に設定してもよい。
【１１５８】
例えば、露光ラインは、イメージセンサの長辺方向に平行になるように設計される。この場合、一例として、フレームレートを３０ｆｐｓ（frames per second）とすると、１９２０×１０８０のサイズの解像度では、毎秒３２４００以上のサンプルが得られ、３８４０×２１６０のサイズの解像度では、毎秒６４８００以上のサンプルが得られる。
【１１５９】
＜ラインスキャンサンプリングの応用例＞
なお、上記説明では、一ライン毎に受光した光の量を示す信号を読み出すラインスキャンサンプリングについて説明したが、ＣＭＯＳなどのイメージセンサを用いた光信号のサンプリング方式はこれに限定されない。光信号の受信に用いるサンプリング方式としては、通常の動画の撮影に用いるフレームレートよりも高いサンプリングレートでサンプリングされた信号を取得できる様々な方式が適用可能である。例えば、画素ごとにシャッタ機能を持たせるグローバルシャッタ方式により、画素ごとに露光期間を制御して信号を読み出す方式や、ライン状ではない形状に配置された複数の画素のグループ単位で露光期間を制御して信号が読み出される方式を用いてもよい。また、通常の動画の撮影に用いるフレームレートにおける１フレームに相当する期間内に、同一の画素から複数回信号が読み出される方式を用いてもよい。
【１１６０】
＜フレームによるサンプリング＞
さらに、画素ごとにシャッタ機能を持たせるフレームレート方式により、フレームレートを高速化した方式においても光信号をサンプリングすることは可能である。
【１１６１】
以下で説明する実施の形態は、例えば、すでに説明を行った「ラインスキャンサンプリング」、「ラインスキャンサンプリングの応用例」、「フレームによるサンプリング」のいずれの方式においても実現することは可能である。
【１１６２】
＜光源と変調方式＞
可視光通信では、例えば、アンテナに代わり、ＬＥＤ（Light Emitting Diode）や有機ＥＬ（Electro-Luminescence）などの発光素子を送信機として利用することができる。ＬＥＤや有機ＥＬは、照明またはディスプレイの光源、またはバックライト光源として普及しつつあり、高速に点滅させることが可能である。
【１１６３】
ただし、可視光通信の送信機として利用する光源は、光源の利用形態によっては可視光通信のために自由に点滅させられるわけではない。照明など可視光通信とは異なる機能を提供する光源を可視光通信に用いる場合、可視光通信による輝度の変化が人間に認識できてしまうと、照明などの本来の光源の機能を損ねてしまう。そのため、送信信号は、人間の目にちらつきが感じられないよう、かつ、所望の明るさで照らすようにすることが求められる。
【１１６４】
この要求に応える変調方式として、例えば、４ＰＰＭ（4-Pulse Position Modulation）と呼ばれる変調方式がある。４ＰＰＭは、図９７Ａに示すように、光源の明暗の４回の組み合わせによって２ビットを表現する方式である。また、４ＰＰＭは、図９７Ａに示すように、４回のうち３回が明るい状態、１回が暗い状態となるため、信号の内容に依らず、明るさの平均（平均輝度）は３／４＝７５％となる。
【１１６５】
比較のため、同様の方式として、図９７Ｂに示すマンチェスタ符号方式がある。マンチェスタ符号方式は、２状態で１ビットを表現する方式であり、変調効率は４ＰＰＭと同じ５０％であるが、２回のうち１回が明るい状態、１回が暗い状態となるため、平均輝度は１／２＝５０％となる。すなわち、可視光通信の変調方式としては、４ＰＰＭの方がマンチェスタ符号方式よりも適しているといえる。ただし、可視光通信による輝度の変化が人間に認識される場合であっても通信性能が低下するわけではないため、用途によっては人間に認識される輝度の変化が生じる方式を用いても問題は無い。したがって、送信機（光源）は、例えば、ＡＳＫ（Amplitude Shift Keying）方式、ＰＳＫ（Phase Shift Keying）方式、ＰＡＭ（Pulse Amplitude Modulation）などの変調方式を用いて、変調信号を生成し、光源を点灯、照射させてもよい。
【１１６６】
＜通信システムの全体構成例＞
図９８に示すように、可視光通信を行う通信システムは、少なくとも、光信号を送信（照射）する送信機と、光信号を受信（受光）する受信機とを含む。例えば、送信機には、表示する映像またはコンテンツに応じて、または、時間に応じて、または、通信相手に応じて、送信内容を変更する可変光送信機と、固定の送信内容を送信し続ける固定光送信機の２種類がある。ただし、可変光送信機、固定光送信機のいずれかが存在するという構成でも、光による通信システムを構成することができる。
【１１６７】
受信機は、送信機からの光信号を受信し、例えば、当該光信号に対応付けられた関連情報を取得してユーザへ提供することができる。
【１１６８】
以上のようにして、光信号を送信する送信機、光信号を受信する受信機を、本明細書における各実施の形態に適用しても、各実施の形態は同様に実施することができる。
【１１６９】
以上、可視光通信方式の概要について説明したが、光通信に適用可能な通信方式は上記の方式に限定されない。例えば、送信機の発光部は、複数の光源を用いて、データ送信を行ってもよい。また、受信装置の受光部は、ＣＭＯＳなどのイメージセンサではなく、例えば、フォトダイオードなどの光信号を電気信号に変換可能なデバイスを用いることができる通信方式であってもよい。この場合、上述したラインスキャンサンプリングを用いてサンプリングを行う必要はないため、毎秒３２４００以上のサンプリングが必要な方式であっても適用可能である。また、用途によっては、例えば、赤外線、紫外線のような可視光以外の周波数の無線を用いた通信方式を用いてもよい。
【１１７０】
なお、可視光通信を行う通信システムの一例として、図９８の構成について説明したが、可視光通信を行う通信システムの構成は、図９８に示す構成に限らない。以下に、本開示の各実施の形態に適用可能な可視光通信方式の一例である、可視光通信の第２例について説明する。
【１１７１】
（実施の形態１６）
本実施の形態では、実施の形態１５とは異なる可視光通信の第２例について説明する。
【１１７２】
可視光通信を行う通信システムの構成は、例えば、図９９に示すような構成でもよい（例えば、"IEEE 802.11-16/1499r1"を参照）。図９９では、送信信号は、アップコンバートされずにベースバンド帯において光信号として送信される。すなわち、本実施の形態の光信号を送信する機器（つまり、光源を具備する機器）が図９９に示す送信側の構成（「Sym. MapからLEDsを具備する構成））を具備し、本実施の形態の光信号を受光する端末が図９９に示す受信側の構成（「Photo-DiodeからSym. DE-MAPを具備する構成」）を具備してもよい。
【１１７３】
図９９の具体的な説明を行う。シンボルマッピング部は、送信データを入力し、変調方式に基づいたマッピングを行う、シンボル系列（ci）を出力する。
【１１７４】
等化前処理部は、シンボル系列を入力とし、受信側での等化処理を軽減するために、シンボル系列に対し、等化前処理を行い、等化前処理後のシンボル系列を出力する。
【１１７５】
エルミート対称性処理部は、等化前処理後のシンボル系列を入力とし、エルミート対称性が確保できるように、等化前処理後のシンボル系列に対しサブキャリア割り当てを行い、パラレル信号を出力する。
【１１７６】
逆（高速）フーリエ変換部は、パラレル信号を入力とし、パラレル信号に対し、逆（高速）フーリエ変換を施し、逆（高速）フーリエ変換後の信号を出力する。
【１１７７】
パラレルシリアル、および、サイクリックプレフィックス付加部は、逆（高速）フーリエ変換後の信号を入力とし、パラレルシリアル変換、および、サイクリックプレフィックスを付加し、信号処理後の信号として出力する。
【１１７８】
デジタルアナログ変換部は、信号処理後の信号を入力とし、デジタルアナログ変換を行い、アナログ信号を出力し、アナログ信号は、１つ以上の例えばＬＥＤから、光として出力される。
【１１７９】
なお、等化前処理部、エルミート対称性処理部は、なくてもよい。つまり、等化前処理部、エルミート対称性処理部での信号処理は、行わない場合もあり得る。
【１１８０】
フォトダイオードは、光を入力とし、ＴＩＡ（Transimpedance Amplifier）により、受信信号を得る。
【１１８１】
アナログデジタル変換部は、受信信号に対し、アナログデジタル変換を行い、デジタル信号を出力する。
【１１８２】
サイクリックプレフィックス除去、および、シリアルパラレル変換部は、デジタル信号を入力とし、サイクリックプレフィックス除去を行い、その後、シリアルパラレル変換を行い、パラレル信号を入力とする。
【１１８３】
（高速）フーリエ変換部は、パラレル信号を入力とし、（高速）フーリエ変換を行い、（高速）フーリエ変換後の信号を出力する。
【１１８４】
検波部は、フーリエ変換後の信号を入力とし、検波を行い、受信シンボル系列を出力する。
【１１８５】
シンボルデマッパーは、受信シンボル系列を入力とし、デマッピングを行い、受信データ系列を得る。
【１１８６】
なお、図９９はあくまでも例であり、ＯＦＤＭ（Orthogonal Frequency Division Multiplexing）などのマルチキャリア方式に対応した送信装置、および、受信装置、以下のようなシングルキャリア方式に対応した送信装置、および、受信装置であっても、本実施の形態を実施することは当然可能である。したがって、送信装置、受信装置の構成は、図９９の構成に限ったものではない。なお、例えば、シングルキャリア方式の例として、「DFT（Discrete Fourier Transform）-Spread OFDM（Orthogonal Frequency Division Multiplexing）」、「Trajectory Constrained DFT-Spread OFDM」、「OFDM based SC（Single Carrier）」、「SC（Single Carrier）-FDMA（Frequency Division Multiple Access）」、「Guard interval DFT-Spread OFDM」などがある。
【１１８７】
以上のようにして、光変調信号を送信する送信装置、光変調信号を受信する受信装置を、本明細書における各実施の形態に適用しても、各実施の形態は同様に実施することができる。
【１１８８】
（実施の形態１７）
＜近接通信の構成＞
図１００は、本実施の形態における携帯端末の正面および背面の一例を示す図である。具体的には、図１００の（ａ）は、携帯端末の正面を示し、図１００の（ｂ）は、携帯端末の背面を示す。なお、本実施の形態では、携帯端末における後述のディスプレイに対して垂直な方向をＺ軸方向と称し、Ｚ軸方向に垂直な方向であって携帯端末の長手方向に沿う方向をＹ軸方向と称し、Ｚ軸方向およびＹ軸方向に垂直な方向をＸ軸方向と称す。
【１１８９】
本実施の形態における携帯端末１０Ａは、例えば携帯電話またはスマートフォンなどの通信装置であって、無線により受電を行う機能と、近接無線通信の機能とを有する。この近接無線通信は、例えば、可視光通信などの光通信によって実現される。
【１１９０】
携帯端末１０Ａは、ディスプレイ１１と、受電コイル１１２と、発光部１３と、受光部１４とを備える。ディスプレイ１１は、図１００の（ａ）に示すように、携帯端末１０ＡのＺ軸方向正側の面（すなわち正面）に配置されるタッチパネルディスプレイである。なお、このようなディスプレイ１１は、液晶ディスプレイであってもよく、有機ＥＬ（electro-luminescence）ディスプレイであってもよい。受電コイル１１２は、上述の受電アンテナ５７０１などに相当し、携帯端末１０Ａの外部にある装置から送信される電波を受ける。これにより、携帯端末１０Ａの電池の充電が行われる。
【１１９１】
発光部１３は、例えばＬＥＤ（Light Emitting Diode）、有機ＥＬなどの光源であって、光変調信号を送信する。受光部１４は、例えばフォトダイオードまたはイメージセンサなどの素子であって、他の装置から送信された光変調信号を受信する。このような発光部１３および受光部１４は、図１００の（ｂ）に示すように、携帯端末１０ＡのＺ軸方向負側の面（すなわち背面）に配置される。携帯端末１０Ａは、この発光部１３および受光部１４を用いることによって、他の装置と可視光通信を行うことができる。なお、上述の光変調信号は、例えば、「図９７Ａに示す４ＰＰＭの変調方式、または、図９７Ｂに示すマンチェスタ符号方式によって送信信号を変調することによって得られる光信号または可視光信号」、または、「図９９のように、例えば、ベースバンド帯を用いたＯＦＤＭ方式などのマルチキャリア方式、または、シングルキャリア方式の変調信号」である。
【１１９２】
このように本実施の形態では、発光部１３および受光部１４は、携帯端末１０Ａにおけるディスプレイ１１と反対側の面（すなわち背面）に配置されている。したがって、携帯端末１０Ａのユーザは、通信相手の装置に対して携帯端末１０の背面を向けた状態で、その通信相手の装置と可視光通信を行いながら、ディスプレイ１１に表示される画像を確認することができ、さらに、ディスプレイ１１に触れて操作することができる。例えば、その通信相手の装置は、他の携帯端末１０Ａであってもよい。つまり、２つの携帯端末１０Ａのそれぞれの背面を重ね合わせれば、それぞれの発光部１３と受光部１４とが対向し、２つの携帯端末１０Ａは可視光通信を行うことができる。また、その通信相手の装置が、無線給電の機能を有する場合には、携帯端末１０Ａは、その通信相手の装置と可視光通信を行いながら、受電を行うことができる。以上のような効果を得ることができる。
【１１９３】
図１０１は、本実施の形態における他の携帯端末の正面および背面の一例を示す図である。具体的には、図１０１の（ａ）は、携帯端末の正面を示し、図１０１の（ｂ）は、携帯端末の背面を示す。
【１１９４】
携帯端末１０Ｂは、携帯端末１０Ａと同様、例えば携帯電話またはスマートフォンなどの通信装置として構成されているが、さらに、可視光通信の中継を行うことができる。このような携帯端末１０Ｂでは、図１０１の（ａ）および（ｂ）に示すように、携帯端末１０Ａのように発光部１３および受光部１４が背面に配置されているだけでなく、正面にも配置されている。つまり、携帯端末１０Ｂは、携帯端末１０Ａと同様に、ディスプレイ１１および受電コイル１１２を備えるとともに、発光部１３ａおよび１３ｂと、受光部１４ａおよび１４ｂとを備える。発光部１３ｂおよび受光部１４ｂは、携帯端末１０Ｂの背面に配置される。発光部１３ａおよび受光部１４ａは、携帯端末１０Ｂの正面に配置される。例えば、発光部１３ａおよび受光部１４ａは、ディスプレイ１１に対してＹ軸方向負側（すなわち下側）に配置される。なお、発光部１３ａおよび１３ｂは、図１００の発光部１３と同様の光源であり、受光部１４ａおよび１４ｂは、図１００の受光部１４と同様の素子である。
【１１９５】
携帯端末１０Ｂは、携帯端末１０Ａと同様に、携帯端末１０Ｂの背面に配置されている発光部１３ｂおよび受光部１４ｂを用いて第１の通信相手の装置と可視光通信を行う。さらに、携帯端末１０Ｂは、携帯端末１０Ｂの正面に配置されている発光部１３ａおよび受光部１４ａを用いて第２の通信相手の装置と可視光通信を行う。これにより、携帯端末１０Ｂは、第１の通信相手の装置と第２の通信相手の装置との間で行われる可視光通信の中継を行うことができる。
【１１９６】
ここで、図１０１の（ａ）に示すように、Ｚ軸方向正側から携帯端末１０Ｂの正面を見た場合には、発光部１３ａは左側にあり、受光部１４ａは右側にある。一方、図１０１の（ｂ）に示すように、Ｚ軸方向負側から携帯端末１０Ｂの背面を見た場合にも、発光部１３ｂは左側にあり、受光部１４ｂは右側にある。このように、本実施の形態における携帯端末１０Ｂの正面および背面の何れの面でも、発光部１３ａおよび１３ｂは左側にあり、受光部１４ａおよび１４ｂは右側にある。つまり、本実施の形態における携帯端末１０Ｂにおける正面および背面では、発光部と受光部との左右方向の相対的な位置関係が同一である。
【１１９７】
なお、左右方向の左側および右側は、ユーザから携帯端末１０Ｂを見た場合におけるユーザを基準とした向きである。つまり、左右方向の左側および右側は、ユーザが携帯端末１０ＢのＹ軸方向（すなわち上下方向）の向きを逆にすることなく、Ｙ軸を中心に携帯端末１０Ｂを回転させてその正面および背面を見た場合における向きである。携帯端末１０Ｂを基準とする上述のＸ軸、Ｙ軸およびＺ軸からなる３次元座標系では、発光部１３ａはＸ軸方向負側に配置され、発光部１３ｂはＸ軸方向正側に配置されている。同様に、その３次元座標系では、受光部１４ａはＸ軸方向正側に配置され、受光部１４ｂはＸ軸方向負側に配置されている。
【１１９８】
図１０２Ａは、本実施の形態における携帯端末１０Ｂと送電装置との一例を示す図である。
【１１９９】
送電装置２０は、例えば上述の第１の通信相手の装置であって、携帯端末１０Ｂに対して無線給電を行いながら、携帯端末１０Ｂと可視光通信を行うことができる。このような送電装置２０は、発光部２３と、受光部２４と、送電コイル２５とを備える。
【１２００】
ここで、送電装置２０における発光部２３および受光部２４は、携帯端末１０Ｂと同様の位置関係でその送電装置２０の正面に配置されている。つまり、送電装置２０の発光部２３および受光部２４が配置されている面である正面を外側から見たときに、発光部２３が左側に配置され、受光部２４が右側に配置されている。
【１２０１】
したがって、携帯端末１０Ｂの背面を送電装置２０の正面に対向させた状態で、その携帯端末１０Ｂを所定の位置に載置すれば、携帯端末１０Ｂの背面の発光部１３ｂおよび受光部１４ｂは、送電装置２０の受光部２４および発光部２３にそれぞれ対向する。これにより、携帯端末１０Ｂと送電装置２０とは、発光部１３ｂおよび受光部２４の通信路と、発光部２３および受光部１４ｂの通信路とによって、可視光通信を適切に行うことができるという効果を得ることができる。
【１２０２】
なお、上述の所定の位置には、例えば凹部が形成され、携帯端末１０Ｂは、その凹部と篏合するように送電装置２０に載置される。つまり、携帯端末１０Ｂは、送電装置２０に対して位置合わせされた状態でその送電装置２０に載置される。これにより、位置ずれによって可視光通信が不通になってしまう状態の発生を抑制することができる。
【１２０３】
図１０２Ｂは、携帯端末１０Ｂが可視光通信の中継を行っている状態を示す図である。
【１２０４】
上述の携帯端末１０Ｂである携帯端末１０Ｂａは、送電装置２０に載置されると、送電装置２０から送信される電波を受けることによって、携帯端末１０Ｂａの電池の充電を行う。さらに、携帯端末１０Ｂａは、上述のように、発光部１３ｂおよび受光部１４ｂを用いて送電装置２０と可視光通信を行う。ここで、携帯端末１０Ｂａの正面側（すなわちＺ軸方向正側）に、他の携帯端末１０Ｂである携帯端末１０Ｂｂが載置されると、携帯端末１０Ｂａは、発光部１３ａおよび受光部１４ａを用いて、その携帯端末１０Ｂｂと可視光通信を行う。
【１２０５】
具体的には、２つの携帯端末１０Ｂａおよび１０Ｂｂのそれぞれの正面および背面では、発光部１３ａおよび１３ｂが左側に配置され、受光部１４ａおよび１４ｂが右側に配置されている。したがって、２つの携帯端末１０Ｂａおよび１０Ｂｂのそれぞれの正面を同じ向きに向けた状態で、これらの携帯端末１０Ｂａおよび１０Ｂｂを重ねても、携帯端末１０Ｂａの発光部１３ａおよび受光部１４ａを、携帯端末１０Ｂｂの受光部１４ｂおよび発光部１３ｂにそれぞれ対向させることができる。これにより、２つの携帯端末１０Ｂａおよび１０Ｂｂは、可視光通信を適切に行うことができる。したがって、携帯端末１０Ｂａは、携帯端末１０Ｂｂと送電装置２０との間の可視光通信の中継を行うことができる。
【１２０６】
このように、何れの通信装置における何れの面においても、発光部が左側に配置され、受光部が右側に配置されていることによって、何れの通信装置間でも適切に可視光通信、より具体的には可視光の近接通信を行うことができる。また、各通信装置の構成上の条件、規約、または仕様を明確に定め易くすることができる。以上のような効果を得ることができる。なお、上述の例では、発光部が左側に配置され、受光部が右側に配置されているが、逆に、発光部が右側に配置され、受光部が左側に配置されていてもよい。
【１２０７】
図１０３は、本実施の形態における他の携帯端末の正面および背面の一例を示す図である。具体的には、図１０３の（ａ）は、携帯端末の正面を示し、図１０３の（ｂ）は、携帯端末の背面を示す。
【１２０８】
携帯端末１０Ｃは、携帯端末１０Ｂと同様、例えば携帯電話またはスマートフォンなどの通信装置として構成され、可視光通信の中継を行うことができる。携帯端末１０Ｂと同様、このような携帯端末１０Ｃの正面には、図１０３の（ａ）に示すように、発光部１３ａおよび受光部１４ａが配置され、背面には、図１０３の（ｂ）に示すように、発光部１３ｂおよび受光部１４ｂが配置されている。しかし、その正面および背面のそれぞれにおいて、発光部１３ａまたは１３ｂと、受光部１４ａまたは１４ｂとは、上下方向または縦方向（すなわちＹ軸方向）に沿って配置されている。
【１２０９】
具体的には、携帯端末１０Ｃの正面では、発光部１３ａは上側（つまりＹ軸方向正側）に配置され、受光部１４ａは下側（つまりＹ軸方向負側）に配置されている。また、携帯端末１０Ｃの背面では、正面とは逆に、発光部１３ａは下側（つまりＹ軸方向負側）に配置され、受光部１４ａは上側（つまりＹ軸方向正側）に配置されている。
【１２１０】
したがって、２つの携帯端末１０Ｃのうちの一方の背面を他方の正面に向けた状態で２つの携帯端末１０Ｃを重ね合わせると、発光部と受光部とが対向する。つまり、２つの携帯端末１０Ｃのうちの一方の携帯端末１０Ｃの背面の受光部１４ｂおよび発光部１３ｂは、他方の携帯端末１０Ｃの正面の発光部１３ａおよび受光部１４ａにそれぞれ対向する。その結果、２つの携帯端末１０Ｃは、これらの発光部１３ａおよび１３ｂと受光部１４ａおよび１４ｂとを用いて可視光通信を適切に行うことができる。
【１２１１】
また、その重ねられた２つの携帯端末１０Ｃに、さらに、もう１つの携帯端末１０Ｃを重ね合わせも、そのもう１つの携帯端末１０Ｃは、隣の携帯端末１０Ｃと可視光通信を行うことができる。したがって、重ねられた３つの携帯端末１０Ｃのうちの中央の携帯端末１０Ｃは、外側にある２つの携帯端末１０Ｃ間の可視光通信の中継を行うことができる。
【１２１２】
図１０４は、本実施の形態における他の携帯端末の正面および背面の一例を示す図である。具体的には、図１０４の（ａ）は、携帯端末の正面を示し、図１０４の（ｂ）は、携帯端末の背面を示す。
【１２１３】
携帯端末１０Ｄは、携帯端末１０Ｂと同様、例えば携帯電話またはスマートフォンなどの通信装置として構成されている。しかし、携帯端末１０Ｄでは、携帯端末１０Ｂと異なり、正面および背面のそれぞれに、複数の発光部および複数の受光部が配置されている。つまり、携帯端末１０Ｄは、図１０４に示すように、２つの発光部１３ａおよび２つの発光部１３ｂと、２つの受光部１４ａおよび２つの受光部１４ｂとを備える。具体的には、携帯端末１０Ｃでは、図１０４の（ａ）に示すように、２つの発光部１３ａおよび２つの受光部１４ａが正面に配置され、図１０４の（ｂ）に示すように、２つの発光部１３ｂおよび２つの受光部１４ｂが背面に配置されている。正面の２つの発光部１３ａおよび２つの受光部１４ａは、Ｘ軸方向に沿って配置されている。その２つの発光部１３ａは左側に配置され、２つの受光部１４ａは右側に配置されている。正面と同様に、背面の２つの発光部１３ｂおよび２つの受光部１４ｂも、Ｘ軸方向に沿って配置されている。その２つの発光部１３ｂは左側に配置され、２つの受光部１４ｂは右側に配置されている。
【１２１４】
このような携帯端末１０Ｄでも、上述のように、正面および背面のそれぞれで、全ての発光部１３ａまたは１３ｂが左側に配置され、全ての受光部１４ａまたは１４ｂが右側に配置されているため、携帯端末１０Ｂと同様に、可視光通信の中継を適切に行うことができる。
【１２１５】
具体的には、２つの携帯端末１０Ｄのうちの一方の背面を他方の正面に向けた状態で２つの携帯端末１０Ｄを重ね合わせると、全ての発光部のそれぞれと全ての受光部のそれぞれとが対向する。つまり、２つの携帯端末１０Ｄのうちの一方の携帯端末１０Ｄの背面にある２つの受光部１４ｂおよび２つの発光部１３ｂは、他方の携帯端末１０Ｄの正面にある２つの発光部１３ａおよび２つの受光部１４ａにそれぞれ対向する。その結果、２つの携帯端末１０Ｄは、２つの発光部１３ａおよび２つの発光部１３ｂと、２つの受光部１４ａおよび２つの受光部１４ｂとを用いて可視光通信を適切に行うことができる。
【１２１６】
また、その重ねられた２つの携帯端末１０Ｄに、さらに、もう１つの携帯端末１０Ｄを重ね合わせも、そのもう１つの携帯端末１０Ｄは、隣の携帯端末１０Ｄと可視光通信を行うことができる。したがって、重ねられた３つの携帯端末１０Ｄのうちの中央の携帯端末１０Ｄは、外側にある２つの携帯端末１０Ｄ間の可視光通信の中継を行うことができる。
【１２１７】
また、このような携帯端末１０Ｄでは、２つの発光部１３ａまたは２つの発光部１３ｂによって、２つの光変調信号を並列に送信することができる。また、携帯端末１０Ｄでは、２つの受光部１４ａまたは２つの受光部１４ｂによって、２つの光変調信号を並列に受信することができる。したがって、携帯端末１０Ｄは、携帯端末１０Ｂの特徴を有するとともに、可視光通信の並列伝送を行うことができる。
【１２１８】
図１０５は、本実施の形態における他の携帯端末の正面および背面の一例を示す図である。具体的には、図１０５の（ａ）は、携帯端末の正面を示し、図１０５の（ｂ）は、携帯端末の背面を示す。
【１２１９】
携帯端末１０Ｅは、携帯端末１０Ｄと同様、例えば携帯電話またはスマートフォンなどの通信装置として構成されて、２つの発光部１３ａおよび２つの発光部１３ｂと、２つの受光部１４ａおよび２つの受光部１４ｂとを備える。携帯端末１０Ｅの正面では、２つの発光部１３ａは左側に配置され、２つの受光部１４ａは右側に配置されている。正面と同様に、携帯端末１０Ｅの背面でも、２つの発光部１３ｂは左側に配置され、２つの受光部１４ｂは右側に配置されている。
【１２２０】
一方、携帯端末１０Ｅの正面では、携帯端末１０Ｄの正面とは異なり、２つの発光部１３ａはＹ軸方向に沿って配置され、２つの受光部１４ａもＹ軸方向に沿って配置されている。同様に、携帯端末１０Ｅの背面では、携帯端末１０Ｄの背面とは異なり、２つの発光部１３ｂはＹ軸方向に沿って配置され、２つの受光部１４ｂもＹ軸方向に沿って配置されている。
【１２２１】
このような携帯端末１０Ｅでも、上述のように、正面および背面のそれぞれで、全ての発光部１３ａまたは１３ｂが左側に配置され、全ての受光部１４ａおよび１４ｂが右側に配置されているため、携帯端末１０Ｂと同様に、可視光通信の中継を行うことができる。
【１２２２】
また、このような携帯端末１０Ｅでは、携帯端末１０Ｄと同様に、２つの発光部１３ａまたは２つの発光部１３ｂによって、２つの光変調信号を並列に送信することができる。また、携帯端末１０Ｅでは、２つの受光部１４ａまたは２つの受光部１４ｂによって、２つの光変調信号を並列に受信することができる。したがって、携帯端末１０Ｅは、携帯端末１０Ｄと同様、携帯端末１０Ｂの特徴を有するとともに、可視光通信の並列伝送を行うことができる。
【１２２３】
図１０４および図１０５に示すように、本実施の形態における携帯端末１０Ｄまたは１０Ｅは、可視光を用いて通信する通信装置である。この通信装置は、それぞれその通信装置の第１の面に沿って配置され、可視光の信号を送信する複数の第１の発光部と、それぞれ前記第１の面に沿って配置され、可視光の信号を受信する複数の第１の受光部とを備える。そして、その複数の第１の発光部は、その複数の第１の受光部の何れからも、第１の方向の２つの向きのうちの一方側に配置され、その複数の第１の受光部は、その複数の第１の発光部の何れからも、上述の２つの向きのうちの他方側に配置されている。
【１２２４】
例えば、第１の面は背面であって、複数の第１の発光部および複数の第１の受光部は、２つの発光部１３ｂおよび２つの受光部１４ｂである。図１０４および図１０５に示すように、２つの発光部１３ｂは、その２つの受光部１４ｂの何れからも、左右方向の左側に配置される。また、その２つの受光部１４ｂは、その２つの発光部１３ｂの何れからも、その左右方向の右側に配置されている。
【１２２５】
これにより、本実施の形態における通信装置の一面には、複数の発光部および複数の受光部が配置されているため、可視光通信の並列伝送を行うことができる。その結果、通信速度の向上を図ることができる。また、本実施の形態では、複数の発光部が第１の方向の２つの向きのうちの一方側に配置に配置され、複数の受光部が他方側に配置されている。したがって、２つの通信装置の一面同士を対向させれば、これらの２つの通信装置の間で、複数の発光部のそれぞれを、複数の受光部のそれぞれに簡単に対向させることができる。その結果、２つの通信装置の間での可視光通信の並列伝送を適切に行うことができる。
【１２２６】
なお、第１の面は、背面でなく、正面または側面であってもよい。また、第１の方向は、左右方向に限定されることなく、第１の面に沿う方向であればどのような方向であってもよい。
【１２２７】
また、図１０４および図１０５に示すように、本実施の形態における通信装置は、さらに、それぞれその通信装置の第２の面に沿って配置され、可視光の信号を送信する複数の第２の発光部と、それぞれその第２の面に沿って配置され、可視光の信号を受信する複数の第２の受光部とを備える。そして、上述の第１の方向に対して垂直な第２の方向に沿う軸を中心にその通信装置を回転させて第１の面および第２の面をそれぞれ見た場合、第１の面における複数の第１の発光部と複数の第１の受光部との相対的な位置関係と、第２の面における複数の第２の発光部と複数の第２の受光部との相対的な位置関係とは、同一である。
【１２２８】
例えば、第２の面は正面であって、複数の第２の発光部および複数の第２の受光部は、２つの発光部１３ａおよび２つの受光部１４ａである。図１０４および図１０５に示すように、背面を見た場合、２つの発光部１３ａは、その２つの受光部１４ａの何れからも、左右方向の左側に配置される。また、その２つの受光部１４ａは、その２つの発光部１３ａの何れからも、その左右方向の右側に配置されている。つまり、背面および正面をそれぞれ見た場合、背面における２つの発光部１３ｂと２つの受光部１４ｂとの相対的な位置関係と、正面における２つの発光部１３ａと２つの受光部１４ａとの相対的な位置関係とは、同一である。なお、その背面および正面を見た場合とは、その左右方向に垂直な方向に沿う軸（例えばＹ軸）を中心にその通信装置を回転させてその背面および正面のそれぞれを見た場合である。つまり、その場合とは、通信装置の上下を逆にするようにその通信装置を回転させて、すなわち、左右方向に沿う軸（例えばＸ軸）を中心にその通信装置を回転させて、その背面および正面のそれぞれを見た場合ではない。
【１２２９】
このように、本実施の形態における通信装置では、複数の発光部と複数の受光部との相対的な位置関係が、第１の面と第２の面とで同一である。したがって、第１の面および第２の面のそれぞれを他の通信装置に対向させれば、第１の面および第２の面のそれぞれで、その面にある複数の発光部および複数の受光部を、他の通信装置の複数の受光部および複数の発光部にそれぞれ簡単に対向させることができる。２つの他の通信装置間での可視光通信の中継を行うことができる。
【１２３０】
なお、複数の発光部と複数の受光部との相対的な位置関係は、複数の発光部のそれぞれと、複数の受光部のそれぞれとの間の距離であってもよく、１つの発光部または受光部を基準として設定される座標系における各発光部および各受光部の座標であってもよい。また、第１の面および第２の面のそれぞれに配置される発光部の数および受光部の数は、２つに限らず、３つ以上であってもよい。
【１２３１】
また、図１０４に示すように、本実施の形態における通信装置では、複数の第１の発光部は、上述の第１の方向に沿って配列され、複数の第２の発光部も、その第１の方向に沿って配列されている。同様に、複数の第１の受光部も、その第１の方向に沿って配列され、複数の第２の受光部も、その第１の方向に沿って配列されている。
【１２３２】
例えば、第１の方向は左右方向またはＸ軸方向である。これにより、可視光通信の並列伝送および中継を適切に行うことができる。
【１２３３】
あるいは、図１０５に示すように、本実施の形態における通信装置では、複数の第１の発光部は、上述の第２の方向に沿って配列され、複数の第２の発光部も、その第２の方向に沿って配列されている。同様に、複数の第１の受光部も、その第２の方向に沿って配列され、複数の第２の受光部も、その第２の方向に沿って配列されている。
【１２３４】
例えば、第２の方向は上下方向またはＹ軸方向である。これにより、可視光通信の並列伝送および中継を適切に行うことができる。
【１２３５】
以上のように、本実施の形態では、通信装置における性能を改善、または新たなサービス形態への対応などを促進できる可能性がある。
【１２３６】
＜動画像データの通信システム＞
図１０６は、可視光通信を用いて動画像データを伝送する通信システムの構成の一例を示す図である。なお、本実施の形態における動画像データは、動画像または静止画像などの画像を示すデータである。
【１２３７】
この通信システムは、圧縮符号化されている動画像データ、つまり圧縮符号化済みの動画像データを保持する携帯端末と、その動画像データに応じた画像を表示する表示装置とを少なくとも備える。ここで、この通信システムには３つのタイプがある。第１のタイプでは、携帯端末が動画像データのデコードを行う。第２のタイプでは、表示装置が動画像データのデコードを行う。第３のタイプでは、通信システムがさらにデコーダ機器を備え、そのデコーダ機器が動画像データのデコードを行う。
【１２３８】
具体的には、上述の第１のタイプおよび第２のタイプでは、通信システムは、図１０６の（ａ）に示すように、携帯端末１０と、表示装置３０とを備える。携帯端末１０は、上述の携帯端末１０Ａ〜１０Ｅの何れかであってもよい。表示装置３０は、ディスプレイ３１を備え、携帯端末１０と可視光通信を行う。
【１２３９】
第１のタイプでは、携帯端末１０は、圧縮符号化済みの動画像データをデコードし、デコードされた動画像データ、すなわち、例えば、非圧縮の動画像データ（または、ディスプレイ表示用の動画像データ）を可視光通信によって表示装置３０に送信する。つまり、その非圧縮の動画像データが光変調信号として表示装置３０に送信される。表示装置３０は、可視光通信によってその非圧縮の動画像データを受信すると、その動画像データに応じた画像をディスプレイ３１に表示する。
【１２４０】
第２のタイプでは、携帯端末１０は、圧縮符号化済みの動画像データをデコードすることなく、その動画像データを可視光通信によって表示装置３０に送信する。つまり、その圧縮符号化済みの動画像データが光変調信号として表示装置３０に送信される。表示装置３０は、可視光通信によってその動画像データを受信すると、その動画像データをデコードし、デコードされた動画像データに応じた画像をディスプレイ３１に表示する。
【１２４１】
第３のタイプでは、通信システムは、図１０６の（ｂ）に示すように、携帯端末１０と、表示装置３０と、デコーダ機器４０とを備える。携帯端末１０は、圧縮符号化済みの動画像データを可視光通信によってデコーダ機器４０に送信する。つまり、その圧縮符号化済みの動画像データが光変調信号として携帯端末１０からデコーダ機器４０に送信される。デコーダ機器４０は、可視光通信によってその動画像データを受信する。そして、デコーダ機器４０は、その動画像データをデコードし、デコードされた動画像データ、すなわち非圧縮の動画像データを可視光通信によって表示装置３０に送信する。つまり、その非圧縮の動画像データが光変調信号としてデコーダ機器４０から表示装置３０に送信される。表示装置３０は、可視光通信によってその非圧縮の動画像データを受信すると、その非圧縮の動画像データに応じた画像をディスプレイ３１に表示する。
【１２４２】
図１０７は、第１のタイプの通信システムにおける携帯端末１０および表示装置３０のそれぞれの構成の一例を示す図である。
【１２４３】
第１のタイプでは、上述のように、携帯端末１０は、圧縮符号化済みの動画像データをデコードする。したがって、携帯端末１０は、図１０７の（ａ）に示すように、デコーダ１７２を備える。携帯端末１０は、そのデコーダ１７２以外にも、蓄積部１７１、データ抽出部１７３、受電部１７４、制御部１７５、および光通信部１７６を備える。
【１２４４】
受電部１７４は、上述の受電コイル１２であって、表示装置３０から送信される電波を受け、その電波に応じた電力を携帯端末１０の電池に供給する。これにより、その電池の充電が行われる。なお、本実施の形態では、携帯端末１０は、受電部１７４を備えるが、この受電部１７４を備えていなくてもよい。
【１２４５】
蓄積部１７１は、例えば携帯端末１０の記録部またはデータ抽出部１７３から出力される圧縮符号化済みの動画像データ（すなわち圧縮動画像データ）を蓄積する。
【１２４６】
デコーダ１７２は、その蓄積部１７１に蓄積されている動画像データを読み出し、その動画像データをデコードする。そして、デコーダ１７２は、そのデコードされた動画像データである非圧縮の動画像データを光通信部１７６に出力する。
【１２４７】
光通信部１７６は、制御部１７５から出力される制御信号に応じて、光変調信号の送信および受信を行う。つまり、光通信部１７６は、上述の発光部１３、１３ａおよび１３ｂのうちの少なくとも１つと、受光部１４、１４ａおよび１４ｂのうちの少なくとも１つとを備える。このような光通信部１７６は、デコーダ１７２から出力される非圧縮の動画像データと、携帯端末１０の他の構成要素から出力される制御データとを変調することによって光変調信号を生成し、その光変調信号を表示装置３０に送信する。つまり、非圧縮の動画像データおよび制御データが光通信部１７６から表示装置３０に可視光通信によって送信される。
【１２４８】
また、光通信部１７６は、表示装置３０から送信される光変調信号を受信し、その光変調信号を復調することによって動画像データおよび制御データを生成する。つまり、表示装置３０から可視光通信によって送信された動画像データおよび制御データが光通信部１７６によって受信される。そして、光通信部１７６は、受信されたその動画像データおよび制御データをデータ抽出部１７３に出力する。
【１２４９】
データ抽出部１７３は、光通信部１７６から出力された動画像データおよび制御データを取得し、それらのデータから動画像データを抽出し、その動画像データを蓄積部１７１に出力する。また、データ抽出部１７３は、それらのデータから制御データを抽出し、その制御データを制御部１７５に出力する。データ抽出部１７３は、その制御データを、携帯端末１０の他の構成要素に出力してもよい。
【１２５０】
制御部１７５は、データ抽出部１７３から出力された制御データを取得すると、その制御データに応じて光通信部１７６を制御するための制御信号を生成し、その制御信号を光通信部１７６に出力する。
【１２５１】
第１のタイプの表示装置３０は、図１０７の（ｂ）に示すように、ディスプレイ３１、蓄積部３２、送電部３３、データ抽出部３４、制御部３５、および光通信部３６を備える。
【１２５２】
送電部３３は、上述の送電コイル２５であって、携帯端末１０に電波を送信することによって、携帯端末１０に対して無線給電を行う。なお、本実施の形態では、表示装置３０は、送電部３３を備えるが、この送電部３３を備えていなくてもよい。
【１２５３】
蓄積部３２は、データ抽出部３４から出力される非圧縮の動画像データを蓄積する。
【１２５４】
光通信部３６は、制御部３５から出力される制御信号に応じて、光変調信号の送信および受信を行う。つまり、光通信部３６は、光変調信号を送信する発光部と、その光変調信号を受信する受光部とを備える。このような光通信部３６は、表示装置３０の他の構成要素から出力される制御データを変調することによって光変調信号を生成し、その光変調信号を携帯端末１０に送信する。つまり、制御データが光通信部３６から携帯端末１０に可視光通信によって送信される。
【１２５５】
また、光通信部３６は、携帯端末１０から送信される光変調信号を受信し、その光変調信号を復調することによって動画像データおよび制御データを生成する。つまり、携帯端末１０から可視光通信によって送信された動画像データおよび制御データが光通信部３６によって受信される。そして、光通信部３６は、受信されたその動画像データおよび制御データをデータ抽出部３４に出力する。なお、その動画像データは、携帯端末１０のデコーダ１７２によってデコードされた非圧縮の動画像データである。
【１２５６】
データ抽出部３４は、光通信部３６から出力された動画像データおよび制御データを取得し、それらのデータから動画像データを抽出し、その動画像データを蓄積部３２とディスプレイ３１に出力する。ディスプレイ３１は、その動画像データに応じた画像を表示する。蓄積部３２に蓄積された動画像データは、クラウドサーバなどの通信装置に送信されてもよい。また、データ抽出部３４は、それらのデータから制御データを抽出し、その制御データを制御部３５に出力する。
【１２５７】
制御部３５は、データ抽出部３４から出力された制御データを取得すると、その制御データに応じて光通信部３６を制御するための制御信号を生成し、その制御信号を光通信部３６に出力する。
【１２５８】
このような第１のタイプの通信システムでは、表示装置３０の蓄積部３２には、非圧縮の動画像データが蓄積される。
【１２５９】
図１０８は、第２のタイプの通信システムにおける携帯端末１０および表示装置３０のそれぞれの構成の一例を示す図である。
【１２６０】
第２のタイプでは、上述のように、携帯端末１０は、圧縮符号化済みの動画像データをデコードしない。したがって、携帯端末１０は、図１０８の（ａ）に示すように、デコーダ１７２を備えておらず、そのデコーダ１７２以外の、蓄積部１７１、データ抽出部１７３、受電部１７４、制御部１７５、および光通信部１７６を備える。
【１２６１】
光通信部１７６は、携帯端末１０にデコーダ１７２が備えられていないため、蓄積部１７１に蓄積されている圧縮符号化済みの動画像データを変調する。つまり、光通信部１７６は、その圧縮符号化済みの動画像データと、携帯端末１０の他の構成要素から出力される制御データとを変調することによって光変調信号を生成し、その光変調信号を表示装置３０に送信する。つまり、第２のタイプ２では、第１のタイプとは異なり、圧縮符号化済みの動画像データが光通信部１７６から表示装置３０に可視光通信によって送信される。
【１２６２】
第２のタイプの表示装置３０は、上述のように、圧縮符号化済みの動画像データをデコードする。したがって、表示装置３０は、図１０８の（ｂ）に示すように、第１のタイプと同様の構成要素を備えるとともに、さらに、デコーダ３７を備える。
【１２６３】
デコーダ３７は、データ抽出部３４から出力される圧縮符号化済みの動画像データを取得し、その動画像データをデコードする。そして、デコーダ１７２は、そのデコードされた動画像データである非圧縮の動画像データをディスプレイ３１に出力する。ディスプレイ３１は、その動画像データに応じた画像を表示する。
【１２６４】
蓄積部３２は、データ抽出部３４から出力される圧縮符号化済みの動画像を蓄積する。
【１２６５】
したがって、第２のタイプの通信システムにおける表示装置３０の蓄積部３２には、圧縮符号化済みの動画像データが蓄積される。その結果、蓄積部３２は、第１のタイプの場合よりも、多くの動画像データまたはデータ量の多い動画像データを蓄積することができる。
【１２６６】
図１０９は、第３のタイプの通信システムにおける携帯端末１０および表示装置３０のそれぞれの構成の一例を示す図である。図１１０は、第３のタイプの通信システムにおけるデコーダ機器４０の構成の一例を示す図である。
【１２６７】
第３のタイプでは、上述のように、デコーダ機器４０が動画像データのデコードを行う。したがって、図１０９の（ａ）に示すように、第３のタイプの携帯端末１０は、第１のタイプのようなデコーダ１７２を備えていない。また、図１０９の（ｂ）に示すように、第３のタイプの表示装置３０は、第２のタイプのようなデコーダ３７を備えていない。また、第３のタイプでは、携帯端末１０は、受電部１７４を備えず、表示装置３０も、送電部３３を備えていない。しかし、図１０９に示す構成は一例であって、携帯端末１０は、受電部１７４を備えてもよく、表示装置３０は、送電部３３を備えてもよい。
【１２６８】
携帯端末１０の光通信部１７６は、圧縮符号化済みの動画像データをデコーダ機器４０に送信する。デコーダ機器４０は、その圧縮符号化済みの動画像データを受信すると、その圧縮符号化済みの動画像データをデコードし、そのデコードされた動画像データである非圧縮の動画像データを表示装置３０に送信する。したがって、表示装置３０の光通信部３６は、非圧縮の動画像データをデコーダ機器４０から受信し、表示装置３０の蓄積部３２には、非圧縮の動画像データが蓄積される。
【１２６９】
デコーダ機器４０は、図１１０に示すように、蓄積部４１、デコーダ４２、データ抽出部４３、制御部４５、第１光通信部４６、および第２光通信部４７を備える。
【１２７０】
第１光通信部４６は、制御部４５から出力される制御信号に応じて、光変調信号の送信および受信を行う。つまり、第１光通信部４６は、光変調信号を送信する発光部と、光変調信号を受信する受光部とを備える。このような第１光通信部４６は、デコーダ機器４０の他の構成要素から出力される制御データを変調することによって光変調信号を生成し、その光変調信号を携帯端末１０に送信する。つまり、制御データが第１光通信部４６から携帯端末１０に可視光通信によって送信される。
【１２７１】
また、第１光通信部４６は、携帯端末１０から送信される光変調信号を受信し、その光変調信号を復調することによって動画像データおよび制御データを生成する。つまり、携帯端末１０から可視光通信によって送信された動画像データおよび制御データが第１光通信部４６によって受信される。そして、第１光通信部４６は、受信されたその動画像データおよび制御データをデータ抽出部３４に出力する。なお、その動画像データは、圧縮符号化済みの動画像データである。
【１２７２】
データ抽出部４３は、第１光通信部４６から出力された動画像データおよび制御データを取得し、それらのデータから動画像データを抽出し、その動画像データを蓄積部４１とデコーダ４２に出力する。また、データ抽出部４３は、それらのデータから制御データを抽出し、その制御データを制御部４５に出力する。
【１２７３】
蓄積部４１は、データ抽出部４３によって抽出されて出力された動画像データ、すなわち圧縮符号化済みの動画像データを蓄積する。この蓄積部４１に蓄積されている動画像データは、クラウドサーバなどの通信装置に送信されてもよい。また、蓄積部４１に蓄積されている動画像データは、第２光通信部４７に出力されてもよい。
【１２７４】
制御部４５は、データ抽出部３４から出力された制御データを取得すると、その制御データに応じて第１光通信部４６を制御するための制御信号を生成し、その制御信号を第１光通信部４６に出力する。
【１２７５】
デコーダ４２は、データ抽出部４３によって抽出されて出力された動画像データ、すなわち圧縮符号化済みの動画像データをデコードする。そして、デコーダ４２は、そのデコードされた動画像データである非圧縮の動画像データを第２光通信部４７に出力する。
【１２７６】
第２光通信部４７は、第１光通信部４６と同様、光変調信号の送信および受信を行う。つまり、第２光通信部４７は、光変調信号を送信する発光部と、光変調信号を受信する受光部とを備える。このような第２光通信部４７は、デコーダ機器４０の他の構成要素から出力される制御データと、デコーダ４２から出力される非圧縮の動画像データとを変調することによって光変調信号を生成し、その光変調信号を表示装置３０に送信する。つまり、制御データと非圧縮の動画像データとが第２光通信部４７から表示装置３０に可視光通信によって送信される。
【１２７７】
また、第２光通信部４７は、表示装置３０から送信される光変調信号を受信し、その光変調信号を復調する。そして、第２光通信部４７は、その復調によって得られるデータを、デコーダ機器４０の他の構成要素に出力する。
【１２７８】
したがって、第３のタイプの通信システムにおけるデコーダ機器４０の蓄積部４１には、圧縮符号化済みの動画像データが蓄積される。その結果、蓄積部４１は、第１のタイプの場合よりも、多くの動画像データまたはデータ量の多い動画像データを蓄積することができる。なお、表示装置３０の蓄積部３２またはデコーダ機器４０の蓄積部４１は、必須の構成要素ではない。
【１２７９】
＜可視光通信の中継＞
図１１１は、可視光通信の中継の一例を示す図である。
【１２８０】
例えば、光通信装置５０Ａが通信相手の装置に対して光変調信号を送信する場合に、光通信装置５０Ｂは、その光変調信号の送信の中継を行う。
【１２８１】
光通信装置５０Ａは、通信処理部５１と、発光部５２とを備える。発光部５２は、例えばＬＥＤ（Light Emitting Diode）、有機ＥＬなどの光源である。通信処理部５１は、その発光部５２による発光の輝度を変化させることによって、その発光部５２から光変調信号を送信させる。
【１２８２】
光通信装置５０Ｂは、受光部５３と、通信処理部５４と、複数の発光部５５とを備える。受光部５３は、例えばイメージセンサまたはフォトダイオードなどの素子であって、光通信装置５０Ａの発光部５２から送信される光変調信号を受信し、その光変調信号によって示される信号を通信処理部５４に出力する。通信処理部５４は、その信号に応じて複数の発光部５５の輝度を変化させることによって、その複数の発光部５５のそれぞれから光変調信号を送信させる。このように、光通信装置５０Ｂは、光通信装置５０Ａから通信相手の装置への光変調信号の送信を中継する。
【１２８３】
ここで、光変調信号の中継では、送信信号のフレームに宛先情報を伝送する領域があり、宛先情報として、グループキャストまたはマルチキャストの指定が行われていてもよい。また、光通信装置５０Ｂは、上述の例では複数の発光部５５のそれぞれにから光変調信号を送信するが、１つの発光部５５から光変調信号を送信してもよい。また、光変調信号の中継では、ホップ回数が指定されていてもよい。例えば、光変調信号のフレームに、ホップ回数を伝送する領域が存在するものとする。光通信装置５０Ｂは、そのホップ回数をインクリメントしてもよく、ホップ回数が上限に達した場合には、中継をストップしてもよい。また、送信される光変調信号のフレームには、ホップ回数の上限値とを示す情報が含まれていてもよい。よって、光通信装置５０Ｂは、宛先情報、ホップ回数、ホップ回数の上限を示す情報を含んだ送信フレームを送信することになる。
【１２８４】
また、光通信装置５０Ｂは、光変調信号を１回だけでなく複数回、連続的にまたは定期的に送信してもよい。さらに、光通信装置５０Ｂは、光通信装置５０Ａの光変調信号と同一の光変調信号を送信してもよく、光通信装置５０Ａの光変調信号によって示されるデータにさらに他のデータを付加し、それらのデータを示す光変調信号を送信してもよい。
【１２８５】
＜光源の光量＞
可視光による近接通信を行う場合、近接通信以外の通信を行うときと比較して、光源の明るさを暗くする必要がある。光源を調整する方法として、以下がある。
【１２８６】
「第１の通信装置は、無線による充電を行う充電部を具備しているものとする。そして、通信相手と通信を行うとともに、無線による送電も行われるものとする。このとき、第１の通信装置は、無線による充電が実施されていることを検出した場合、通信装置が光変調信号を照射する際の光の光量を、近接通信用の光量に設定する（近接通信以外のときの光量より小さい光量とする）。これにより、第１の通信装置の通信相手は、光変調信号の受信の際、飽和状態を防いだ状態で、変調信号を受信することができるため、高いデータの受信品質を得ることができるという効果を得ることができる。
【１２８７】
なお、第１の通信装置が照射する光の光量を調整する方法としては、光量自身を強くしたり、弱くしたりしてもよいし、時間方向で、光量を強くする場合、弱くする場合を、例えば、規則的に変化させることで光量を調節してもよい。
【１２８８】
＜車両のデジタルサイネージ＞
図１１２は、デジタルサイネージを備えた車両の一例を示す図である。
【１２８９】
車両６０は、光通信装置（または、電波などを用いた無線通信装置）６１と、受電コイル６２と、ディスプレイ６３とを備える。また、駐車場の路面には、光通信装置（または、電波などを用いた無線通信装置）７１と送電コイル７２とが設置されている。車両６０は、その駐車場に停車すると、送電コイル７２から送信される電波を受電コイル６２によって受信することによって、その送電コイル７２からの無線給電を受ける。
【１２９０】
そして、車両６０が無線給電を受けているときに、駐車場の光通信装置（または、電波などを用いた無線通信装置）７１は、例えば店舗の広告などを示す動画像（および、オーディオ）データを伝送するための光変調信号（または、変調信号）を生成するために、誤り訂正符号の符号化、マッピングを施し、その光変調信号（または、変調信号）を車両６０の光通信装置６１（または、電波などを用いた無線通信装置）に送信する。なお、光通信装置７１（または、電波などを用いた無線通信装置）は、クラウドサーバなどの外部装置と通信し、その外部装置から動画像（および、オーディオ）データを取得してもよい。
【１２９１】
車両６０の光通信装置（または、電波などを用いた無線通信装置）６１は、駐車場の光通信装置（または、電波などを用いた無線通信装置）７１から送信される光変調信号（または、変調信号）を受信し、その光変調信号（または、変調信号）を復調する。そして、光通信装置（または、電波などを用いた無線通信装置）６１は、その復調によって得られた動画像データ（および、オーディオ）をディスプレイ６３に出力する（および、スピーカに出力する）ことによって、その動画像データ（および、オーディオ）によって示される店舗の広告などを動画像または静止画像としてそのディスプレイ６３に表示する（および、スピーカにより音がなることになる）。これにより、ディスプレイ６３（および、スピーカ）がデジタルサイネージとして利用される。なお、図１１２において、車両６０にスピーカは記載していないが、車両６０がスピーカを搭載していてもよい。
【１２９２】
例えば、上述の車両６０および駐車場は、実施の形態１４のように車両シェアリングシステムとして用いられてもよい。車両６０は、実施の形態１４の車両９００１のように、電気自動車または電気二輪車であってもよい。この場合、車両６０をシェアする複数のユーザのそれぞれは、車両６０を走行しながら、その走行ルートに沿ってデジタルサイネージを移動させる。これにより、多くの人がそのデジタルサイネージを見ることになり、高い広告効果を得ることができる。また、サイネージの設置場所を確保するためにかかる費用を削減することができ、さらに、その際に必要となる、電源設置費用、防塵・防滴対策に対する費用を削減することができる。例えば、人通りの多い駅または施設などにサイネージを設置する場合には、多くの費用がかかるが、シェアリングされる車両６０にサイネージを掲載する場合には、その費用を大幅に削減することができる。
【１２９３】
図１１３を用いて、車両６０および車両６０が具備する装置（通信装置を含む）に関する動作を説明する。図１１３に示すように、まず、車両および車両が具備する装置は、動作を「開始」する。
【１２９４】
次に、車両６０および車両６０が具備する装置は、「充電関連手続き１１３０１」を行う。なお、図１１３では「充電関連手続き１１３０１」を記載しているが、この手続きを行わなくてもよい。また、「充電関連手続き１１３０１」は、最初に行わなくてもよく、どの段階で、この手続きを行ってもよい。そして、「充電関連手続き１１３０１」の詳細については、すでに、他の実施の形態で説明を行っているので、ここでの説明は省略する。
【１２９５】
車両６０および車両６０が具備する装置は、シェアリングにともなって使用する車両６０が具備するディスプレイ６３（および、スピーカ）を用いて「広告を表示するか１１３０２」、の判定を行う。
【１２９６】
この判定に対し、車両６０および車両６０が具備する装置が（車両６０に搭乗するユーザが）、「ＮＯ」を選択した場合、次に、「シェアリング手続き１１３０３」を行い、手続きを終了する。なお、シェアリング手続きについては、すでに、他の実施の形態で説明を行っているので、ここでの説明は省略する。
【１２９７】
「広告を表示するか１１３０２」の判定に対し、車両６０および車両６０が具備する装置は（車両６０に搭乗するユーザは）、「ＹＥＳ」を選択した場合、一つ以上、または、複数の「広告に関連するデータ」、例えば、動画または静止画のデータ（および、オーディオデータ）を光通信装置（または、電波などを用いた無線通信装置）７１がら、受けることになる。
【１２９８】
そして、車両６０および車両６０が具備する装置は（車両６０に搭乗するユーザは）、「広告を選択する１１３０４」することになる。その際、ユーザは、シェアリングによる費用（車両のレンタルする費用）の割引を受けることができるものとする。ユーザは、「割引クーポン」を受領してもよいし、シェアリングによる費用の精算をこのとき行う場合は、割引後の金額を提示されることになる。次に、「シェアリング手続き１１３０５」を行い、手続きを終了する。なお、シェアリング手続きについては、すでに、他の実施の形態で説明を行っているので、ここでの説明は省略する。
【１２９９】
なお、例えば、駐車場の光通信装置（または、電波などを用いた無線通信装置）７１は（クラウド）サーバなどの外部装置と通信し、サーバから広告データの候補情報を得るものとしてもよい。このとき、サーバは、一つ、または、複数の広告を保持しており、保持している広告の候補情報を、光通信装置（または、電波などを用いた無線通信装置）７１を介して、車両６０および車両６０が具備する装置は得るものとする。
【１３００】
そして、車両６０および車両６０が具備する装置は、この情報に基づいて、選択した広告データに関する情報を送信し、外部装置から得るものとする。
【１３０１】
また、外部装置は、広告を提供したいユーザが保有する装置から広告データを得るためのインターフェース（または、通信装置）を具備していてもよい。このとき、このユーザーから「シェアリング費用の割引」の額の情報の提供を外部装置が受けてもよい。
【１３０２】
なお、上述の例では、駐車場での例を説明したが、光通信装置（または、電波などを用いた無線通信装置）７１、無線送電用のコイル（システム）７２が設置されている場所は駐車場に限ったものではない。また、無線送電用コイル（システム）７２がなくても本実施の形態を実施することは可能である。
【１３０３】
＜実施の形態１３の変形例＞
実施の形態１３において、以下のように記載している。
「そして、上述の例では、送電システムの送電アンテナの位置を移動させることができる場合について、説明したが、これに限ったものではなく、送電システムの送電アンテナの位置が、駐車スペースに対し、固定的であってもよい。この場合、車は、車自身を好適な位置に自動的に移動させることで、受電アンテナを好適な位置に移動させ、高い充電効率を得ることができることになる。このとき、好適な位置変更を行うために、車が具備する通信装置は、受電部位置情報を、送電システムの通信装置に対し、送信するとよい。また、送電システムの通信装置が、「送電部位置情報」を送信してもよい。なお、送電部位置情報は、駐車スペースのどのような位置にあるか（「例えば、駐車スペースの前方、右」）という情報であってもよいし、また、具体的な数値を含む、例えば、駐車スペースに白線があった場合、「白線の後方から３ｍ、白線の右から２ｍに送電部がある」というような情報であってもよい。」
【１３０４】
上述では、「車は、車自身を好適な位置に自動的に移動させることで、受電アンテナを好適な位置に移動させ、高い充電効率を得ること」を記載しているが、「車は、車自身を好適な位置に自動的に移動させることで、ソーラーパネルを好適な位置に移動させ、高い充電効率を得ること」について説明する。
【１３０５】
図１１４は、車８１００の構成の一例であり、図８１と同様に動作するものについては、同一番号を付しており、すでに説明を行っている部分については、説明を省略する。図１１４の車８１００が、図８１の車８１００と異なる点は、ソーラーパネル１１４０１を具備している点である。
【１３０６】
なお、ソーラーパネル１１４０１には、以下の２種類があり、どちらのタイプであってもよい。
【１３０７】
（Ａ）ソーラーパネル１１４０１が、電池を搭載している。この場合、ソーラーパネル１１４０１に太陽光などが照射されたとき、この搭載されている電池が充電されることになる。そして、この搭載されている電池は、車内の装置に対する電源となる。
【１３０８】
（Ｂ）ソーラーパネル１１４０１が、電池を搭載していない。この場合、ソーラーパネル１１４０１に太陽光などが照射されたとき、図１１４の電池７００５が充電されることになる・そして、この電池は、車内の装置に対する電源にもなる。
【１３０９】
制御部７００３は、ソーラーパネル出力信号１１４０２を入力とする。そして、制御部は、ソーラーパネルの出力信号１１４０２に基づき、車の位置を好適な位置に移動させるための第１の制御信号７００７を出力する。
【１３１０】
例えば、この場合、「好適な位置」とは、ソーラーパネル１１４０１において、高い充電効率が得られる位置、例えば、ソーラーパネル１１４０１に太陽光が効率よく照射される位置となる。
【１３１１】
そして、車制御部８１０１は、第１の制御信号７００７に基づいて、車を好適な位置に動かし、停車させることになる。ただし、車制御部８１０１は、他の要素を複合的に考慮し、移動する場所、停車する場所を決定してもよい。なお、車の移動、停車についての動作については、実施の形態１３で説明しているので、ここでの説明は省略する。
【１３１２】
図１１４において、通信のための送受信装置７０１１、通信用アンテナ７０１４などを具備していない車でも、上述の動作を実施することは可能である。このように、図１１４の車の構成は一つの例であり、この構成に限ったものではない。
【１３１３】
図１１５は、図１１４とは異なる、車８１００の構成の一例であり、図８１、図１１４と同様に動作するものについては、同一番号を付しており、すでに説明を行っている部分については、説明を省略する。図１１５の車８１００が、図１１４の車８１００と異なる点は、受電アンテナ７００１の代わりに受電部１１５０１を具備している点である。受電部１１５０１は、例えば、有線により電池７００５の充電を行うためのインターフェースである。
【１３１４】
なお、ソーラーパネル１１４０１、制御部７００３、車制御部８１０１などの動作は上述で説明しているので、ここでの説明は省略する。
【１３１５】
図１１５において、通信のための送受信装置７０１１、通信用アンテナ７０１４などを具備していない車でも、上述の動作を実施することは可能である。このように、図１１５の車の構成は一つの例であり、この構成に限ったものではない。
【１３１６】
図１１６は、図１１４、図１１５とは異なる、車８１００の構成の一例であり、図８１、図１１４、図１１５と同様に動作するものについては、同一番号を付しており、すでに説明を行っている部分については、説明を省略する。図１１６の車８１００が、図１１４、図１１５の車８１００と異なる点は、受電部１１５０１、および、受電アンテナ７００１を具備している点である。したがって、「受電部１１５０１、または、受電アンテナ７００１」、または、「受電部１１５０１、または、受電アンテナ７００１」により、電池７００５の充電が行われることになる。
【１３１７】
なお、ソーラーパネル１１４０１、制御部７００３、車制御部８１０１などの動作は上述で説明しているので、ここでの説明は省略する。
【１３１８】
図１１６において、通信のための送受信装置７０１１、通信用アンテナ７０１４などを具備していない車でも、上述の動作を実施することは可能である。このように、図１１６の車の構成は一つの例であり、この構成に限ったものではない。
【１３１９】
以上のように実施することで、電池７００５、ソーラーパネル１１４０１が保持している電池が効率よく充電されることになり、これにより、車内で使用する装置を安定的に動作させることができるとともに、車内により多くの装置を搭載することができるという効果を得ることができる。
【産業上の利用可能性】
【１３２０】
本開示は、通信システムにおいて有用である。
【符号の説明】
【１３２１】
１０、１０Ａ〜１０Ｅ  携帯端末
１３、１３ａ、１３ｂ    発光部
１４、１４ａ、１４ｂ    受光部
７００                  基地局
７０１                  アンテナ
７０２，７０３          送信ビーム
７０４                  端末
７０５，７０６          受信指向性
【図１】
2019093464.tif 000010
【図２】
2019093464.tif 000011
【図３】
2019093464.tif 000012
【図４】
2019093464.tif 000013
【図５】
2019093464.tif 000014
【図６】
2019093464.tif 000015
【図７】
2019093464.tif 000016
【図８】
2019093464.tif 000017
【図９】
2019093464.tif 000018
【図１０】
2019093464.tif 000019
【図１１】
2019093464.tif 000020
【図１２】
2019093464.tif 000021
【図１３】
2019093464.tif 000022
【図１４】
2019093464.tif 000023
【図１５】
2019093464.tif 000024
【図１６】
2019093464.tif 000025
【図１７】
2019093464.tif 000026
【図１８】
2019093464.tif 000027
【図１９】
2019093464.tif 000028
【図２０】
2019093464.tif 000029
【図２１】
2019093464.tif 000030
【図２２】
2019093464.tif 000031
【図２３】
2019093464.tif 000032
【図２４】
2019093464.tif 000033
【図２５】
2019093464.tif 000034
【図２６】
2019093464.tif 000035
【図２７】
2019093464.tif 000036
【図２８】
2019093464.tif 000037
【図２９】
2019093464.tif 000038
【図３０】
2019093464.tif 000039
【図３１】
2019093464.tif 000040
【図３２】
2019093464.tif 000041
【図３３】
2019093464.tif 000042
【図３４】
2019093464.tif 000043
【図３５】
2019093464.tif 000044
【図３６】
2019093464.tif 000045
【図３７】
2019093464.tif 000046
【図３８】
2019093464.tif 000047
【図３９】
2019093464.tif 000048
【図４０】
2019093464.tif 000049
【図４１】
2019093464.tif 000050
【図４２】
2019093464.tif 000051
【図４３】
2019093464.tif 000052
【図４４】
2019093464.tif 000053
【図４５】
2019093464.tif 000054
【図４６】
2019093464.tif 000055
【図４７】
2019093464.tif 000056
【図４８】
2019093464.tif 000057
【図４９】
2019093464.tif 000058
【図５０】
2019093464.tif 000059
【図５１】
2019093464.tif 000060
【図５２】
2019093464.tif 000061
【図５３】
2019093464.tif 000062
【図５４】
2019093464.tif 000063
【図５５】
2019093464.tif 000064
【図５６】
2019093464.tif 000065
【図５７】
2019093464.tif 000066
【図５８】
2019093464.tif 000067
【図５９】
2019093464.tif 000068
【図６０】
2019093464.tif 000069
【図６１】
2019093464.tif 000070
【図６２】
2019093464.tif 000071
【図６３】
2019093464.tif 000072
【図６４】
2019093464.tif 000073
【図６５】
2019093464.tif 000074
【図６６】
2019093464.tif 000075
【図６７】
2019093464.tif 000076
【図６８】
2019093464.tif 000077
【図６９】
2019093464.tif 000078
【図７０】
2019093464.tif 000079
【図７１】
2019093464.tif 000080
【図７２】
2019093464.tif 000081
【図７３】
2019093464.tif 000082
【図７４】
2019093464.tif 000083
【図７５】
2019093464.tif 000084
【図７６】
2019093464.tif 000085
【図７７】
2019093464.tif 000086
【図７８】
2019093464.tif 000087
【図７９】
2019093464.tif 000088
【図８０】
2019093464.tif 000089
【図８１】
2019093464.tif 000090
【図８２】
2019093464.tif 000091
【図８３】
2019093464.tif 000092
【図８４】
2019093464.tif 000093
【図８５】
2019093464.tif 000094
【図８６】
2019093464.tif 000095
【図８７】
2019093464.tif 000096
【図８８】
2019093464.tif 000097
【図８９】
2019093464.tif 000098
【図９０】
2019093464.tif 000099
【図９１】
2019093464.tif 000100
【図９２】
2019093464.tif 000101
【図９３】
2019093464.tif 000102
【図９４】
2019093464.tif 000103
【図９５】
2019093464.tif 000104
【図９６】
2019093464.tif 000105
【図９７Ａ】
2019093464.tif 000106
【図９７Ｂ】
2019093464.tif 000107
【図９８】
2019093464.tif 000108
【図９９】
2019093464.tif 000109
【図１００】
2019093464.tif 000110
【図１０１】
2019093464.tif 000111
【図１０２Ａ】
2019093464.tif 000112
【図１０２Ｂ】
2019093464.tif 000113
【図１０３】
2019093464.tif 000114
【図１０４】
2019093464.tif 000115
【図１０５】
2019093464.tif 000116
【図１０６】
2019093464.tif 000117
【図１０７】
2019093464.tif 000118
【図１０８】
2019093464.tif 000119
【図１０９】
2019093464.tif 000120
【図１１０】
2019093464.tif 000121
【図１１１】
2019093464.tif 000122
【図１１２】
2019093464.tif 000123
【図１１３】
2019093464.tif 000124
【図１１４】
2019093464.tif 000125
【図１１５】
2019093464.tif 000126
【図１１６】
2019093464.tif 000127
【国際調査報告】
2019093464.tif 000128
2019093464.tif 000129
2019093464.tif 000130